(57)【要約】  本明細書において、ｃＴｎＩを使用して、軽度又は中等度、重度若しくは中等度〜重度の外傷性脳損傷（ＴＢＩ）のような、頭部への損傷を負った、又は負った可能性があるヒト対象の診断及び査定の一助となる方法が開示される。また、ｃＴｎＩのレベルを検出することにより、対象に対して、頭部コンピュータ断層撮影を実施するのかどうかを決定するための方法も開示される。最後に、また、軽度ＴＢＩを患う対象における転帰を予測する方法も開示される。【特許請求の範囲】
【請求項１】
ヒト対象を、ヒト対象における軽度外傷性脳損傷について査定するための方法であって、
ａ）実際の頭部への損傷又は推測される頭部への損傷後約２４時間以内に前記対象から得られた試料に対して、アッセイを実施し、心臓トロポニンＩ（ｃＴｎＩ）のレベルを測定又は検出するステップ；及び
ｂ）前記対象が、軽度又は中等度〜重度の外傷性脳損傷（ＴＢＩ）を負っているのかどうかを決定するステップであって、（１）ｃＴｎＩの前記試料中レベルが、ｃＴｎＩの基準レベルより高い場合、前記対象が、中等度、重度若しくは中等度〜重度の外傷性脳損傷を有すると決定される、又は（２）ｃＴｎＩの前記試料中レベルが、ｃＴｎＩの基準レベルより低い場合、前記対象が、軽度外傷性脳損傷を有すると決定されるステップ
を含む方法。
【請求項２】
前記対象が、前記アッセイが実施される前に、又は実施された後において、ＧＣＳ（Ｇｌａｓｇｏｗ  Ｃｏｍａ  Ｓｃａｌｅ）スコアを受けている、請求項１に記載の方法。
【請求項３】
前記対象が、前記ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、請求項２に記載の方法。
【請求項４】
前記基準レベルが、中等度、重度又は中等度〜重度の外傷性脳損傷を有する対象と相関する、請求項３に記載の方法。
【請求項５】
前記基準レベルが、３〜１２のＧＣＳ（Ｇｌａｓｇｏｗ  Ｃｏｍａ  Ｓｃａｌｅ）スコアと相関する、請求項４に記載の方法。
【請求項６】
前記対象が、前記ＧＣＳ（Ｇｌａｓｇｏｗ  Ｃｏｍａ  Ｓｃａｌｅ）スコアに基づき、軽度外傷性脳損傷を有すると推測される、請求項２に記載の方法。
【請求項７】
前記基準レベルが、軽度外傷性脳損傷を有する対象と相関する、請求項６に記載の方法。
【請求項８】
前記基準レベルが、１３〜１５のＧＣＳ（Ｇｌａｓｇｏｗ  Ｃｏｍａ  Ｓｃａｌｅ）スコアと相関する、請求項７に記載の方法。
【請求項９】
ｃＴｎＩについての前記基準レベルが、約１．９４ｐｇ／ｍＬ、約２．５４ｐｇ／ｍＬ、約２１．２３ｐｇ／ｍＬ又は約４３．７９ｐｇ／ｍＬである、請求項１〜８のいずれか一項に記載の方法。
【請求項１０】
前記基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である、請求項１〜９のいずれか一項に記載の方法。
【請求項１１】
前記試料が、前記実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に採取される、請求項１〜１０のいずれか一項に記載の方法。
【請求項１２】
ヒト対象における、軽度又は中等度、重度若しくは中等度〜重度の外傷性脳損傷を処置する方法であって、
ａ）実際の頭部への損傷又は推測される頭部への損傷後約２４時間以内に前記対象から得られた試料に対して、アッセイを実施して、ｃＴｎＩのレベルを測定又は検出するステップ；
ｂ）前記対象が、軽度又は中等度〜重度の外傷性脳損傷（ＴＢＩ）を負っているのかどうかを決定するステップであって、（１）ｃＴｎＩの前記試料中レベルが、ｃＴｎＩの基準レベルより高い場合、前記対象が、中等度、重度若しくは中等度〜重度の外傷性脳損傷を有すると決定される、又は（２）ｃＴｎＩの前記試料中レベルが、ｃＴｎＩの基準レベルより低い場合、前記対象が、軽度外傷性脳損傷を有すると決定されるステップ；及び
ｃ）軽度、中等度、重度又は中等度〜重度の外傷性脳損傷を有すると評価された前記対象を、外傷性脳損傷処置により処置するステップ
を含む方法。
【請求項１３】
軽度、中等度、重度又は中等度〜重度の外傷性脳損傷を有すると評価された前記対象をモニタリングするステップをさらに含む、請求項１２に記載の方法。
【請求項１４】
実際の頭部への損傷又は推測される頭部への損傷を有するヒト対象に対して、頭部コンピュータ断層撮影（ＣＴ）スキャンを実施するのかどうかを決定する方法であって、
ａ）実際の頭部への損傷又は推測される頭部への損傷後約２４時間以内に前記対象から得られた試料に対して、アッセイを実施して、ｃＴｎＩの前記試料中レベルを測定又は検出するステップ；及び
ｂ）ｃＴｎＩの前記試料中レベルが、ｃＴｎＩの基準レベルより高い場合、前記対象に対するＣＴスキャンを実施し、ｃＴｎＩの試料中レベルが、ｃＴｎＩの基準レベルより低い場合、前記対象に対するＣＴスキャンを実施しないステップ
を含む方法。
【請求項１５】
前記試料が、前記実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に、前記対象から採取される、請求項１４に記載の方法。
【請求項１６】
前記対象が、前記アッセイが実施される前に、又は実施された後において、ＣＴスキャンを受けている、請求項１４又は１５に記載の方法。
【請求項１７】
前記対象が、前記ＣＴスキャンに基づき、外傷性脳損傷を有することが推測される、請求項１６に記載の方法。
【請求項１８】
前記基準レベルが、陽性の頭部コンピュータ断層撮影と相関する、請求項１４〜１７のいずれか一項に記載の方法。
【請求項１９】
前記基準レベルが、頭部損傷を負っていない対照の対象と相関する、請求項１４に記載の方法。
【請求項２０】
ｃＴｎＩについての前記基準レベルが、約１．６５ｐｇ／ｍＬ、約２．１６ｐｇ／ｍＬ、約１４．７５ｐｇ／ｍＬ又は約３０．４３ｐｇ／ｍＬである、請求項１４〜１９のいずれか一項に記載の方法。
【請求項２１】
前記基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である、請求項１４〜２０のいずれか一項に記載の方法。
【請求項２２】
ヒト対象を、ヒト対象における軽度外傷性脳損傷について査定するための方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、頭部損傷後、約２４時間以内の第１の時点において採取され、前記第２の試料が、前記ヒト対象から、前記第１の試料の約３時間〜約６時間後に採取され、前記試料が、生物学的試料であるステップ；
ｂ）ｃＴｎＩの量が、前記第１の試料から前記第２の試料へと、上昇したのか、低下したのかを決定するステップ；並びに
ｃ）検出されたｃＴｎＩのレベルが、前記第１の試料から前記第２の試料へと、上昇した場合に、中等度、重度又は中等度〜重度の外傷性脳損傷の発生を確認し、検出されたｃＴｎＩのレベルが、前記第１の試料から前記第２の試料へと、不変を維持する、又は低下した場合に、軽度外傷性脳損傷の非存在を確認するステップ
を含む方法。
【請求項２３】
ヒト対象を、ヒト対象における軽度外傷性脳損傷について査定するための方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、第１の時点において採取され、前記第２の試料が、前記ヒト対象から、前記第１の試料の約１時間〜約４時間後に採取され、前記試料が、生物学的試料であるステップ；
ｂ）ｃＴｎＩの量が、前記第１の試料から前記第２の試料へと、上昇したのか、低下したのかを決定するステップ；並びに
ｃ）検出されたｃＴｎＩのレベルが、前記第１の試料から前記第２の試料へと、上昇した場合に、中等度〜重度の外傷性脳損傷の発生を確認し、検出されたｃＴｎＩのレベルが、前記第１の試料から前記第２の試料へと、不変を維持する、又は低下した場合に、軽度外傷性脳損傷の非存在を確認するステップ
を含む方法。
【請求項２４】
前記第１の試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に、前記対象から採取される、請求項２２又は２３に記載の方法。
【請求項２５】
前記対象が、異常な頭部ＣＴを有する、請求項２２から２４のいずれかに記載の方法。
【請求項２６】
ｃＴｎＩの、前記第１の試料中の量が、約１．０〜約５０ｐｇ／ｍＬである、請求項２２〜２５のいずれか一項に記載の方法。
【請求項２７】
ｃＴｎＩの、前記第２の試料中の量が、約１．０〜約５０ｐｇ／ｍＬである、請求項２２〜２６のいずれか一項に記載の方法。
【請求項２８】
ヒト対象における、軽度又は中等度、重度若しくは中等度〜重度の外傷性脳損傷を処置する方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、第１の時点において採取され、前記第２の試料が、前記ヒト対象から、前記第１の試料の約３時間〜約６時間後又は約１時間〜約４時間後に採取され、前記試料が、生物学的試料であるステップ；
ｂ）ｃＴｎＩの量が、前記第１の試料から前記第２の試料へと、上昇したのか、低下したのかを決定するステップ；
ｃ）検出されたｃＴｎＩのレベルが、前記第１の試料から前記第２の試料へと、上昇した場合に、中等度〜重度の外傷性脳損傷の発生を確認し、検出されたｃＴｎＩのレベルが、前記第１の試料から前記第２の試料へと、不変を維持する、又は低下した場合に、軽度外傷性脳損傷の非存在を確認するステップ；並びに
ｄ）軽度、中等度、重度又は中等度〜重度の外傷性脳損傷を有すると評価された前記対象を、外傷性脳損傷処置により処置するステップ
を含む方法。
【請求項２９】
軽度、中等度、重度又は中等度〜重度の外傷性脳損傷を有すると評価された前記対象をモニタリングするステップをさらに含む、請求項２８に記載の方法。
【請求項３０】
頭部への損傷を負った、又は負った可能性があるヒト対象の診断及び査定の一助となる方法であって、
ａ）実際の頭部への損傷又は推測される頭部への損傷後約２時間以内に前記対象から得られた試料に対して、アッセイを実施して、ｃＴｎＩのレベルを測定又は検出するステップ；及び
ｂ）前記対象が、軽度又は中等度〜重度の外傷性脳損傷（ＴＢＩ）を負っているのかどうかを決定するステップであって、（１）ｃＴｎＩの前記試料中レベルが、ｃＴｎＩの基準レベルより高い場合、前記対象が、中等度、重度若しくは中等度〜重度の外傷性脳損傷を有すると決定される、又は（２）ｃＴｎＩの前記試料中レベルが、ｃＴｎＩの基準レベルより低い場合、前記対象が、軽度外傷性脳損傷を有すると決定されるステップ
を含む方法。
【請求項３１】
前記対象が、前記アッセイが実施される前に、又は実施された後において、ＧＣＳ（Ｇｌａｓｇｏｗ  Ｃｏｍａ  Ｓｃａｌｅ）スコアを受けている、請求項３０に記載の方法。
【請求項３２】
前記対象が、前記ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、請求項３１に記載の方法。
【請求項３３】
前記基準レベルが、中等度、重度又は中等度〜重度の外傷性脳損傷を有する対象と相関する、請求項３２に記載の方法。
【請求項３４】
前記基準レベルが、３〜１２のＧＣＳ（Ｇｌａｓｇｏｗ  Ｃｏｍａ  Ｓｃａｌｅ）スコアと相関する、請求項３３に記載の方法。
【請求項３５】
前記対象が、前記ＧＣＳ（Ｇｌａｓｇｏｗ  Ｃｏｍａ  Ｓｃａｌｅ）スコアに基づき、軽度外傷性脳損傷を有すると推測される、請求項３１に記載の方法。
【請求項３６】
前記基準レベルが、軽度外傷性脳損傷を有する対象と相関する、請求項３５に記載の方法。
【請求項３７】
前記基準レベルが、１３〜１５のＧＣＳ（Ｇｌａｓｇｏｗ  Ｃｏｍａ  Ｓｃａｌｅ）スコアと相関する、請求項３６に記載の方法。
【請求項３８】
ｃＴｎＩについての前記基準レベルが、約１．１５ｐｇ／ｍＬ又は約１．２９ｐｇ／ｍＬである、請求項３０〜３７のいずれか一項に記載の方法。
【請求項３９】
前記基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である、請求項３０〜３８のいずれか一項に記載の方法。
【請求項４０】
前記試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、請求項３０〜３９のいずれか一項に記載の方法。
【請求項４１】
軽度、中等度、重度又は中等度〜重度のＴＢＩを処置する方法であって、
ａ）実際の頭部への損傷又は推測される頭部への損傷後約２時間以内に前記対象から得られた試料に対して、アッセイを実施して、ｃＴｎＩのレベルを測定又は検出するステップ；
ｂ）前記対象が、軽度又は中等度〜重度の外傷性脳損傷（ＴＢＩ）を負っているのかどうかを決定するステップであって、（１）ｃＴｎＩの前記試料中レベルが、ｃＴｎＩの基準レベルより高い場合、前記対象が、中等度、重度若しくは中等度〜重度の外傷性脳損傷を有すると決定される、又は（２）ｃＴｎＩの前記試料中レベルが、ｃＴｎＩの基準レベルより低い場合、前記対象が、軽度外傷性脳損傷を有すると決定されるステップ；及び
ｃ）軽度、中等度、重度又は中等度〜重度の外傷性脳損傷を有すると評価された前記対象を、外傷性脳損傷処置により処置するステップ
を含む方法。
【請求項４２】
軽度、中等度、重度又は中等度〜重度の外傷性脳損傷を有すると評価された前記対象をモニタリングするステップをさらに含む、請求項４１に記載の方法。
【請求項４３】
実際の頭部への損傷又は推測される頭部への損傷を有するヒト対象に対して、頭部コンピュータ断層撮影（ＣＴ）スキャンを実施するのかどうかについての決定の一助となる方法であって、
ａ）実際の頭部への損傷又は推測される頭部への損傷後約２時間以内に前記対象から得られた試料に対して、アッセイを実施して、ｃＴｎＩの前記試料中レベルを測定又は検出するステップ；及び
ｂ）ｃＴｎＩの前記試料中レベルが、ｃＴｎＩの基準レベルより高い場合、前記対象に対するＣＴスキャンを実施し、ｃＴｎＩの試料中レベルが、ｃＴｎＩの基準レベルより低い場合、前記対象に対するＣＴスキャンを実施しないステップ
を含む方法。
【請求項４４】
前記対象が、前記アッセイが実施される前に、又は実施された後において、ＣＴスキャンを受けている、請求項４３に記載の方法。
【請求項４５】
前記対象が、前記ＣＴスキャンに基づき、外傷性脳損傷を有することが推測される、請求項４４に記載の方法。
【請求項４６】
前記基準レベルが、陽性の頭部コンピュータ断層撮影と相関する、請求項４３〜４５のいずれか一項に記載の方法。
【請求項４７】
前記基準レベルが、頭部損傷を負っていない対照の対象と相関する、請求項４３に記載の方法。
【請求項４８】
ｃＴｎＩについての前記基準レベルが、約５．８ｐｇ／ｍＬ又は約４．７ｐｇ／ｍＬである、請求項４３〜４７のいずれか一項に記載の方法。
【請求項４９】
前記基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である、請求項４３〜４８のいずれか一項に記載の方法。
【請求項５０】
前記試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、請求項４３〜４９のいずれか一項に記載の方法。
【請求項５１】
軽度外傷性脳損傷を有するヒト対象の転帰を予測するための方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、頭部への損傷後２４時間以内の第１の時点において採取され、前記第２の試料が、前記ヒト対象から、前記第１の試料の約０〜約４時間後に採取され、前記試料が、生物学的試料であるステップ；
ｂ）ｃＴｎＩの量が、前記第１の試料から前記第２の試料へと、上昇したのか、低下したのかを決定するステップ；並びに
ｃ）検出されたｃＴｎＩのレベルが、前記第１の試料から前記第２の試料へと、少なくとも約２０％上昇した場合に、前記ヒト対象における、思わしくない転帰を予測し、検出されたｃＴｎＩのレベルが、前記第１の試料から前記第２の試料へと、不変を維持する、約２０％未満低下又は上昇した場合に、前記ヒト対象における、思わしい転帰を予測するステップ
を含む方法。
【請求項５２】
前記第１の試料が、頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に、前記対象から採取される、請求項５１に記載の方法。
【請求項５３】
前記実際の頭部への損傷又は推測される頭部への損傷の、約１カ月、３カ月又は６カ月後における転帰を予測する、請求項５１又は５２に記載の方法。
【請求項５４】
前記対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、請求項５３に記載の方法。
【請求項５５】
前記対象が、正常な頭部ＣＴスキャンを有する、請求項５１〜５４のいずれか一項に記載の方法。
【請求項５６】
前記対象が、前記アッセイが実施される前に、又は実施された後において、ＧＣＳ（Ｇｌａｓｇｏｗ  Ｃｏｍａ  Ｓｃａｌｅ）スコアを受けている、請求項５１〜５５のいずれか一項に記載の方法。
【請求項５７】
前記対象が、１３〜１５のＧＣＳ（Ｇｌａｓｇｏｗ  Ｃｏｍａ  Ｓｃａｌｅ）スコアを受けており、前記ＧＣＳ（Ｇｌａｓｇｏｗ  Ｃｏｍａ  Ｓｃａｌｅ）スコアに基づき、軽度外傷性脳損傷を有すると推測される、請求項５１〜５６のいずれか一項に記載の方法。
【請求項５８】
前記対象が、前記アッセイが実施される前に、又は実施された後において、ＧＯＳＥ（Ｅｘｔｅｎｄｅｄ  Ｇｌａｓｇｏｗ  Ｏｕｔｃｏｍｅ  Ｓｃａｌｅ）スコアを受けている、請求項５１〜５７のいずれか一項に記載の方法。
【請求項５９】
軽度外傷性脳損傷を有するヒト対象の転帰を予測するための方法であって、
ａ）損傷後、約２８時間以内に、前記対象から得られた試料に対するアッセイを実施して、ｃＴｎＩのレベルを測定又は検出するステップであって、前記試料が、生物学的試料であるステップ；及び
ｂ）ｃＴｎＩの前記試料中レベルが、ｃＴｎＩの基準レベルより高い場合、前記ヒト対象における、思わしくない転帰を予測し、ｃＴｎＩの前記試料中レベルが、ｃＴｎＩの基準レベルより低い場合、前記ヒト対象における、思わしい転帰を予測するステップ
を含む方法。
【請求項６０】
前記試料が、前記頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、約２４時間以内に、約２５時間以内に、約２６時間以内に、約２７時間以内に、又は約２８時間以内に、前記対象から採取される、請求項５９に記載の方法。
【請求項６１】
前記頭部への損傷の、約１カ月、３カ月又は６カ月後における転帰を予測する、請求項５９又は６０に記載の方法。
【請求項６２】
前記対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、請求項６１に記載の方法。
【請求項６３】
前記基準レベルが、（ａ）少なくとも約８０％〜１００％の間の感度及び少なくとも約４５％〜１００％の間の特異度を有するアッセイにより決定される；（ｂ）少なくとも約８３．３％の感度及び少なくとも約５４．９％の特異度を有するアッセイにより決定される；（ｃ）少なくとも約１００％の感度及び少なくとも約４９．２％の特異度を有するアッセイにより決定される；又は（ｄ）少なくとも約１ｐｇ／ｍＬ〜約５０ｐｇ／ｍＬの間である、請求項５９〜６２のいずれか一項に記載の方法。
【請求項６４】
ｃＴｎＩについての前記基準レベルが、約５．６ｐｇ／ｍＬ又は約５．７ｐｇ／ｍＬである、請求項５９〜６３のいずれか一項に記載の方法。
【請求項６５】
軽度外傷性脳損傷を有するヒト対象の転帰を予測するための方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、頭部損傷後、約２４時間以内の第１の時点において採取され、前記第２の試料が、前記ヒト対象から、前記第１の試料の約４時間後に採取され、前記試料が、生物学的試料であるステップ；
ｂ）ｃＴｎＩの量が、前記第１の試料から前記第２の試料へと、上昇したのか、低下したのかを決定するステップ；並びに
ｃ）ｃＴｎＩの前記試料中レベルが、前記第１の試料から前記第２の試料へと、上昇した場合に、前記ヒト対象における、思わしくない転帰を予測し、ｃＴｎＩの前記試料中レベルが、前記第１の試料から前記第２の試料へと、不変を維持する、又は低下した場合に、前記ヒト対象における、思わしい転帰を予測するステップ
を含む方法。
【請求項６６】
前記第１の試料が、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に、前記対象から採取される、請求項６５に記載の方法。
【請求項６７】
前記頭部への損傷の、約１カ月、３カ月又は６カ月後における転帰を予測する、請求項６５又は６６に記載の方法。
【請求項６８】
前記対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、請求項６７に記載の方法。
【請求項６９】
ｃＴｎＩの、前記第１の試料中の量が、約１．０〜約５０ｐｇ／ｍＬである、請求項６５〜６８のいずれか一項に記載の方法。
【請求項７０】
ｃＴｎＩの、前記第２の試料中の量が、約１．０〜約５０ｐｇ／ｍＬである、請求項６５〜６９のいずれか一項に記載の方法。
【請求項７１】
前記ｃＴｎＩのレベルが、前記第１の試料から前記第２の試料へと、少なくともある絶対量だけ低下又は上昇する、請求項６５〜７０のいずれか一項に記載の方法。
【請求項７２】
前記絶対量が、（ａ）少なくとも約８０％〜１００％の間の感度及び少なくとも約４５％〜１００％の間の特異度を有するアッセイにより決定される；（ｂ）少なくとも約８２．４％の感度及び少なくとも約６９．５％の特異度を有するアッセイにより決定される；又は（ｃ）少なくとも約１ｐｇ／ｍＬ〜約５０ｐｇ／ｍＬの間である、請求項７１に記載の方法。
【請求項７３】
前記絶対量が、約５．６ｐｇ／ｍＬである、請求項７２に記載の方法。
【請求項７４】
転帰が思わしくないと評価された前記対象を、外傷性脳損傷処置により処置するステップをさらに含む、請求項５１〜７３のいずれか一項に記載の方法。
【請求項７５】
外傷性脳損傷処置による転帰が思わしくないと評価された前記対象を、モニタリングするステップをさらに含む、請求項５１〜７４のいずれか一項に記載の方法。
【請求項７６】
軽度外傷性脳損傷を有するヒト対象の転帰を予測するための方法であって、
ａ）前記ヒト対象に由来する試料に対するアッセイを実施して、ｃＴｎＩの第１の試料中レベル及び第２の試料中レベルを測定又は検出するステップであって、前記第１の試料が、前記ヒト対象から、頭部への損傷後２４時間以内の第１の時点において採取され、前記第２の試料が、前記ヒト対象から、前記第１の試料の約０〜約４時間後に採取され、前記試料が、生物学的試料であるステップ；
ｂ）前記対象の年齢を決定するステップ；及び
ｃ）ｃＴｎＩのレベルの、前記第１の試料中レベル及び／又は第２の試料中レベルが、ｃＴｎＩの基準レベルより高く、かつ、前記対象の年齢が、基準年齢を上回る場合、前記ヒト対象における、思わしくない転帰を予測し、ｃＴｎＩのレベルの、前記第１の試料中レベル及び／又は第２の試料中レベルが、ｃＴｎＩの基準レベルより低く、かつ／又は前記対象の年齢が、前記基準年齢を下回る場合、前記ヒト対象における、思わしい転帰を予測するステップ
を含む方法。
【請求項７７】
前記対象を、少なくとも１つの心臓保護治療で処置するステップをさらに含む、請求項１〜７６のいずれか一項に記載の方法。
【請求項７８】
前記少なくとも１つの心臓保護治療が、ベータ−遮断剤、利尿剤、アンジオテンシン転換酵素（ＡＣＥ）阻害剤、カルシウムチャネル遮断剤、脂質降下療法、スタチン、硝酸塩、抗血小板剤、抗凝血剤、抗凝固剤又はこれらの組合せを含む、請求項７７に記載の方法。
【請求項７９】
ｃＴｎＩのレベルを測定するステップが、イムノアッセイ又は臨床化学アッセイを実施することによりなされる、請求項１〜７８のいずれか一項に記載の方法。
【請求項８０】
ｃＴｎＩのレベルを測定するステップが、
Ｃ．前記試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体、及び
（２）検出可能な標識を含み、前記ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体
と接触させて、ｃＴｎＩ捕捉抗体−ｃＴｎＩ抗原−ｃＴｎＩ検出抗体複合体を形成させること、並びに
Ｄ．ｃＴｎＩの、前記試料中量又は前記試料中濃度を、前記ｃＴｎＩ捕捉抗体−ｃＴｎＩ抗原−ｃＴｎＩ検出抗体複合体内の前記検出可能な標識により発生したシグナルに基づき測定すること
を含む、請求項１〜７９のいずれか一項に記載の方法。
【請求項８１】
前記試料が、全血試料、血清試料、脳脊髄液試料及び血漿試料からなる群から選択される、請求項１〜８０のいずれか一項に記載の方法。
【請求項８２】
前記対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部への損傷又は他の種類の鈍力外傷を負った後において、前記試料が得られる、請求項１〜８１のいずれか一項に記載の方法。
【請求項８３】
前記対象が、化学物質、毒素又は化学物質と毒素との組合せを摂取した、又はこれらへと曝露された後において、前記試料が得られる、請求項１〜８１のいずれか一項に記載の方法。
【請求項８４】
前記化学物質又は毒素が、火、カビ、アスベスト、害虫駆除剤、殺虫剤、有機溶剤、塗料、糊、ガス、有機金属、乱用薬物又はこれらの１つ以上の組合せである、請求項８３に記載の方法。
【請求項８５】
自己免疫疾患、代謝性障害、脳腫瘍、低酸素症、ウイルス、髄膜炎、水頭症又はこれらの組合せを患う対象から、前記試料が得られる、請求項１〜８４のいずれか一項に記載の方法。
【請求項８６】
前記対象の臨床状態、前記対象の検査値、軽度、中等度、重度又は中等度〜重度の外傷性脳損傷の罹患についての前記対象の分類、前記対象による低レベル又は高レベルのｃＴｎＩの呈示、及び前記対象が頭部への損傷を負った可能性がある任意の事象のタイミングからなる群から選択される因子に関わらず、任意の対象に対して実行されうる、請求項１〜８５のいずれか一項に記載の方法。
【請求項８７】
前記試料が、全血試料である、請求項１〜８６のいずれか一項に記載の方法。
【請求項８８】
前記試料が、血清試料である、請求項１〜８６のいずれか一項に記載の方法。
【請求項８９】
前記試料が、血漿試料である、請求項１〜８６のいずれか一項に記載の方法。
【請求項９０】
前記アッセイが、イムノアッセイである、請求項８７〜８９のいずれか一項に記載の方法。
【請求項９１】
前記アッセイが、臨床化学アッセイである、請求項８７〜８９のいずれか一項に記載の方法。
【請求項９２】
前記アッセイが、単一分子検出アッセイである、請求項８７〜８９のいずれか一項に記載の方法。
【発明の詳細な説明】
【技術分野】
【０００１】
本出願は、それらの各々の内容が、参照により本明細書に組み込まれた、２０１７年５月３０日に出願された、米国出願第６２／５１２，６８８号、２０１７年５月３０日に出願された、米国出願第６２／５１２，７１０号及び２０１７年７月３日に出願された、米国出願第６２／５２８，２１４号に対する優先権を主張する。
【０００２】
技術分野
本開示は、対象が、（実際の頭部への損傷又は推測される）頭部への損傷を負った、又は負った可能性がある（又はこれを有する）時点より後の時点において、ヒト対象から採取された試料（又は生物学的試料）中の、心臓トロポニンＩ（ｃＴｎＩ）のレベルを検出することにより、（実際の頭部への損傷又は推測される）頭部への損傷を負った、又は負った可能性がある（又はこれを有する）ヒト対象を診断及び査定する一助となるための方法に関する。本開示はまた、多様なｃＴｎＩのレベルを検出することに基づき、対象に対して、頭部コンピュータ断層撮影を実施するのかどうかを決定する方法も提示する。本開示はまた、ＴＢＩを患う対象における転帰を予測する方法も提示する。
【背景技術】
【０００３】
米国におけるだけで、毎年５００万例を超える軽度外傷性脳損傷（ＴＢＩ）が生じている。現在のところ、患者評価の一助とするのに利用可能である、簡単、客観的で、正確な測定法は存在しない。実際、ＴＢＩの査定及び診断の多くは、主観的データに基づく。残念ながら、頭部ＣＴ及びＧＣＳ（Ｇｌａｓｇｏｗ  Ｃｏｍａ  Ｓｃｏｒｅ）のような客観的測定法は、軽度ＴＢＩの査定において、それほど総合的又は高感度ではない。さらに、頭部ＣＴは、軽度ＴＢＩについて、ほとんどの場合何も明らかにせず、高価であり、患者を、不要な放射線へと曝露する。加えて、陰性の頭部ＣＴは、患者が、脳振盪を有さないことが明確になったこと意味するわけではなく、手術のような、ある特定の介入が正当ではないことを意味するに過ぎない。医師及び患者は、この状態を正確に査定して、適切なトリアージ及び回復を促進するために、客観的かつ信頼できる情報を必要とする。現在、急性ケア状況又は超急性ケア状況（損傷後、極早期の急性時点）における、心臓トロポニンＩの使用であって、患者の査定及び管理の一助となる使用に利用可能なデータは、限定されている。
【０００４】
軽度ＴＢＩ又は脳振盪は、客観的に検出することがはるかに困難であり、世界中の救急治療室において、毎日難題を提示している。脳振盪は、通例、出血及び脳に対する従来のコンピュータ断層撮影スキャンにおける異常のような、肉眼的病態を引き起こさないが、数日間〜数週間かけて、自発的に消失する、急速発症型の神経機能不全を引き起こす。軽度ＴＢＩ患者のうちの約１５％は、遷延性の認知機能不全を患う。救急治療室及び診療所、スポーツ領域及び軍事活動（例えば、戦闘）の現場における軽度ＴＢＩの犠牲者にとって、満たされていない需要が存在する。
【０００５】
脳損傷の重症度を評価するための、現行のアルゴリズムは、ＧＣＳ（Ｇｌａｓｇｏｗ  Ｃｏｍａ  Ｓｃａｌｅ）スコア及び他の尺度を含む。これらの尺度は、時に、急性重症度を関連づけるのに十分でありうるが、遷延性の欠損を結果としてもたらしうる、微細な病態について、感度が不十分である。ＧＣＳ及び他の尺度はまた、損傷の種類間の区別も可能とせず、十分ではない場合がある。したがって、臨床試験に参加するときに、単一のＧＣＳレベルとして分類された患者は、損傷の重症度及び種類が、大幅にばらつうる。したがって、転帰もまた変動するため、不適切な分類は、臨床試験の完全性を損なう。損傷の分類の改善は、臨床試験におけるＴＢＩ患者のために、疾患の重症度及び種類の、より正確な画定を可能とする。
【０００６】
加えて、現行の脳損傷試験は、全体的な現象を捕捉するが、転帰の微細な差違について評価できない、ＧＯＳＥ（Ｇｌａｓｇｏｗ  Ｏｕｔｃｏｍｅ  Ｓｃａｌｅ  Ｅｘｔｅｎｄｅｄ）のような転帰尺度に依拠する。したがって、脳損傷の治療法についての試験が、３０回連続して失敗している。治療法及び予防法について調べるため、患者が、脳損傷から、どの程度十分に回復したのかを決定するために、高感度の転帰尺度が必要とされている。
【発明の概要】
【発明が解決しようとする課題】
【０００７】
外傷性脳損傷（ＴＢＩ）患者は、心血管原因で死亡する可能性が、一般の集団の少なくとも３倍大きい。ＴＢＩに由来する心臓損傷はまた、神経原性肺水腫とも関連する。神経学的状態における心臓損傷の現象は、特発性くも膜下出血を伴う患者において記載されており、カテコールアミンレベルの劇的な上昇から生じると考えられている。しかし、ＴＢＩにおける、過大な心血管性死亡率の根底をなす機構は、あまり研究されていないので、よく理解されていない。結果として、心臓損傷の開始が、ＴＢＩの急性期に生じるのか、慢性期に生じるのか；心臓損傷から優先的に影響を受ける、ＴＢＩの特定の亜型が存在するのかどうか；及びＴＢＩにおける心臓損傷の生物学的誘因はどのようなものなのか、不明である。ＴＢＩの急性期における心筋損傷について、多数の後向き研究がなされている。従来の心臓トロポニンアッセイを使用して、これらの研究は、重度ＴＢＩ患者のうちの３０％において、損傷から２４時間以内の心臓損傷（トロポニンレベルの上昇により決定される）を報告した。ＴＢＩにおける心臓損傷は、損傷重症度及び年齢と関連する。心臓損傷を伴うＴＢＩ患者は、心臓損傷を伴わないＴＢＩ患者より、入院患者死亡率の危険性が高い。しかし、これらの知見は、後向き研究から導出され、トロポニン測定は、医師の自由裁量において実施される（ＴＢＩ患者の規定のケアにおいて、ほとんど行われない）ので、範囲バイアス下にある。さらに、ＴＢＩにおける、心臓損傷と、神経学的転帰との関連は、研究されていない。加えて、軽度及び中等度のＴＢＩにおける心臓損傷の役割も、研究されていない。
【課題を解決するための手段】
【０００８】
（要旨）
一部の実施形態において、本開示は、ヒト対象における軽度外傷性脳損傷の診断及び査定の一助となるための方法に関する。方法は、
ａ）実際の頭部への損傷又は推測される頭部への損傷後約２４時間以内に対象から得られた試料に対して、アッセイを実施し、心臓トロポニンＩ（ｃＴｎＩ）のレベルを測定又は検出するステップ；及び
ｂ）対象が、軽度又は中等度、重度若しくは中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含みうる。
【０００９】
上記の方法についての、一部の実施形態において、対象は、軽度外傷性脳損傷を負ったことが診断又は決定される。上記の方法についての、他の実施形態において、対象は、中等度外傷性脳損傷を負ったことが診断又は決定される。上記の方法についての、さらに他の実施形態において、対象は、重度外傷性脳損傷を負ったことが診断又は決定される。さらに他の実施形態において、対象は、中等度〜重度の外傷性脳損傷を負ったことが診断又は決定される。
【００１０】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が救急治療室、外傷センター又は他の施設に到着した直後に、対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するためのような）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【００１１】
上記の方法の、一部の実施形態において、対象は、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される。
【００１２】
上記の方法の、一部の実施形態において、基準レベルは、中等度、重度又は中等度〜重度の外傷性脳損傷を有する対象と相関する（これに対応する）。上記の方法の、一部の実施形態において、基準レベルは、中等度外傷性脳損傷と相関する（これに対応する）。上記の方法についての、他の実施形態において、基準レベルは、重度外傷性脳損傷と相関する（これに対応する）。
【００１３】
一部の実施形態において、対象は、ＧＣＳ（Ｇｌａｓｇｏｗ  Ｃｏｍａ  Ｓｃａｌｅ）スコアに基づき、軽度ＴＢＩを有すると推測されうる。他の態様において、対象は、ＧＣＳ（Ｇｌａｓｇｏｗ  Ｃｏｍａ  Ｓｃａｌｅ）スコアに基づき、中等度ＴＢＩを有することが推測されうる。他の態様において、対象は、ＧＣＳ（Ｇｌａｓｇｏｗ  Ｃｏｍａ  Ｓｃａｌｅ）スコアに基づき、重度ＴＢＩを有することが推測されうる。他の態様において、対象は、ＧＣＳ（Ｇｌａｓｇｏｗ  Ｃｏｍａ  Ｓｃａｌｅ）スコアに基づき、中等度〜重度のＴＢＩを有すると推測されうる。他の態様において、ＧＦＡＰについての基準レベル又は基準レベルは、１３〜１５のＧＣＳ（Ｇｌａｓｇｏｗ  Ｃｏｍａ  Ｓｃａｌｅ）スコア（軽度ＴＢＩ）と相関するか、又はこれに対応する。他の態様において、基準レベルは、３〜８のＧＣＳ（Ｇｌａｓｇｏｗ  Ｃｏｍａ  Ｓｃａｌｅ）スコア（重度ＴＢＩ）と相関するか、又はこれに対応する。他の態様において、基準レベルは、９〜１３のＧＣＳ（Ｇｌａｓｇｏｗ  Ｃｏｍａ  Ｓｃａｌｅ）スコア（中等度ＴＢＩ）と相関するか、又はこれに対応する。他の態様において、基準レベルは、３〜１２のＧＣＳ（Ｇｌａｓｇｏｗ  Ｃｏｍａ  Ｓｃａｌｅ）スコア（中等度〜重度のＴＢＩ）と相関するか、又はこれに対応する。
【００１４】
上記の方法の、一部の実施形態において、ｃＴｎＩについての基準レベルは、約１．９４ｐｇ／ｍＬ、約２．５４ｐｇ／ｍＬ、約２１．２３ｐｇ／ｍＬ又は約４３．７９ｐｇ／ｍＬである。上記の方法の、一部の実施形態において、ｃＴｎＩについての基準レベルは、約１．９４ｐｇ／ｍＬである。上記の方法の、一部の実施形態において、ｃＴｎＩについての基準レベルは、約２．５４ｐｇ／ｍＬである。上記の方法の、一部の実施形態において、ｃＴｎＩについての基準レベルは、約２１．２３ｐｇ／ｍＬである。上記の方法の、一部の実施形態において、ｃＴｎＩについての基準レベルは、約４３．７９ｐｇ／ｍＬである。
【００１５】
上記の方法の、一部の実施形態において、基準レベルは、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である。上記の方法の、一部の実施形態において、基準レベルは、少なくとも約８５％〜１００％の間の感度及び少なくとも約３０％〜１００％の間の特異度を有するアッセイにより決定される。上記の方法の、一部の実施形態において、基準レベルは、少なくとも約８７．５％の感度及び少なくとも約３１％の特異度を有するアッセイにより決定される。上記の方法の、一部の実施形態において、基準レベルは、少なくとも約１ｐｇ／ｍＬ〜約５０ｐｇ／ｍＬの間である。
【００１６】
上記の方法の、一部の実施形態において、試料は、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に、採取される。具体的に、上記の方法についての、一部の実施形態において、試料は、実際の頭部への損傷又は推測される頭部への損傷から、約３０分以内に採取される。上記の方法についての、他の実施形態において、試料は、実際の頭部への損傷又は推測される頭部への損傷から、約１時間以内に採取される。上記の方法についての、他の実施形態において、試料は、実際の頭部への損傷又は推測される頭部への損傷から、約２時間以内に採取される。上記の方法についての、他の実施形態において、試料は、実際の頭部への損傷又は推測される頭部への損傷から、約３時間以内に採取される。上記の方法についての、他の実施形態において、試料は、実際の頭部への損傷又は推測される頭部への損傷から、約４時間以内に採取される。上記の方法についての、他の実施形態において、試料は、実際の頭部への損傷又は推測される頭部への損傷から、約５時間以内に採取される。上記の方法についての、他の実施形態において、試料は、実際の頭部への損傷又は推測される頭部への損傷から、約６時間以内に採取される。上記の方法についての、他の実施形態において、試料は、実際の頭部への損傷又は推測される頭部への損傷から、約７時間以内に採取される。上記の方法についての、他の実施形態において、試料は、実際の頭部への損傷又は推測される頭部への損傷から、約８時間以内に採取される。上記の方法についての、他の実施形態において、試料は、実際の頭部への損傷又は推測される頭部への損傷から、約９時間以内に採取される。上記の方法についての、他の実施形態において、試料は、実際の頭部への損傷又は推測される、頭部への損傷から、約１０時間以内に採取される。上記の方法についての、他の実施形態において、試料は、実際の頭部への損傷又は推測される頭部への損傷から、約１１時間以内に採取される。上記の方法についての、他の実施形態において、試料は、実際の頭部への損傷又は推測される頭部への損傷から、約１２時間以内に採取される。上記の方法についての、他の実施形態において、試料は、実際の頭部への損傷又は推測される頭部への損傷から、約１３時間以内に採取される。上記の方法についての、他の実施形態において、試料は、実際の頭部への損傷又は推測される頭部への損傷から、約１４時間以内に採取される。上記の方法についての、他の実施形態において、試料は、実際の頭部への損傷又は推測される頭部への損傷から、約１５時間以内に採取される。上記の方法についての、他の実施形態において、試料は、実際の頭部への損傷又は推測される頭部への損傷から、約１６時間以内に採取される。上記の方法についての、他の実施形態において、試料は、実際の頭部への損傷又は推測される頭部への損傷から、約１７時間以内に採取される。上記の方法についての、他の実施形態において、試料は、実際の頭部への損傷又は推測される、頭部への損傷から、約１８時間以内に採取される。上記の方法についての、他の実施形態において、試料は、実際の頭部への損傷又は推測される頭部への損傷から、約１９時間以内に採取される。上記の方法についての、他の実施形態において、試料は、実際の頭部への損傷又は推測される頭部への損傷から、約２０時間以内に採取される。上記の方法についての、他の実施形態において、試料は、実際の頭部への損傷又は推測される頭部への損傷から、約２１時間以内に採取される。上記の方法についての、他の実施形態において、試料は、実際の頭部への損傷又は推測される、頭部への損傷から約２２時間以内に採取される。上記の方法についての、他の実施形態において、試料は、実際の頭部への損傷又は推測される頭部への損傷から、約２３時間以内に採取される。上記の方法についての、他の実施形態において、試料は、実際の頭部への損傷又は推測される頭部への損傷から、約２４時間以内に採取される。
【００１７】
一部の実施形態において、上記の方法は、中等度、重度又は中等度〜重度の外傷性脳損傷を有すると評価された対象を、外傷性脳損傷処置により処置するステップをさらに含む。一部の実施形態において、上記の方法は、外傷性脳損傷処置による処置の前に、中等度、重度又は中等度〜重度の外傷性脳損傷を有すると評価された対象をモニタリングするステップをさらに含む。一部の実施形態において、上記の方法は、外傷性脳損傷処置による処置の後において、中等度、重度又は中等度〜重度の外傷性脳損傷を有すると評価された対象をモニタリングするステップをさらに含む。
【００１８】
一部の実施形態において、上記の方法は、軽度外傷性脳損傷を有すると評価された対象をモニタリングするステップをさらに含む。一部の実施形態において、上記の方法は、軽度外傷性脳損傷を有すると評価された対象を、外傷性脳損傷処置により処置するステップをさらに含む。一部の実施形態において、上記の方法は、外傷性脳損傷処置による処置の前に、軽度外傷性脳損傷を有すると評価された対象をモニタリングするステップを含む。他の実施形態において、上記の方法は、外傷性脳損傷処置による処置の後において、軽度外傷性脳損傷を有すると評価された対象をモニタリングするステップを含む。
【００１９】
別の実施形態において、本開示は、（実際の又は推測される）頭部への損傷を負ったか又は負った可能性がある（又はこれを有する）ヒト対象に対して、頭部コンピュータ断層撮影（ＣＴ）スキャンを実施するのかどうかについての決定の一助となる方法に関する。方法は、
ａ）実際の頭部への損傷又は推測される頭部への損傷後約２４時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含みうる。
【００２０】
上記の方法についての、一部の実施形態において、ＣＴスキャンは、対象に対して実施される。上記の方法についての、他の実施形態において、ＣＴスキャンは、対象に対して実施されない。
【００２１】
上記の方法の、一部の実施形態において、試料は、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。具体的に、上記の方法についての、一部の実施形態において、試料は、実際の頭部への損傷又は推測される頭部への損傷から、約３０分以内に採取される。上記の方法についての、他の実施形態において、試料は、実際の頭部への損傷又は推測される頭部への損傷から、約１時間以内に採取される。上記の方法についての、他の実施形態において、試料は、実際の頭部への損傷又は推測される頭部への損傷から、約２時間以内に採取される。上記の方法についての、他の実施形態において、試料は、実際の頭部への損傷又は推測される頭部への損傷から、約３時間以内に採取される。上記の方法についての、他の実施形態において、試料は、実際の頭部への損傷又は推測される頭部への損傷から、約４時間以内に採取される。上記の方法についての、他の実施形態において、試料は、実際の頭部への損傷又は推測される頭部への損傷から、約５時間以内に採取される。上記の方法についての、他の実施形態において、試料は、実際の頭部への損傷又は推測される頭部への損傷から、約６時間以内に採取される。上記の方法についての、他の実施形態において、試料は、実際の頭部への損傷又は推測される頭部への損傷から、約７時間以内に採取される。上記の方法についての、他の実施形態において、試料は、実際の頭部への損傷又は推測される頭部への損傷から、約８時間以内に採取される。上記の方法についての、他の実施形態において、試料は、実際の頭部への損傷又は推測される頭部への損傷から、約９時間以内に採取される。上記の方法についての、他の実施形態において、試料は、実際の頭部への損傷又は推測される頭部への損傷から、約１０時間以内に採取される。上記の方法についての、他の実施形態において、試料は、実際の頭部への損傷又は推測される頭部への損傷から、約１１時間以内に採取される。上記の方法についての、他の実施形態において、試料は、実際の頭部への損傷又は推測される頭部への損傷から、約１２時間以内に採取される。上記の方法についての、他の実施形態において、試料は、実際の頭部への損傷又は推測される頭部への損傷から、約１３時間以内に採取される。上記の方法についての、他の実施形態において、試料は、実際の頭部への損傷又は推測される頭部への損傷から、約１４時間以内に採取される。上記の方法についての、他の実施形態において、試料は、実際の頭部への損傷又は推測される頭部への損傷から、約１５時間以内に採取される。上記の方法についての、他の実施形態において、試料は、実際の頭部への損傷又は推測される頭部への損傷から、約１６時間以内に採取される。上記の方法についての、他の実施形態において、試料は、実際の頭部への損傷又は推測される頭部への損傷から、約１７時間以内に採取される。上記の方法についての、他の実施形態において、試料は、実際の頭部への損傷又は推測される頭部への損傷から、約１８時間以内に採取される。上記の方法についての、他の実施形態において、試料は、実際の頭部への損傷又は推測される頭部への損傷から、約１９時間以内に採取される。上記の方法についての、他の実施形態において、試料は、実際の頭部への損傷又は推測される頭部への損傷から、約２０時間以内に採取される。上記の方法についての、他の実施形態において、試料は、実際の頭部への損傷又は推測される頭部への損傷から、約２１時間以内に採取される。上記の方法についての、他の実施形態において、試料は、実際の頭部への損傷又は推測される頭部への損傷から、約２２時間以内に採取される。上記の方法についての、他の実施形態において、試料は、実際の頭部への損傷又は推測される頭部への損傷から、約２３時間以内に採取される。上記の方法についての、他の実施形態において、試料は、実際の頭部への損傷又は推測される頭部への損傷から、約２４時間以内に採取される。
【００２２】
上記において記載された方法についての、一部の実施形態において、対象は、アッセイが実施される前に、又は実施された後において、ＣＴスキャンを受けており、対象は、ＣＴスキャン結果に基づき、ＴＢＩを有すると推測される。一部の実施形態において、対象は、既に実施されたＣＴスキャンに基づき、外傷性脳損傷を有することが推測されうる。例えば、対象の医学的状態（患者が意識不明である場合など）に応じて、ＣＴスキャンは、対象が、救急治療室、外傷センター又は他の施設に到着した直後に対象がＴＢＩを有するのかどうかを評価及び／若しくは査定するために、行われうる。このようなＣＴスキャンは、対象が、軽度又は中等度、重度若しくは中等度〜重度のＴＢＩを有するのかどうかを確認及び決定するために、アッセイが実施される前に実施されうる。アッセイが実施された後に、医師による（又は他の医療従事者による）ＴＢＩの管理（例えば、手術による介入及び／又は薬理学的介入が要求されうるのかどうかを決定するなどのため）の一部としてのアッセイの結果に基づき、１回以上の、後続のＣＴスキャンが実施されうる。他の実施形態において、対象は、アッセイが実施される前に、ＣＴスキャンを受けていない場合がある。
【００２３】
上記の方法の、一部の実施形態において、対象は、ＣＴスキャンに基づき、外傷性脳損傷を有することが推測される。一部の実施形態において、対象は、ＣＴスキャンに基づき、外傷性脳損傷を有すると診断される。他の実施形態において、対象は、ＣＴスキャンに基づき、外傷性脳損傷を有さないと診断される。
【００２４】
上記の方法の、一部の実施形態において、基準レベルは、陽性の頭部コンピュータ断層撮影と相関する（これに対応する）。
【００２５】
上記の方法の、一部の実施形態において、基準レベルは、頭部損傷を負っていない対照の対象と、相関する（これに対応する）。
【００２６】
上記の方法の、一部の実施形態において、ｃＴｎＩについての基準レベルは、約１．６５ｐｇ／ｍＬ、約２．１６ｐｇ／ｍＬ、約１４．７５ｐｇ／ｍＬ又は約３０．４３ｐｇ／ｍＬである。上記の方法の、一部の実施形態において、ｃＴｎＩについての基準レベルは、約１．６５ｐｇ／ｍＬである。上記の方法の、一部の実施形態において、ｃＴｎＩについての基準レベルは、約２．１６ｐｇ／ｍＬである。上記の方法の、一部の実施形態において、ｃＴｎＩについての基準レベルは、約１４．７５ｐｇ／ｍＬである。上記の方法の、一部の実施形態において、ｃＴｎＩについての基準レベルは、約３０．４３ｐｇ／ｍＬである。
【００２７】
上記の方法の、一部の実施形態において、基準レベルは、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である。上記の方法の、一部の実施形態において、基準レベルは、少なくとも約６５％〜１００％の間の感度及び少なくとも約３０％〜１００％の間の特異度を有するアッセイにより決定される。上記の方法の、一部の実施形態において、基準レベルは、少なくとも約８５％の感度及び少なくとも約３３％の特異度を有するアッセイにより決定される。上記の方法の、一部の実施形態において、基準レベルは、少なくとも約１．０ｐｇ／ｍＬ〜約５０ｐｇ／ｍＬの間である。
【００２８】
別の実施形態において、本開示は、ヒト対象における軽度外傷性脳損傷の診断及び査定の一助となるための方法に関する。方法は、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約３時間〜約６時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度、重度又は中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含みうる。
【００２９】
上記の方法についての、一部の実施形態において、対象は、軽度外傷性脳損傷を有することが確認される。上記の方法についての、他の実施形態において、対象は、中等度外傷性脳損傷を有することが確認される。上記の方法についての、さらに他の実施形態において、対象は、重度外傷性脳損傷を有することが確認される。さらに他の実施形態において、対象は、中等度〜重度の外傷性脳損傷を有することが確認される。
【００３０】
上記の方法の、一部の実施形態において、第１の試料は、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。具体的に、上記の方法についての、一部の実施形態において、試料は、実際の頭部への損傷又は推測される頭部への損傷から、約３０分以内に採取される。上記の方法についての、他の実施形態において、試料は、実際の頭部への損傷又は推測される頭部への損傷から、約１時間以内に採取される。上記の方法についての、他の実施形態において、試料は、実際の頭部への損傷又は推測される頭部への損傷から、約２時間以内に採取される。上記の方法についての、他の実施形態において、試料は、実際の頭部への損傷又は推測される頭部への損傷から、約３時間以内に採取される。上記の方法についての、他の実施形態において、試料は、実際の頭部への損傷又は推測される、頭部への損傷から、約４時間以内に採取される。上記の方法についての、他の実施形態において、試料は、実際の頭部への損傷又は推測される頭部への損傷から、約５時間以内に採取される。上記の方法についての、他の実施形態において、試料は、実際の頭部への損傷又は推測される頭部への損傷から、約６時間以内に採取される。上記の方法についての、他の実施形態において、試料は、実際の頭部への損傷又は推測される頭部への損傷から、約７時間以内に採取される。上記の方法についての、他の実施形態において、試料は、実際の頭部への損傷又は推測される頭部への損傷から、約８時間以内に採取される。上記の方法についての、他の実施形態において、試料は、実際の頭部への損傷又は推測される頭部への損傷から、約９時間以内に採取される。上記の方法についての、他の実施形態において、試料は、実際の頭部への損傷又は推測される頭部への損傷から、約１０時間以内に採取される。上記の方法についての、他の実施形態において、試料は、実際の頭部への損傷又は推測される頭部への損傷から、約１１時間以内に採取される。上記の方法についての、他の実施形態において、試料は、実際の頭部への損傷又は推測される、頭部への損傷から、約１２時間以内に採取される。上記の方法についての、他の実施形態において、試料は、実際の頭部への損傷又は推測される頭部への損傷から、約１３時間以内に採取される。上記の方法についての、他の実施形態において、試料は、実際の頭部への損傷又は推測される頭部への損傷から、約１４時間以内に採取される。上記の方法についての、他の実施形態において、試料は、実際の頭部への損傷又は推測される頭部への損傷から、約１５時間以内に採取される。上記の方法についての、他の実施形態において、試料は、実際の頭部への損傷又は推測される頭部への損傷から、約１６時間以内に採取される。上記の方法についての、他の実施形態において、試料は、実際の頭部への損傷又は推測される頭部への損傷から、約１７時間以内に採取される。上記の方法についての、他の実施形態において、試料は、実際の頭部への損傷又は推測される頭部への損傷から、約１８時間以内に採取される。上記の方法についての、他の実施形態において、試料は、実際の頭部への損傷又は推測される頭部への損傷から、約１９時間以内に採取される。上記の方法についての、他の実施形態において、試料は、実際の頭部への損傷又は推測される頭部への損傷から、約２０時間以内に採取される。上記の方法についての、他の実施形態において、試料は、実際の頭部への損傷又は推測される頭部への損傷から、約２１時間以内に採取される。上記の方法についての、他の実施形態において、試料は、実際の頭部への損傷又は推測される頭部への損傷から、約２２時間以内に採取される。上記の方法についての、他の実施形態において、試料は、実際の頭部への損傷又は推測される頭部への損傷から、約２３時間以内に採取される。上記の方法についての、他の実施形態において、試料は、実際の頭部への損傷又は推測される頭部への損傷から、約２４時間以内に採取される。
【００３１】
上記の方法の、一部の実施形態において、対象は、異常な頭部ＣＴを有する。
【００３２】
上記の方法の、一部の実施形態において、ｃＴｎＩの第１の試料中の量は、約１．０〜約５０ｐｇ／ｍＬである。
【００３３】
上記の方法の、一部の実施形態において、ｃＴｎＩの第２の試料中の量は、約１．０〜約５０ｐｇ／ｍＬである。
【００３４】
上記の方法の、一部の実施形態において、方法は、中等度、重度又は中等度〜重度の外傷性脳損傷を有すると評価された対象を、外傷性脳損傷処置により処置するステップをさらに含む。一部の実施形態において、上記の方法は、外傷性脳損傷処置による処置の前に、中等度、重度又は中等度〜重度の外傷性脳損傷を有すると評価された対象をモニタリングするステップをさらに含む。一部の実施形態において、上記の方法は、外傷性脳損傷処置による処置の後において、中等度、重度又は中等度〜重度の外傷性脳損傷を有すると評価された対象をモニタリングするステップをさらに含む。
【００３５】
一部の実施形態において、上記の方法は、軽度外傷性脳損傷を有すると評価された対象をモニタリングするステップをさらに含む。一部の実施形態において、上記の方法は、軽度外傷性脳損傷を有すると評価された対象を、外傷性脳損傷処置により処置するステップをさらに含む。一部の実施形態において、上記の方法は、外傷性脳損傷処置による処置の前に、軽度外傷性脳損傷を有すると評価された対象をモニタリングするステップを含む。他の実施形態において、上記の方法は、外傷性脳損傷処置による処置の後において、軽度外傷性脳損傷を有すると評価された対象をモニタリングするステップを含む。
【００３６】
別の実施形態において、本開示は、ヒト対象における軽度外傷性脳損傷の診断及び査定の一助となるための方法に関する。方法は、
ａ）ヒト対象に由来する試料に対するアッセイを実施して、ｃＴｎＩの、第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約１時間〜約４時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へ上昇した場合に、中等度、重度又は中等度〜重度の外傷性脳損傷の発生を確認し、検出されたｃＴｎＩのレベルが、第１の試料から第２の試料へ不変を維持するか又は低下した場合に、軽度外傷性脳損傷の非存在を確認するステップ
を含みうる。
【００３７】
上記の方法についての、一部の実施形態において、対象は、軽度外傷性脳損傷を有することが確認される。上記の方法についての、他の実施形態において、対象は、中等度外傷性脳損傷を有することが確認される。上記の方法についての、さらに他の実施形態において、対象は、重度外傷性脳損傷を有することが確認される。さらに他の実施形態において、対象は、中等度〜重度の外傷性脳損傷を有することが確認される。
【００３８】
上記の方法の、一部の実施形態において、第１の試料は、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。具体的に、上記の方法についての、一部の実施形態において、試料は、実際の頭部への損傷又は推測される頭部への損傷から、約３０分以内に採取される。上記の方法についての、他の実施形態において、試料は、実際の頭部への損傷又は推測される頭部への損傷から、約１時間以内に採取される。上記の方法についての、他の実施形態において、試料は、実際の頭部への損傷又は推測される頭部への損傷から、約２時間以内に採取される。上記の方法についての、他の実施形態において、試料は、実際の頭部への損傷又は推測される頭部への損傷から、約３時間以内に採取される。上記の方法についての、他の実施形態において、試料は、実際の頭部への損傷又は推測される頭部への損傷から、約４時間以内に採取される。上記の方法についての、他の実施形態において、試料は、実際の頭部への損傷又は推測される頭部への損傷から、約５時間以内に採取される。上記の方法についての、他の実施形態において、試料は、実際の頭部への損傷又は推測される頭部への損傷から、約６時間以内に採取される。上記の方法についての、他の実施形態において、試料は、実際の頭部への損傷又は推測される頭部への損傷から、約７時間以内に採取される。上記の方法についての、他の実施形態において、試料は、実際の頭部への損傷又は推測される頭部への損傷から、約８時間以内に採取される。上記の方法についての、他の実施形態において、試料は、実際の頭部への損傷又は推測される頭部への損傷から、約９時間以内に採取される。上記の方法についての、他の実施形態において、試料は、実際の頭部への損傷又は推測される頭部への損傷から、約１０時間以内に採取される。上記の方法についての、他の実施形態において、試料は、実際の頭部への損傷又は推測される頭部への損傷から、約１１時間以内に採取される。上記の方法についての、他の実施形態において、試料は、実際の頭部への損傷又は推測される頭部への損傷から、約１２時間以内に採取される。上記の方法についての、他の実施形態において、試料は、実際の頭部への損傷又は推測される頭部への損傷から、約１３時間以内に採取される。上記の方法についての、他の実施形態において、試料は、実際の頭部への損傷又は推測される頭部への損傷から、約１４時間以内に採取される。上記の方法についての、他の実施形態において、試料は、実際の頭部への損傷又は推測される頭部への損傷から、約１５時間以内に採取される。上記の方法についての、他の実施形態において、試料は、実際の頭部への損傷又は推測される頭部への損傷から、約１６時間以内に採取される。上記の方法についての、他の実施形態において、試料は、実際の頭部への損傷又は推測される頭部への損傷から、約１７時間以内に採取される。上記の方法についての、他の実施形態において、試料は、実際の頭部への損傷又は推測される頭部への損傷から、約１８時間以内に採取される。上記の方法についての、他の実施形態において、試料は、実際の頭部への損傷又は推測される頭部への損傷から、約１９時間以内に採取される。上記の方法についての、他の実施形態において、試料は、実際の頭部への損傷又は推測される頭部への損傷から、約２０時間以内に採取される。上記の方法についての、他の実施形態において、試料は、実際の頭部への損傷又は推測される頭部への損傷から、約２１時間以内に採取される。上記の方法についての、他の実施形態において、試料は、実際の頭部への損傷又は推測される頭部への損傷から、約２２時間以内に採取される。上記の方法についての、他の実施形態において、試料は、実際の頭部への損傷又は推測される頭部への損傷から、約２３時間以内に採取される。上記の方法についての、他の実施形態において、試料は、実際の頭部への損傷又は推測される頭部への損傷から、約２４時間以内に採取される。
【００３９】
上記の方法の、一部の実施形態において、対象は、異常な頭部ＣＴを有する。
【００４０】
上記の方法の、一部の実施形態において、ｃＴｎＩの、第１の試料中の量は、約１．０〜約５０ｐｇ／ｍＬである。
【００４１】
上記の方法の、一部の実施形態において、ｃＴｎＩの第２の試料中の量は、約１．０〜約５０ｐｇ／ｍＬである。
【００４２】
上記の方法の、一部の実施形態において、方法は、中等度、重度又は中等度〜重度の外傷性脳損傷を有すると評価された対象を、外傷性脳損傷処置により処置するステップをさらに含む。一部の実施形態において、上記の方法は、外傷性脳損傷処置による処置の前に、中等度、重度又は中等度〜重度の外傷性脳損傷を有すると評価された対象をモニタリングするステップをさらに含む。一部の実施形態において、上記の方法は、外傷性脳損傷処置による処置の後において、中等度、重度又は中等度〜重度の外傷性脳損傷を有すると評価された対象をモニタリングするステップをさらに含む。
【００４３】
一部の実施形態において、上記の方法は、軽度外傷性脳損傷を有すると評価された対象をモニタリングするステップをさらに含む。一部の実施形態において、上記の方法は、軽度外傷性脳損傷を有すると評価された対象を、外傷性脳損傷処置により処置するステップをさらに含む。一部の実施形態において、上記の方法は、外傷性脳損傷処置による処置の前に、軽度外傷性脳損傷を有すると評価された対象をモニタリングするステップを含む。他の実施形態において、上記の方法は、外傷性脳損傷処置による処置の後において、軽度外傷性脳損傷を有すると評価された対象をモニタリングするステップを含む。
【００４４】
別の実施形態において、本開示は、（実際の頭部への損傷又は推測される）頭部への損傷を負った、又は負った可能性がある（又はこれを有する）ヒト対象の診断及び査定の一助となる方法に関する。方法は、
ａ）頭部への損傷又は推測される頭部への損傷後約２時間以内に対象から得られた試料に対して、アッセイを実施し、ｃＴｎＩのレベルを測定又は検出するステップ；及び
ｂ）対象が、軽度又は中等度、重度若しくは中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含みうる。
【００４５】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が、救急治療室、外傷センター又は他の施設に到着した直後に対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するなどのため）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【００４６】
一部の実施形態において、対象は、ＧＣＳ（Ｇｌａｓｇｏｗ  Ｃｏｍａ  Ｓｃａｌｅ）スコアに基づき、軽度ＴＢＩを有すると推測されうる。他の態様において、対象は、ＧＣＳ（Ｇｌａｓｇｏｗ  Ｃｏｍａ  Ｓｃａｌｅ）スコアに基づき、中等度ＴＢＩを有することが推測されうる。他の態様において、対象は、ＧＣＳ（Ｇｌａｓｇｏｗ  Ｃｏｍａ  Ｓｃａｌｅ）スコアに基づき、重度ＴＢＩを有することが推測されうる。他の態様において、対象は、ＧＣＳ（Ｇｌａｓｇｏｗ  Ｃｏｍａ  Ｓｃａｌｅ）スコアに基づき、中等度〜重度のＴＢＩを有すると推測されうる。他の態様において、ＧＦＡＰについての基準レベル又は基準レベルは、１３〜１５のＧＣＳ（Ｇｌａｓｇｏｗ  Ｃｏｍａ  Ｓｃａｌｅ）スコア（軽度ＴＢＩ）と相関する、又はこれに対応する。他の態様において、基準レベルは、３〜８のＧＣＳ（Ｇｌａｓｇｏｗ  Ｃｏｍａ  Ｓｃａｌｅ）スコア（重度ＴＢＩ）と相関する、又はこれに対応する。他の態様において、基準レベルは、９〜１３のＧＣＳ（Ｇｌａｓｇｏｗ  Ｃｏｍａ  Ｓｃａｌｅ）スコア（中等度ＴＢＩ）と相関する、又はこれに対応する。他の態様において、基準レベルは、３〜１２のＧＣＳ（Ｇｌａｓｇｏｗ  Ｃｏｍａ  Ｓｃａｌｅ）スコア（中等度〜重度のＴＢＩ）と相関する、又はこれに対応する。
【００４７】
上記の方法の、一部の実施形態において、ｃＴｎＩについての基準レベルは、約１．１５ｐｇ／ｍＬである。上記の方法の、一部の実施形態において、ｃＴｎＩについての基準レベルは、約１．２９ｐｇ／ｍＬである。
【００４８】
上記の方法の、一部の実施形態において、基準レベルは、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である。上記の方法の、一部の実施形態において、基準レベルは、少なくとも約８５％〜１００％の間の感度及び少なくとも約３０％〜１００％の間の特異度を有するアッセイにより決定される。上記の方法の、一部の実施形態において、基準レベルは、少なくとも約８７．５％の感度及び少なくとも約３１％の特異度を有するアッセイにより決定される。上記の方法の、一部の実施形態において、基準レベルは、少なくとも約０．５ｐｇ／ｍＬ〜約３０ｐｇ／ｍＬの間である。
【００４９】
上記の方法の、一部の実施形態において、試料は、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される。上記において同定された方法についての、一部の実施形態において、試料は、実際の頭部への損傷又は推測される頭部への損傷後、約５分以内に採取される。他の実施形態において、試料は、推測される頭部への損傷から、約１０分以内に採取される。さらに他の実施形態において、試料は、推測される頭部への損傷から、約１２分以内に採取される。さらに他の実施形態において、試料は、推測される頭部への損傷から、約１５分以内に採取される。さらに他の実施形態において、試料は、推測される頭部への損傷から、約２０分以内に採取される。さらに他の実施形態において、試料は、推測される頭部への損傷から、約６０分以内に採取される。なおさらに他の実施形態において、試料は、推測される頭部への損傷から、約９０分以内に採取される。
【００５０】
一部の実施形態において、上記の方法は、外傷性脳損傷処置による処置の前に、中等度、重度又は中等度〜重度の外傷性脳損傷を有すると評価された対象をモニタリングするステップをさらに含む。一部の実施形態において、上記の方法は、外傷性脳損傷処置による処置の後において、中等度、重度又は中等度〜重度の外傷性脳損傷を有すると評価された対象をモニタリングするステップをさらに含む。
【００５１】
一部の実施形態において、上記の方法は、軽度外傷性脳損傷を有すると評価された対象をモニタリングするステップをさらに含む。一部の実施形態において、上記の方法は、軽度外傷性脳損傷を有すると評価された対象を、外傷性脳損傷処置により処置するステップをさらに含む。一部の実施形態において、上記の方法は、外傷性脳損傷処置による処置の前に、軽度外傷性脳損傷を有すると評価された対象をモニタリングするステップを含む。他の実施形態において、上記の方法は、外傷性脳損傷処置による処置の後において、軽度外傷性脳損傷を有すると評価された対象をモニタリングするステップを含む。
【００５２】
別の実施形態において、本開示は、（実際の頭部への損傷又は推測される）頭部への損傷を負った、又は負った可能性がある（又はこれを有する）ヒト対象に対して、頭部コンピュータ断層撮影（ＣＴ）スキャンを実施するのかどうかについての決定の一助となる方法に関する。方法は、
ａ）実際の頭部への損傷又は推測される頭部への損傷後約２時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含みうる。
【００５３】
上記の方法についての、一部の実施形態において、ＣＴスキャンは、対象に対して実施される。上記の方法についての、他の実施形態において、ＣＴスキャンは、対象に対して実施されない。
【００５４】
上記において記載された方法についての、一部の実施形態において、対象は、アッセイが実施される前に、又は実施された後において、ＣＴスキャンを受けており、対象は、ＣＴスキャン結果に基づき、ＴＢＩを有すると推測される。一部の実施形態において、対象は、既に実施されたＣＴスキャンに基づき、外傷性脳損傷を有することが推測されうる。例えば、対象の医学的状態（患者が意識不明である場合など）に応じて、ＣＴスキャンは、対象が、救急治療室、外傷センター又は他の施設に到着した直後に対象がＴＢＩを有するのかどうかを評価及び／若しくは査定するために、行われうる。このようなＣＴスキャンは、対象が、軽度又は中等度、重度若しくは中等度〜重度のＴＢＩを有するのかどうかを確認及び決定するために、アッセイが実施される前に実施されうる。アッセイが実施された後に、医師による（又は他の医療従事者による）ＴＢＩの管理（例えば、手術による介入及び／又は薬理学的介入が要求されうるのかどうかを決定するなどのため）の一部としてのアッセイの結果に基づき、１回以上の、後続のＣＴスキャンが実施されうる。他の実施形態において、対象は、アッセイが実施される前に、ＣＴスキャンを受けていない場合がある。
【００５５】
上記の方法の、一部の実施形態において、対象は、ＣＴスキャンに基づき、外傷性脳損傷を有することが推測される。一部の実施形態において、対象は、ＣＴスキャンに基づき、外傷性脳損傷を有すると診断される。一部の実施形態において、対象は、ＣＴスキャンに基づき、外傷性脳損傷を有さないと診断される。
【００５６】
上記の方法の、一部の実施形態において、基準レベルは、陽性の頭部コンピュータ断層撮影と相関する（又はこれに対応する）。
【００５７】
上記の方法の、一部の実施形態において、基準レベルは、頭部損傷を負っていない、対照の対象と相関する（又はこれと対応する）。
【００５８】
上記の方法の、一部の実施形態において、ｃＴｎＩについての基準レベルは、約５．８ｐｇ／ｍＬである。上記の方法の、一部の実施形態において、ｃＴｎＩについての基準レベルは、約４．７ｐｇ／ｍＬである。
【００５９】
上記の方法の、一部の実施形態において、基準レベルは、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である。上記の方法の、一部の実施形態において、基準レベルは、少なくとも約６５％〜１００％の間の感度及び少なくとも約３０％〜１００％の間の特異度を有するアッセイにより決定される。上記の方法の、一部の実施形態において、基準レベルは、少なくとも約８５％の感度及び少なくとも約３３％の特異度を有するアッセイにより決定される。上記の方法の、一部の実施形態において、基準レベルは、少なくとも約０．５ｐｇ／ｍＬ〜約２５ｐｇ／ｍＬの間である。
【００６０】
上記の方法の、一部の実施形態において、試料は、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される。上記において同定された方法についての、一部の実施形態において、試料は、実際の頭部への損傷又は推測される頭部への損傷後、約５分以内に採取される。他の実施形態において、試料は、実際の頭部への損傷又は推測される頭部への損傷から、約１０分以内に採取される。さらに他の実施形態において、試料は、実際の頭部への損傷又は推測される頭部への損傷から、約１２分以内に採取される。さらに他の実施形態において、試料は、実際の頭部への損傷又は推測される頭部への損傷から、約１５分以内に採取される。さらに他の実施形態において、試料は、実際の頭部への損傷又は推測される頭部への損傷から、約２０分以内に採取される。さらに他の実施形態において、試料は、実際の頭部への損傷又は推測される頭部への損傷から、約６０分以内に採取される。なおさらに他の実施形態において、試料は、実際の頭部への損傷又は推測される頭部への損傷から、約９０分以内に採取される。
【００６１】
さらに別の実施形態において、本開示は、軽度又は中等度、重度若しくは中等度〜重度の外傷性脳損傷を処置する方法であって、ａ）頭部への損傷後約２４時間以内に対象から得られた試料に対して、アッセイを実施し、ｃＴｎＩのレベルを測定又は検出するステップ；ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ；及びｃ）軽度、中等度、重度又は中等度〜重度の外傷性脳損傷を有すると評価された対象を、外傷性脳損傷処置により処置するステップを含む方法に関する。
【００６２】
上記の方法についての実施形態は、軽度外傷性脳損傷を有すると評価された対象をモニタリングするステップをさらに伴う。上記の方法についての実施形態は、中等度、重度又は中等度〜重度の外傷性脳損傷を有すると評価された対象をモニタリングするステップをさらに伴う。
【００６３】
上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術など）の実施、１つ以上の治療（リハビリ、理学療法、作業療法、認知行動療法、アンガーマネージメントなど）を受けること（ｒｅｃｅｉｐｔ）若しくは施すこと（ｐｒｏｖｉｄｉｎｇ）又はこれらの任意の組合せを伴う。任意選択的に、このような方法は、１つ以上の心臓保護治療を施すことも伴いうる。このような心臓保護治療は、状況に応じて、ＴＢＩのための処置と組み合わせて、又はＴＢＩ処置を伴わずに単独において投与されうる。
【００６４】
さらに別の実施形態において、本開示は、ヒト対象における、軽度又は中等度、重度若しくは中等度〜重度の外傷性脳損傷を処置する方法であって、ａ）ヒト対象に由来する試料に対するアッセイを実施して、ｃＴｎＩの第１の試料中レベル及び第２の試料中レベルを測定又は検出するステップであって、第１の試料がヒト対象から第１の時点において採取され、第２の試料がヒト対象から第１の試料の約３時間〜約６時間後に採取され、試料が、生物学的試料であるステップ；ｂ）ｃＴｎＩの量が、第１の試料から第２の試料へと、上昇したのか、低下したのかを決定するステップ；ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ；並びにｄ）軽度、中等度、重度又は中等度〜重度の外傷性脳損傷を有すると評価された対象を、外傷性脳損傷処置により処置するステップを含む方法に関する。
【００６５】
上記の方法についての実施形態は、軽度外傷性脳損傷を有すると評価された対象をモニタリングするステップをさらに伴う。上記の方法についての実施形態は、中等度、重度又は中等度〜重度の外傷性脳損傷を有すると評価された対象をモニタリングするステップをさらに伴う。
【００６６】
上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術など）の実施、１つ以上の治療（リハビリ、理学療法、作業療法、認知行動療法、アンガーマネージメントなど）を受けること（ｒｅｃｅｉｐｔ）若しくは施すこと（ｐｒｏｖｉｄｉｎｇ）又はこれらの任意の組合せを伴う。任意選択的に、このような方法は、１つ以上の心臓保護治療を施すことも伴いうる。このような心臓保護治療は、状況に応じて、ＴＢＩのための処置と組み合わせて、又はＴＢＩ処置を伴わずに単独において投与されうる。
【００６７】
さらに別の実施形態において、本開示は、ヒト対象における、軽度又は中等度、重度若しくは中等度〜重度の外傷性脳損傷を処置する方法であって、ａ）ヒト対象に由来する試料に対するアッセイを実施して、ｃＴｎＩの、第１の試料中レベル及び第２の試料中レベルを測定又は検出するステップであって、第１の試料が、ヒト対象から、第１の時点において採取され、第２の試料が、ヒト対象から、第１の試料の約１時間〜約４時間後に採取され、試料が、生物学的試料であるステップ；ｂ）ｃＴｎＩの量が、第１の試料から第２の試料へと、上昇したのか、低下したのかを決定するステップ；ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持するか又は低下した場合に、軽度外傷性脳損傷の非存在を確認するステップ；並びにｄ）軽度、中等度、重度又は中等度〜重度の外傷性脳損傷を有すると評価された対象を、外傷性脳損傷処置により処置するステップを含む方法に関する。
【００６８】
上記の方法についての実施形態は、軽度外傷性脳損傷を有すると評価された対象をモニタリングするステップをさらに伴う。上記の方法についての実施形態は、中等度、重度又は中等度〜重度の外傷性脳損傷を有すると評価された対象をモニタリングするステップをさらに伴う。
【００６９】
上記の方法についての、一部の実施形態において、軽度ＴＢＩを患う対象のための外傷性脳損傷処置は、対象を、ある特定の時間にわたり休息させること対象に、ある特定の時間にわたり身体活動を抑制させること１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術など）の実施、１つ以上の治療（リハビリ、理学療法、作業療法、認知行動療法、アンガーマネージメントなど）を受けること（ｒｅｃｅｉｐｔ）若しくは施すこと（ｐｒｏｖｉｄｉｎｇ）又はこれらの任意の組合せを伴う。任意選択的に、このような方法は、１つ以上の心臓保護治療を施すことも伴いうる。このような心臓保護治療は、状況に応じて、ＴＢＩのための処置と組み合わせて、又はＴＢＩ処置を伴わずに単独において投与されうる。
【００７０】
なおさらに別の実施形態において、本開示は、軽度外傷性脳損傷を有するヒト対象の転帰を予測する一助となる、又はこれを予測するための方法であって、ａ）ヒト対象に由来する試料に対するアッセイを実施して、ｃＴｎＩの第１の試料中レベル及び第２の試料中レベルを測定又は検出するステップであって、第１の試料が、ヒト対象から、頭部への損傷後２４時間以内の第１の時点において採取され、第２の試料が、ヒト対象から、第１の試料の約０〜約４時間後に採取され、試料が、生物学的試料であるステップ；ｂ）ｃＴｎＩの量が、第１の試料から第２の試料へと、上昇したのか、低下したのかを決定するステップ；並びにｃ）検出されたｃＴｎＩのレベルが、第１の試料から第２の試料へと、少なくとも約２０％上昇した場合に、ヒト対象における、思わしくない転帰を予測し、検出されたｃＴｎＩのレベルが、第１の試料から第２の試料へと、不変を維持するか、又は約２０％未満低下若しくは上昇した場合に、ヒト対象における、思わしい転帰を予測するステップを含む方法に関する。
【００７１】
上記において記載された方法についての、一部の実施形態において、第１の試料は、頭部への損傷後、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。別の実施形態において、第１の試料は、頭部への損傷の後、約３０分以内に対象から採取される。別の実施形態において、第１の試料は、頭部への損傷後、約１時間以内に対象から採取される。上記の方法についての、一部の実施形態において、第１の試料は、頭部への損傷後、約２時間以内に対象から採取される。上記の方法についての、一部の実施形態において、第１の試料は、頭部への損傷後、約３時間以内に対象から採取される。上記の方法についての、一部の実施形態において、第１の試料は、頭部への損傷後、約４時間以内に対象から採取される。上記の方法についての、一部の実施形態において、第１の試料は、頭部への損傷後、約５時間以内に対象から採取される。上記の方法についての、一部の実施形態において、第１の試料は、頭部への損傷後、約６時間以内に対象から採取される。上記の方法についての、一部の実施形態において、第１の試料は、頭部への損傷後、約７時間以内に対象から採取される。上記の方法についての、一部の実施形態において、第１の試料は、頭部への損傷後、約８時間以内に対象から採取される。上記の方法についての、一部の実施形態において、第１の試料は、頭部への損傷後、約９時間以内に対象から採取される。上記の方法についての、一部の実施形態において、第１の試料は、頭部への損傷後、約１０時間以内に対象から採取される。上記の方法についての、一部の実施形態において、第１の試料は、頭部への損傷後、約１１時間以内に対象から採取される。上記の方法についての、一部の実施形態において、第１の試料は、頭部への損傷後、約１２時間以内に対象から採取される。上記の方法についての、一部の実施形態において、第１の試料は、頭部への損傷後、約１３時間以内に対象から採取される。上記の方法についての、一部の実施形態において、第１の試料は、頭部への損傷後、約１４時間以内に対象から採取される。上記の方法についての、一部の実施形態において、第１の試料は、頭部への損傷後、約１５時間以内に対象から採取される。上記の方法についての、一部の実施形態において、第１の試料は、頭部への損傷後、約１６時間以内に対象から採取される。上記の方法についての、一部の実施形態において、第１の試料は、頭部への損傷後、約１７時間以内に対象から採取される。上記の方法についての、一部の実施形態において、第１の試料は、頭部への損傷後、約１８時間以内に対象から採取される。上記の方法についての、一部の実施形態において、第１の試料は、頭部への損傷後、約１９時間以内に対象から採取される。上記の方法についての、一部の実施形態において、第１の試料は、頭部への損傷後、約２０時間以内に対象から採取される。上記の方法についての、一部の実施形態において、第１の試料は、頭部への損傷後、約２１時間以内に対象から採取される。上記の方法についての、一部の実施形態において、第１の試料は、頭部への損傷後、約２２時間以内に対象から採取される。上記の方法についての、一部の実施形態において、第１の試料は、頭部への損傷後、約２３時間以内に対象から採取される。上記の方法についての、一部の実施形態において、第１の試料は、頭部への損傷後、約２４時間以内に対象から採取される。
【００７２】
上記の方法についての、一部の実施形態において、方法は、頭部への損傷の約１カ月後において、対象の思わしい転帰を予測する。上記の方法についての、一部の実施形態において、方法は、頭部への損傷の約１カ月後において、対象の思わしくない転帰を予測する。上記の方法についての、一部の実施形態において、方法は、頭部への損傷の約３カ月後において、対象の思わしい転帰を予測する。上記の方法についての、一部の実施形態において、方法は、頭部への損傷の約３カ月後において、対象の思わしくない転帰を予測する。上記の方法についての、一部の実施形態において、方法は、頭部への損傷の約６カ月後において、対象の思わしい転帰を予測する。上記の方法についての、一部の実施形態において、方法は、頭部への損傷の約６カ月後において、対象の思わしくない転帰を予測する。
【００７３】
上記の方法についての、一部の実施形態において、対象は、正常な頭部ＣＴスキャンを有する。
【００７４】
上記の方法についての、一部の実施形態において、対象は、異常な頭部ＣＴスキャンを有する。
【００７５】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が、救急治療室、外傷センター又は他の施設に到着した直後に対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するなどのため）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【００７６】
上記の方法についての、一部の実施形態において、対象は、５以下のＧＯＳＥ（Ｅｘｔｅｎｄｅｄ  Ｇｌａｓｇｏｗ  Ｏｕｔｃｏｍｅ  Ｓｃａｌｅ）スコアを有する。上記の方法についての、一部の実施形態において、ＧＯＳＥスコアは、アッセイが実施される前に、又は実施された後で得られる。
【００７７】
上記の方法についての、一部の実施形態において、転帰が思わしくないと評価された対象（軽度ＴＢＩ又は中等度、重度若しくは中等度〜重度のＴＢＩを有する対象）は、外傷性脳損傷処置により処置される。上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術などのような）の実施、１つ以上の治療（リハビリ、理学療法、作業療法、認知行動療法、アンガーマネージメントなどのような）を受けること（ｒｅｃｅｉｐｔ）若しくは施すこと（ｐｒｏｖｉｄｉｎｇ）又はこれらの任意の組合せを伴う。
【００７８】
上記の方法についての、一部の実施形態において、転帰が思わしくないと評価された対象はまた、モニタリングもされうる。前記対象は、対象が、外傷性脳損傷処置又は他の処置（１つ以上の心臓保護治療など）を受けつつあるのかどうかに関わらず、モニタリングされうる。
【００７９】
本開示は、軽度外傷性脳損傷を有するヒト対象の転帰を予測する一助となる、又はこれを予測するための方法であって、ａ）頭部への損傷後約２８時間以内に対象から得られた試料に対して、アッセイを実施し、ｃＴｎＩのレベルを測定又は検出するステップであって、試料が、生物学的試料であるステップ；及びｂ）ｃＴｎＩの試料中レベルが、ｃＴｎＩの基準レベルより高い場合、ヒト対象における、思わしくない転帰を予測し、ｃＴｎＩの試料中レベルが、ｃＴｎＩの基準レベルより低い場合、ヒト対象における、思わしい転帰を予測するステップを含む方法を対象とする。
【００８０】
上記において記載された方法についての、一部の実施形態において、第１の試料は、頭部への損傷後、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。別の実施形態において、第１の試料は、頭部への損傷の後、約３０分以内に対象から採取される。別の実施形態において、第１の試料は、頭部への損傷後、約１時間以内に対象から採取される。上記の方法についての、一部の実施形態において、第１の試料は、頭部への損傷後、約２時間以内に対象から採取される。上記の方法についての、一部の実施形態において、第１の試料は、頭部への損傷後、約３時間以内に対象から採取される。上記の方法についての、一部の実施形態において、第１の試料は、頭部への損傷後、約４時間以内に対象から採取される。上記の方法についての、一部の実施形態において、第１の試料は、頭部への損傷後、約５時間以内に対象から採取される。上記の方法についての、一部の実施形態において、第１の試料は、頭部への損傷後、約６時間以内に対象から採取される。上記の方法についての、一部の実施形態において、第１の試料は、頭部への損傷後、約７時間以内に対象から採取される。上記の方法についての、一部の実施形態において、第１の試料は、頭部への損傷後、約８時間以内に対象から採取される。上記の方法についての、一部の実施形態において、第１の試料は、頭部への損傷後、約９時間以内に対象から採取される。上記の方法についての、一部の実施形態において、第１の試料は、頭部への損傷後、約１０時間以内に対象から採取される。上記の方法についての、一部の実施形態において、第１の試料は、頭部への損傷後、約１１時間以内に対象から採取される。上記の方法についての、一部の実施形態において、第１の試料は、頭部への損傷後、約１２時間以内に対象から採取される。上記の方法についての、一部の実施形態において、第１の試料は、頭部への損傷後、約１３時間以内に対象から採取される。上記の方法についての、一部の実施形態において、第１の試料は、頭部への損傷後、約１４時間以内に対象から採取される。上記の方法についての、一部の実施形態において、第１の試料は、頭部への損傷後、約１５時間以内に対象から採取される。上記の方法についての、一部の実施形態において、第１の試料は、頭部への損傷後、約１６時間以内に対象から採取される。上記の方法についての、一部の実施形態において、第１の試料は、頭部への損傷後、約１７時間以内に対象から採取される。上記の方法についての、一部の実施形態において、第１の試料は、頭部への損傷後、約１８時間以内に対象から採取される。上記の方法についての、一部の実施形態において、第１の試料は、頭部への損傷後、約１９時間以内に対象から採取される。上記の方法についての、一部の実施形態において、第１の試料は、頭部への損傷後、約２０時間以内に対象から採取される。上記の方法についての、一部の実施形態において、第１の試料は、頭部への損傷後、約２１時間以内に対象から採取される。上記の方法についての、一部の実施形態において、第１の試料は、頭部への損傷後、約２２時間以内に対象から採取される。上記の方法についての、一部の実施形態において、第１の試料は、頭部への損傷後、約２３時間以内に対象から採取される。上記の方法についての、一部の実施形態において、第１の試料は、頭部への損傷後、約２４時間以内に対象から採取される。
【００８１】
上記の方法についての、一部の実施形態において、方法は、頭部への損傷の約１カ月後において、対象の思わしい転帰を予測する。上記の方法についての、一部の実施形態において、方法は、頭部への損傷の約１カ月後において、対象の思わしくない転帰を予測する。上記の方法についての、一部の実施形態において、方法は、頭部への損傷の約３カ月後において、対象の思わしい転帰を予測する。上記の方法についての、一部の実施形態において、方法は、頭部への損傷の約３カ月後において、対象の思わしくない転帰を予測する。上記の方法についての、一部の実施形態において、方法は、頭部への損傷の約６カ月後において、対象の思わしい転帰を予測する。上記の方法についての、一部の実施形態において、方法は、頭部への損傷の約６カ月後において、対象の思わしくない転帰を予測する。
【００８２】
上記の方法についての、一部の実施形態において、対象は、正常な頭部ＣＴスキャンを有する。
【００８３】
上記の方法についての、一部の実施形態において、対象は、異常な頭部ＣＴスキャンを有する。
【００８４】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が、救急治療室、外傷センター又は他の施設に到着した直後に対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するためのような）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【００８５】
上記の方法についての、一部の実施形態において、対象は、５以下のＧＯＳＥ（Ｅｘｔｅｎｄｅｄ  Ｇｌａｓｇｏｗ  Ｏｕｔｃｏｍｅ  Ｓｃａｌｅ）スコアを有する。上記の方法についての、一部の実施形態において、ＧＯＳＥスコアは、アッセイが実施される前に、又は実施された後で得られる。
【００８６】
上記の方法についての、一部の実施形態において、基準レベルは、少なくとも約８０％〜１００％の間の感度及び少なくとも約４５％〜１００％の間の特異度を有するアッセイにより決定される。上記の方法についての、一部の実施形態において、基準レベルは、少なくとも約８３．３％の感度及び少なくとも約５４．９％の特異度を有するアッセイにより決定される。上記の方法についての、一部の実施形態において、基準レベルは、少なくとも約１００％の感度及び少なくとも約４９．２％の特異度を有するアッセイにより決定される。上記の方法についての、一部の実施形態において、基準レベルは、少なくとも約１ｐｇ／ｍＬ〜約５０ｐｇ／ｍＬの間の基準レベルである。
【００８７】
上記の方法についての、他の実施形態において、ｃＴｎＩについての基準レベルは、約５．６ｐｇ／ｍＬである。上記の方法についての、他の実施形態において、ｃＴｎＩについての基準レベルは、約５．７ｐｇ／ｍＬである。
【００８８】
上記の方法についての、一部の実施形態において、転帰が思わしくないと評価された対象（軽度ＴＢＩ又は中等度、重度若しくは中等度〜重度のＴＢＩを有する対象）は、外傷性脳損傷処置により処置される。上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術などのような）の実施、１つ以上の治療（リハビリ、理学療法、作業療法、認知行動療法、アンガーマネージメントなどのような）を受けること（ｒｅｃｅｉｐｔ）若しくは施すこと（ｐｒｏｖｉｄｉｎｇ）又はこれらの任意の組合せを伴う。
【００８９】
上記の方法についての、一部の実施形態において、転帰が思わしくないと評価された対象はまた、モニタリングもされうる。前記対象は、対象が、外傷性脳損傷処置又は他の処置（１つ以上の心臓保護治療のような）を受けつつあるのかどうかに関わらず、モニタリングされうる。
【００９０】
さらに別の実施形態において、本開示は、軽度外傷性脳損傷を有するヒト対象の転帰を予測する一助となる、又はこれを予測するための方法であって、ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約４時間後に採取され、試料が、生物学的試料であるステップ；ｂ）ｃＴｎＩの量が、第１の試料から第２の試料へと、上昇したのか、低下したのかを決定するステップ；並びにｃ）ｃＴｎＩの試料中レベルが、第１の試料から第２の試料へと、上昇した場合に、ヒト対象における、思わしくない転帰を予測し、ｃＴｎＩの試料中レベルが、第１の試料から第２の試料へと、不変を維持する、又は低下した場合に、ヒト対象における、思わしい転帰を予測するステップを含む方法を対象とする。
【００９１】
上記において記載された方法についての、一部の実施形態において、第１の試料は、頭部への損傷後、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。別の実施形態において、第１の試料は、頭部への損傷の後、約３０分以内に対象から採取される。別の実施形態において、第１の試料は、頭部への損傷後、約１時間以内に対象から採取される。上記の方法についての、一部の実施形態において、第１の試料は、頭部への損傷後、約２時間以内に対象から採取される。上記の方法についての、一部の実施形態において、第１の試料は、頭部への損傷後、約３時間以内に対象から採取される。上記の方法についての、一部の実施形態において、第１の試料は、頭部への損傷後、約４時間以内に対象から採取される。上記の方法についての、一部の実施形態において、第１の試料は、頭部への損傷後、約５時間以内に対象から採取される。上記の方法についての、一部の実施形態において、第１の試料は、頭部への損傷後、約６時間以内に対象から採取される。上記の方法についての、一部の実施形態において、第１の試料は、頭部への損傷後、約７時間以内に対象から採取される。上記の方法についての、一部の実施形態において、第１の試料は、頭部への損傷後、約８時間以内に対象から採取される。上記の方法についての、一部の実施形態において、第１の試料は、頭部への損傷後、約９時間以内に対象から採取される。上記の方法についての、一部の実施形態において、第１の試料は、頭部への損傷後、約１０時間以内に対象から採取される。上記の方法についての、一部の実施形態において、第１の試料は、頭部への損傷後、約１１時間以内に対象から採取される。上記の方法についての、一部の実施形態において、第１の試料は、頭部への損傷後、約１２時間以内に対象から採取される。上記の方法についての、一部の実施形態において、第１の試料は、頭部への損傷後、約１３時間以内に対象から採取される。上記の方法についての、一部の実施形態において、第１の試料は、頭部への損傷後、約１４時間以内に対象から採取される。上記の方法についての、一部の実施形態において、第１の試料は、頭部への損傷後、約１５時間以内に対象から採取される。上記の方法についての、一部の実施形態において、第１の試料は、頭部への損傷後、約１６時間以内に対象から採取される。上記の方法についての、一部の実施形態において、第１の試料は、頭部への損傷後、約１７時間以内に対象から採取される。上記の方法についての、一部の実施形態において、第１の試料は、頭部への損傷後、約１８時間以内に対象から採取される。上記の方法についての、一部の実施形態において、第１の試料は、頭部への損傷後、約１９時間以内に対象から採取される。上記の方法についての、一部の実施形態において、第１の試料は、頭部への損傷後、約２０時間以内に対象から採取される。上記の方法についての、一部の実施形態において、第１の試料は、頭部への損傷後、約２１時間以内に対象から採取される。上記の方法についての、一部の実施形態において、第１の試料は、頭部への損傷後、約２２時間以内に対象から採取される。上記の方法についての、一部の実施形態において、第１の試料は、頭部への損傷後、約２３時間以内に対象から採取される。上記の方法についての、一部の実施形態において、第１の試料は、頭部への損傷後、約２４時間以内に対象から採取される。
【００９２】
上記の方法についての、一部の実施形態において、方法は、頭部への損傷の約１カ月後において、対象の思わしい転帰を予測する。上記の方法についての、一部の実施形態において、方法は、頭部への損傷の約１カ月後において、対象の思わしくない転帰を予測する。上記の方法についての、一部の実施形態において、方法は、頭部への損傷の約３カ月後において、対象の思わしい転帰を予測する。上記の方法についての、一部の実施形態において、方法は、頭部への損傷の約３カ月後において、対象の思わしくない転帰を予測する。上記の方法についての、一部の実施形態において、方法は、頭部への損傷の約６カ月後において、対象の思わしい転帰を予測する。上記の方法についての、一部の実施形態において、方法は、頭部への損傷の約６カ月後において、対象の思わしくない転帰を予測する。
【００９３】
上記の方法についての、一部の実施形態において、対象は、正常な頭部ＣＴスキャンを有する。
【００９４】
上記の方法についての、一部の実施形態において、対象は、異常な頭部ＣＴスキャンを有する。
【００９５】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が、救急治療室、外傷センター又は他の施設に到着した直後に対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するためのような）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【００９６】
上記の方法についての、一部の実施形態において、対象は、５以下のＧＯＳＥ（Ｅｘｔｅｎｄｅｄ  Ｇｌａｓｇｏｗ  Ｏｕｔｃｏｍｅ  Ｓｃａｌｅ）スコアを有する。上記の方法についての、一部の実施形態において、ＧＯＳＥスコアは、アッセイが実施される前に、又は実施された後で得られる。
【００９７】
上記の方法についての、一部の実施形態において、ｃＴｎＩの第１の試料中の量は、約１．０〜約５０ｐｇ／ｍＬである。
【００９８】
上記の方法についての、一部の実施形態において、ｃＴｎＩの第２の試料中の量は、約１．０〜約５０ｐｇ／ｍＬである。
【００９９】
上記の方法についての、一部の実施形態において、ｃＴｎＩのレベルは、第１の試料から第２の試料へと、少なくともある絶対量だけ低下又は上昇する。より具体的に、絶対量は、少なくとも約８０％〜１００％の間の感度及び少なくとも約４５％〜１００％の間の特異度を有するアッセイにより決定される。上記の方法についての、一部の実施形態において、絶対量は、少なくとも約８２．４％の感度及び少なくとも約６９．５％の特異度を有するアッセイにより決定される。上記の方法についての、一部の実施形態において、絶対量は、少なくとも約１ｐｇ／ｍＬ〜約５０ｐｇ／ｍＬの間である。
【０１００】
上記の方法についての、一部の実施形態において、絶対量は、約５．６ｐｇ／ｍＬである。
【０１０１】
上記の方法についての、一部の実施形態において、転帰が思わしくないと評価された対象（軽度ＴＢＩ又は中等度、重度若しくは中等度〜重度のＴＢＩを有する対象）は、外傷性脳損傷処置により処置される。上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術などのような）の実施、１つ以上の治療（リハビリ、理学療法、作業療法、認知行動療法、アンガーマネージメントなどのような）を受けること（ｒｅｃｅｉｐｔ）若しくは施すこと（ｐｒｏｖｉｄｉｎｇ）又はこれらの任意の組合せを伴う。
【０１０２】
上記の方法についての、一部の実施形態において、転帰が思わしくないと評価された対象はまた、モニタリングもされうる。前記対象は、対象が、外傷性脳損傷処置又は他の処置（１つ以上の心臓保護治療のような）を受けつつあるのかどうかに関わらず、モニタリングされうる。
【０１０３】
本開示は、ヒト対象における軽度外傷性脳損傷の診断及び査定の一助となるための方法であって、ａ）ヒト対象に由来する試料に対するアッセイを実施して、ｃＴｎＩの第１の試料中レベル及び第２の試料中レベルを測定又は検出するステップであって、第１の試料が、ヒト対象から、第１の時点において採取され、第２の試料が、ヒト対象から、第１の試料の約１時間〜約４時間後に採取され、試料が、生物学的試料であるステップ；ｂ）ｃＴｎＩの量が、第１の試料から第２の試料へと、上昇したのか、低下したのかを決定するステップ；並びにｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップを含む方法を対象とする。
【０１０４】
本開示は、軽度外傷性脳損傷を有するヒト対象の転帰を予測する一助となる、又はこれを予測するための方法であって、ａ）ヒト対象に由来する試料に対するアッセイを実施して、ｃＴｎＩの第１の試料中レベル及び第２の試料中レベルを測定又は検出するステップであって、第１の試料が、ヒト対象から、頭部への損傷後２４時間以内の第１の時点において採取され、第２の試料が、ヒト対象から、第１の試料の約０〜約４時間後に採取され、試料が、生物学的試料であるステップ；ｂ）対象の年齢を決定するステップ；及びｃ）ｃＴｎＩのレベルの、第１の試料中レベル及び／又は第２の試料中レベルが、ｃＴｎＩの基準レベルより高く、かつ、対象の年齢が、基準年齢を上回る場合、ヒト対象における、思わしくない転帰を予測し、ｃＴｎＩのレベルの、第１の試料中レベル及び／又は第２の試料中レベルが、ｃＴｎＩの基準レベルより低く、かつ／又は対象の年齢が、基準年齢を下回る場合、ヒト対象における、思わしい転帰を予測するステップを含む方法を対象とする。
【０１０５】
上記において記載された方法についての、一部の実施形態において、第１の試料は、頭部への損傷後、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される。別の実施形態において、第１の試料は、頭部への損傷の後、約３０分以内に対象から採取される。別の実施形態において、第１の試料は、頭部への損傷後、約１時間以内に対象から採取される。上記の方法についての、一部の実施形態において、第１の試料は、頭部への損傷後、約２時間以内に対象から採取される。上記の方法についての、一部の実施形態において、第１の試料は、頭部への損傷後、約３時間以内に対象から採取される。上記の方法についての、一部の実施形態において、第１の試料は、頭部への損傷後、約４時間以内に対象から採取される。上記の方法についての、一部の実施形態において、第１の試料は、頭部への損傷後、約５時間以内に対象から採取される。上記の方法についての、一部の実施形態において、第１の試料は、頭部への損傷後、約６時間以内に対象から採取される。上記の方法についての、一部の実施形態において、第１の試料は、頭部への損傷後、約７時間以内に対象から採取される。上記の方法についての、一部の実施形態において、第１の試料は、頭部への損傷後、約８時間以内に対象から採取される。上記の方法についての、一部の実施形態において、第１の試料は、頭部への損傷後、約９時間以内に対象から採取される。上記の方法についての、一部の実施形態において、第１の試料は、頭部への損傷後、約１０時間以内に対象から採取される。上記の方法についての、一部の実施形態において、第１の試料は、頭部への損傷後、約１１時間以内に対象から採取される。上記の方法についての、一部の実施形態において、第１の試料は、頭部への損傷後、約１２時間以内に対象から採取される。上記の方法についての、一部の実施形態において、第１の試料は、頭部への損傷後、約１３時間以内に対象から採取される。上記の方法についての、一部の実施形態において、第１の試料は、頭部への損傷後、約１４時間以内に対象から採取される。上記の方法についての、一部の実施形態において、第１の試料は、頭部への損傷後、約１５時間以内に対象から採取される。上記の方法についての、一部の実施形態において、第１の試料は、頭部への損傷後、約１６時間以内に対象から採取される。上記の方法についての、一部の実施形態において、第１の試料は、頭部への損傷後、約１７時間以内に対象から採取される。上記の方法についての、一部の実施形態において、第１の試料は、頭部への損傷後、約１８時間以内に対象から採取される。上記の方法についての、一部の実施形態において、第１の試料は、頭部への損傷後、約１９時間以内に対象から採取される。上記の方法についての、一部の実施形態において、第１の試料は、頭部への損傷後、約２０時間以内に対象から採取される。上記の方法についての、一部の実施形態において、第１の試料は、頭部への損傷後、約２１時間以内に対象から採取される。上記の方法についての、一部の実施形態において、第１の試料は、頭部への損傷後、約２２時間以内に対象から採取される。上記の方法についての、一部の実施形態において、第１の試料は、頭部への損傷後、約２３時間以内に対象から採取される。上記の方法についての、一部の実施形態において、第１の試料は、頭部への損傷後、約２４時間以内に対象から採取される。
【０１０６】
上記の方法についての、一部の実施形態において、対象の年齢は、１８〜３０歳である。上記の方法についての、他の実施形態において、対象の年齢は、３１〜５０歳である。上記の方法についての、さらに他の実施形態において、対象の年齢は、５１〜７０歳である。上記の方法についての、さらに他の実施形態において、対象の年齢は、７０〜１００歳である。上記の方法についての、さらに他の実施形態において、年齢は、１８歳以下である。上記の方法についての、さらに他の実施形態において、年齢は、１９〜５０歳である。なおさらなる実施形態において、年齢は、５１〜７０歳である。上記の方法についての、さらに他の実施形態において、年齢は、７０歳を超える。上記の方法についての、さらに他の実施形態において、対象の年齢は、２０〜３０歳である。上記の方法についての、さらに他の実施形態において、対象の年齢は、３１〜４０歳である。上記の方法についての、さらに他の実施形態において、対象の年齢は、４１〜５０歳である。上記の方法についての、さらに他の実施形態において、対象の年齢は、５１〜６０歳である。上記の方法についての、さらに他の実施形態において、対象の年齢は、６１〜７０歳である。上記の方法についての、さらに他の実施形態において、対象の年齢は、７１〜８０歳である。上記の方法についての、さらに他の実施形態において、対象の年齢は、８１〜９０歳である。上記の方法についての、さらに他の実施形態において、対象の年齢は、９１〜１００歳である。
【０１０７】
上記の方法についての、一部の実施形態において、方法は、頭部への損傷の約１カ月後において、対象の思わしい転帰を予測する。上記の方法についての、一部の実施形態において、方法は、頭部への損傷の約１カ月後において、対象の思わしくない転帰を予測する。上記の方法についての、一部の実施形態において、方法は、頭部への損傷の約３カ月後において、対象の思わしい転帰を予測する。上記の方法についての、一部の実施形態において、方法は、頭部への損傷の約３カ月後において、対象の思わしくない転帰を予測する。上記の方法についての、一部の実施形態において、方法は、頭部への損傷の約６カ月後において、対象の思わしい転帰を予測する。上記の方法についての、一部の実施形態において、方法は、頭部への損傷の約６カ月後において、対象の思わしくない転帰を予測する。
【０１０８】
上記の方法についての、一部の実施形態において、対象は、正常な頭部ＣＴスキャンを有する。
【０１０９】
上記の方法についての、一部の実施形態において、対象は、異常な頭部ＣＴスキャンを有する。
【０１１０】
上記の方法の、一部の実施形態において、対象は、アッセイが実施される前に、又は実施された後において、ＧＣＳ（Ｇｌａｓｇｏｗ  Ｃｏｍａ  Ｓｃａｌｅ）スコアを受けている。一部の実施形態において、対象は、既に実施されたＧＣＳ（Ｇｌａｓｇｏｗ  Ｃｏｍａ  Ｓｃａｌｅ）スコアに基づき、外傷性脳損傷を有することが推測されうる。例えば、対象の医学的状態に応じて、ＧＣＳ（Ｇｌａｓｇｏｗ  Ｃｏｍａ  Ｓｃａｌｅ）スコアは、対象が、救急治療室、外傷センター又は他の施設に到着した直後に対象がＴＢＩを有するのかどうかを評価及び／若しくは査定するために、評価されうる。このようなＧＣＳ（Ｇｌａｓｇｏｗ  Ｃｏｍａ  Ｓｃａｌｅ）スコアは、対象が、軽度又は中等度、重度若しくは中等度〜重度のＴＢＩを有するのかどうかを確認及び決定するために、アッセイが実施される前に提供されうる。アッセイが実施された後に、医師による（又は他の医療従事者による）ＴＢＩの管理（例えば、手術による介入及び／又は薬理学的介入が要求されうるのかどうかを決定するためのような）の一部としてのアッセイの結果に基づき、１回以上の、後続のＧＣＳ（Ｇｌａｓｇｏｗ  Ｃｏｍａ  Ｓｃａｌｅ）スコアが実施されうる。他の実施形態において、対象は、アッセイが実施される前に、ＧＣＳ（Ｇｌａｓｇｏｗ  Ｃｏｍａ  Ｓｃａｌｅ）スコアを受けていない場合がある。
【０１１１】
上記の方法についての、一部の実施形態において、対象は、５以下のＧＯＳＥ（Ｅｘｔｅｎｄｅｄ  Ｇｌａｓｇｏｗ  Ｏｕｔｃｏｍｅ  Ｓｃａｌｅ）スコアを有する。上記の方法についての、一部の実施形態において、ＧＯＳＥスコアは、アッセイが実施される前に、又は実施された後で得られる。
【０１１２】
上記の方法についての、一部の実施形態において、転帰が思わしくないと評価された対象（軽度ＴＢＩ又は中等度、重度若しくは中等度〜重度のＴＢＩを有する対象）は、外傷性脳損傷処置により処置される。上記の方法についての、一部の実施形態において、軽度ＴＢＩを患う対象のための外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せを伴いうる。上記の方法についての、他の実施形態において、中等度、重度又は中等度〜重度のＴＢＩを患う対象のための外傷性脳損傷処置は、１つ以上の治療剤（例えば、利尿剤、抗痙攣薬のような薬物）の投与、１つ以上の手術手順（例えば、血腫の除去、頭蓋骨骨折の修復、減圧開頭術などのような）の実施、１つ以上の治療（リハビリ、理学療法、作業療法、認知行動療法、アンガーマネージメントなどのような）を受けること（ｒｅｃｅｉｐｔ）若しくは施すこと（ｐｒｏｖｉｄｉｎｇ）又はこれらの任意の組合せを伴う。
【０１１３】
上記の方法についての、一部の実施形態において、転帰が思わしくないと評価された対象はまた、モニタリングもされうる。前記対象は、対象が、外傷性脳損傷処置又は他の処置（１つ以上の心臓保護治療のような）を受けつつあるのかどうかに関わらず、モニタリングされうる。
【０１１４】
上記の方法のうちのいずれかの、一部の実施形態において、方法は、心臓保護治療を、対象へと施すステップをさらに含む。このような心臓保護処置は、当技術分野において公知である、任意の心臓保護処置であって、任意選択的に、ベータ−遮断剤、利尿剤、アンジオテンシン転換酵素（ＡＣＥ）阻害剤、カルシウムチャネル遮断剤、脂質降下療法、スタチン、硝酸塩、抗血小板剤、抗凝血剤、抗凝固剤又はこれらの組合せのうちの１つ以上を含むがこれらに限定されない心臓保護処置でありうる。このような１つ以上の心臓保護治療は、単独において、又は１つ以上の外傷性脳損傷処置と組み合わせて施されうる。
【０１１５】
上記の方法のうちのいずれかの、一部の実施形態において、ｃＴｎＩのレベルは、イムノアッセイ又は臨床化学アッセイにより測定される。他の実施形態において、上記の方法における、ｃＴｎＩのレベルは、
Ａ．試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体及び
（２）検出可能な標識を含み、ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体
と接触させて、ｃＴｎＩ捕捉抗体−ｃＴｎＩ抗原−ｃＴｎＩ検出抗体複合体を形成するステップ並びに、
Ｂ．ｃＴｎＩの、試料中量又は試料中濃度を、ｃＴｎＩ捕捉抗体−ｃＴｎＩ抗原−ｃＴｎＩ検出抗体複合体内の検出可能な標識により発生したシグナルに基づき測定するステップ
により測定される。
【０１１６】
上記の方法のうちのいずれかについての、一部の実施形態において、試料は、全血試料、血清試料、脳脊髄液試料及び血漿試料からなる群から選択される。上記の方法の、一部の実施形態において、試料は、対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部損傷又は他の種類の鈍力外傷を負った後において得られる。上記の方法の、さらに他の実施形態において、試料は、対象が、化学物質、毒素又は化学物質と毒素との組合せを摂取した、又はこれらへと曝露された後において得られる。上記の方法の、一部の実施形態において、化学物質又は毒素は、火、カビ、アスベスト、害虫駆除剤、殺虫剤、有機溶剤、塗料、糊、ガス、有機金属、乱用薬物又はこれらの１つ以上の組合せである。上記の方法の、一部の実施形態において、試料は、自己免疫疾患、代謝性障害、脳腫瘍、低酸素症、ウイルス、髄膜炎、水頭症又はこれらの組合せを患う対象から得られる。
【０１１７】
上記の方法のうちのいずれかについての、一部の実施形態において、方法は、対象の臨床状態、対象の検査値、軽度、中等度、重度又は中等度〜重度の外傷性脳損傷の罹患についての対象の分類、対象による、低レベル又は高レベルのｃＴｎＩの呈示及び前記対象が、頭部への損傷を負った可能性がある、任意の事象のタイミングからなる群から選択される因子に関わらず、任意のヒト対象に対して実行されうる。
【０１１８】
上記の方法のうちのいずれかの、一部の実施形態において、試料は、全血試料である。
【０１１９】
上記の方法のうちのいずれかの、一部の実施形態において、試料は、血漿試料である。
【０１２０】
上記の方法のうちのいずれかの、一部の実施形態において、試料は、血清試料である。
【０１２１】
上記の方法のうちのいずれかの、一部の実施形態において、アッセイは、イムノアッセイである。
【０１２２】
上記の方法のうちのいずれかの、一部の実施形態において、アッセイは、臨床化学アッセイである。
【０１２３】
上記の方法のうちのいずれかの、一部の実施形態において、アッセイは、単一分子検出アッセイである。
【０１２４】
上記の方法のうちのいずれかの、一部の実施形態において、試料は、全血試料であり、アッセイは、イムノアッセイである。他の実施形態において、試料は、血漿試料であり、アッセイは、イムノアッセイである。さらに他の実施形態において、試料は、血清試料であり、アッセイは、イムノアッセイである。上記の方法の、他の実施形態において、試料は、全血試料であり、アッセイは、臨床化学アッセイである。他の実施形態において、試料は、血漿試料であり、アッセイは、臨床化学アッセイである。さらに他の実施形態において、試料は、血清試料であり、アッセイは、臨床化学である。上記の方法の、他の実施形態において、試料は、全血試料であり、アッセイは、単一分子検出アッセイである。他の実施形態において、試料は、血漿試料であり、アッセイは、単一分子検出アッセイである。さらに他の実施形態において、試料は、血清試料であり、アッセイは、単一分子検出アッセイである。
【図面の簡単な説明】
【０１２５】
【図１】時点によるｈｓＴｎＩアッセイ結果についての箱髭図である。
【図２】陰性のＣＴスキャン結果と対比した、陽性のＣＴスキャン結果と相関させた、時点１（頭部損傷後０〜６時間以内に採取された）及び時点２（時点１試料の３〜６時間後に採取された）におけるｈｓＴｎＩアッセイ結果についての箱髭図である。
【図３】陰性のＣＴスキャン結果と対比した、陽性のＣＴスキャン結果と相関させた、ｈｓＴｎＩ結果の絶対量（「絶対デルタ」）（すなわち、時点２（時点１試料の３〜６時間後に採取された）と、時点１（頭部損傷後０〜６時間以内に採取された）との絶対差違）についての箱髭図である。
【図４】中等度／重度のＴＢＩのＧＣＳスコアと対比した、軽度ＴＢＩのＧＣＳスコアと相関させた、時点１（頭部損傷後０〜６時間以内に採取された）及び時点２（時点１試料の３〜６時間後に採取された）におけるｈｓＴｎＩアッセイ結果についての箱髭図である。
【図５】中等度／重度のＴＢＩのＧＣＳスコアと対比した、軽度ＴＢＩのＧＣＳスコアと相関させた、絶対量（「絶対デルタ」）によるｈｓＴｎＩアッセイ結果（すなわち、時点１（頭部損傷後０〜６時間以内に採取された）と、時点２（時点１試料の３〜６時間後に採取された）との絶対差違）についての箱髭図である。
【図６】ＣＴスキャン結果に基づき、損傷からの時間と対比した、バイオマーカーであるｈｓＴｎＩについての結果を示す図である。
【図７】ＧＣＳ（Ｇｌａｓｇｏｗ  Ｃｏｍａ  Ｓｃａｌｅ）スコアに基づき、損傷からの時間と対比した、バイオマーカーであるｈｓＴｎＩについての結果を示す図である。
【図８】推測される損傷から約２時間以内に採取された試料中のＣＴ状態（陰性のＣＴスキャン結果と対比した、陽性のＣＴスキャン結果）と相関させたｈｓＴｎＩレベルについての、ＲＯＣ（ｒｅｃｅｉｖｅｒ  ｏｐｅｒａｔｉｎｇ  ｃｈａｒａｃｔｅｒｉｓｔｉｃ）解析を示す図である。時点１における試料が、頭部損傷から２時間以内に採取されるのに対し、時点２における試料は、時点１試料が採取された約３〜約６時間後に採取される。
【図９】推測される損傷から約２時間以内に採取された試料中の、中等度／重度のＴＢＩのＧＣＳスコアと対比した、軽度ＴＢＩのＧＣＳスコアと相関させたｈｓＴｎＩレベルについての、ＲＯＣ（ｒｅｃｅｉｖｅｒ  ｏｐｅｒａｔｉｎｇ  ｃｈａｒａｃｔｅｒｉｓｔｉｃ）解析を示す図である。時点１における試料が、頭部損傷から２時間以内に採取されるのに対し、時点２における試料は、時点１試料が採取された約３〜約６時間後に採取される。
【図１０】陰性のＣＴスキャン結果と対比した、陽性のＣＴスキャン結果と相関させた、時点１における全ての対象についてのｈｓＴｎＩアッセイ結果のＲＯＣ曲線を示す図である。
【図１１】中等度／重度のＴＢＩのＧＣＳスコアと対比した、軽度ＴＢＩのＧＣＳスコアと相関させた、時点１における全ての対象についてのｈｓＴｎＩアッセイ結果のＲＯＣ曲線を示す図である。
【図１２】ＣＴ状態（陰性のＣＴスキャン結果と対比した、陽性のＣＴスキャン結果）と相関させた、ｈｓＴｎＩ結果の絶対量（「絶対デルタ」）（すなわち、時点２におけるｈｓＴｎＩレベルと、時点１におけるｈｓＴｎＩレベルとの絶対差違）についての、ＲＯＣ解析を示す図である。時点１における試料が、頭部損傷から２時間以内に採取されるのに対し、時点２における試料は、時点１試料が採取された約３〜約６時間後に採取される。
【図１３】中等度／重度のＴＢＩのＧＣＳスコアと対比した、軽度ＴＢＩのＧＣＳスコアと相関させた、ｈｓＴｎＩ結果の絶対量（「絶対デルタ」）（すなわち、時点２におけるｈｓＴｎＩレベルと、時点１におけるｈｓＴｎＩレベルとの絶対差違）についての、ＲＯＣ解析を示す図である。時点１における試料が、頭部損傷から２時間以内に採取されるのに対し、時点２における試料は、時点１試料が採取された約３〜約６時間後に採取される。
【図１４】陰性のＣＴスキャン結果と対比した、陽性のＣＴスキャン結果と相関させた、全ての対象についての、絶対量（「絶対デルタ」）によるｈｓＴｎＩアッセイ結果のＲＯＣ曲線を示す図である。
【図１５】中等度／重度のＴＢＩのＧＣＳスコアと対比した、軽度ＴＢＩのＧＣＳスコアと相関させた、全ての対象についての、絶対量（「絶対デルタ」）によるｈｓＴｎＩアッセイ結果のＲＯＣ曲線を示す図である。
【図１６】ＴＢＩ患者及び外傷対照患者における、ｈｓＴｎＩレベルの分布（ｐ＝０．０００１）を示す図である。
【図１７】頭部ＣＴが異常なＴＢＩ患者及び頭部ＣＴスキャンが正常なＴＢＩ患者における、ｈｓＴｎＩレベルの分布（ｐ＝０．００５）を示す図である。
【図１８】ＧＣＳスコアが＜１３、１３、１４又は１５であるＴＢＩ患者における、ｈｓＴｎＩレベルの分布（ｐ＝０．４６）を示す図である。
【図１９】損傷の１カ月後におけるＧＯＳＥスコアが１、３、４、５、６、７又は８であるＴＢＩ患者における、ｈｓＴｎＩレベルの分布（ｐ＝０．０００１）を示す図である。
【図２０】損傷の３カ月後におけるＧＯＳＥスコアが１、２、３、４、５、６、７又は８であるＴＢＩ患者における、ｈｓＴｎＩレベルの分布（ｐ＝０．０２）を示す図である。
【図２１】損傷の６カ月後におけるＧＯＳＥスコアが１、３、４、５、６、７又は８であるＴＢＩ患者における、ｈｓＴｎＩレベルの分布（ｐ＝０．１１）を示す図である。
【図２２】頭部ＣＴスキャンが異常なＴＢＩ患者及び頭部ＣＴスキャンが正常なＴＢＩ患者から、損傷の０時間、４時間、２４時間及び１カ月後において採取された試料中のｈｓＴｎＩレベルの分布を示す図である。
【図２３】損傷の１カ月後におけるＧＯＳＥスコアが１、３、４、５、６、７又は８であるＴＢＩ患者の、４時間後における、ｈｓＴｎＩレベルの絶対変化の分布を示す図である。
【図２４】１８歳以下、１９〜５０歳、５１〜７０歳及び７０歳を超える年齢に基づくＴＢＩ患者におけるｈｓＴｎＩレベルの分布を示す図である。
【図２５】ＴＢＩ参加者及び外傷対照参加者における、ｈｓＴｎＩ値の分布を示す図である。ＴＢＩ参加者のｈｓＴｎＩ値は、外傷対照参加者のｈｓＴｎＩ値より大きかった。
【図２６】心臓トロポニンＩ値と、ＴＢＩ転帰との関連についてのグラフ表示である。
【図２７】初期ｈｓＴｎＩレベルを使用して、１カ月後に、ＧＯＳＥ＜５の対象を、ＧＯＳＥ＞５の対象と対比して区別するための、ＲＯＣ（ｒｅｃｅｉｖｅｒ  ｏｐｅｒａｔｉｎｇ  ｃｈａｒａｃｔｅｒｉｓｔｉｃ）下面積（ＡＵＲＯＣ）解析（ＲＯＣ曲線のＡＵ＝０．７１３５）を示す図である。
【図２８】４時間後のｈｓＴｎＩレベルを使用して、１カ月後に、ＧＯＳＥ＜５の対象を、ＧＯＳＥ＞５の対象と対比して区別するための、ＡＵＲＯＣ解析（ＲＯＣ曲線のＡＵ＝０．７７１５）を示す図である。
【図２９】初期ｈｓＴｎＩレベルと、４時間後のｈｓＴｎＩレベルとの相対変化を使用して、１カ月後に、ＧＯＳＥ＜５の対象を、ＧＯＳＥ＞５の対象と対比して区別するための、ＡＵＲＯＣ解析（ＲＯＣ曲線のＡＵ＝０．７０７０）を示す図である。
【図３０】２４時間後のｈｓＴｎＩレベルを使用して、１カ月後に、ＧＯＳＥ＜５の対象を、ＧＯＳＥ＞５の対象と対比して区別するための、ＡＵＲＯＣ解析（ＲＯＣ曲線のＡＵ＝０．７８６８）を示す図である。
【図３１】初期ｈｓＴｎＩレベル、４時間後のｈｓＴｎＩレベル及び年齢を含む予測モデルについてのＡＵＲＯＣ解析（ＡＵＲＯＣ＝０．８４０８）を示す図である。
【発明を実施するための形態】
【０１２６】
本開示は、外傷性脳損傷（ＴＢＩ）と関連するバイオマーカーとしての、心臓トロポニンＩ（ｃＴｎＩ）の使用を伴う、いくつかの発見に関する。心臓トロポニンＩは、当技術分野において、心筋損傷についての、高度に特異的なバイオマーカーとして周知である。実際、この目的のために、血中又は血漿中のｃＴｎＩを測定するのに、いくつかのアッセイが市販されている。しかし、また、心臓機能不全が、重度ＴＢＩを患っている対象において観察されることも、当技術分野において公知である。しかし、これらの対象における、このような心臓機能不全の重要性は、従来、あまり理解されていない。
【０１２７】
これに対し、本開示は、頭部への損傷を患っている、又は頭部への損傷を患っていると考えられる対象が、軽度ＴＢＩを患っているのか、中等度ＴＢＩを患っているのか、重度ＴＢＩを患っているのか、中等度〜重度のＴＢＩを患っているのか、いかなるＴＢＩも患わなかったのかを査定、診断及び／又は層別化する一助として、ｃＴｎＩのレベル及び／又はｃＴｎＩレベルの変化を使用する（例えば、アッセイを実施して、１つ以上の生物学的試料中のｃＴｎＩのレベルを決定し、次いで、これらのレベルを、１つ以上の基準レベルと比較することにより）、新たな、改善された方法を提示する。本明細書において記載された方法は、速やかに（頭部への損傷又は推測される頭部への損傷後、早ければ２時間〜最大約２４時間において）実施されうる。軽度ＴＢＩ、中等度ＴＢＩ、重度ＴＢＩ、中等度〜重度のＴＢＩ又はＴＢＩなしを、このようにして区別するための、ｃＴｎＩの使用は、未だ知られていない。このような方法は、ＴＢＩを患っていると同定又は決定された患者について、医師が、ＴＢＩを有する、又はＴＢＩを有さないと、患者を、迅速に決定する、分類する（又は再分類する）、又は患者にトリアージを施すことを可能とし、本明細書において記載された方法は、医師が、ＴＢＩの種類（中等度、重度又は中等度〜重度のＴＢＩと対比した、軽度ＴＢＩ）を決定することを可能とする。ＴＢＩを、軽度ＴＢＩと分類するのか、中等度ＴＢＩと分類するのか、重度ＴＢＩと分類するのか、中等度〜重度のＴＢＩと分類するのかを、迅速に決定する能力は、医師が、対象に適切な処置コース（例えば、処置計画）を開発することを可能とする。このような処置計画は、（１）ＴＢＩについての、さらなる臨床情報を得るために、１つ以上のさらなる検査（例えば、ＭＲＩなどのような）を指図するのか；（２）対象のモニタリングを始める（続ける）のか；（３）外傷性脳損傷処置による、対象の処置を始めるのか（そして、処置が始められたら、どの種類の処置（例えば、１つ以上の治療的処置、気道の保護、１つ以上の手術による処置、休息の指図など）を始めるべきか）；（４）対象の心臓を保護するための、任意の心臓保護処置を始める（任意選択的に、１つ以上のベータ−遮断剤、利尿剤、アンジオテンシン転換酵素阻害剤、カルシウムチャネル遮断剤、脂質降下療法、スタチン、硝酸塩、抗血小板剤、抗凝血剤、抗凝固剤若しくはこれらの組合せ又は当技術分野において公知である、他の心臓保護薬剤の投与のような投与により）のか、又は（５）（１）〜（４）の任意の組合せを実施するのかについての計画を含みうる。
【０１２８】
加えて、本開示は、ＴＢＩを患っている、又はＴＢＩを患っていると考えられる対象に対して、頭部コンピュータ断層撮影（ＣＴ）を実施すべきかどうかを決定すること一助として、ｃＴｎＩのレベル又はｃＴｎＩレベルの変化を使用する方法を提示する。本明細書において記載された方法は、速やかに（頭部への損傷又は推測される頭部への損傷後、早ければ２時間〜最大約２４時間において）実施されうる。医師が、ＴＢＩを患っている、ＴＢＩを患っていると考えられる対象において、頭部ＣＴを実施すべきかどうかを決定する一助としての、ｃＴｎＩの使用は、未だ知られていない。
【０１２９】
さらに、本開示はまた、ｃＴｎＩのレベル又はｃＴｎＩレベルの変化を使用して、軽度ＴＢＩを患う対象の転帰を決定する方法も提示する。具体的に、本明細書において記載された方法は、軽度ＴＢＩを伴うと診断された（１）対象の転帰が思わしい（任意選択的に、思わしい転帰は、対象が、完全に回復し、軽度ＴＢＩの、１つ以上の症状を被り続けないことでありうる）可能性；又は（２）対象の転帰が思わしくない（任意選択的に、思わしくない転帰は、対象が、完全に回復せず、軽度ＴＢＩの、１つ以上の症状を被り続けることでありうる）可能性が、そうでない場合より高いのかどうかを決定するのに使用されうる。
【０１３０】
代替的に、かつ、任意選択的に、思わしい転帰とは、対象が、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；又は（ｄ）睡眠障害（例えば、不眠症など）のような、軽度ＴＢＩの結果としての、１つを超える振盪後症候群の症状を患わない可能性が、そうでない場合より高いことを意味しうる。代替的に、かつ、任意選択的に、思わしくない転帰を有する対象は、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；（ｄ）睡眠障害（例えば、不眠症など）；又は（ｅ）（ａ）〜（ｄ）の任意の組合せのような、１つを超える振盪後症候群の症状を患う可能性が高い。代替的に、かつ、任意選択的に、思わしくない転帰とはまた、対象が、軽度ＴＢＩの、１つ以上の症状を呈示することも意味しうる。代替的に、かつ、任意選択的に、思わしくない転帰とはまた、対象の状態が、軽度ＴＢＩから、中等度、中等度〜重度又は重度へと悪化することも意味しうる。加えて、転帰が思わしい対象が、５以上のＧＯＳＥスコアを有する可能性が高いのに対し、転帰が思わしくない対象は、５未満のＧＯＳＥスコアを有する可能性が高い。
【０１３１】
軽度ＴＢＩから完全に回復する可能性が小さい対象は、軽度ＴＢＩの診断後、少なくとも１日間、２日間、３日間、４日間、５日間、６日間、１週間、２週間、３週間、４週間、５週間、６週間、７週間、２カ月間、３カ月間、４カ月間、５カ月間、６カ月間、７カ月間、８カ月間、９カ月間、１０カ月間、１１カ月間、１２カ月間、１３カ月間、１４カ月間、１５カ月間、１６カ月間、１７カ月間、１８カ月間、１９カ月間、２０カ月間、２１カ月間、２２カ月間、２３カ月間、２４カ月間、３年間、４年間、５年間、６年間、７年間、８年間、９年間、１０年間、１１年間、１２年間、１３年間、１４年間、１５年間、２０年間、２５年間、３０年間、３５年間、４０年間、４５年間又は５０年間にわたり、さらなる治療的処置、理学療法及び／又は作業療法のうちの１つ以上を必要とするとする可能性が高い。軽度ＴＢＩ対象において、転帰を予測するときの、ｃＴｎＩの使用については、いまだ知られていない。
【０１３２】
加えて、本開示は、外傷性脳損傷を処置する方法を提示する。具体的に、方法は、本明細書において記載される通り、ｃＴｎＩのレベル及び／又はｃＴｎＩレベルの変化を使用して（例えば、アッセイを実施して、１つ以上の生物学的試料中のｃＴｎＩのレベルを決定し、次いで、これらのレベルを、１つ以上の基準レベルと比較することにより）、頭部への損傷を患っているか又は頭部への損傷を患っていると考えられる対象が、軽度ＴＢＩを患っているのか、中等度ＴＢＩを患っているのか、重度ＴＢＩを患っているのか、中等度〜重度のＴＢＩを患っているのか、ＴＢＩを患わなかったのかを、査定、診断及び／又は層別化するステップを伴う。対象が、軽度ＴＢＩ又は中等度、重度若しくは中等度〜重度のＴＢＩを有すると、同定、決定、分類又は層別化されたら、ＴＢＩの種類（中等度、重度又は中等度〜重度のＴＢＩと対比した軽度ＴＢＩ）に応じて、対象は、適切な外傷性脳損傷処置により処置されうる。例えば、軽度ＴＢＩのために、外傷性脳損傷処置は、対象をある特定の時間にわたり休息させること、対象にある特定の時間にわたり身体活動を抑制させること、１つ以上の治療剤（例えば、頭痛又は偏頭痛を緩和するための薬物など）の投与又はこれらの組合せのうちの１つ以上を伴いうる。中等度、重度又は中等度〜重度のＴＢＩのために、外傷性脳損傷は、１つ以上の治療剤（例えば、利尿剤、抗痙攣薬のような薬物）の投与、１つ以上の手術手順（例えば、血腫の除去、頭蓋骨骨折の修復、減圧開頭術など）の実施、１つ以上の治療（リハビリ、理学療法、作業療法、認知行動療法、アンガーマネージメントなど）の施し又はこれらの任意の組合せを伴いうる。任意選択的に、このような方法は、１つ以上の心臓保護治療を施すことも伴いうる。このような心臓保護治療は、状況に応じて、ＴＢＩのための処置と組み合わせて、又はＴＢＩ処置を伴わずに単独において投与されうる。
【０１３３】
上記において記載された方法を実施することに加えて、当業者（例えば、医師）は、他の併存疾患（例えば、ＴＢＩ以外の、他の疾患、障害又は状態）を検出又は評価するために、どのようにしてさらなる検査を実施するのかについて理解し、承知する。さらに、本明細書において記載された方法における、ｃＴｎＩの量又はレベルの変化が、対象の頭部損傷又は推測される頭部への損傷に帰せられ、急性心臓症候群（心筋梗塞、心不全などのような）の結果に帰せられないことを確認するために、医師又は他の医療ケア従事者は、１つ以上のさらなる検査又は手順を、行うか又は実施して、急性心臓症候群の非存在を確認することができる。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０１３４】
本明細書の本節及び全開示において使用された節の小見出しは、構成上の目的だけのものであり、限定的であることを意図するものではない。
【０１３５】
１．定義
そうでないことが規定されない限りにおいて、本明細書において使用された、全ての技術用語及び科学用語は、当業者により一般に理解される意味と同じ意味を有する。齟齬が生じる場合は、定義を含む本文献に従う。本開示の実施又は試験において、本明細書において記載された方法及び材料と同様又は同等な方法及び材料も使用されうるが、下記において、好ましい方法及び材料について記載される。本明細書において言及された、全ての刊行物、特許出願、特許及び他の参考文献は、参照によりそれらの全体において組み込まれる。本明細書において開示された材料、方法及び例は、例示的なものであるに過ぎず、限定を意図するものではない。
【０１３６】
本明細書において使用された「〜を含む（ｃｏｍｐｒｉｓｅ（ｓ））」、「〜を含む（ｉｎｃｌｕｄｅ（ｓ））」「〜を有すること」、「〜を有する」、「〜でありうる」、「〜を含有する」という用語は、さらなる行為又は構造の可能性を除外しない、オープンエンドな移行句、移行用語又は移行語である。単数形の「ある」及び「その」は、文脈によりそうでないことが明らかに指示されない限りにおいて、複数の指示対象を含む。本開示はまた、明示されているのであれ、そうでないのであれ、本明細書において提示された実施形態又は要素「を含み」、これら「からなり」、これら「から本質的になる」、他の実施形態も想定する。
【０１３７】
本明細書において、数値範囲を列挙するために、それらの間に介在する、同じ精度を伴う各数が明示的に想定される。例えば、６〜９の範囲について、６及び９に加えて、７及び８の数も想定され、６．０〜７．０の範囲について、６．０、６．１、６．２、６．３、６．４、６．５、６．６、６．７、６．８、６．９及び７．０の数が、明示的に想定される。
【０１３８】
本明細書において「アフィニティー成熟抗体」とは、標的抗原に対する抗体のアフィニティー（すなわち、ＫＤ、ｋｄ又はｋａ）の変更を有さない親抗体と比較した改善を結果としてもたらす、１つ以上のＣＤＲ内の、１カ所以上の変更を伴う抗体を指すように使用される。例示的なアフィニティー成熟抗体は、標的抗原に対する、ナノモル単位なお又はピコモル単位のアフィニティーを有する。ＢｉｏＤｉｓｐｌａｙ法を使用して調製されたコンビナトリアル抗体ライブラリーのスクリーニングを含め、アフィニティー成熟抗体を作製するための様々な手順が当技術分野において公知である。例えば、Ｍａｒｋｓら、ＢｉｏＴｅｃｈｎｏｌｏｇｙ、１０：７７９〜７８３（１９９２）は、ＶＨとＶＬとのドメインシャッフリングによるアフィニティー成熟について記載している。ＣＤＲ残基及び／又はフレームワーク残基のランダム突然変異誘発については、Ｂａｒｂａｓら、Ｐｒｏｃ．Ｎａｔ．Ａｃａｄ．Ｓｃｉ．ＵＳＡ、９１：３８０９〜３８１３（１９９４）；Ｓｃｈｉｅｒら、Ｇｅｎｅ、１６９：１４７〜１５５（１９９５）；Ｙｅｌｔｏｎら、Ｊ．Ｉｍｍｕｎｏｌ．、１５５：１９９４〜２００４（１９９５）；Ｊａｃｋｓｏｎら、Ｊ．Ｉｍｍｕｎｏｌ．、１５４（７）：３３１０〜３３１９（１９９５）及びＨａｗｋｉｎｓら、Ｊ．Ｍｏｌ．Ｂｉｏｌ．、２２６：８８９〜８９６（１９９２）により記載されている。選択的突然変異誘発位置及び活性増強アミノ酸残基を伴う接触位置はたは超変異位置における選択的突然変異については、米国特許第６，９１４，１２８Ｂ１号において記載されている。
【０１３９】
本明細書において使用された「抗体（ａｎｔｉｂｏｄｙ）」及び「抗体（ａｎｔｉｂｏｄｉｅｓ）」とは、モノクローナル抗体、多特異性抗体、ヒト抗体、ヒト化抗体（完全ヒト化抗体又は部分的ヒト化抗体）、鳥類（例えば、アヒル又はガチョウ）抗体、サメ抗体、クジラ抗体及び非霊長動物（例えば、ウシ、ブタ、ラクダ、ラマ、ウマ、ヤギ、ウサギ、ヒツジ、ハムスター、モルモット、ネコ、イヌ、ラット、マウスなど）抗体又は非ヒト霊長動物（例えば、サル、チンパンジーなど）抗体を含む哺乳動物抗体のようであるがこれらに限定されない動物抗体、組換え抗体、キメラ抗体、単鎖Ｆｖ（「ｓｃＦｖ」）、単鎖抗体、単一ドメイン抗体、Ｆａｂ断片、Ｆ（ａｂ’）断片、Ｆ（ａｂ’）２断片、ジスルフィド連結型Ｆｖ（「ｓｄＦｖ」）及び抗イディオタイプ（「抗Ｉｄ」）抗体、二重ドメイン抗体、二重可変ドメイン（ＤＶＤ）又は三重可変ドメイン（ＴＶＤ）抗体（二重可変ドメイン免疫グロブリン及びそれらを作り出すための方法について、それらの各々の内容が参照により本明細書に組み込まれる、Ｗｕ，Ｃ．ら、Ｎａｔｕｒｅ  Ｂｉｏｔｅｃｈｎｏｌｏｇｙ、２５（１１）：１２９０〜１２９７（２００７）及びＰＣＴ国際出願第２００１／０５８９５６号において記載されている）並びに上記のうちのいずれかの、機能的に活性なエピトープ結合性断片を指す。特に、抗体は、免疫グロブリン分子及び免疫グロブリン分子の免疫活性断片、すなわち、解析物結合性部位を含有する分子を含む。免疫グロブリン分子は、任意の種類（例えば、ＩｇＧ、ＩｇＥ、ＩｇＭ、ＩｇＤ、ＩｇＡ及びＩｇＹ）、クラス（例えば、ＩｇＧ１、ＩｇＧ２、ＩｇＧ３、ＩｇＧ４、ＩｇＡ１及びＩｇＡ２）又はサブクラスの分子でありうる。簡潔さのために、本明細書において、解析物に対する抗体は、「抗解析物抗体」又は、単に、「解析物抗体」（例えば、抗心臓トロポニンＩ抗体又は心臓トロポニンＩ抗体）と称されることが多い。
【０１４０】
本明細書において使用された「抗体断片」とは、抗原結合性部位又は可変領域を含む、無傷抗体の部分を指す。部分は、無傷抗体のＦｃ領域の重鎖定常ドメイン（すなわち、抗体アイソタイプに応じて、ＣＨ２、ＣＨ３又はＣＨ４）を含まない。抗体断片の例は、Ｆａｂ断片、Ｆａｂ’断片、Ｆａｂ’−ＳＨ断片、Ｆ（ａｂ’）２断片、Ｆｄ断片、Ｆｖ断片、ダイアボディー、単鎖Ｆｖ（ｓｃＦｖ）分子、１つだけの軽鎖可変ドメインを含有する単鎖ポリペプチド、軽鎖可変ドメインの３つのＣＤＲを含有する単鎖ポリペプチド、１つだけの重鎖可変領域を含有する単鎖ポリペプチド及び重鎖可変領域の３つのＣＤＲを含有する単鎖ポリペプチドを含むがこれらに限定されない。
【０１４１】
「曲線下面積」又は「ＡＵＣ」とは、ＲＯＣ曲線下面積を指す。ＲＯＣ曲線下ＡＵＣとは、精度についての尺度である。ＡＵＣが１であることが、完全な検査を表すのに対し、ＡＵＣが０．５であることは、非有意な検査を表す。好ましいＡＵＣは、少なくとも約０．７００、少なくとも約０．７５０、少なくとも約０．８００、少なくとも約０．８５０、少なくとも約０．９００、少なくとも約０．９１０、少なくとも約０．９２０、少なくとも約０．９３０、少なくとも約０．９４０、少なくとも約０．９５０、少なくとも約０．９６０、少なくとも約０．９７０、少なくとも約０．９８０、少なくとも約０．９９０又は少なくとも約０．９９５でありうる。
【０１４２】
本明細書において、「ビーズ」と「粒子」とは、互換的に使用され、実質的に球形の固体支持体を指す。ビーズ又は粒子の一例は、マイクロ粒子である。本明細書において使用されうるマイクロ粒子は、当技術分野において公知である、任意の種類でありうる。例えば、ビーズ又は粒子は、磁気ビーズ又は磁気粒子でありうる。磁気ビーズ／粒子は、強磁性、フェリ磁性、常磁性、超常磁性又は磁性流体でありうる。例示的な強磁性材料は、Ｆｅ、Ｃｏ、Ｎｉ、Ｇｄ、Ｄｙ、ＣｒＯ２、ＭｎＡｓ、ＭｎＢｉ、ＥｕＯ及びＮｉＯ／Ｆｅを含む。フェリ磁性材料の例は、ＮｉＦｅ２Ｏ４、ＣｏＦｅ２Ｏ４、Ｆｅ３Ｏ４（又はＦｅＯ．Ｆｅ２Ｏ３）を含む。ビーズは、磁性であり、１つ以上の非磁性層により取り囲まれた、固体コア部分を有しうる。代替的に、磁性部分は、非磁性コアの周囲の層でありうる。マイクロ粒子は、本明細書において記載された方法において働く、任意のサイズ、例えば、約０．７５〜約５ｎｍ又は約１〜約５ｎｍ又は約１〜約３ｎｍでありうる。
【０１４３】
本明細書において、「結合性タンパク質」とは、例えば、ポリペプチド、抗原、化合物若しくは他の分子、又は任意の種類の基質のような、結合パートナーに結合し、これと共に複合体を形成する、単量体又は多量体のタンパク質を指すように使用される。結合性タンパク質は、結合パートナーに特異的に結合する。結合性タンパク質は、抗体のほか、当技術分野において公知であり、本明細書の下記において記載される、これらの抗原結合性断片及びこれらの他の多様な形態及び誘導体並びに抗原分子又は抗原分子上の特定の部位（エピトープ）に結合する、１つ以上の抗原結合性ドメインを含む他の分子を含む。したがって、結合性タンパク質は、四量体の免疫グロブリンである抗体、ＩｇＧ分子、ＩｇＧ１分子、モノクローナル抗体、キメラ抗体、ＣＤＲグラフト抗体、ヒト化抗体、アフィニティー成熟抗体及び抗原に結合する能力を保持する、任意のこのような抗体の断片を含むがこれらに限定されない。
【０１４４】
本明細書において、「二特異性抗体」とは、それらのうちの１つだけが機能的な二特異性抗体である複数の異なる免疫グロブリン分子種を結果としてもたらす形で、クァドローマ技術（Ｍｉｌｓｔｅｉｎら、Ｎａｔｕｒｅ、３０５（５９３４）：５３７〜５４０（１９８３）を参照されたい）、２つの異なるモノクローナル抗体の化学的コンジュゲーション（Ｓｔａｅｒｚら、Ｎａｔｕｒｅ、３１４（６０１２）：６２８〜６３１（１９８５）を参照されたい）、又はＦｃ領域内の突然変異を導入するＫＩＨ（ｋｎｏｂ−ｉｎｔｏ−ｈｏｌｅ）法若しくは同様の手法（Ｈｏｌｌｉｇｅｒら、Ｐｒｏｃ．Ｎａｔｌ．Ａｃａｄ．Ｓｃｉ．ＵＳＡ、９０（１４）：６４４４〜６４４８（１９９３）を参照されたい）により作出された全長抗体を指すように使用される。二特異性抗体は、その２つの結合性アーム（ＨＣ／ＬＣの１つの対）のうちの１つにおける、１つの抗原（又はエピトープ）に結合し、その第２のアーム（ＨＣ／ＬＣの異なる対）における、異なる抗原（又はエピトープ）に結合する。この定義により、二特異性抗体は、２つの顕著に異なる抗原結合性アーム（特異性配列及びＣＤＲ配列の両方）を有し、それが結合する各抗原について一価である。
【０１４５】
本明細書において、互換的に使用された、「心臓トロポニンＩ」、「ｃＴｎＩ」又は「トロポニンＩ」という用語は、心筋から血液へと放出され、血中にいくつかの分子種が存在しうる、心臓トロポニンの２つの固有の形態のうちの１つ（他の固有の形態は、心臓トロポニンＴ（また、「ｃＴｎＴ」とも称する）である）を指す。「心臓トロポニンＩ」又は「ｃＴｎＩ」という用語は、この形態の全長形を含むだけではなく、また、（１）ｃＴｎＩの多様な複合体（すなわち、互いとの複合体及び／又は心臓トロポニンＣ（ｃＴｎＣ）との複合体）；（２）タンパク質分解による分解から生じるｃＴｎＩ断片；（３）ｃＴｎＩのリン酸化形態及び酸化形態（例えば、その内容が、参照により本明細書に組み込まれた、米国特許第６，９９１，９０７号を参照されたい）；並びに（４）ｃＴｎＩの、任意のアイソフォームも含む。
【０１４６】
一部の実施形態において、本開示の方法は、個別の実体、例えば、複合体化ｃＴｎＩ、遊離ｃＴｎＩ（例えば、全長、断片、アイソフォームなど）、修飾（ｍｕｄｄｉｅｄ）ｃＴｎＩ（例えば、酸化ｃＴｎＩ又はリン酸化ｃＴｎＩ）としての、ｃＴｎＩの多様な形態のうちの１つ以上の、試料中濃度の検出及び／又は決定を可能とし、任意選択的に、ｃＴｎＩの、生物学的試料中濃度をもたらす。
【０１４７】
より具体的に、一部の実施形態において、本明細書において記載された本開示は、当技術分野において公知である、従来のトロポニンアッセイ（例えば、イムノアッセイ）により測定されたレベルの、１０〜１００分の１のレベルにおける、ｃＴｎＩの検出及び定量を可能とする高感度アッセイを利用する。より具体的に、アッセイは、少なくとも以下の２つの条件：１）基準健常集団の、第９９百分位数の値における変動係数が、１０％未満であること及び２）健常個体のうちの５０％を超える個体において、アッセイの検出限界を上回る濃度が測定可能であることを満たせば、高感度（例えば、トロポニンについての高感度アッセイ）であると規定される（内容が参照により本明細書に組み込まれた、Ａｐｐｌｅ  ＦＳら、Ｃｌｉｎ  Ｃｈｅｍ．、５８：５４〜６１（２０１２）を参照されたい）。トロポニンの高感度検出を可能とする、当技術分野において公知のアッセイの例は、調査研究のための使用に限る、Ｑｕａｎｔｅｒｉｘ（Ｓｉｍｏａ  Ｈｕｍａｎ  Ｔｒｏｐｏｎｉｎ−Ｉ  ｉｍｍｕｎｏａｓｓａｙ）から市販されているアッセイのほか、その内容が、参照により本明細書に組み込まれた、米国特許第９，１８２，４０５号に記載されているアッセイを含む。
【０１４８】
本明細書において、互換的に使用された、「心臓トロポニンＩ状態」又は「ｃＴｎＩ状態」とは、ある時点における、心臓トロポニンＩのレベル若しくは量（トロポニンＩについての、単一の尺度によるレベル又は量のような）、モニタリングと関連する、心臓トロポニンＩのレベル若しくは量（心臓トロポニンＩの量の上昇又は低下を同定するための、対象に対する反復検査によるレベル又は量など）、外傷性脳損傷（一次脳損傷であれ、かつ／又は二次脳損傷であれ）のための処置と関連する、心臓トロポニンＩのレベル若しくは量又はこれらの組合せを意味しうる。
【０１４９】
本明細書において、「ＣＤＲ」とは、抗体の可変配列内の「相補性決定領域」を指すように使用される。重鎖及び軽鎖の可変領域の各々において、３つずつのＣＤＲが存在する。重鎖又は軽鎖のＮ末端から順に、これらの領域は、可変領域の各々について、「ＣＤＲ１」、「ＣＤＲ２」及び「ＣＤＲ３」と表記されている。本明細書において使用された「ＣＤＲセット」という用語は、単一の可変領域において生じる、３つのＣＤＲの群であって、抗原に結合するＣＤＲの群を指す。したがって、抗原結合性部位は、重鎖可変領域及び軽鎖可変領域の各々に由来するＣＤＲセットを含む、６つのＣＤＲを含みうる。単一のＣＤＲ（例えば、ＣＤＲ１、ＣＤＲ２又はＣＤＲ３）を含むポリペプチドは、「分子認識単位」と称されうる。抗原−抗体複合体についての結晶構造解析は、ＣＤＲのアミノ酸残基が、結合した抗原との、広範な接触部を形成し、この場合、最も広範な抗原の接触部は、重鎖ＣＤＲ３との接触部であることを裏付けている。したがって、分子認識単位は、主に、抗原結合性部位の特異性の一因となりうる。一般に、ＣＤＲ残基は、抗原への結合に対する影響に、直接、かつ、極めて実質的に関与する。
【０１５０】
これらのＣＤＲの正確な境界は、異なるシステムに従い、異なる形で規定されている。Ｋａｂａｔ（Ｋａｂａｔら、「Ｓｅｑｕｅｎｃｅｓ  ｏｆ  Ｐｒｏｔｅｉｎｓ  ｏｆ  Ｉｍｍｕｎｏｌｏｇｉｃａｌ  Ｉｎｔｅｒｅｓｔ」（Ｎａｔｉｏｎａｌ  Ｉｎｓｔｉｔｕｔｅｓ  ｏｆ  Ｈｅａｌｔｈ、Ｂｅｔｈｅｓｄａ、Ｍｄ．（１９８７）及び（１９９１））により記載されているシステムは、抗体の任意の可変領域へと適用可能である、明確な残基番号付けシステムを提示するだけではなく、また、３つのＣＤＲを規定する、正確な残基の境界も提示している。これらのＣＤＲは、「Ｋａｂａｔ  ＣＤＲ」と称されうる。Ｃｈｏｔｈｉａ及び同僚（Ｃｈｏｔｈｉａ及びＬｅｓｋ、Ｊ．Ｍｏｌ．Ｂｉｏｌ．、１９６：９０１〜９１７（１９８７）；並びにＣｈｏｔｈｉａら、Ｎａｔｕｒｅ、３４２：８７７〜８８３（１９８９））は、Ｋａｂａｔ  ＣＤＲ内の、ある特定の下位部分（ｓｕｂ−ｐｏｒｔｉｏｎ）が、アミノ酸配列のレベルにおいて、大きな多様性を有するにもかかわらず、ほぼ同一なペプチド骨格のコンフォメーションを取ることを見出した。これらの下位部分は、「Ｌ」及び「Ｈ」が、それぞれ、軽鎖領域及び重鎖領域を名指す、「Ｌ１」、「Ｌ２」及び「Ｌ３」、又は「Ｈ１」、「Ｈ２」及び「Ｈ３」と名指された。これらの領域は、「Ｃｈｏｔｈｉａ  ＣＤＲ」と称される場合があり、これらは、Ｋａｂａｔ  ＣＤＲと重複する境界を有する。Ｋａｂａｔ  ＣＤＲと重複するＣＤＲを規定する他の境界について、Ｐａｄｌａｎ、ＦＡＳＥＢ  Ｊ．、９：１３３〜１３９（１９９５）；及びＭａｃＣａｌｌｕｍ、Ｊ．Ｍｏｌ．Ｂｉｏｌ．、２６２（５）：７３２〜７４５（１９９６）により記載されている。さらに他のＣＤＲの境界の定義は、本明細書のシステムの定義に厳密に従わない場合もあり、特定の残基若しくは残基群なお又は全ＣＤＲが、抗原への結合に、著明な影響を及ぼさないという予測又は実験による知見に照らして、短くなる場合もあり、長くなる場合もあるが、それでも、Ｋａｂａｔ  ＣＤＲと重複する。本明細書において使用された方法は、これらのシステムのうちのいずれに従い規定されたＣＤＲも用いうるが、ある特定の実施形態は、Ｋａｂａｔより規定されたＣＤＲ又はＣｈｏｔｈｉａにより規定されたＣＤＲを使用する。
【０１５１】
「構成要素（ｃｏｍｐｏｎｅｎｔ）」、「構成要素（ｃｏｍｐｏｎｅｎｔｓ）」又は「少なくとも１つの構成要素」とは、一般に、本明細書において記載された方法及び当技術分野において公知である他の方法に従う、患者の尿試料、全血試料、血清試料又は血漿試料のような被験試料についてのアッセイのためのキット内に含まれうる捕捉抗体、検出試薬又は検出コンジュゲート、較正物質、対照、感度パネル、容器、緩衝液、希釈剤、塩、酵素、酵素に対する補因子、検出試薬、前処理試薬／溶液、基質（例えば、溶液としての）、停止溶液などを指す。一部の構成要素は、溶液でありうる、又はアッセイにおける使用のための復元のために、凍結乾燥させられうる。
【０１５２】
本明細書において使用された「〜と相関させた」とは、「〜と比較した」を指す。
【０１５３】
本明細書において使用された「ＣＴスキャン」とは、コンピュータ断層撮影（ＣＴ）スキャンを指す。ＣＴスキャンは、異なる角度から得られた、一連のＸ線画像を組み合わせ、コンピュータ処理を使用して、体内の骨、血管及び軟部組織についての断面画像又は切片を創出する。ＣＴスキャンは、Ｘ線ＣＴ、ポジトロン放射断層撮影（ＰＥＴ）、単一光子放射コンピュータ断層撮影（ＳＰＥＣＴ）、コンピュータ軸方向断層撮影（ＣＡＴスキャン）又はコンピュータ支援断層撮影を使用しうる。ＣＴスキャンは、従来のＣＴスキャン又は渦巻き状／らせん状ＣＴスキャンでありうる。従来のＣＴスキャンにおいて、スキャンは、切片ごとに得られ、各切片のスキャンの後、停止及び次の切片への移動、例えば、腹部の上方から、骨盤への移動がなされる。従来のＣＴスキャンは、動きによるアーチファクトを回避するために、患者が息を止めることを要求する。渦巻き状／らせん状ＣＴスキャンは、連続スキャンであり、渦巻き状に得られ、スキャンされた画像が連続的であるので、工程がはるかに迅速である。
【０１５４】
本明細書において使用された、抗体の「誘導体」とは、純正抗体又は親抗体と比較した場合、そのアミノ酸配列に対する、１つ以上の修飾を有する抗体を指す場合があり、修飾ドメイン構造を呈しうる。誘導体は、標的（抗原）に特異的に結合することが可能なアミノ酸配列を採用するだけでなく、天然抗体内で見出された、典型的なドメイン構成を採用することもさらに可能でありうる。抗体誘導体の典型的な例は、他のポリペプチドへとカップリングさせた抗体、再配列された抗体ドメイン又は抗体の断片である。誘導体はまた、少なくとも１つのさらなる化合物、例えば、タンパク質ドメインも含むことが可能であり、前記タンパク質ドメインは、共有結合又は非共有結合により連結されている。連結は、当技術分野で公知の方法に従う遺伝子融合に基づきうる。抗体を含む融合タンパク質内に存在するさらなるドメインは、ペプチドリンカーであると有利な、可動性リンカーにより連結されることが好ましい場合があり、この場合、前記ペプチドリンカーは、さらなるタンパク質ドメインのＣ末端及び抗体のＮ末端又はこの逆の間の距離にわたるのに十分な長さである、複数の、親水性で、ペプチド結合されたアミノ酸を含む。抗体は、生物学的活性に適するコンフォメーションを有するか、又は、例えば、固体支持体、生物学的活性物質（例えば、サイトカイン又は成長ホルモン）、化学的薬剤、ペプチド、タンパク質若しくは薬物に選択的に結合する、エフェクター分子へと連結されうる。
【０１５５】
本明細書において「アッセイにより決定された」とは、任意の適切なアッセイによる、基準レベルの決定を指すように使用される。一部の実施形態において、基準レベルの決定は、対象に由来する試料へと適用されるアッセイと同じ種類のアッセイにより（例えば、イムノアッセイ、臨床化学アッセイ、単一分子検出アッセイ、タンパク質免疫沈降、免疫電気泳動、化学分析、ＳＤＳ−ＰＡＧＥ及びウェスタンブロット解析又はタンパク質免疫染色、電気泳動解析、タンパク質アッセイ、競合的結合アッセイ、機能的タンパク質アッセイ又は高速液体クロマトグラフィー（ＨＰＬＣ）若しくは液体クロマトグラフィー−質量分析（ＬＣ／ＭＳ）のような、クロマトグラフィー法若しくは分光法により）達成されうる。一部の実施形態において、基準レベルの決定は、対象に由来する試料へと適用されるアッセイと同じ種類のアッセイにより、同じアッセイ条件下において達成されうる。本明細書において言及される通り、本開示は、例示的な基準レベルを提示する（例えば、異なる時点における基準レベルを比較することにより計算される）。本明細書における本開示を、他のアッセイに適合させて、本開示により提示された記載に基づき、これらの他のアッセイについて、アッセイ特異的な基準レベルを得ることは、十分に、当業者の技術の範囲内にある。例えば、頭部への損傷を負ったことが既知のヒト対象から得られた試料（そして、より特定すると、（ｉ）軽度ＴＢＩ及び／又は（ｉｉ）中等度、重度又は中等度〜重度のＴＢＩを負ったことが既知のヒト対象から得られた試料）及び頭部への損傷を負っていないことが既知のヒト対象から得られた試料を含むトレーニング試料のセットは、アッセイ特異的な基準レベルを得るのに使用されうる。本明細書において、「アッセイにより決定され」、列挙されたレベルの「感度」及び／又は「特異度」を有する、基準レベルは、前記基準レベルが、本開示の方法において採用された場合に、列挙された感度及び／又は特異度についての方法をもたらすことが決定された、基準レベルを指すように使用されることが理解される。例えば、複数の異なる可能な基準レベルを使用する、アッセイデータについての統計学的解析の反復により、本開示の方法において与えられた基準レベルと関連する感度及び特異度を決定することは、十分に、当業者の技術の範囲内にある。
【０１５６】
実質的に、外傷性脳損傷を有する対象と、外傷性脳損傷を有さない対象とを識別するか、又は軽度外傷性脳損傷を有する対象を、中等度、重度又は中等度〜重度の外傷性脳損傷と対比して識別する場合、当業者は、感度及び特異度に対するカットオフを上昇させることの効果を、秤にかける。カットオフを上昇又は下落させることは、十分に規定され、予測可能な影響を、感度及び特異度並びに他の標準的な統計学的尺度に対して及ぼす。カットオフを上昇させることは、特異度を改善するが、感度（疾患を伴う対象の、検査陽性となる比率）を悪化させることが周知である。これに対し、カットオフを下落させることは、感度を改善するが、特異度（疾患を伴わない対象の、検査陰性となる比率）を悪化させる。外傷性脳損傷を検出する、又は中等度、重度若しくは中等度〜重度の外傷性脳損傷と対比した、軽度外傷性脳損傷を決定するための分岐点は、当業者にたやすく明らかである。対象が、外傷性脳損傷又は中等度、重度又は中等度〜重度の外傷性脳損傷と対比した、軽度外傷性脳損傷を有するのか、有さないのかの識別においてカットオフが上昇するほど、より多くの真陰性（すなわち、外傷性脳損傷を有さない、軽度外傷性脳損傷を有さない、中等度外傷性脳損傷を有さない、重度外傷性脳損傷を有さない、又は中等度〜重度の外傷性脳損傷を有さない対象）が、外傷性脳損傷、軽度外傷性脳損傷、中等度外傷性脳損傷、重度外傷性脳損傷又は中等度〜重度の外傷性脳損傷を有する対象から区別されるので、特異度が改善される。しかし、同時に、カットオフを上昇させることは、陽性として同定された症例の数の全体並びに真陽性の数を減少させるので、感度は低下するはずである。逆に、カットオフが下落するほど、より多くの真陽性（すなわち、外傷性脳損傷を有する、軽度外傷性脳損傷を有する、中等度外傷性脳損傷を有する、重度外傷性脳損傷を有する、又は中等度〜重度の外傷性脳損傷を有する対象）が、外傷性脳損傷、軽度外傷性脳損傷、中等度外傷性脳損傷、重度外傷性脳損傷又は中等度〜重度の外傷性脳損傷を有さない対象から区別されるので、感度が改善される。しかし、同時に、カットオフを下落させることは、陽性として同定された症例の数の全体並びに偽陽性の数を増大させるので、特異度は低下するはずである。
【０１５７】
一般に、高感度値は、当業者が、疾患又は状態（外傷性脳損傷、軽度外傷性脳損傷、中等度外傷性脳損傷、重度外傷性脳損傷又は中等度〜重度の外傷性脳損傷など）を除外する一助となり、高特異度値は、当業者が、疾患又は状態を組み入れる一助となる。当業者が、疾患を除外するのか、これを組み入れるのかは、エラーの種類のそれぞれについて、どのような帰結が患者のためになるのかに依存する。したがって、値がどのようにして選択されたのかについての基本情報の完全な開示がなされなければ、検査カットオフを導出するのに利用される正確なバランスを、知ること又は予測することができない。特異度に対する感度のバランス及び他の因子は、症例ごとに異なる。このために、医師又は医療従事者が選択しうるように、代替的なカットオフ（例えば、基準）値を提示することが、しばしば好ましい。
【０１５８】
本明細書において「乱用薬物」とは、非医学的理由（例えば、気晴らし効果及び／又は気分を変える効果など）のために服用される、１つ以上の添加物質（薬物など）を指すように使用される。このような乱用薬物への、過剰な耽溺、これらの使用又はこれらへの依存は、「物質乱用」と称されることが多い。乱用薬物の例は、アルコール、バルビツレート、ベンゾジアゼピン、カナビス、コカイン、幻覚剤（ケタミン、メスカリン（ペヨーテ）、ＰＣＰ、シロシビン、ＤＭＴ及び／又はＬＳＤなど）、メタカロン、オピオイド、アンフェタミン（メタンフェタミンを含む）、同化ステロイド、吸入剤（すなわち、例えば、ニトレート、スプレー塗料、洗浄液、マーカー、糊などのような、向精神特性を含有する揮発性物質を含有する物質）及びこれらの組合せを含む。
【０１５９】
本明細書において、「二重特異性抗体」とは、その２つの結合性アーム（ＨＣ／ＬＣの対）の各々において、２つの異なる抗原（又はエピトープ）に結合しうる全長抗体（ＰＣＴ公開第０２／０２７７３号を参照されたい）を指すように使用される。したがって、二重特異性結合タンパク質は、同一な特異性及び同一なＣＤＲ配列を伴う、２つの同一な抗原結合性アームを有し、それが結合する各抗原について二価である。
【０１６０】
本明細書において、「二重可変ドメイン」とは、二価結合性タンパク質（２つの抗原結合性部位）、四価結合性タンパク質（４つの抗原結合性部位）、又は多価結合性タンパク質でありうる結合性タンパク質上の、２つ以上の抗原結合性部位を指すように使用される。ＤＶＤは、単一特異性、すなわち、１つの抗原（又は１つの特異性エピトープ）に結合することが可能な場合もあり、多特異性、すなわち、２つ以上の抗原（例えば、同じ標的抗原分子の２つ以上のエピトープ又は異なる標的抗原２つ以上のエピトープ）に結合することが可能な場合もある。好ましいＤＶＤ結合性タンパク質は、２つの重鎖ＤＶＤポリペプチド及び２つの軽鎖ＤＶＤポリペプチドを含み、「ＤＶＤ免疫グロブリン」又は「ＤＶＤ−Ｉｇ」と称される。したがって、このようなＤＶＤ−Ｉｇ結合性タンパク質は、四量体であり、ＩｇＧ分子と類似するが、ＩｇＧ分子より多くの抗原結合性部位をもたらす。したがって、四量体ＤＶＤ−Ｉｇ分子の各半分は、ＩｇＧ分子の半分と類似し、重鎖ＤＶＤポリペプチド及び軽鎖ＤＶＤポリペプチドを含むが、単一の抗原結合性ドメインをもたらす、ＩｇＧ分子の重鎖及び軽鎖の対と異なり、ＤＶＤ−Ｉｇの重鎖及び軽鎖の対は、２つ以上の抗原結合性部位をもたらす。
【０１６１】
ＤＶＤ−Ｉｇ結合性タンパク質の各抗原結合性部位は、ドナー（「親」）モノクローナル抗体に由来しうるので、抗原結合性部位１つ当たり、合計６つのＣＤＲであって、抗原への結合に関与するＣＤＲを伴う、重鎖可変ドメイン（ＶＨ）及び軽鎖可変ドメイン（ＶＬ）を含みうる。したがって、２つの異なるエピトープ（例えば、２つの異なる抗原分子の、２つの異なるエピトープ又は同じ抗原分子の、２つの異なるエピトープ）に結合するＤＶＤ−Ｉｇ結合性タンパク質は、第１の親モノクローナル抗体に由来する抗原結合性部位及び第２の親モノクローナル抗体の抗原結合性部位を含む。
【０１６２】
ＤＶＤ−Ｉｇ結合性分子のデザイン、発現及び特徴付けについての記載は、ＰＣＴ公開第２００７／０２４７１５号、米国特許第７，６１２，１８１号及びＷｕら、Ｎａｔｕｒｅ  Ｂｉｏｔｅｃｈ．、２５：１２９０〜１２９７（２００７）においてなされている。このようなＤＶＤ−Ｉｇ分子の好ましい例は、構造式：ＶＤ１−（Ｘ１）ｎ−ＶＤ２−Ｃ−（Ｘ２）ｎ［式中、ＶＤ１は、第１の重鎖可変ドメインであり、ＶＤ２は、第２の重鎖可変ドメインであり、Ｃは、重鎖定常ドメインであり、Ｘ１は、それがＣＨ１ではないことを条件として、リンカーであり、Ｘ２は、Ｆｃ領域であり、ｎは、０又は１であるが、好ましくは１である］を含む重鎖；及び構造式：ＶＤ１−（Ｘ１）ｎ−ＶＤ２−Ｃ−（Ｘ２）ｎ［式中、ＶＤ１は、第１の軽鎖可変ドメインであり、ＶＤ２は、第２の軽鎖可変ドメインであり、Ｃは、軽鎖定常ドメインであり、Ｘ１は、これがＣＨ１ではないことを条件として、リンカーであり、Ｘ２は、Ｆｃ領域を含まず、ｎは、０又は１であるが、好ましくは１である］を含む軽鎖を含む。このようなＤＶＤ−Ｉｇは、２つのこのような重鎖及び２つのこのような軽鎖を含むことが可能であり、この場合、各鎖は、可変領域の間に介在する定常領域を伴わずに、タンデムにより連結された可変ドメインを含み、重鎖及び軽鎖は、会合して、タンデムの機能的抗原結合性部位を形成し、重鎖及び軽鎖の対は、重鎖及び軽鎖の別の対と会合して、４つの機能的な抗原結合性部位を伴う、四量体の結合性タンパク質を形成しうる。別の例において、ＤＶＤ−Ｉｇ分子は、各々が可変ドメインの間に介在する定常領域を伴わずに、タンデムに連結された、３つの可変ドメイン（ＶＤ１、ＶＤ２、ＶＤ３）を含む重鎖及び軽鎖を含むことが可能であり、この場合、重鎖及び軽鎖の対は、会合して、３つの抗原結合性部位を形成することが可能であり、重鎖及び軽鎖の対は、重鎖及び軽鎖の別の対と会合して、６つの抗原結合性部位を伴う、四量体の結合性タンパク質を形成しうる。
【０１６３】
好ましい実施形態において、ＤＶＤ−Ｉｇ結合性タンパク質は、その親モノクローナル抗体が結合する同じ標的分子に結合するだけでなく、また、その親モノクローナル抗体のうちの１つ以上の、１つ以上の所望の特性も保有する。好ましくは、このようなさらなる特性は、親モノクローナル抗体のうちの１つ以上の抗体パラメータである。その親モノクローナル抗体のうちの１つ以上に由来するＤＶＤ−Ｉｇ結合性タンパク質に寄与されうる抗体パラメータは、抗原特異性、抗原アフィニティー、効力、生物学的機能、エピトープの認識、タンパク質の安定性、タンパク質の可溶性、作製効率、免疫原性、薬物動態、バイオアベイラビリティー、組織との交差反応性、及びオーソログ抗原への結合を含むがこれらに限定されない。
【０１６４】
ＤＶＤ−Ｉｇ結合性タンパク質は、心臓トロポニンＩの、少なくとも１つのエピトープに結合する。ＤＶＤ−Ｉｇ結合性タンパク質の非限定例は、心臓トロポニンＩの、１つ以上のエピトープに結合するＤＶＤ−Ｉｇ結合性タンパク質、ヒト心臓トロポニンＩのエピトープ及び別の種（例えば、マウス）の心臓トロポニンＩのエピトープに結合するＤＶＤ−Ｉｇ結合性タンパク質及びヒト心臓トロポニンＩのエピトープ及び別の標的分子のエピトープに結合するＤＶＤ−Ｉｇ結合性タンパク質を含む。
【０１６５】
本明細書において使用された「ダイナミックレンジ」とは、アッセイのリードアウトが、解析される試料中の標的分子又は解析物の量と比例する範囲を指す。
【０１６６】
「エピトープ（ｅｐｉｔｏｐｅ）」又は「エピトープ（ｅｐｉｔｏｐｅｓ）」又は「目的のエピトープ」とは、認識され、その特異的結合パートナー上の相補的な部位に結合しうる、任意の分子上の部位を指す。分子及び特異的結合パートナーは、特異的結合対の一部である。例えば、エピトープは、ポリペプチド、タンパク質、ハプテン、炭水化物抗原（糖脂質、糖タンパク質又はリポ多糖のようであるがこれらに限定されない）又は多糖の上にありうる。その特異的結合パートナーは、抗体でありうるがこれに限定されない。
【０１６７】
本明細書において使用された「Ｆａｂ（ｆｒａｇｍｅｎｔ  ａｎｔｉｇｅｎ−ｂｉｎｄｉｎｇ）断片」又は「Ｆａｂ断片」とは、抗原に結合し、１つの抗原結合性部位である、１つの完全な軽鎖及び１つの重鎖の一部を含有する抗体の断片を指す。Ｆａｂは、ＶＬドメイン、ＶＨドメイン、ＣＬドメイン及びＣＨ１ドメインからなる一価断片である。Ｆａｂは、各重鎖及び各軽鎖の、１つの定常ドメイン及び１つの可変ドメインから構成される。可変ドメインは、単量体のアミノ末端において、相補性決定領域のセットを含む、パラトープ（抗原結合性部位）を含有する。したがって、Ｙ字の各アームは、抗原上のエピトープに結合する。Ｆａｂ断片は、例えば、免疫グロブリン単量体を、２つのＦａｂ断片及びＦｃ断片へと切断するのに使用されうる、酵素であるパパインを使用して、当技術分野において記載されている通りに作出されうる、又は組換え手段により作製されうる。
【０１６８】
本明細書において使用された「Ｆ（ａｂ’）２断片」とは、ヒンジ領域の一部を無傷のままとしながら、Ｆｃ領域の大半を除去する、全ＩｇＧ抗体のペプシン消化により作出された抗体を指す。Ｆ（ａｂ’）２断片は、ジスルフィド結合により、一体に連結された、２つの抗原結合性Ｆ（ａｂ）部分を有するので、分子量を約１１０ｋＤａとする、二価断片である。二価抗体断片（Ｆ（ａｂ’）２断片）は、全ＩｇＧ分子より小型であり、組織への良好な浸透を可能とするので、免疫組織化学における、良好な抗原認識を容易とする。Ｆ（ａｂ’）２断片の使用はまた、生細胞上のＦｃ受容体又はプロテインＡ／Ｇへの非特異的結合も回避する。Ｆ（ａｂ’）２断片は、抗原に結合し、かつ、これを沈殿させうる。
【０１６９】
本明細書において使用された「フレームワーク」（ＦＲ）又は「フレームワーク配列」とは、ＣＤＲを除いた、可変領域の残りの配列を意味しうる。ＣＤＲ配列の正確な定義は、異なるシステム（例えば、上記を参照されたい）により決定されうるため、フレームワーク配列の意味は、これに応じて異なる解釈を受ける。６つのＣＤＲ（軽鎖のＣＤＲ−Ｌ１、ＣＤＲ−Ｌ２及びＣＤＲ−Ｌ３並びに重鎖のＣＤＲ−Ｈ１、ＣＤＲ−Ｈ２及びＣＤＲ−Ｈ３）はまた、軽鎖上及び重鎖上のフレームワーク領域を、各鎖上の４つの部分領域（ＦＲ１、ＦＲ２、ＦＲ３及びＦＲ４）へも分割するが、ここで、ＣＤＲ１は、ＦＲ１及びＦＲ２の間に位置し、ＣＤＲ２は、ＦＲ２及びＦＲ３の間に位置し、ＣＤＲ３は、ＦＲ３及びＦＲ４の間に位置する。他の研究者により言及される通りに、特定の部分領域を、ＦＲ１、ＦＲ２、ＦＲ３又はＦＲ４と指定しない場合、フレームワーク領域は、単一の、天然の免疫グロブリン鎖の可変領域内の、ＦＲの組合せを表す。本明細書において使用されたＦＲは、４つの部分領域のうちの１つを表し、ＦＲは、フレームワーク領域を構成する、４つの部分領域のうちの２つ以上を表す。
【０１７０】
当技術分野において公知の技法を使用して、非ヒト抗体をヒト化するのに、重鎖及び軽鎖の「アクセプター」フレームワーク配列（又は、単に、「アクセプター」配列）として使用されうる、ヒト重鎖及びヒト軽鎖のＦＲ配列は、当技術分野において公知である。一実施形態において、ヒト重鎖及びヒト軽鎖のアクセプター配列は、Ｖ−ｂａｓｅ（ｈｙｐｅｒｔｅｘｔ  ｔｒａｎｓｆｅｒｐｒｏｔｏｃｏｌ：／／ｖｂａｓｅ．ｍｒｃ−ｃｐｅ．ｃａｍ．ａｃ．ｕｋ／）又は国際的なＩｍＭｕｎｏＧｅｎｅＴｉｃｓ（登録商標）（ＩＭＧＴ（登録商標））情報システム（ｈｙｐｅｒｔｅｘｔ  ｔｒａｎｓｆｅｒｐｒｏｔｏｃｏｌ：／／ｉｍｇｔ．ｃｉｎｅｓ．ｆｒ／ｔｅｘｔｓ／ＩＭＧＴｒｅｐｅｒｔｏｉｒｅ／ＬｏｃｕｓＧｅｎｅｓ／）のような、一般に公開されているデータベースにおいて列挙されたフレームワーク配列から選択される。
【０１７１】
本明細書において使用された「機能的な抗原結合性部位」とは、標的抗原に結合することが可能な、結合性タンパク質（例えば、抗体）上の部位を意味しうる。抗原結合性部位の抗原結合アフィニティーは、抗原結合性部位が由来する、親の結合性タンパク質、例えば、親抗体ほど強くない場合があるが、抗原に結合する能力は、抗原に結合するタンパク質、例えば、抗体を査定するための、公知の様々な方法のうちのいずれか１つを使用して測定可能でなければならない。さらに、多価タンパク質、例えば、本明細書の多価抗体の抗原結合性部位の各々の抗原結合アフィニティーは、定量的に同じである必要はない。
【０１７２】
本明細書において使用された「ＧＣＳ（Ｇｌａｓｇｏｗ  Ｃｏｍａ  Ｓｃａｌｅ）」又は「ＧＣＳ」とは、全般的な社会的能力又は他者への依存に基づき、脳損傷の転帰を推定及び類別するための、１５点のスケールを指す。検査は、運動応答、言語応答及び開眼応答を、これらの値：Ｉ．運動応答（６：指示に完全に従う；５：侵害刺激を位置特定する；４：侵害刺激から身を引く；３：異常屈曲、すなわち、除皮質姿勢；２：伸長応答、すなわち、除脳姿勢及び１：応答なし）；ＩＩ．言語応答（５：意識清明で見当識がある；４：混乱しているが、一貫した発話；３：不適切な単語及び単語からなる支離滅裂な文章；２：理解不可能な音声及び１：音声なし）及びＩＩＩ．開眼（４：自発的開眼；３：発話に応じた開眼；２：疼痛に応じた開眼及び１：開眼なし）により測定する。最終的なスコアは、Ｉ＋ＩＩ＋ＩＩＩの値を足し合わせることにより決定される。最終的なスコアは、生存についての４つの可能なレベルへと類別される場合があり、数が小さいほど、より重度損傷及び予後不良を指し示す：軽度（１３〜１５）；中等度身体障害（９〜１２）（３０分間を超える意識の喪失；消失する場合もあり、消失しない場合もある、身体機能障害又は認知機能障害；リハビリから利益を得る）；重度身体障害（３〜８）（昏迷：意識不明状態：有意味な応答なし、自発的な活動なし）；及び植物状態（３未満）（睡眠覚醒周期；目覚めるが、環境との相互作用なし；疼痛に対する、位置特定されない応答）。中等度脳損傷とは、２０分間〜６時間の意識喪失及び９〜１２のＧＣＳ（Ｇｌａｓｇｏｗ  Ｃｏｍａ  Ｓｃａｌｅ）を結果としてもたらす脳損傷と規定される。重度脳損傷とは、６時間を超える意識喪失及び３〜８のＧＣＳ（Ｇｌａｓｇｏｗ  Ｃｏｍａ  Ｓｃａｌｅ）を結果としてもたらす脳損傷と規定される。
【０１７３】
本明細書において使用された「ＧＯＳ（Ｇｌａｓｇｏｗ  Ｏｕｔｃｏｍｅ  Ｓｃａｌｅ）」とは、機能的転帰についてのグローバルスケールであって、患者の状態を、５つの類型：死、植物状態、重度身体障害、中等度身体障害又は回復良好のうちの１つへと評価するグローバルスケールを指す。
【０１７４】
本明細書において互換的に使用された「ＧＯＳＥ（Ｅｘｔｅｎｄｅｄ  Ｇｌａｓｇｏｗ  Ｏｕｔｃｏｍｅ  Ｓｃａｌｅ）」又は「ＧＯＳＥ」は、重度身体障害、中等度身体障害及び回復良好の類型を、表１において示される、上下の類型へと細分することによる、８つの類型への、より詳細な類別を提示する。
【０１７５】
【表１】
2020522686.tif 000002
【０１７６】
本明細書において、「ヒト化抗体」は、非ヒト種（例えば、マウス）に由来する重鎖可変領域配列及び軽鎖可変領域配列を含むが、ＶＨ配列及び／又はＶＬ配列の少なくとも一部が、より「ヒト様」となる、すなわち、ヒト生殖細胞系列可変配列と、より類似するように変更された抗体について記載するのに使用される。「ヒト化抗体」とは、目的の抗原に免疫特異的に結合し、ヒト抗体のアミノ酸配列を実質的に有するフレームワーク（ＦＲ）領域及び非ヒト抗体のアミノ酸配列を実質的に有する相補性決定領域（ＣＤＲ）を含む、抗体又はこの変異体、誘導体、類似体若しくは断片である。本明細書において使用された、ＣＤＲの文脈における「実質的に」という用語は、非ヒト抗体ＣＤＲのアミノ酸配列と、少なくとも８０％、少なくとも８５％、少なくとも９０％、少なくとも９５％、少なくとも９８％又は少なくとも９９％同一なアミノ酸配列を有するＣＤＲを指す。ヒト化抗体は、少なくとも１つであるが、典型的に２つの可変ドメイン（Ｆａｂ、Ｆａｂ’、Ｆ（ａｂ’）２、ＦａｂＣ、Ｆｖ）であって、ＣＤＲ領域の全て又は実質的に全てが、非ヒト免疫グロブリン（すなわち、ドナー抗体）のＣＤＲ領域に対応し、フレームワーク領域の全て又は実質的に全てが、ヒト免疫グロブリンコンセンサス配列のフレームワーク領域である可変ドメインの実質的に全てを含む。ある実施形態において、ヒト化抗体はまた、免疫グロブリン定常領域（Ｆｃ）、典型的に、ヒト免疫グロブリンのＦｃ領域の少なくとも一部も含む。一部の実施形態において、ヒト化抗体は、軽鎖のほか、重鎖の、少なくとも可変ドメインを含有する。抗体はまた、重鎖の、ＣＨ１領域、ヒンジ領域、ＣＨ２領域、ＣＨ３領域及びＣＨ４領域も含みうる。一部の実施形態において、ヒト化抗体は、ヒト化軽鎖だけを含有する。一部の実施形態において、ヒト化抗体は、ヒト化重鎖だけを含有する。具体的な実施形態において、ヒト化抗体は、軽鎖及び／又はヒト化重鎖のヒト化可変ドメインだけを含有する。
【０１７７】
ヒト化抗体は、ＩｇＭ、ＩｇＧ、ＩｇＤ、ＩｇＡ、及びＩｇＥを含む、免疫グロブリンの任意のクラス並びに、限定なしに述べると、ＩｇＧ１、ＩｇＧ２、ＩｇＧ３、及びＩｇＧ４を含む、任意のアイソタイプから選択されうる。ヒト化抗体は、１つを超えるクラス又はアイソタイプに由来する配列を含むことが可能であり、特定の定常ドメインは、当技術分野において周知の技法を使用して、所望のエフェクター機能を最適化するように選択されうる。
【０１７８】
ヒト化抗体のフレームワーク領域及びＣＤＲは、親配列に正確に対応する必要がない、例えば、ドナー抗体ＣＤＲ又はコンセンサスフレームワークは、この部位におけるＣＤＲ残基又はフレームワーク残基が、ドナー抗体又はコンセンサスフレームワークに対応しないように、少なくとも１つのアミノ酸残基の置換、挿入及び／又は欠失により突然変異誘発されてもよい。しかし、好ましい実施形態において、このような突然変異は、広範にわたる突然変異ではない。通例、ヒト化抗体残基のうちの、少なくとも８０％、好ましくは、少なくとも８５％、より好ましくは、少なくとも９０％であり、最も好ましくは、少なくとも９５％は、親のＦＲ配列及びＣＤＲ配列の残基に対応する。本明細書において使用された「コンセンサスフレームワーク」という用語は、コンセンサスの免疫グロブリン配列内のフレームワーク領域を指す。本明細書において使用された「コンセンサスの免疫グロブリン配列」という用語は、類縁の免疫グロブリン配列のファミリーにおいて、最も高頻度で発生するアミノ酸（又はヌクレオチド）から形成された配列（例えば、Ｗｉｎｎａｋｅｒ、「Ｆｒｏｍ  Ｇｅｎｅｓ  ｔｏ  Ｃｌｏｎｅｓ」（Ｖｅｒｌａｇｓｇｅｓｅｌｌｓｃｈａｆｔ、Ｗｅｉｎｈｅｉｍ、１９８７）を参照されたい）を指す。したがって、「コンセンサスの免疫グロブリン配列」は、「コンセンサスフレームワーク領域」及び／又は「コンセンサスＣＤＲ」を含みうる。免疫グロブリンのファミリーにおいて、コンセンサス配列内の各位置は、ファミリー内のこの位置において、最も高頻度で発生するアミノ酸により占有されている。２つのアミノ酸が、同等に高頻度で発生する場合、いずれもが、コンセンサス配列内に含まれうる。
【０１７９】
本明細書において使用された「超急性」とは、極度の急性、すなわち頭部への損傷後又は推測される頭部への損傷から約２時間の経過内を指す。超急性とは、早期内であり、例えば、超急性のバイオマーカーとは、損傷又は推測される損傷から約２時間の早期内に、損傷又は推測される損傷について評価するのに使用されうる、ｃＴｎＩのような早期バイオマーカーである。
【０１８０】
本明細書の、２つ以上のポリペプチド配列又はポリヌクレオチド配列の文脈において使用された「同一な」又は「同一性」とは、配列が、指定された領域にわたり同じである、指定された百分率の残基を有することを意味しうる。百分率は、２つの配列を、最適にアライメントし、２つの配列を、指定された領域にわたり比較し、両方の配列内において、同一な残基が生じる位置の数を決定して、マッチした位置の数を求め、マッチした位置の数を、指定された領域内の位置の総数により除し、結果を、１００により乗じて、配列同一性の百分率を求めることにより計算されうる。２つの配列の長さが異なる、又はアライメントが１つ以上の粘着末端をもたらし、指定された比較領域が、単一の配列だけを含む場合、単一の配列の残基は、計算の分母に組み入れられるが、分子に組み入れられない。
【０１８１】
本明細書において互換的に使用された「頭部への損傷」又は「頭部損傷」とは、頭皮、頭蓋骨又は脳への、任意の外傷を指す。このような損傷は、頭蓋骨上の軽症の瘤だけを含みうる、又は重篤な脳損傷でありうる。このような損傷は、脳への一次損傷及び／又は脳への二次損傷を含む。一次脳損傷は、初期傷害時に生じ、脳の物理的構造のずれの結果としてもたらされる。より具体的に、一次脳損傷は、外傷性事象時に生じる、実質（組織、血管）への物理的ダメージであり、周囲の脳組織のせん断及び圧迫を結果としてもたらす。二次脳損傷は、一次損傷に後続して生じ、一連の細胞過程を伴いうる。より具体的に、二次脳損傷は、一次脳損傷の後、ある期間（数時間〜数日間）にわたり発展する変化を指す。二次脳損傷は、脳内の、細胞、化学物質、組織又は血管の変化の全体のカスケードであって、脳組織のさらなる破壊に寄与するカスケードを含む。
【０１８２】
頭部への損傷は、閉鎖性又は開放性（穿通性）でありうる。閉鎖性頭部損傷とは、頭皮、頭蓋骨又は脳への外傷であって、ぶつかる物体による頭蓋骨への貫通が見られない外傷を指す。開放性頭部損傷は、頭皮、頭蓋骨又は脳への外傷であって、ぶつかる物体による頭蓋骨への貫通が見られる外傷を指す。頭部への損傷は、人の物理的振盪、外部の機械による鈍的打撃又は閉鎖性頭部外傷若しくは開放性頭部外傷を結果としてもたらす他の力（例えば、自動車、航空機、列車などによる車両事故のような車両事故；野球のバットによる痛撃又は火器からの痛撃のような頭部への痛撃）、脳血管発作（例えば、脳卒中）、１回以上の転倒（例えば、スポーツ又は他の活動における）、爆発若しくは爆破（まとめて、「爆破損傷」）及び他の種類の鈍的外傷に引き起こされうる。代替的に、頭部への損傷は、化学物質、毒素又は化学物質と毒素との組合せの摂取及び／又はこれらへの曝露により引き起こされうる。このような化学物質及び／又は毒素の例は、火、カビ、アスベスト、害虫駆除剤、殺虫剤、有機溶剤、塗料、糊、ガス（一酸化炭素、硫化水素及びシアン化物など）、有機金属（メチル水銀、テトラエチル鉛及び有機スズなど）及び／又は１つ以上の乱用薬物を含む。代替的に、頭部への損傷は、自己免疫疾患、代謝性障害、脳腫瘍、１つ以上のウイルス、髄膜炎、水頭症、低酸素症又はこれらの組合せを対象が患うことの結果として引き起こされうる。場合によって、任意のこのような事象又は損傷が生じた、又は起こったのかどうかを確認することは不可能である。例えば、患者又は対象において、病歴が見られない場合があり、対象は、発話が不可能な場合があり、対象は、どのような事象に曝露されたのか気づいている場合があるなどである。本明細書においてこのような状況は、対象「は、頭部への損傷を負った可能性がある」と記載される。本明細書の、ある特定の実施形態において、閉鎖性頭部損傷は、脳卒中などの脳血管発作を含まず、明確にこれを除外する。
【０１８３】
本明細書において使用された「単離ポリヌクレオチド」とは、その単離ポリヌクレオチドが、その由来において、「単離ポリヌクレオチド」が天然において共に見出されるポリヌクレオチドの全部若しくは一部に付随していない；それが天然においては連結されてないポリヌクレオチドと作動可能に連結されている；又は天然においてより大きな配列の一部として存在してはいないようなポリヌクレオチド（例えば、ゲノム、ｃＤＮＡ若しくは合成由来又はこれらの一部の組合せによる）を意味しうる。
【０１８４】
本明細書において使用された「標識」及び「検出可能な標識」とは、抗体と解析物との反応を検出可能とするように、抗体又は解析物へと接合された部分を指し、このように標識された抗体又は解析物は、「検出可能に標識された」と称される。標識は、視覚手段又は計測手段により検出可能なシグナルをもたらしうる。多様な標識は、色原体、蛍光化合物、化学発光化合物、放射性化合物などのようなシグナル発生物質を含む。標識の代表例は、光をもたらす部分、例えば、アクリジニウム化合物及び蛍光をもたらす部分、例えば、フルオレセインを含む。他の標識も、本明細書において記載されている。この点で、部分自体は、検出可能でない場合もあるが、さらに別の部分と反応すると、検出可能となりうる。「検出可能に標識された」という用語は、このような標識を包含することが意図される。
【０１８５】
当技術分野において公知である、任意の適切な、検出可能な標識が使用されうる。例えば、検出可能な標識は、放射性標識（３Ｈ、１４Ｃ、３２Ｐ、３３Ｐ、３５Ｓ、９０Ｙ、９９Ｔｃ、１１１Ｉｎ、１２５Ｉ、１３１Ｉ、１７７Ｌｕ、１６６Ｈｏ及び１５３Ｓｍなど）、酵素標識（西洋ワサビペルオキシダーゼ、アルカリペルオキシダーゼ、グルコース６−リン酸デヒドロゲナーゼなど）、化学発光標識（アクリジニウムエステル、チオエステル又はスルホンアミド；ルミノール、イソルミノール、フェナントリジニウムエステルなど）、蛍光標識（フルオレセイン（例えば、５−フルオレセイン、６−カルボキシフルオレセイン、３’６−カルボキシフルオレセイン、５（６）−カルボキシフルオレセイン、６−ヘキサクロロフルオレセイン、６−テトラクロロフルオレセイン、イソチオシアン酸フルオレセインなど）など）、ローダミン、フィコビリタンパク質、Ｒ−フィコエリトリン、量子ドット（例えば、硫化亜鉛によりキャッピングされたセレン化カドミウム）、測熱標識又はイムノポリメラーゼ連鎖反応標識でありうる。標識、標識手順及び標識の検出への導入は、Ｍｏｌｅｃｕｌａｒ  Ｐｒｏｂｅｓ，Ｉｎｃ．、Ｅｕｇｅｎｅ、Ｏｒｅｇｏｎにより公刊された、ハンドブックとカタログとの組合せである、Ｐｏｌａｋ及びＶａｎ  Ｎｏｏｒｄｅｎ、「Ｉｎｔｒｏｄｕｃｔｉｏｎ  ｔｏ  Ｉｍｍｕｎｏｃｙｔｏｃｈｅｍｉｓｔｒｙ」、２版、Ｓｐｒｉｎｇｅｒ  Ｖｅｒｌａｇ、Ｎ．Ｙ．（１９９７）並びにＨａｕｇｌａｎｄ、「Ｈａｎｄｂｏｏｋ  ｏｆ  Ｆｌｕｏｒｅｓｃｅｎｔ  Ｐｒｏｂｅｓ  ａｎｄ  Ｒｅｓｅａｒｃｈ  Ｃｈｅｍｉｃａｌｓ」（１９９６）において見出される。蛍光標識は、ＦＰＩＡ（例えば、参照によりそれらの全体において本明細書に組み込まれた、米国特許第５，５９３，８９６号、同第５，５７３，９０４号、同第５，４９６，９２５号、同第５，３５９，０９３号及び同第５，３５２，８０３号を参照されたい）において使用されうる。アクリジニウム化合物は、同種化学発光アッセイにおける検出可能な標識（例えば、Ａｄａｍｃｚｙｋら、Ｂｉｏｏｒｇ．Ｍｅｄ．Ｃｈｅｍ．Ｌｅｔｔ．、１６：１３２４〜１３２８（２００６）；Ａｄａｍｃｚｙｋら、Ｂｉｏｏｒｇ．Ｍｅｄ．Ｃｈｅｍ．Ｌｅｔｔ．、４：２３１３〜２３１７（２００４）；Ａｄａｍｃｚｙｋら、Ｂｉｏｒｇ．Ｍｅｄ．Ｃｈｅｍ．Ｌｅｔｔ．、１４：３９１７〜３９２１（２００４）及びＡｄａｍｃｚｙｋら、Ｏｒｇ．Ｌｅｔｔ．、５：３７７９〜３７８２（２００３）を参照されたい）として使用されうる。
【０１８６】
一態様において、アクリジニウム化合物は、アクリジニウム−９−カルボキサミドである。アクリジニウム９−カルボキサミドを調製するための方法については、Ｍａｔｔｉｎｇｌｙ、Ｊ．Ｂｉｏｌｕｍｉｎ．Ｃｈｅｍｉｌｕｍｉｎ．、６：１０７〜１１４（１９９１）；Ａｄａｍｃｚｙｋら、Ｊ．Ｏｒｇ．Ｃｈｅｍ．、６３：５６３６〜５６３９（１９９８）；Ａｄａｍｃｚｙｋら、Ｔｅｔｒａｈｅｄｒｏｎ、５５：１０８９９〜１０９１４（１９９９）；Ａｄａｍｃｚｙｋら、Ｏｒｇ．Ｌｅｔｔ．、１：７７９〜７８１（１９９９）；Ａｄａｍｃｚｙｋら、Ｂｉｏｃｏｎｊｕｇａｔｅ  Ｃｈｅｍ．、１１：７１４〜７２４（２０００）；Ｍａｔｔｉｎｇｌｙら、「Ｌｕｍｉｎｅｓｃｅｎｃｅ  Ｂｉｏｔｅｃｈｎｏｌｏｇｙ：Ｉｎｓｔｒｕｍｅｎｔｓ  ａｎｄ  Ａｐｐｌｉｃａｔｉｏｎｓ」、Ｄｙｋｅ，Ｋ．Ｖ．編、ＣＲＣ  Ｐｒｅｓｓ：Ｂｏｃａ  Ｒａｔｏｎ、７７〜１０５（２００２）；Ａｄａｍｃｚｙｋら、Ｏｒｇ．Ｌｅｔｔ．、５：３７７９〜３７８２（２００３）；並びに米国特許第５，４６８，６４６号、同第５，５４３，５２４号及び同第５，７８３，６９９号（それらの各々が、参照によりその全体において、これについてのその教示について、本明細書に組み込まれる）において記載されている。
【０１８７】
アクリジニウム化合物の別の例は、アクリジニウム−９−カルボキシレートアリールエステルである。式ＩＩのアクリジニウム−９−カルボキシレートアリールエステルの例は、１０−メチル−９−（フェノキシカルボニル）アクリジニウムフルオロスルホネート（Ｃａｙｍａｎ  Ｃｈｅｍｉｃａｌ、Ａｎｎ  Ａｒｂｏｒ、ＭＩから市販されている）である。アクリジニウム−９−カルボキシレートアリールエステルを調製するための方法については、ＭｃＣａｐｒａら、Ｐｈｏｔｏｃｈｅｍ．Ｐｈｏｔｏｂｉｏｌ．、４：１１１１〜２１（１９６５）；Ｒａｚａｖｉら、Ｌｕｍｉｎｅｓｃｅｎｃｅ、１５：２４５〜２４９（２０００）；Ｒａｚａｖｉら、Ｌｕｍｉｎｅｓｃｅｎｃｅ、１５：２３９〜２４４（２０００）及び米国特許第５，２４１，０７０号（それらの各々が、参照によりその全体において、これについてのその教示について、本明細書に組み込まれる）において記載されている。このようなアクリジニウム−９−カルボキシレートアリールエステルは、シグナルの強度及び／又はシグナルの迅速性の点において、少なくとも１つのオキシダーゼによる、解析物の酸化において生成された過酸化水素についての、有効な化学発光指示薬である。アクリジニウム−９−カルボキシレートアリールエステルの化学発光過程は、迅速に、すなわち、１秒間未満において完了されるが、アクリジニウム−９−カルボキサミドの化学発光は、２秒間を超えて遷延する。しかし、アクリジニウム−９−カルボキシレートアリールエステルは、タンパク質の存在下において、その化学発光特性を失う。したがって、その使用は、シグナルの発生時及び検出時における、タンパク質の非存在を要求する。試料中のタンパク質を分離又は除去するための方法は、当業者に周知であり、限外濾過、抽出、沈殿、透析、クロマトグラフィー及び／又は消化（例えば、Ｗｅｌｌｓ、「Ｈｉｇｈ  Ｔｈｒｏｕｇｈｐｕｔ  Ｂｉｏａｎａｌｙｔｉｃａｌ  Ｓａｍｐｌｅ  Ｐｒｅｐａｒａｔｉｏｎ．Ｍｅｔｈｏｄｓ  ａｎｄ  Ａｕｔｏｍａｔｉｏｎ  Ｓｔｒａｔｅｇｉｅｓ」、Ｅｌｓｅｖｉｅｒ  （２００３）を参照されたい）を含むがこれらに限定されない。被験試料から除去又は分離されるタンパク質の量は、約４０％、約４５％、約５０％、約５５％、約６０％、約６５％、約７０％、約７５％、約８０％、約８５％、約９０％又は約９５％でありうる。アクリジニウム−９−カルボキシレートアリールエステル及びその使用に関する、さらなる詳細については、２００７年４月９日において出願された、米国特許出願第１１／６９７，８３５号において明示されている。アクリジニウム−９−カルボキシレートアリールエステルは、脱気無水Ｎ，Ｎ−ジメチルホルムアミド（ＤＭＦ）又は含水コール酸ナトリウムのような、任意の適切な溶媒中に溶解されうる。
【０１８８】
「連結配列」又は「連結ペプチド配列」とは、１つ以上の、目的のポリペプチド配列（例えば、全長配列、配列断片など）へと接続された、天然又は人工のポリペプチド配列を指す。「接続された」という用語は、連結配列の、目的のポリペプチド配列への接合を指す。このようなポリペプチド配列は、１つ以上のペプチド結合により接合されることが好ましい。連結配列は、約４〜約５０アミノ酸の長さを有しうる。好ましくは、連結配列の長さは、約６〜約３０アミノ酸である。天然の連結配列は、人工の連結配列を創出するように、アミノ酸の置換、付加又は欠失により修飾されうる。連結配列は、組換えＦａｂ内の使用を含む、多くの目的で使用されうる。例示的な連結配列は、以下を含むがこれらに限定されない：（ｉ）ＨＨＨＨＨＨ（配列番号２）のアミノ酸配列を有する、６×Ｈｉｓタグのようなヒスチジン（Ｈｉｓ）タグは、目的のポリペプチド及び抗体の単離及び精製を容易とする連結配列として有用である；（ｉｉ）Ｈｉｓタグなどのエンテロキナーゼ切断部位は、目的のタンパク質及び抗体の単離及び精製において使用される。エンテロキナーゼ切断部位は、Ｈｉｓタグと併せて、目的のタンパク質及び抗体の単離及び精製において使用されることが多い。当技術分野において、多様なエンテロキナーゼ切断部位が公知である。エンテロキナーゼ切断部位の例は、ＤＤＤＤＫ（配列番号３）のアミノ酸配列及びその誘導体（例えば、ＡＤＤＤＤＫ（配列番号４）など）を含むがこれらに限定されない；（ｉｉｉ）その他の配列も、単鎖可変領域断片の軽鎖可変領域及び／又は重鎖可変領域を連結又は接続するのに使用されうる。他の連結配列の例は、Ｂｉｒｄら、Ｓｃｉｅｎｃｅ、２４２：４２３〜４２６（１９８８）；Ｈｕｓｔｏｎら、ＰＮＡＳ  ＵＳＡ８５：５８７９〜５８８３（１９８８）及びＭｃＣａｆｆｅｒｔｙら、Ｎａｔｕｒｅ、３４８：５５２〜５５４（１９９０）において見出されうる。連結配列はまた、薬物の接合又は固体支持体への接合のような、さらなる機能のためにも修飾されうる。本開示の文脈において、モノクローナル抗体は、例えば、Ｈｉｓタグ、エンテロキナーゼ切断部位又はこれらの両方のような連結配列を含有しうる。
【０１８９】
本明細書において互換的に使用された「磁気共鳴イメージング」又は「ＭＲＩ」とは、健常及び疾患両方の体内における解剖学及び生理学的過程についての描像を形成するように、放射線医学において使用される医学的イメージング法を指す。ＭＲＩは、強力な磁界内に置かれた場合の、体内組織の原子核の、高周波数のラジオ波に対する応答を測定し、内臓についての画像を作成する、医学的イメージングの形態である。核磁気共鳴（ＮＭＲ）学に基づくＭＲＩスキャナーは、強力な磁界、ラジオ波及び磁界勾配を使用して、体内についての画像を作成する。
【０１９０】
本明細書において使用された「モノクローナル抗体」とは、実質的に同種である抗体の集団から得られた抗体を指し、すなわち、集団を構成する個別の抗体は、少量で存在しうる、可能な天然の突然変異を除き、同一である。モノクローナル抗体は、高度に特異的であり、単一の抗原に対して方向付けられている。さらに、異なる決定基（エピトープ）に対して方向付けられた、異なる抗体を含むことが典型的な、ポリクローナル抗体調製物とは対照的に、各モノクローナル抗体は、抗原上の単一の決定基に対して方向付けられている。本明細書におけるモノクローナル抗体は、とりわけ、重鎖及び／又は軽鎖の一部が、特定の種に由来するか、又は特定の抗体クラス若しくは抗体サブクラスに属する抗体内の、対応する配列と同一又は相同である一方、鎖の残りの部分は、別の種に由来するか、又は別の抗体クラス若しくは抗体サブクラスに属する抗体内の、対応する配列と同一又は相同である「キメラ」抗体のほか、それらが、所望の生体を呈する限りにおいて、このような抗体の断片も含む。
【０１９１】
本明細書において、「多価結合性タンパク質」とは、２つ以上の抗原結合性部位（本明細書において、「抗原結合性ドメイン」ともまた称される）を含む結合性タンパク質を指すように使用される。多価結合性タンパク質は、３つ以上の抗原結合性部位を有するように操作されていることが好ましく、一般に、天然の抗体ではない。「多特異性結合性タンパク質」という用語は、２つ以上の、類縁又は非類縁の標的に結合しうる結合性タンパク質であって、同じ標的分子の、２つ以上の異なるエピトープへの結合が可能な結合性タンパク質を含む結合性タンパク質を指す。
【０１９２】
本明細書において互換的に使用された「陰性予測値」又は「ＮＰＶ」とは、対象が、陰性の検査結果を有する場合に、陰性の転帰を有する確率を指す。
【０１９３】
本明細書において使用された「基準レベル」とは、診断的有効性、予後診断的有効性又は治療的有効性を評価するのに使用され、本明細書において、多様な臨床パラメータ（例えば、疾患の存在、疾患の病期、疾患の重症度、疾患の進行、非進行又は改善など）と連関づけられた、又は関連づけられた、アッセイカットオフ値を指す。本明細書において使用された「絶対量」とは、異なる時点において採取又はサンプリングされ、基準レベルと同様に、本明細書において、多様な臨床パラメータ（例えば、疾患の存在、疾患の病期、疾患の重症度、疾患の進行、非進行又は改善など）と連関づけられた、又は関連づけられた、少なくとも２つのアッセイ結果の間の変化又は差違の絶対値を指す。本明細書において使用された「絶対値」とは、その符号に関わらず、すなわち、それが正であるのか、負であるのかに関わらず、実数の大きさ（例えば、２つの比較されたレベル（第１の時点において採取されたレベル及び第２の時点において採取されたレベルなど）の間の差違のような大きさ）を指す。
【０１９４】
本開示は、例示的な基準レベル及び絶対量（例えば、異なる時点における基準レベルを比較することにより計算された）を提示する。しかし、基準レベル及び絶対量は、イムノアッセイの性質（例えば、利用された抗体、反応条件、試料の純度など）に応じて、変動する場合があり、アッセイは、比較及び標準化されうることが周知である。さらに、本明細書における本開示を、他のイムノアッセイに適合させて、本開示により提示された記載に基づき、これらの他のイムノアッセイについて、イムノアッセイ特異的な基準レベル及び絶対量を得ることは、十分に、当業者の技術の範囲内にある。基準レベル及び絶対量の正確な値は、アッセイ間において変動しうるが、本明細書において記載された知見は、一般に、適用可能であり、他のアッセイへの外挿が可能であるものとする。
【０１９５】
「ポイントオブケアデバイス」とは、ポイントオブケア（すなわち、検査室の外部）又はこの近傍の、患者ケアの時間及び場所（病院、診療所、救急ケア施設又は他の医療ケア施設、患者の自宅、介護施設及び／又は長期ケア施設及び／又はホスピス施設など）において、医学的診断検査を提供するのに使用されるデバイスを指す。ポイントオブケアデバイスの例は、Ａｂｂｏｔｔ  Ｌａｂｏｒａｔｏｒｉｅｓ（Ａｂｂｏｔｔ  Ｐａｒｋ、ＩＬ）（例えば、ｉ−ＳＴＡＴ及びｉ−ＳＴＡＴ  Ａｌｉｎｉｔｙ、Ｕｎｉｖｅｒｓａｌ  Ｂｉｏｓｅｎｓｏｒｓ（Ｒｏｗｖｉｌｌｅ、Ａｕｓｔｒａｌｉａ））（ＵＳ２００６／０１３４７１３を参照されたい）、Ａｘｉｓ−Ｓｈｉｅｌｄ  ＰｏＣ  ＡＳ（Ｏｓｌｏ、Ｎｏｒｗａｙ）及びＣｌｉｎｉｃａｌ  Ｌａｂ  Ｐｒｏｄｕｃｔｓ（Ｌｏｓ  Ａｎｇｅｌｅｓ、ＵＳＡ）により作製されたポイントオブケアデバイスを含む。
【０１９６】
本明細書において互換的に使用された「陽性予測値」又は「ＰＰＶ」とは、対象が、陽性の検査結果を有する場合に、陽性の転帰を有する確率を指す。
【０１９７】
本明細書において記載されたイムノアッセイ及びキットの文脈における「品質管理試薬」は、較正物質、対照及び感度パネルを含むがこれらに限定されない。「較正物質」又は「標準物質」（例えば、複数、１つ以上の）は、抗体又は解析物などの、解析物の濃度を内挿するための、較正曲線（検量線）を確立するために使用されることが典型的である。代替的に、基準レベル又は対照レベルの近傍（例えば、「低」レベル、「中」レベル、又は「高」レベル）にある、単一の較正物質も使用されうる。「感度パネル」を含むように、複数の較正物質（すなわち、１つを超える較正物質又は変動量の較正物質）が使用されうる。
【０１９８】
「ＲＯＣ（ｒｅｃｅｉｖｅｒ  ｏｐｅｒａｔｉｎｇ  ｃｈａｒａｃｔｅｒｉｓｔｉｃ）」曲線又は「ＲＯＣ」曲線とは、その識別閾値が変動するのに応じて、二項分類子システムの作動を例示する、グラフによるプロットを指す。例えば、ＲＯＣ曲線は、診断検査の、異なる可能なカットオフ点についての、偽陽性率に対する真陽性率のプロットでありうる。ＲＯＣ曲線は、多様な閾値状況において、陽性中の真陽性の割合（ＴＰＲ＝真陽性率）を、陰性中の偽陽性の割合（ＦＰＲ＝偽陽性率）と対比してプロットすることにより創出される。ＴＰＲはまた、感度としても公知であり、ＦＰＲは、［１−特異度又は真陰性率］である。ＲＯＣ曲線は、感度と特異度とのトレードオフ（任意の感度の上昇は、特異度の低下により伴われる）；曲線が、ＲＯＣ空間の左側境界に近接し、次いで、上側境界に近接するほど、検査は、より正確となること；曲線が、ＲＯＣ空間の４５度の対角線に近接するほど、検査は、より正確でなくなること；カットオフ点における接線の傾きが、検査のこの値についての尤度比（ＬＲ）を与えること及び曲線下面積が、検定の精度の尺度であることを裏付ける。
【０１９９】
「組換え抗体（ｒｅｃｏｍｂｉｎａｎｔ  ａｎｔｉｂｏｄｙ）」及び「組換え抗体（ｒｅｃｏｍｂｉｎａｎｔ  ａｎｔｉｂｏｄｉｅｓ）」とは、組換え法により、１つ以上のモノクローナル抗体の全部又は一部をコードする核酸配列を、適切な発現ベクターへとクローニングし、その後、抗体を、適切な宿主細胞において発現させるステップを含む、１つ以上のステップにより調製された抗体を指す。用語は、組換えにより作製されたモノクローナル抗体、キメラ抗体、ヒト化抗体（完全ヒト化抗体又は部分的ヒト化抗体）、抗体断片から形成された多特異性構造又は多価構造、二官能性抗体、ヘテロコンジュゲートＡｂ、ＤＶＤ−Ｉｇ（登録商標）及び本明細書の（ｉ）において記載された他の抗体（二重可変ドメイン免疫グロブリン及びそれらを作り出すための方法について、Ｗｕ，Ｃ．ら、Ｎａｔｕｒｅ  Ｂｉｏｔｅｃｈｎｏｌｏｇｙ、２５：１２９０〜１２９７（２００７）において記載されている）を含むがこれらに限定されない。本明細書において使用された「二官能性抗体」という用語は、１つの抗原性部位に対する特異性を有する第１のアーム及び異なる抗原性部位に対する特異性を有する第２のアームを含む抗体を指す、すなわち、二官能性抗体は、二重特異性を有する。
【０２００】
本明細書において使用された、対象（例えば、患者）についての「危険性の評価」、「危険性の分類」、「危険性の同定」又は「危険性の層別化」とは、対象に関する処置決定が、より情報を得た状態ベースにおいてなされうるように、疾患の発生又は疾患の進行を含む将来の事象の発生の危険性を予測するためのバイオマーカーを含む因子についての査定を指す。
【０２０１】
本明細書において使用された「試料」、「被験試料」、「検体」、「生物学的試料」及び「患者試料」は、互換的に使用される場合があり、全血、組織、尿、血清、血漿、羊水、脳脊髄液、胎盤細胞又は胎盤組織、内皮細胞、白血球又は単球のような血液試料でありうる。一部の実施形態において、試料は、全血試料である。一部の実施形態において、試料は、血清試料である。さらに他の実施形態において、試料は、血漿試料である。試料は、患者から得られた通りに直接使用されうる、又は濾過、蒸留、抽出、濃縮、遠心分離、干渉成分の不活化、試薬の添加など、本明細書において論じられている形において、又は当技術分野において公知である、別の形において、試料の特徴を変更するように前処置されうる。
【０２０２】
試料を得るのに、様々な細胞型、組織又は体液が用いられうる。このような細胞型、組織及び体液は、生検試料及び剖検試料のような組織切片、組織学的目的のために採取された凍結切片、血液（全血など）、血漿、血清、赤血球、血小板、間質液、脳脊髄液などを含みうる。細胞型及び組織はまた、リンパ液、脳脊髄液、により回収された体液も含みうる。組織又は細胞型は、細胞試料を、ヒト及び非ヒト動物から摘出することにより用意されうるが、また、あらかじめ単離された細胞（例えば、別の者により、別の時間において、かつ／又は別の目的のために単離された）を使用することによっても達せられうる。処置履歴又は転帰履歴を有する組織のようなアーカイブ組織もまた、使用されうる。タンパク質又はヌクレオチドの単離及び／又は精製は、必要でない場合もある。
【０２０３】
本明細書において使用された、アッセイの「感度」とは、その転帰が陽性である対象であって、陽性であると正しく同定された対象の比率（例えば、対象が検査されつつある疾患又は医学的状態を伴う対象を、正しく同定する比率）を指す。例えば、これは、ＴＢＩを有さない対象から区別して、対象を、ＴＢＩを有すると正しく同定すること、軽度ＴＢＩを有する対象から区別して、中等度、重度又は中等度〜重度のＴＢＩを有する対象を正しく同定すること、中等度、重度又は中等度〜重度のＴＢＩを有する対象から区別して、対象を、軽度ＴＢＩを有すると正しく同定すること、ＴＢＩを有さない対象から区別して、対象を、中等度、重度又は中等度〜重度のＴＢＩを有すると正しく同定すること、又はＴＢＩを有さない対象から区別して、対象を、軽度ＴＢＩを有すると正しく同定すること、イメージング又は頭部ＣＴスキャン若しくはＭＲＩから利益を得る可能性が高くない対象から区別して、対象を、イメージング又は頭部ＣＴスキャン若しくはＭＲＩから利益を得る可能性が高いと正しく同定することなどを含みうる。
【０２０４】
本明細書において使用された、アッセイの「特異度」とは、その転帰が陰性である対象であって、陰性であると正しく同定された対象の比率（例えば、対象が検査されつつある疾患又は医学的状態を有さない対象を、正しく同定する比率）を指す。例えば、これは、ＴＢＩを有さない対象から区別して、ＴＢＩを有する対象を正しく同定すること、軽度のＴＢＩを有する対象から区別して、対象を、中等度、重度又は中等度〜重度のＴＢＩを有さない正しく同定すること、中等度、重度又は中等度〜重度のＴＢＩを有する対象から区別して、対象を、軽度のＴＢＩを有さないと正しく同定すること、若しくは対象を、任意のＴＢＩを有さないと正しく同定すること、又はＴＢＩを有さない対象から区別して、対象を、軽度ＴＢＩを有すると、正しく同定することなどを含みうる。
【０２０５】
本明細書において互換的に使用された、「固相」又は「固体支持体」とは、（１）１つ以上の捕捉剤若しくは捕捉のための特異的結合パートナー又は（２）１つ以上の検出剤若しくは検出のための特異的結合パートナーを接合させ、かつ／又は誘引し、固定化させる、任意の材料を指す。固相は、捕捉剤を誘引し、固定化させる、その内因性の能力について選択されうる。代替的に、固相は、（１）捕捉剤若しくは捕捉のための特異的結合パートナー又は（２）検出剤若しくは検出のための特異的結合パートナーを誘引し、固定化させる能力を有する、連結剤を付加されている。例えば、連結剤は、捕捉剤（例えば、捕捉のための特異的結合パートナー）又は検出剤（例えば、検出のための特異的結合パートナー）自体若しくは（１）捕捉剤若しくは捕捉のための特異的結合パートナー又は（２）検出剤若しくは検出のための特異的結合パートナーへとコンジュゲートされた帯電物質に対して、逆向きに帯電した帯電物質を含みうる。一般に、連結剤は、固相上に固定化され（固相へと接合され）、結合反応を介して、（１）捕捉剤若しくは捕捉のための特異的結合パートナー又は（２）検出剤若しくは検出のための特異的結合パートナーを固定化させる能力を有する、任意の結合パートナー（好ましくは特異的結合パートナー）でありうる。連結剤は、アッセイの実施前に、又はアッセイの実施時に、捕捉剤の、固相材料への間接的結合を可能とする。例えば、固相は、例えば、試験管、マイクロ滴定ウェル、シート、ビーズ、微粒子、チップ及び当業者に公知の他の構成を含む、プラスチック、誘導体化プラスチック、磁性金属又は非磁性金属、ガラス又はシリコンでありうる。
【０２０６】
本明細書において使用された「特異的結合」又は「〜に特異的に結合すること」とは、抗体、タンパク質、又はペプチドの、第２の化学的分子種との相互作用を指す場合があり、この場合、相互作用は、化学的分子種上の特定の構造（例えば、抗原性決定基又はエピトープ）の存在に依存する；例えば、抗体は、タンパク質一般ではなく、特異的なタンパク質構造を認識し、これに結合する。抗体が、エピトープ「Ａ」に対して特異的である場合、エピトープＡを含有する分子（又は遊離のＡ、非標識Ａ）の、標識「Ａ」及び抗体を含有する反応物中の存在は、抗体に結合した標識Ａの量を低減する。
【０２０７】
「特異的結合パートナー」とは、特異的結合対のメンバーである。特異的結合対は、化学物質又は物理的手段を介して、互いと特異的に結合する、２つの異なる分子を含む。したがって、一般的なイムノアッセイの、抗原と抗体との特異的結合対に加えて、他の特異的結合対は、ビオチン及びアビジン（又はストレプトアビジン）、炭水化物及びレクチン、相補的なヌクレオチド配列、エフェクター分子及び受容体分子、補因子及び酵素、酵素及び酵素阻害剤などを含みうる。さらに、特異的結合対は、元の特異的結合メンバーの類似体、例えば、解析物類似体であるメンバーを含みうる。免疫反応性の特異的結合メンバーは、抗原、抗原断片並びにモノクローナル抗体及びポリクローナル抗体のほか、単離されたものであれ、組換えにより作製されたものであれ、これらの複合体及び断片を含む抗体を含む。
【０２０８】
本明細書において使用された「統計学的に有意な」とは、２つ以上の変数の間の関係が、ランダムな偶然以外の何かにより引き起こされる可能性を指す。統計学的仮説検定は、データセットの結果が、統計学的に有意であるのかどうかを決定するのに使用される。統計学的仮説検定において、統計学的有意な結果は、検定統計量について観察されたｐ値が、研究について規定された有意性レベル未満である場合なら、いかなる場合にも達せられる。ｐ値とは、少なくとも帰無仮説が真である場合に観察される結果と、少なくとも同程度に極端な結果を得る確率である。統計学的仮説解析の例は、ウィルコクソンの符合順位検定、ｔ検定、カイ二乗検定又はフィッシャーの正確検定を含む。本明細書において使用された「著明な」とは、統計学的に有意であることが決定されていない変化（例えば、統計学的仮説検定にかけられていない可能性がある）を指す。
【０２０９】
本明細書において互換的に使用された、「対象」及び「患者」とは、哺乳動物（例えば、ウシ、ブタ、ラクダ、ラマ、ウマ、ヤギ、ウサギ、ヒツジ、ハムスター、モルモット、ネコ、イヌ、ラット及びマウス、非ヒト霊長動物（例えば、カニクイザル又はアカゲザル、チンパンジーなどのようなサル）及びヒト）を含むがこれらに限定されない、任意の脊椎動物を指す。一部の実施形態において、対象は、ヒト又は非ヒトでありうる。一部の実施形態において、対象は、ヒトである。対象又は患者は、他の形態の処置を受けている最中である場合がある。一部の実施形態において、対象が、ヒトである場合、対象は、脳血管発作（例えば、脳卒中）を患っているヒトを含まない。
【０２１０】
本明細書において、「〜を処置する」、「〜を処置すること」又は「処置」は各々、疾患及び／若しくは損傷又はこのような用語が適用される、このような疾患の、１つ以上の症状を阻止、緩和すること又はこれらの進行を阻害することについて記載するのに、互換的に使用される。対象の状態に依存して、用語はまた、疾患を予防することも指し、疾患の発生を予防すること又は疾患と関連する症状を予防することを含む。処置は、急性的に、又は慢性的に実施されうる。用語はまた、疾患への罹患の前における、疾患又はこのような疾患と関連する症状の重症度を軽減することも指す。罹患の前における、疾患の重症度のこのような予防又は低減は、医薬組成物の、投与時において疾患に罹患していない対象への投与を指す。「〜を予防すること」はまた、疾患又はこのような疾患と関連する、１つ以上の症状の再発を予防することも指す。「処置」及び「治療的に」とは、「〜を処置すること」が、上記において規定された通りである場合の、処置する行為を指す。
【０２１１】
本明細書において互換的に使用された「外傷性脳損傷」又は「ＴＢＩ」とは、広範囲にわたる症状及び身体障害を伴う複合損傷を指す。ＴＢＩは、他の損傷と同様の、急性事象であることが最も多い。ＴＢＩは、「軽度」、「中等度」、又は「重度」と分類されうる。ＴＢＩの原因は、多様であり、人力による物理的振盪、自動車事故、火器による損傷、脳血管発作（例えば、脳卒中）、転倒、爆発又は爆破及び他の種類の鈍的外傷を含む。ＴＢＩの他の原因は、１つ以上の化学物質又は毒素（火、カビ、アスベスト、害虫駆除剤及び殺虫剤、有機溶剤、塗料、糊、ガス（一酸化炭素、硫化水素及びシアン化物など）、有機金属（メチル水銀、テトラエチル鉛及び有機スズなど）、１つ以上の乱用薬物又はこれらの組合せ）の摂取及び／又はこれらへの曝露を含む。代替的に、ＴＢＩは、自己免疫疾患、代謝性障害、脳腫瘍、低酸素症、１つ以上のウイルス、髄膜炎、水頭症又はこれらの組合せを患うヒト対象において生じうる。若年成人及び老齢者は、ＴＢＩの危険性が最も高い年齢群である。本明細書の、ある特定の実施形態において、外傷性脳損傷又はＴＢＩは、脳卒中のような脳血管発作を含まず、明確にこれを除外する。
【０２１２】
本明細書において使用された「軽度ＴＢＩ」とは、意識喪失が短時間であり、通例数秒間若しくは数分間であり、かつ／又は意識混濁及び見当識の喪失が、１時間より短い脳損傷を指す。軽度ＴＢＩはまた、脳振盪、軽症の頭部外傷、軽症のＴＢＩ、軽症の脳損傷及び軽症の頭部損傷とも称される。ＭＲＩ及びＣＴスキャンは、正常であることが多いが、軽度ＴＢＩを伴う個体は、頭痛、思考困難、記憶問題、注意欠陥、気分変動及び欲求不満のような認知問題を有しうる。
【０２１３】
軽度ＴＢＩは、最も高頻度のＴＢＩであり、初期損傷時に、見逃されることが多い。典型的に、対象は、１３〜１５（１３〜１５又は１４〜１５など）の間のＧＣＳ（Ｇｌａｓｇｏｗ  Ｃｏｍａ  Ｓｃａｌｅ）数を有する。軽度ＴＢＩを伴う人々のうち、１５パーセント（１５％）は、３カ月間以上にわたり持続する症状を有する。軽度ＴＢＩは、頭部の強制的な運動又は精神状態の短い変化（意識混濁、見当識の喪失又は記憶喪失）を引き起こす衝撃又は３０分間未満にわたる意識喪失の結果として規定される。軽度ＴＢＩの一般的な症状は、疲労感、頭痛、視覚障害、記憶喪失、注意／集中力の低下、睡眠障害、回転性めまい／平衡感覚の喪失、易刺激性（感情障害）、抑うつ感覚及び発作を含む。軽度ＴＢＩと関連する他の症状は、悪心、嗅覚喪失、光及び音への過敏性、気分の変化、迷子若しくは意識混濁及び／又は思考遅滞を含む。
【０２１４】
本明細書において使用された「中等度ＴＢＩ」とは、意識喪失及び／又は意識混濁並びに見当識の喪失が、１〜２４時間の間であり、対象が、９〜１３（９〜１２又は９〜１３など）の間のＧＣＳ（Ｇｌａｓｇｏｗ  Ｃｏｍａ  Ｓｃａｌｅ）数を有する脳損傷を指す。中等度ＴＢＩを伴う個体は、脳イメージング結果の異常を有する。本明細書において使用された「重度ＴＢＩ」とは、意識喪失が、２４時間を超え、損傷又は穿通性頭蓋骨損傷後の記憶喪失が、２４時間より長く、対象が、３〜８の間のＧＣＳ（Ｇｌａｓｇｏｗ  Ｃｏｍａ  Ｓｃａｌｅ）数を有する脳損傷を指す。欠損は、高レベルの認知機能の機能障害〜昏睡状態の範囲にわたる。生存者は、腕部又は脚部の機能の限定、発話又は言語の異常、思考能力の喪失又は感情問題を有しうる。重度損傷を伴う個体は、長期にわたる不応状態に置かれたままになりうる重度ＴＢＩを伴う多くの人々の場合、機能及び自立を最大化するために、長期にわたるリハビリが必要となることが多い。
【０２１５】
本明細書において使用された、「中等度〜重度」のＴＢＩとは、中等度〜重度を含む、脳損傷のスペクトルを指し、したがって、中等度ＴＢＩ単独、重度ＴＢＩ単独及び組み合わされた中等度〜重度のＴＢＩを包含する。中等度〜重度のＴＢＩを患う対象は、３〜１３の間（３〜１２の間又は３〜１３の間など）のＧＣＳ（Ｇｌａｓｇｏｗ  Ｃｏｍａ  Ｓｃａｌｅ）数を有しうる。例えば、臨床状況によって、対象は、初期に、中等度ＴＢＩを有すると診断されうるが、時間の経過（数分間、数時間又は数日間）を経て、重度ＴＢＩを有する対象へと進行しうる（例えば、脳出血が存在する状況におけるように）。このような対象は、「中等度〜重度」として分類されうる患者の例となる。中等度〜重度のＴＢＩの一般的な症状は、注意に関する困難、集中力、散漫性、記憶、処理速度、混乱、固執、衝動性、言語処理及び／又は「実行機能」、発話された単語の無理解（受容失語症）、発話及び理解されることの困難（表現失語症）、発話の不明瞭、発話が極めて速い又は極めて遅い、読むときの問題、書くときの問題、接触、温度、運動の解釈、下肢の位置及び微細な識別、感覚的印象の、心理学的に有意味なデータへの統合又はパターン化に関する困難、部分的又は全体的な視覚の喪失、眼筋力の低下及び二重視覚（複視）、かすみ目、距離を判断するときの問題、非自発的な眼運動（眼振）、光不耐性（羞明）、聴覚問題、のような、聴力の低下又は喪失、耳が鳴ること（耳鳴り）、音に対する過敏性、嗅覚の喪失又は低下（無嗅覚）、味覚の喪失又は低下、てんかんと関連する痙攣であって、いくつかの種類であることが可能であり、意識、感覚的認知又は運動、腸及び膀胱の制御の破壊を伴いうる痙攣、睡眠障害、気力の喪失、食欲の変化、体内温度の調節、月経困難、依存性行動、感情能力、意欲の欠如、易刺激性、攻撃、抑うつ、脱抑制又は意識の否認／欠如を含む認知欠損を含む。
【０２１６】
本明細書において、「変異体」は、アミノ酸の挿入、欠失又は保存的置換により、アミノ酸配列が異なるが、少なくとも１つの生物学的活性を保持するペプチド又はポリペプチドについて記載するのに使用される。「生物学的活性」の代表例は、特異的抗体による結合を受ける能力又は免疫反応を促進する能力を含む。本明細書において、変異体はまた、少なくとも１つの生物学的活性を保持するアミノ酸配列を伴う基準タンパク質と実質的に同一なアミノ酸配列を伴うタンパク質について記載するのにも使用される。当技術分野において、アミノ酸の保存的置換、すなわち、アミノ酸を、類似の特性（例えば、親水性、帯電の程度及び帯電領域の分布）を有する、異なるアミノ酸により置き換えることは、典型的に、小さな変化を伴うこととして当技術分野において認識されている。当技術分野において理解された通り、これらの小さな変化は、部分的に、アミノ酸の疎水性指数を検討することにより同定されうる（Ｋｙｔｅら、Ｊ．Ｍｏｌ．Ｂｉｏｌ．１５７：１０５〜１３２（１９８２））。アミノ酸の疎水性指数は、その疎水性及び電荷の検討に基づく。当技術分野において、同様の疎水性指数を有するアミノ酸は、置換される場合があるが、なおも、タンパク質の機能を保持することが公知である。一態様において、±２の疎水性指数を有するアミノ酸は、置換される。アミノ酸の親水性もまた、生物学的機能を保持するタンパク質を結果としてもたらす置換を明らかにするのに使用されうる。ペプチドの文脈における、アミノ酸の親水性についての検討は、抗原性及び免疫原性とよく相関することが報告されている、有用な尺度である、このペプチドの局所平均親水性の最大値の計算を可能とする（参照により本明細書に組み込まれる、米国特許第４，５５４，１０１号）。同様の親水性値を有するアミノ酸による置換は、生物学的活性、例えば、当技術分野において理解された免疫原性を保持するペプチドを結果としてもたらしうる。置換は、互いから±２以内の親水性値を有するアミノ酸により実施されうる。アミノ酸の疎水性指数及び親水性値のいずれも、このアミノ酸の特定の側鎖の影響を受ける。生物学的機能と適合性であるアミノ酸置換は、疎水性、親水性、電荷、サイズ及び他の特性により明らかにされる通り、アミノ酸の相対的類似性に依存し、特に、これらのアミノ酸の側鎖に依存すると理解されることは、この観察と符合する。「変異体」はまた、抗原的に反応性の抗ｃＴｎＩ抗体の断片であって、アミノ酸配列内の、対応する抗ｃＴｎＩ抗体の断片と異なるが、なおも抗原的に反応性であり、ｃＴｎＩとの結合について、対応する抗ｃＴｎＩ抗体の断片と競合しうる断片を指すようにも使用されうる。「変異体」はまた、タンパク質分解、リン酸化又は他の翻訳後修飾によるような、異なる形でプロセシングされているが、その抗原反応性を保持する、ポリペプチド又はこの断片について記載するのにも使用されうる。
【０２１７】
本明細書において、「ベクター」とは、連結された別の核酸を運びうる核酸分子について記載するのに使用される。ベクターの１つの種類は、さらなるＤＮＡセグメントがライゲーションされうる、環状二本鎖ＤＮＡループを指す、「プラスミド」である。ベクターの別の種類は、さらなるＤＮＡセグメントが、ウイルスゲノムへとライゲーションされうる、ウイルスベクターである。ある特定のベクターは、これらが導入される宿主細胞内の自己複製が可能である（例えば、細菌の複製起点及び哺乳動物エピソームベクターを有する細菌ベクター）。他のベクター（例えば、哺乳動物の非エピソームベクター）は、宿主細胞へと導入されると、宿主細胞のゲノムへと組み込まれ、これにより、宿主ゲノムと共に複製されうる。さらに、ある特定のベクターは、作動的に連結される遺伝子の発現を方向付けることが可能である。本明細書において、このようなベクターは、「組換え発現ベクター」（又は、単に、「発現ベクター」）と称される。一般に、組換えＤＮＡ法において有用な発現ベクターは、プラスミドの形態にあることが多い。プラスミドは、最も一般に、ベクターの形態で使用されるので、「プラスミド」と「ベクター」とは、互換的に使用されうる。しかし、ウイルスベクター（例えば、複製欠損性のレトロウイルス、アデノウイルス、及びアデノ随伴ウイルス）のような、同等な機能を果たす、発現ベクターの他の形態も使用されうる。この点で、ベクターのＲＮＡ形（ウイルス性ＲＮＡベクターを含む）もまた、本開示の文脈において使用されうる。
【０２１８】
そうでないことが規定されない限りにおいて、本明細書において使用される技術用語及び科学用語は、当業者により一般に理解される意味と同じ意味を有するものとする。例えば、本明細書において記載された、細胞培養法及び組織培養法、分子生物学、免疫学、微生物学、遺伝学並びにタンパク質化学及び核酸化学及びハイブリダイゼーションとの関連において使用された用語法、並びにこれらについての技法は、周知の用語法及び技法であり、当技術分野において一般的に使用されている用語法及び技法である。用語の意味及び範囲は、明確であるものとするが、万一、なんらかの潜在的な曖昧さが生じた場合、本明細書において提示された定義が、任意の辞書又は外部の定義に対して優先される。さらに、文脈により、そうでないことが要求されない限りにおいて、単数形の用語は、複数形を含み、複数形の用語は、単数形を含むものとする。
【０２１９】
２．心臓トロポニンＩ（ｃＴｎＩ）を使用する、ヒト対象が、（実際の頭部への損傷又は推測される）頭部への損傷を負った、又は負った可能性がある（又はこれを有する）のかどうかの診断及び査定の一助となる方法
本開示は、他の方法の中でとりわけ、心臓トロポニンＩ（ｃＴｎＩ）レベル又はｃＴｎＩレベルの変化を使用する、ヒト対象が、（実際の頭部への損傷又は推測される）頭部への損傷を負った、又は負った可能性がある（又はこれを有する）のかどうかの診断及び査定の一助となる方法に関する。具体的に、本明細書において記載された方法は、実際の頭部への損傷又は推測される頭部への損傷を伴うヒト対象における、外傷性脳損傷の程度を決定する、例えば、対象が、軽度外傷性脳損傷又は中等度、重度若しくは中等度〜重度の外傷性脳損傷を有するのかどうかを決定する一助となりうる。本明細書において使用された、「対象が、軽度外傷性脳損傷又は中等度、重度若しくは中等度〜重度の外傷性脳損傷を有するのかどうかを決定すること」とは、対象が、軽度外傷性脳損傷、中等度、重度又は中等度〜重度の外傷性脳損傷を有する、又は外傷性脳損傷を有さない可能性が、そうでない場合より高いことを決定するのに、他の情報（例えば、臨床評価データ）と共に、前述の方法が使用されうるという事実を指す。方法は、実際の頭部への損傷又は推測される頭部への損傷後、約２時間以内のような、約２４時間以内に、ヒト対象から得られた試料に対してアッセイを実施して、心臓トロポニンＩ（ｃＴｎＩ）の試料中レベルを測定又は検出し、対象が、軽度、中等度、重度、中等度〜重度の外傷性脳損傷（ＴＢＩ）を負ったのか、ＴＢＩを被らなかったのかを決定するステップを含みうる。一部の実施形態において、対象は、（１）ｃＴｎＩの試料中レベルが、ｃＴｎＩの基準レベルより高い場合に、中等度、重度又は中等度〜重度のＴＢＩを有すると決定される、又は（２）ｃＴｎＩの試料中レベルが、ｃＴｎＩの基準レベルより低い場合に、軽度ＴＢＩを有すると決定される。試料は、生物学的試料でありうる。一部の態様において、生物学的試料は、全血試料である。他の態様において、生物学的試料は、血清試料である。さらに他の態様において、生物学的試料は、血漿試料である。
【０２２０】
一部の実施形態において、方法は、実際の対象への損傷又は推測される対象への損傷から、約２時間以内のような、約２４時間以内に試料を得、試料を、ｃＴｎＩに対する抗体と接触させて、抗体とｃＴｎＩとの複合体の形成を可能とするステップを含みうる。方法はまた、結果として得られる抗体−ｃＴｎＩ複合体を検出するステップも含む。
【０２２１】
一部の実施形態において、試料は、頭部への損傷が推測される約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。
【０２２２】
一部の実施形態において、試料は、（実際の）頭部への損傷又は推測される頭部への損傷から、約２時間以内に、ヒト対象から採取される。例えば、試料は、頭部への損傷又は推測される頭部への損傷から、約０分間、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間以内に、ヒト対象から採取されうる。一部の実施形態において、ｃＴｎＩの存在の開始は、頭部への損傷の、約０分以内に、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間後に現れる。
【０２２３】
一部の実施形態において、対象は、心臓トロポニンのレベルが、１つ以上の時点において、決定される前に、又は決定された後において、ＧＣＳ（Ｇｌａｓｇｏｗ  Ｃｏｍａ  Ｓｃａｌｅ）スコアを受けている場合がある。ある特定の実施形態において、対象は、ＧＣＳ（Ｇｌａｓｇｏｗ  Ｃｏｍａ  Ｓｃａｌｅ）スコアに基づき、軽度外傷性脳損傷を有することが推測されうる。ある特定の実施形態において、対象は、異常な頭部ＣＴに基づき、軽度外傷性脳損傷を有することが推測されうる。一部の実施形態において、対象は、アッセイが実施される前に、又は実施された後において、ＣＴスキャンを受けている。一部の実施形態において、対象は、正常な頭部ＣＴスキャンを有する。
【０２２４】
一部の実施形態において、ｃＴｎＩの基準レベルは、中等度、重度又は中等度〜重度の外傷性脳損傷を有する対象と相関する。一部の実施形態において、ｃＴｎＩの基準レベルは、３〜１２のＧＣＳ（Ｇｌａｓｇｏｗ  Ｃｏｍａ  Ｓｃａｌｅ）スコア（中等度〜重度のＴＢＩ）と相関する。一部の実施形態において、ｃＴｎＩの基準レベルは、３〜８のＧＣＳ（Ｇｌａｓｇｏｗ  Ｃｏｍａ  Ｓｃａｌｅ）スコア（重度ＴＢＩ）と相関する。一部の実施形態において、ｃＴｎＩの基準レベルは、９〜１３のＧＣＳ（Ｇｌａｓｇｏｗ  Ｃｏｍａ  Ｓｃａｌｅ）スコア（中等度ＴＢＩ）と相関する。一部の実施形態において、対象は、ＧＣＳ（Ｇｌａｓｇｏｗ  Ｃｏｍａ  Ｓｃａｌｅ）スコアに基づき、軽度外傷性脳損傷を有すると推測される。一部の実施形態において、ｃＴｎＩの基準レベルは、軽度外傷性脳損傷を有する対象と相関する。一部の実施形態において、ｃＴｎＩの基準レベルは、１３〜１５のＧＣＳ（Ｇｌａｓｇｏｗ  Ｃｏｍａ  Ｓｃａｌｅ）スコア（軽度ＴＢＩ）と相関する。
【０２２５】
一般に、ｃＴｎＩの基準レベルはまた、被験試料を、ｃＴｎＩについてアッセイしたときに得られた結果を評価するためのベンチマークとしても利用されうる。一般に、このような比較を行う場合に、ｃＴｎＩの基準レベルは、解析物の存在、量又は濃度の、ＴＢＩの特定の病期若しくはエンドポイント又は特定の徴候との連関又は関連を成立させるような、十分な回数及び適切な条件下において、特定のアッセイを行うことにより得られる。典型的に、ｃＴｎＩの基準レベルは、基準対象（又は対象の集団）についてのアッセイにより得られる。測定されるｃＴｎＩは、この断片、この分解産物及び／又は酵素によるこの切断産物を含みうる。
【０２２６】
ある特定の実施形態において、基準レベルは、頭部損傷を負っていない、対照の対象と相関しうる。
【０２２７】
一部の実施形態において、ｃＴｎＩの基準レベルは、少なくとも約６５％〜約１００％の間の感度及び少なくとも約３０％〜約１００％の間の特異度を有するアッセイにより決定される。一部の実施形態において、感度は、少なくとも約６５％〜約１００％の間、少なくとも約６５％〜少なくとも約９９％の間、少なくとも約６５％〜少なくとも約９５％の間、少なくとも約６５％〜少なくとも約９０％の間、少なくとも約６５％〜少なくとも約８５％の間、少なくとも約６５％〜少なくとも約８０％の間、少なくとも約６５％〜少なくとも約７５％の間、少なくとも約６５％〜少なくとも約７０％の間、少なくとも約７５％〜約１００％の間、少なくとも約７５％〜少なくとも約９９％の間、少なくとも約７５％〜少なくとも約９５％の間、少なくとも約７５％〜少なくとも約９０％の間、少なくとも約７５％〜少なくとも約８５％の間、少なくとも約７５％〜少なくとも約８０％の間、少なくとも約８５％〜約１００％の間、少なくとも約８５％〜少なくとも約９９％の間、少なくとも約８５％〜少なくとも約９５％の間、少なくとも約８５％〜少なくとも約９０％の間、少なくとも約９５％〜約１００％の間又は少なくとも約９５％〜少なくとも約９９％の間である。一部の実施形態において、感度は、少なくとも約６５．０％、少なくとも約７０．０％、少なくとも約７５．０％、少なくとも約８０．０％、少なくとも約８５．０％、少なくとも約８７．５％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。
【０２２８】
一部の実施形態において、特異度は、少なくとも約３０％〜約１００％の間、少なくとも約３０％〜約９９％の間、少なくとも約３０％〜約９５％の間、少なくとも約３０％〜約９０％の間、少なくとも約３０％〜約８５％の間、少なくとも約３０％〜約８０％の間、少なくとも約３０％〜約７５％の間、少なくとも約３０％〜約７０％の間、少なくとも約３０％〜約６０％の間、少なくとも約３０％〜約５０％の間、少なくとも約４０％〜約１００％の間、少なくとも約４０％〜約９９％の間、少なくとも約４０％〜約９５％の間、少なくとも約４０％〜約９０％の間、少なくとも約４０％〜約８５％の間、少なくとも約４０％〜約８０％の間、少なくとも約４０％〜約７５％の間、少なくとも約４０％〜約７０％の間、少なくとも約４０％〜約６０％の間、少なくとも約４０％〜約５０％の間、少なくとも約５０％〜約１００％の間、少なくとも約５０％〜約９９％の間、少なくとも約５０％〜約９５％の間、少なくとも約５０％〜約９０％の間、少なくとも約５０％〜約８５％の間、少なくとも約５０％〜約８０％の間、少なくとも約５０％〜約７５％の間、少なくとも約５０％〜約７０％の間、少なくとも約５０％〜約６０％の間、少なくとも約６０％〜約１００％の間、少なくとも約６０％〜約９９％の間、少なくとも約６０％〜約９５％の間、少なくとも約６０％〜約９０％の間、少なくとも約６０％〜約８５％の間、少なくとも約６０％〜約８０％の間、少なくとも約６０％〜約７５％の間、少なくとも約６０％〜約７０％の間、少なくとも約７０％〜約１００％の間、少なくとも約７０％〜約９９％の間、少なくとも約７０％〜約９５％の間、少なくとも約７０％〜約９０％の間、少なくとも約７０％〜約８５％の間、少なくとも約７０％〜約８０％の間、少なくとも約７０％〜約７５％の間、少なくとも約８０％〜約１００％の間、少なくとも約８０％〜約９９％の間、少なくとも約８０％〜約９５％の間、少なくとも約８０％〜約９０％の間、少なくとも約８０％〜約８５％の間、少なくとも約９０％〜約１００％の間、少なくとも約９０％〜約９９％の間、少なくとも約９０％〜約９５％の間、少なくとも約９５％〜約９９％の間又は少なくとも約９５％〜約１００％の間である。一部の実施形態において、特異度は、少なくとも約３０．０％、少なくとも約３１．０％、少なくとも約３２．０％、少なくとも約３３．０％、少なくとも約３４．０％、少なくとも約３５．０％、少なくとも約３６．０％、少なくとも約３７．０％、少なくとも約３８．０％、少なくとも約３９．０％、少なくとも約４０．０％、少なくとも約４５．０％、少なくとも約５０．０％、少なくとも約５５．０％、少なくとも約６０．０％、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約９９％であり、特異度は、少なくとも約７５％である、感度は、少なくとも約９９％であり、特異度は、少なくとも約９９％である、又は感度は、少なくとも約１００％であり、特異度は、少なくとも約１００％である。
【０２２９】
一部の実施形態において、心臓トロポニンＩの、試料中量は、約１ｐｇ／ｍＬ〜約５０ｐｇ／ｍＬ、約１ｐｇ／ｍＬ〜約４５ｐｇ／ｍＬ、約１ｐｇ／ｍＬ〜約４０ｐｇ／ｍＬ、約１ｐｇ／ｍＬ〜約３５ｐｇ／ｍＬ、約１ｐｇ／ｍＬ〜約３０ｐｇ／ｍＬ、約１ｐｇ／ｍＬ〜約２５ｐｇ／ｍＬ、約１ｐｇ／ｍＬ〜約２０ｐｇ／ｍＬ、約１ｐｇ／ｍＬ〜約１５ｐｇ／ｍＬ、約１ｐｇ／ｍＬ〜約１０ｐｇ／ｍＬ、約１ｐｇ／ｍＬ〜約９ｐｇ／ｍＬ、約１ｐｇ／ｍＬ〜約８ｐｇ／ｍＬ、約１ｐｇ／ｍＬ〜約７ｐｇ／ｍＬ、約１ｐｇ／ｍＬ〜約６ｐｇ／ｍＬ、約１ｐｇ／ｍＬ〜約５ｐｇ／ｍＬ、約１ｐｇ／ｍＬ〜約４ｐｇ／ｍＬ、約１ｐｇ／ｍＬ〜約３ｐｇ／ｍＬ、約１ｐｇ／ｍＬ〜約２ｐｇ／ｍＬ、約１ｐｇ／ｍＬ〜約１．５ｐｇ／ｍＬ、約１．５ｐｇ／ｍＬ〜約５０ｐｇ／ｍＬ、約１．５ｐｇ／ｍＬ〜約４５ｐｇ／ｍＬ、約１．５ｐｇ／ｍＬ〜約４０ｐｇ／ｍＬ、約１．５ｐｇ／ｍＬ〜約３５ｐｇ／ｍＬ、約１．５ｐｇ／ｍＬ〜約３０ｐｇ／ｍＬ、約１．５ｐｇ／ｍＬ〜約２５ｐｇ／ｍＬ、約１．５ｐｇ／ｍＬ〜約２０ｐｇ／ｍＬ、約１．５ｐｇ／ｍＬ〜約１５ｐｇ／ｍＬ、約１．５ｐｇ／ｍＬ〜約１０ｐｇ／ｍＬ、約１．５ｐｇ／ｍＬ〜約９ｐｇ／ｍＬ、約１．５ｐｇ／ｍＬ〜約８ｐｇ／ｍＬ、約１．５ｐｇ／ｍＬ〜約７ｐｇ／ｍＬ、約１．５ｐｇ／ｍＬ〜約６ｐｇ／ｍＬ、約１．５ｐｇ／ｍＬ〜約５ｐｇ／ｍＬ、約１．５ｐｇ／ｍＬ〜約４ｐｇ／ｍＬ、約１．５ｐｇ／ｍＬ〜約３ｐｇ／ｍＬ、約１．５ｐｇ／ｍＬ〜約２ｐｇ／ｍＬ、約２ｐｇ／ｍＬ〜約５０ｐｇ／ｍＬ、約２ｐｇ／ｍＬ〜約４５ｐｇ／ｍＬ、約２ｐｇ／ｍＬ〜約４０ｐｇ／ｍＬ、約２ｐｇ／ｍＬ〜約３５ｐｇ／ｍＬ、約２ｐｇ／ｍＬ〜約３０ｐｇ／ｍＬ、約２ｐｇ／ｍＬ〜約２５ｐｇ／ｍＬ、約２ｐｇ／ｍＬ〜約２０ｐｇ／ｍＬ、約２ｐｇ／ｍＬ〜約１５ｐｇ／ｍＬ、約２ｐｇ／ｍＬ〜約１０ｐｇ／ｍＬ、約２ｐｇ／ｍＬ〜約９ｐｇ／ｍＬ、約２ｐｇ／ｍＬ〜約８ｐｇ／ｍＬ、約２ｐｇ／ｍＬ〜約７ｐｇ／ｍＬ、約２ｐｇ／ｍＬ〜約６ｐｇ／ｍＬ、約２ｐｇ／ｍＬ〜約５ｐｇ／ｍＬ、約２ｐｇ／ｍＬ〜約４ｐｇ／ｍＬ、約２ｐｇ／ｍＬ〜約３ｐｇ／ｍＬ、約３ｐｇ／ｍＬ〜約５０ｐｇ／ｍＬ、約３ｐｇ／ｍＬ〜約４５ｐｇ／ｍＬ、約３ｐｇ／ｍＬ〜約４０ｐｇ／ｍＬ、約３ｐｇ／ｍＬ〜約３５ｐｇ／ｍＬ、約３ｐｇ／ｍＬ〜約３０ｐｇ／ｍＬ、約３ｐｇ／ｍＬ〜約２５ｐｇ／ｍＬ、約３ｐｇ／ｍＬ〜約２０ｐｇ／ｍＬ、約３ｐｇ／ｍＬ〜約１５ｐｇ／ｍＬ、約３ｐｇ／ｍＬ〜約１０ｐｇ／ｍＬ、約３ｐｇ／ｍＬ〜約９ｐｇ／ｍＬ、約３ｐｇ／ｍＬ〜約８ｐｇ／ｍＬ、約３ｐｇ／ｍＬ〜約７ｐｇ／ｍＬ、約３ｐｇ／ｍＬ〜約６ｐｇ／ｍＬ、約３ｐｇ／ｍＬ〜約５ｐｇ／ｍＬ、約３ｐｇ／ｍＬ〜約４ｐｇ／ｍＬ、約４ｐｇ／ｍＬ〜約５０ｐｇ／ｍＬ、約４ｐｇ／ｍＬ〜約４５ｐｇ／ｍＬ、約４ｐｇ／ｍＬ〜約４０ｐｇ／ｍＬ、約４ｐｇ／ｍＬ〜約３５ｐｇ／ｍＬ、約４ｐｇ／ｍＬ〜約３０ｐｇ／ｍＬ、約４ｐｇ／ｍＬ〜約２５ｐｇ／ｍＬ、約４ｐｇ／ｍＬ〜約２０ｐｇ／ｍＬ、約４ｐｇ／ｍＬ〜約１５ｐｇ／ｍＬ、約４ｐｇ／ｍＬ〜約１０ｐｇ／ｍＬ、約４ｐｇ／ｍＬ〜約９ｐｇ／ｍＬ、約４ｐｇ／ｍＬ〜約８ｐｇ／ｍＬ、約４ｐｇ／ｍＬ〜約７ｐｇ／ｍＬ、約４ｐｇ／ｍＬ〜約６ｐｇ／ｍＬ、約４ｐｇ／ｍＬ〜約５ｐｇ／ｍＬ、約５ｐｇ／ｍＬ〜約５０ｐｇ／ｍＬ、約５ｐｇ／ｍＬ〜約４５ｐｇ／ｍＬ、約５ｐｇ／ｍＬ〜約４０ｐｇ／ｍＬ、約５ｐｇ／ｍＬ〜約３５ｐｇ／ｍＬ、約５ｐｇ／ｍＬ〜約３０ｐｇ／ｍＬ、約５ｐｇ／ｍＬ〜約２５ｐｇ／ｍＬ、約５ｐｇ／ｍＬ〜約２０ｐｇ／ｍＬ、約５ｐｇ／ｍＬ〜約１５ｐｇ／ｍＬ、約５ｐｇ／ｍＬ〜約１０ｐｇ／ｍＬ、約５ｐｇ／ｍＬ〜約９ｐｇ／ｍＬ、約５ｐｇ／ｍＬ〜約８ｐｇ／ｍＬ、約５ｐｇ／ｍＬ〜約７ｐｇ／ｍＬ、約５ｐｇ／ｍＬ〜約６ｐｇ／ｍＬ、約６ｐｇ／ｍＬ〜約５０ｐｇ／ｍＬ、約６ｐｇ／ｍＬ〜約４５ｐｇ／ｍＬ、約６ｐｇ／ｍＬ〜約４０ｐｇ／ｍＬ、約６ｐｇ／ｍＬ〜約３５ｐｇ／ｍＬ、約６ｐｇ／ｍＬ〜約３０ｐｇ／ｍＬ、約６ｐｇ／ｍＬ〜約２５ｐｇ／ｍＬ、約６ｐｇ／ｍＬ〜約２０ｐｇ／ｍＬ、約６ｐｇ／ｍＬ〜約１５ｐｇ／ｍＬ、約６ｐｇ／ｍＬ〜約１０ｐｇ／ｍＬ、約６ｐｇ／ｍＬ〜約９ｐｇ／ｍＬ、約６ｐｇ／ｍＬ〜約８ｐｇ／ｍＬ、約６ｐｇ／ｍＬ〜約７ｐｇ／ｍＬ、約７ｐｇ／ｍＬ〜約５０ｐｇ／ｍＬ、約７ｐｇ／ｍＬ〜約４５ｐｇ／ｍＬ、約７ｐｇ／ｍＬ〜約４０ｐｇ／ｍＬ、約７ｐｇ／ｍＬ〜約３５ｐｇ／ｍＬ、約７ｐｇ／ｍＬ〜約３０ｐｇ／ｍＬ、約７ｐｇ／ｍＬ〜約２５ｐｇ／ｍＬ、約７ｐｇ／ｍＬ〜約２０ｐｇ／ｍＬ、約７ｐｇ／ｍＬ〜約１５ｐｇ／ｍＬ、約７ｐｇ／ｍＬ〜約１０ｐｇ／ｍＬ、約７ｐｇ／ｍＬ〜約９ｐｇ／ｍＬ、約７ｐｇ／ｍＬ〜約８ｐｇ／ｍＬ、約８ｐｇ／ｍＬ〜約５０ｐｇ／ｍＬ、約８ｐｇ／ｍＬ〜約４５ｐｇ／ｍＬ、約８ｐｇ／ｍＬ〜約４０ｐｇ／ｍＬ、約８ｐｇ／ｍＬ〜約３５ｐｇ／ｍＬ、約８ｐｇ／ｍＬ〜約３０ｐｇ／ｍＬ、約８ｐｇ／ｍＬ〜約２５ｐｇ／ｍＬ、約８ｐｇ／ｍＬ〜約２０ｐｇ／ｍＬ、約８ｐｇ／ｍＬ〜約１５ｐｇ／ｍＬ、約８ｐｇ／ｍＬ〜約１０ｐｇ／ｍＬ、約８ｐｇ／ｍＬ〜約９ｐｇ／ｍＬ、約９ｐｇ／ｍＬ〜約５０ｐｇ／ｍＬ、約９ｐｇ／ｍＬ〜約４５ｐｇ／ｍＬ、約９ｐｇ／ｍＬ〜約４０ｐｇ／ｍＬ、約９ｐｇ／ｍＬ〜約３５ｐｇ／ｍＬ、約９ｐｇ／ｍＬ〜約３０ｐｇ／ｍＬ、約９ｐｇ／ｍＬ〜約２５ｐｇ／ｍＬ、約９ｐｇ／ｍＬ〜約２０ｐｇ／ｍＬ、約９ｐｇ／ｍＬ〜約１５ｐｇ／ｍＬ、約９ｐｇ／ｍＬ〜約１０ｐｇ／ｍＬ、約１０ｐｇ／ｍＬ〜約５０ｐｇ／ｍＬ、約１０ｐｇ／ｍＬ〜約４５ｐｇ／ｍＬ、約１０ｐｇ／ｍＬ〜約４０ｐｇ／ｍＬ、約１０ｐｇ／ｍＬ〜約３５ｐｇ／ｍＬ、約１０ｐｇ／ｍＬ〜約３０ｐｇ／ｍＬ、約１０ｐｇ／ｍＬ〜約２５ｐｇ／ｍＬ、約１０ｐｇ／ｍＬ〜約２０ｐｇ／ｍＬ、約１０ｐｇ／ｍＬ〜約１５ｐｇ／ｍＬ、約２０ｐｇ／ｍＬ〜約５０ｐｇ／ｍＬ、約２０ｐｇ／ｍＬ〜約４５ｐｇ／ｍＬ、約２０ｐｇ／ｍＬ〜約４０ｐｇ／ｍＬ、約２０ｐｇ／ｍＬ〜約３５ｐｇ／ｍＬ、約２０ｐｇ／ｍＬ〜約３０ｐｇ／ｍＬ又は約２０ｐｇ／ｍＬ〜約２５ｐｇ／ｍＬである。一部の実施形態において、ｃＴｎＩの量は、少なくとも約０．５ｐｇ／ｍＬ、少なくとも約１．０ｐｇ／ｍＬ、少なくとも約１．５ｐｇ／ｍＬ、少なくとも約２．０ｐｇ／ｍＬ、少なくとも約２．５ｐｇ／ｍＬ、少なくとも約３．０ｐｇ／ｍＬ、少なくとも約４．０ｐｇ／ｍＬ、少なくとも約５．０ｐｇ／ｍＬ、少なくとも約６．０ｐｇ／ｍＬ、少なくとも約７．０ｐｇ／ｍＬ、少なくとも約８．０ｐｇ／ｍＬ、少なくとも約９．０ｐｇ／ｍＬ、少なくとも約１０ｐｇ／ｍＬ、少なくとも約１５ｐｇ／ｍＬ、少なくとも約２０ｐｇ／ｍＬ、少なくとも約２５ｐｇ／ｍＬ、少なくとも約３０ｐｇ／ｍＬ、少なくとも約３５ｐｇ／ｍＬ、少なくとも約４０ｐｇ／ｍＬ、少なくとも約４５ｐｇ／ｍＬ又は少なくとも約５０ｐｇ／ｍＬでありうる。
【０２３０】
上記において記載された方法を実施することに加えて、当業者（例えば、医師）は、他の併存疾患（例えば、ＴＢＩ以外の、他の疾患、障害又は状態）を検出又は評価するために、どのようにしてさらなる検査を実施するのかについて理解し、承知する。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２３１】
一実施形態において、本明細書において記載された方法における、ｃＴｎＩの量又はレベルの変化が、対象の頭部損傷又は推測される頭部への損傷に帰せられ、急性心臓症候群（心筋梗塞、心不全などのような）の結果に帰せられないことを確認するために、医師又は他の医療ケア従事者は、１つ以上のさらなる検査又は手順を行うか又は実施して、急性心臓症候群の非存在を確認することができる。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２３２】
一部の実施形態において、方法は、下記において記載される通り、中等度、重度又は中等度〜重度の外傷性脳損傷を有すると評価されたヒト対象を、外傷性脳損傷処置により処置するステップをさらに含む。一部の実施形態において、方法は、下記において記載される通り、軽度外傷性脳損傷を有すると評価されたヒト対象をモニタリングするステップをさらに含む。一部の実施形態において、方法は、外傷性脳損傷についての、さらなる臨床情報を得るように、さらなる検査を指図するステップをさらに含む。一部の実施形態において、方法は、下記において記載される通り、軽度、中等度、重度又は中等度〜重度の脳損傷を有すると評価されたヒト対象を、心臓保護処置により処置して、心臓を保護するステップを含む。
【０２３３】
本明細書において記載された方法において利用されたアッセイの性質は、それほど重要ではなく、検査は、例えば、イムノアッセイ、タンパク質免疫沈降、免疫電気泳動、化学解析、ＳＤＳ−ＰＡＧＥ及びウェスタンブロット解析又はタンパク質免疫染色、電気泳動解析、タンパク質アッセイ、競合的結合アッセイ、機能的タンパク質アッセイ、又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。また、アッセイは、当業者に公知の臨床化学フォーマットにおいて利用されうる。このようなアッセイについては、本明細書の第１１〜１３節において、さらに詳細に記載されている。当技術分野において、特異的な試料型を利用するアッセイ（例えば、血清を用いるイムノアッセイ又は全血を利用するポイントオブケアデバイスのような）において使用された値（例えば、基準レベル、カットオフ、閾値、特異度、感度、較正物質及び／又は対照の濃度など）は、アッセイ標準化のような、当技術分野において公知の技法を使用して、他のアッセイフォーマットへと外挿されうることが公知である。例えば、アッセイの標準化が実施されうる、１つの方式は、比較法に見合う傾きを得るように、試料濃度の読取りを高値又は低値とするために、アッセイにおいて利用される較正物質へと、係数を適用することによるものである。１つのアッセイにおいて得られた結果を、別のアッセイへと標準化する、他の方法も周知であり、文献において記載されている（例えば、その内容が、参照により本明細書に組み込まれた、Ｄａｖｉｄ  Ｗｉｌｄ、「Ｉｍｍｕｎｏａｓｓａｙ  Ｈａｎｄｂｏｏｋ」、４版、３．５章、３１５〜３２２頁を参照されたい）。
【０２３４】
３．心臓トロポニンＩ（ｃＴｎＩ）を使用する、（実際の頭部への損傷又は推測される）頭部への損傷を負った、又は負った可能性がある（又はこれを有する）ヒト対象に対して、ＣＴスキャンを実施するのかどうかについての決定の一助となる方法
本開示は、他の方法の中でとりわけ、（実際の頭部への損傷又は推測される）頭部への損傷を負った、又は負った可能性がある（又はこれを有する）ヒト対象に対して、コンピュータ断層撮影（ＣＴ）スキャンを実施するのかどうかを決定する一助となる方法に関する。本明細書において使用された「ヒト対象に対して、ＣＴスキャンを実施するのかどうかについての決定」とは、対象の頭部ＣＴスキャンが陽性となる可能性が、そうでない場合より高いことを決定するのに、他の情報（例えば、臨床評価データ）と共に、前述の方法が使用されうるという事実を指す。具体的に、このような方法は、（ａ）実際の頭部への損傷又は推測される頭部への損傷後約２時間以内などの約２４時間以内に対象から得られた試料に対して、アッセイを実施し、心臓トロポニンＩ（ｃＴｎＩ）Ｉの試料中レベルを測定又は検出するステップ；及び（ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップを含みうる。試料は、生物学的試料でありうる。
【０２３５】
一部の実施形態において、方法は、実際の対象への損傷又は推測される対象への損傷から、約２時間以内のような、約２４時間以内に試料を得、試料を、ｃＴｎＩに対する抗体と接触させて、抗体とｃＴｎＩとの複合体の形成を可能とするステップを含みうる。方法はまた、結果として得られる抗体−ｃＴｎＩ複合体を検出するステップも含む。
【０２３６】
一部の実施形態において、試料は、実際の頭部への損傷又は推測される対象への損傷から、約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。
【０２３７】
一部の実施形態において、試料は、頭部への損傷又は推測される頭部への損傷から、約２時間以内に、ヒト対象から採取される。例えば、試料は、頭部への損傷又は推測される頭部への損傷から、約０分間、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間以内に、ヒト対象から採取されうる。一部の実施形態において、ｃＴｎＩの存在の開始は、頭部への損傷の、約０分以内に、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間後に現れる。
【０２３８】
一部の実施形態において、対象は、アッセイが実施される前に、又は実施された後において、ＣＴスキャンを受けている。一部の実施形態において、対象は、ＣＴスキャンに基づき、外傷性脳損傷を有すると推測される。一部の実施形態において、ｃＴｎＩの基準レベルは、陽性の頭部ＣＴスキャンと相関する。
【０２３９】
一般に、ｃＴｎＩの基準レベルはまた、被験試料を、ｃＴｎＩについてアッセイしたときに得られた結果を評価するためのベンチマークとしても利用されうる。一般に、このような比較を行う場合に、ｃＴｎＩの基準レベルは、解析物の存在、量又は濃度の、ＴＢＩの特定の病期若しくはエンドポイント又は特定の徴候との連関又は関連を成立させうるような、十分な回数及び適切な条件下において、特定のアッセイを行うことにより得られる。典型的に、ｃＴｎＩの基準レベルは、基準対象（又は対象の集団）についてのアッセイにより得られる。測定されるｃＴｎＩは、この断片、この分解産物及び／又は酵素によるこの切断産物を含みうる。
【０２４０】
一部の実施形態において、ＴｎＩの基準レベルは、少なくとも約６５％〜約１００％の間の感度及び少なくとも約３０％〜約１００％の間の特異度を有するアッセイにより決定される。一部の実施形態において、感度は、少なくとも約６５％〜約１００％の間、少なくとも約６５％〜少なくとも約９９％の間、少なくとも約６５％〜少なくとも約９５％の間、少なくとも約６５％〜少なくとも約９０％の間、少なくとも約６５％〜少なくとも約８５％の間、少なくとも約６５％〜少なくとも約８０％の間、少なくとも約６５％〜少なくとも約７５％の間、少なくとも約６５％〜少なくとも約７０％の間、少なくとも約７５％〜約１００％の間、少なくとも約７５％〜少なくとも約９９％の間、少なくとも約７５％〜少なくとも約９５％の間、少なくとも約７５％〜少なくとも約９０％の間、少なくとも約７５％〜少なくとも約８５％の間、少なくとも約７５％〜少なくとも約８０％の間、少なくとも約８５％〜約１００％の間、少なくとも約８５％〜少なくとも約９９％の間、少なくとも約８５％〜少なくとも約９５％の間、少なくとも約８５％〜少なくとも約９０％の間、少なくとも約９５％〜約１００％の間又は少なくとも約９５％〜少なくとも約９９％の間である。一部の実施形態において、感度は、少なくとも約６５．０％、少なくとも約７０．０％、少なくとも約７５．０％、少なくとも約８０．０％、少なくとも約８５．０％、少なくとも約８７．５％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。
【０２４１】
一部の実施形態において、特異度は、少なくとも約３０％〜約１００％の間、少なくとも約３０％〜約９９％の間、少なくとも約３０％〜約９５％の間、少なくとも約３０％〜約９０％の間、少なくとも約３０％〜約８５％の間、少なくとも約３０％〜約８０％の間、少なくとも約３０％〜約７５％の間、少なくとも約３０％〜約７０％の間、少なくとも約３０％〜約６０％の間、少なくとも約３０％〜約５０％の間、少なくとも約４０％〜約１００％の間、少なくとも約４０％〜約９９％の間、少なくとも約４０％〜約９５％の間、少なくとも約４０％〜約９０％の間、少なくとも約４０％〜約８５％の間、少なくとも約４０％〜約８０％の間、少なくとも約４０％〜約７５％の間、少なくとも約４０％〜約７０％の間、少なくとも約４０％〜約６０％の間、少なくとも約４０％〜約５０％の間、少なくとも約５０％〜約１００％の間、少なくとも約５０％〜約９９％の間、少なくとも約５０％〜約９５％の間、少なくとも約５０％〜約９０％の間、少なくとも約５０％〜約８５％の間、少なくとも約５０％〜約８０％の間、少なくとも約５０％〜約７５％の間、少なくとも約５０％〜約７０％の間、少なくとも約５０％〜約６０％の間、少なくとも約６０％〜約１００％の間、少なくとも約６０％〜約９９％の間、少なくとも約６０％〜約９５％の間、少なくとも約６０％〜約９０％の間、少なくとも約６０％〜約８５％の間、少なくとも約６０％〜約８０％の間、少なくとも約６０％〜約７５％の間、少なくとも約６０％〜約７０％の間、少なくとも約７０％〜約１００％の間、少なくとも約７０％〜約９９％の間、少なくとも約７０％〜約９５％の間、少なくとも約７０％〜約９０％の間、少なくとも約７０％〜約８５％の間、少なくとも約７０％〜約８０％の間、少なくとも約７０％〜約７５％の間、少なくとも約８０％〜約１００％の間、少なくとも約８０％〜約９９％の間、少なくとも約８０％〜約９５％の間、少なくとも約８０％〜約９０％の間、少なくとも約８０％〜約８５％の間、少なくとも約９０％〜約１００％の間、少なくとも約９０％〜約９９％の間、少なくとも約９０％〜約９５％の間、少なくとも約９５％〜約９９％の間又は少なくとも約９５％〜約１００％の間である。一部の実施形態において、特異度は、少なくとも約３０．０％、少なくとも約３１．０％、少なくとも約３２．０％、少なくとも約３３．０％、少なくとも約３４．０％、少なくとも約３５．０％、少なくとも約３６．０％、少なくとも約３７．０％、少なくとも約３８．０％、少なくとも約３９．０％、少なくとも約４０．０％、少なくとも約４５．０％、少なくとも約５０．０％、少なくとも約５５．０％、少なくとも約６０．０％、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約９９％であり、特異度は、少なくとも約７５％である、感度は、少なくとも約９９％であり、特異度は、少なくとも約９９％である、又は感度は、少なくとも約１００％であり、特異度は、少なくとも約１００％である。
【０２４２】
一部の実施形態において、心臓トロポニンＩの、試料中量は、約１ｐｇ／ｍＬ〜約５０ｐｇ／ｍＬ、約１ｐｇ／ｍＬ〜約４５ｐｇ／ｍＬ、約１ｐｇ／ｍＬ〜約４０ｐｇ／ｍＬ、約１ｐｇ／ｍＬ〜約３５ｐｇ／ｍＬ、約１ｐｇ／ｍＬ〜約３０ｐｇ／ｍＬ、約１ｐｇ／ｍＬ〜約２５ｐｇ／ｍＬ、約１ｐｇ／ｍＬ〜約２０ｐｇ／ｍＬ、約１ｐｇ／ｍＬ〜約１５ｐｇ／ｍＬ、約１ｐｇ／ｍＬ〜約１０ｐｇ／ｍＬ、約１ｐｇ／ｍＬ〜約９ｐｇ／ｍＬ、約１ｐｇ／ｍＬ〜約８ｐｇ／ｍＬ、約１ｐｇ／ｍＬ〜約７ｐｇ／ｍＬ、約１ｐｇ／ｍＬ〜約６ｐｇ／ｍＬ、約１ｐｇ／ｍＬ〜約５ｐｇ／ｍＬ、約１ｐｇ／ｍＬ〜約４ｐｇ／ｍＬ、約１ｐｇ／ｍＬ〜約３ｐｇ／ｍＬ、約１ｐｇ／ｍＬ〜約２ｐｇ／ｍＬ、約１ｐｇ／ｍＬ〜約１．５ｐｇ／ｍＬ、約１．５ｐｇ／ｍＬ〜約５０ｐｇ／ｍＬ、約１．５ｐｇ／ｍＬ〜約４５ｐｇ／ｍＬ、約１．５ｐｇ／ｍＬ〜約４０ｐｇ／ｍＬ、約１．５ｐｇ／ｍＬ〜約３５ｐｇ／ｍＬ、約１．５ｐｇ／ｍＬ〜約３０ｐｇ／ｍＬ、約１．５ｐｇ／ｍＬ〜約２５ｐｇ／ｍＬ、約１．５ｐｇ／ｍＬ〜約２０ｐｇ／ｍＬ、約１．５ｐｇ／ｍＬ〜約１５ｐｇ／ｍＬ、約１．５ｐｇ／ｍＬ〜約１０ｐｇ／ｍＬ、約１．５ｐｇ／ｍＬ〜約９ｐｇ／ｍＬ、約１．５ｐｇ／ｍＬ〜約８ｐｇ／ｍＬ、約１．５ｐｇ／ｍＬ〜約７ｐｇ／ｍＬ、約１．５ｐｇ／ｍＬ〜約６ｐｇ／ｍＬ、約１．５ｐｇ／ｍＬ〜約５ｐｇ／ｍＬ、約１．５ｐｇ／ｍＬ〜約４ｐｇ／ｍＬ、約１．５ｐｇ／ｍＬ〜約３ｐｇ／ｍＬ、約１．５ｐｇ／ｍＬ〜約２ｐｇ／ｍＬ、約２ｐｇ／ｍＬ〜約５０ｐｇ／ｍＬ、約２ｐｇ／ｍＬ〜約４５ｐｇ／ｍＬ、約２ｐｇ／ｍＬ〜約４０ｐｇ／ｍＬ、約２ｐｇ／ｍＬ〜約３５ｐｇ／ｍＬ、約２ｐｇ／ｍＬ〜約３０ｐｇ／ｍＬ、約２ｐｇ／ｍＬ〜約２５ｐｇ／ｍＬ、約２ｐｇ／ｍＬ〜約２０ｐｇ／ｍＬ、約２ｐｇ／ｍＬ〜約１５ｐｇ／ｍＬ、約２ｐｇ／ｍＬ〜約１０ｐｇ／ｍＬ、約２ｐｇ／ｍＬ〜約９ｐｇ／ｍＬ、約２ｐｇ／ｍＬ〜約８ｐｇ／ｍＬ、約２ｐｇ／ｍＬ〜約７ｐｇ／ｍＬ、約２ｐｇ／ｍＬ〜約６ｐｇ／ｍＬ、約２ｐｇ／ｍＬ〜約５ｐｇ／ｍＬ、約２ｐｇ／ｍＬ〜約４ｐｇ／ｍＬ、約２ｐｇ／ｍＬ〜約３ｐｇ／ｍＬ、約３ｐｇ／ｍＬ〜約５０ｐｇ／ｍＬ、約３ｐｇ／ｍＬ〜約４５ｐｇ／ｍＬ、約３ｐｇ／ｍＬ〜約４０ｐｇ／ｍＬ、約３ｐｇ／ｍＬ〜約３５ｐｇ／ｍＬ、約３ｐｇ／ｍＬ〜約３０ｐｇ／ｍＬ、約３ｐｇ／ｍＬ〜約２５ｐｇ／ｍＬ、約３ｐｇ／ｍＬ〜約２０ｐｇ／ｍＬ、約３ｐｇ／ｍＬ〜約１５ｐｇ／ｍＬ、約３ｐｇ／ｍＬ〜約１０ｐｇ／ｍＬ、約３ｐｇ／ｍＬ〜約９ｐｇ／ｍＬ、約３ｐｇ／ｍＬ〜約８ｐｇ／ｍＬ、約３ｐｇ／ｍＬ〜約７ｐｇ／ｍＬ、約３ｐｇ／ｍＬ〜約６ｐｇ／ｍＬ、約３ｐｇ／ｍＬ〜約５ｐｇ／ｍＬ、約３ｐｇ／ｍＬ〜約４ｐｇ／ｍＬ、約４ｐｇ／ｍＬ〜約５０ｐｇ／ｍＬ、約４ｐｇ／ｍＬ〜約４５ｐｇ／ｍＬ、約４ｐｇ／ｍＬ〜約４０ｐｇ／ｍＬ、約４ｐｇ／ｍＬ〜約３５ｐｇ／ｍＬ、約４ｐｇ／ｍＬ〜約３０ｐｇ／ｍＬ、約４ｐｇ／ｍＬ〜約２５ｐｇ／ｍＬ、約４ｐｇ／ｍＬ〜約２０ｐｇ／ｍＬ、約４ｐｇ／ｍＬ〜約１５ｐｇ／ｍＬ、約４ｐｇ／ｍＬ〜約１０ｐｇ／ｍＬ、約４ｐｇ／ｍＬ〜約９ｐｇ／ｍＬ、約４ｐｇ／ｍＬ〜約８ｐｇ／ｍＬ、約４ｐｇ／ｍＬ〜約７ｐｇ／ｍＬ、約４ｐｇ／ｍＬ〜約６ｐｇ／ｍＬ、約４ｐｇ／ｍＬ〜約５ｐｇ／ｍＬ、約５ｐｇ／ｍＬ〜約５０ｐｇ／ｍＬ、約５ｐｇ／ｍＬ〜約４５ｐｇ／ｍＬ、約５ｐｇ／ｍＬ〜約４０ｐｇ／ｍＬ、約５ｐｇ／ｍＬ〜約３５ｐｇ／ｍＬ、約５ｐｇ／ｍＬ〜約３０ｐｇ／ｍＬ、約５ｐｇ／ｍＬ〜約２５ｐｇ／ｍＬ、約５ｐｇ／ｍＬ〜約２０ｐｇ／ｍＬ、約５ｐｇ／ｍＬ〜約１５ｐｇ／ｍＬ、約５ｐｇ／ｍＬ〜約１０ｐｇ／ｍＬ、約５ｐｇ／ｍＬ〜約９ｐｇ／ｍＬ、約５ｐｇ／ｍＬ〜約８ｐｇ／ｍＬ、約５ｐｇ／ｍＬ〜約７ｐｇ／ｍＬ、約５ｐｇ／ｍＬ〜約６ｐｇ／ｍＬ、約６ｐｇ／ｍＬ〜約５０ｐｇ／ｍＬ、約６ｐｇ／ｍＬ〜約４５ｐｇ／ｍＬ、約６ｐｇ／ｍＬ〜約４０ｐｇ／ｍＬ、約６ｐｇ／ｍＬ〜約３５ｐｇ／ｍＬ、約６ｐｇ／ｍＬ〜約３０ｐｇ／ｍＬ、約６ｐｇ／ｍＬ〜約２５ｐｇ／ｍＬ、約６ｐｇ／ｍＬ〜約２０ｐｇ／ｍＬ、約６ｐｇ／ｍＬ〜約１５ｐｇ／ｍＬ、約６ｐｇ／ｍＬ〜約１０ｐｇ／ｍＬ、約６ｐｇ／ｍＬ〜約９ｐｇ／ｍＬ、約６ｐｇ／ｍＬ〜約８ｐｇ／ｍＬ、約６ｐｇ／ｍＬ〜約７ｐｇ／ｍＬ、約７ｐｇ／ｍＬ〜約５０ｐｇ／ｍＬ、約７ｐｇ／ｍＬ〜約４５ｐｇ／ｍＬ、約７ｐｇ／ｍＬ〜約４０ｐｇ／ｍＬ、約７ｐｇ／ｍＬ〜約３５ｐｇ／ｍＬ、約７ｐｇ／ｍＬ〜約３０ｐｇ／ｍＬ、約７ｐｇ／ｍＬ〜約２５ｐｇ／ｍＬ、約７ｐｇ／ｍＬ〜約２０ｐｇ／ｍＬ、約７ｐｇ／ｍＬ〜約１５ｐｇ／ｍＬ、約７ｐｇ／ｍＬ〜約１０ｐｇ／ｍＬ、約７ｐｇ／ｍＬ〜約９ｐｇ／ｍＬ、約７ｐｇ／ｍＬ〜約８ｐｇ／ｍＬ、約８ｐｇ／ｍＬ〜約５０ｐｇ／ｍＬ、約８ｐｇ／ｍＬ〜約４５ｐｇ／ｍＬ、約８ｐｇ／ｍＬ〜約４０ｐｇ／ｍＬ、約８ｐｇ／ｍＬ〜約３５ｐｇ／ｍＬ、約８ｐｇ／ｍＬ〜約３０ｐｇ／ｍＬ、約８ｐｇ／ｍＬ〜約２５ｐｇ／ｍＬ、約８ｐｇ／ｍＬ〜約２０ｐｇ／ｍＬ、約８ｐｇ／ｍＬ〜約１５ｐｇ／ｍＬ、約８ｐｇ／ｍＬ〜約１０ｐｇ／ｍＬ、約８ｐｇ／ｍＬ〜約９ｐｇ／ｍＬ、約９ｐｇ／ｍＬ〜約５０ｐｇ／ｍＬ、約９ｐｇ／ｍＬ〜約４５ｐｇ／ｍＬ、約９ｐｇ／ｍＬ〜約４０ｐｇ／ｍＬ、約９ｐｇ／ｍＬ〜約３５ｐｇ／ｍＬ、約９ｐｇ／ｍＬ〜約３０ｐｇ／ｍＬ、約９ｐｇ／ｍＬ〜約２５ｐｇ／ｍＬ、約９ｐｇ／ｍＬ〜約２０ｐｇ／ｍＬ、約９ｐｇ／ｍＬ〜約１５ｐｇ／ｍＬ、約９ｐｇ／ｍＬ〜約１０ｐｇ／ｍＬ、約１０ｐｇ／ｍＬ〜約５０ｐｇ／ｍＬ、約１０ｐｇ／ｍＬ〜約４５ｐｇ／ｍＬ、約１０ｐｇ／ｍＬ〜約４０ｐｇ／ｍＬ、約１０ｐｇ／ｍＬ〜約３５ｐｇ／ｍＬ、約１０ｐｇ／ｍＬ〜約３０ｐｇ／ｍＬ、約１０ｐｇ／ｍＬ〜約２５ｐｇ／ｍＬ、約１０ｐｇ／ｍＬ〜約２０ｐｇ／ｍＬ、約１０ｐｇ／ｍＬ〜約１５ｐｇ／ｍＬ、約２０ｐｇ／ｍＬ〜約５０ｐｇ／ｍＬ、約２０ｐｇ／ｍＬ〜約４５ｐｇ／ｍＬ、約２０ｐｇ／ｍＬ〜約４０ｐｇ／ｍＬ、約２０ｐｇ／ｍＬ〜約３５ｐｇ／ｍＬ、約２０ｐｇ／ｍＬ〜約３０ｐｇ／ｍＬ又は約２０ｐｇ／ｍＬ〜約２５ｐｇ／ｍＬである。一部の実施形態において、ｃＴｎＩの量は、少なくとも約０．５ｐｇ／ｍＬ、少なくとも約１．０ｐｇ／ｍＬ、少なくとも約１．５ｐｇ／ｍＬ、少なくとも約２．０ｐｇ／ｍＬ、少なくとも約２．５ｐｇ／ｍＬ、少なくとも約３．０ｐｇ／ｍＬ、少なくとも約４．０ｐｇ／ｍＬ、少なくとも約５．０ｐｇ／ｍＬ、少なくとも約６．０ｐｇ／ｍＬ、少なくとも約７．０ｐｇ／ｍＬ、少なくとも約８．０ｐｇ／ｍＬ、少なくとも約９．０ｐｇ／ｍＬ、少なくとも約１０ｐｇ／ｍＬ、少なくとも約１５ｐｇ／ｍＬ、少なくとも約２０ｐｇ／ｍＬ、少なくとも約２５ｐｇ／ｍＬ、少なくとも約３０ｐｇ／ｍＬ、少なくとも約３５ｐｇ／ｍＬ、少なくとも約４０ｐｇ／ｍＬ、少なくとも約４５ｐｇ／ｍＬ又は少なくとも約５０ｐｇ／ｍＬでありうる。
【０２４３】
上記において記載された方法を実施することに加えて、当業者（例えば、医師）は、他の併存疾患（例えば、ＴＢＩ以外の、他の疾患、障害又は状態）を検出又は評価するために、どのようにしてさらなる検査を実施するのかについて理解し、承知する。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２４４】
一実施形態において、本明細書において記載された方法における、ｃＴｎＩの量又はレベルの変化が、対象の頭部損傷又は推測される頭部への損傷に帰せられ、急性心臓症候群（心筋梗塞、心不全など）の結果に帰せられないことを確認するために、医師又は他の医療ケア従事者は、１つ以上のさらなる検査又は手順を行う、又は実施して、急性心臓症候群の非存在を確認することができる。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２４５】
一部の実施形態において、方法は、下記において記載される通り、外傷性脳損傷を伴うヒト対象を、外傷性脳損傷処置により処置するステップ及び／又はモニタリングするステップをさらに含む。一部の実施形態において、方法は、外傷性脳損傷についての、さらなる臨床情報を得るように、さらなる検査を指図するステップをさらに含む。一部の実施形態において、方法は、下記において記載される通り、軽度、中等度、重度又は中等度〜重度の脳損傷を有すると評価されたヒト対象を、心臓保護処置により処置して、心臓を保護するステップを含む。
【０２４６】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。また、臨床化学フォーマット、例えば当業者に公知の臨床化学フォーマットのアッセイも利用されうる。このようなアッセイについては、本明細書の第１１〜１３節において、さらに詳細に記載されている。
【０２４７】
４．心臓トロポニンＩ（ｃＴｎＩ）レベルの変化に基づく、ヒト対象が、（実際の頭部への損傷又は推測される）頭部への損傷を負った、又は負った可能性がある（又はこれを有する）のかどうかの診断及び査定の一助となる方法
本開示は、他の方法の中でとりわけ、ヒト対象が、（実際の頭部への損傷又は推測される）頭部への損傷を負った、又は負った可能性がある（又はこれを有する）のかどうかの診断及び査定の一助となる方法に関する。方法は、実際の頭部への損傷又は推測される頭部への損傷を伴うヒト対象における、外傷性脳損傷の程度を決定する、例えば、対象が、軽度外傷性脳損傷又は中等度、重度若しくは中等度〜重度の外傷性脳損傷を有するのかどうかを決定する一助となりうる。本明細書において使用された、「対象が、軽度外傷性脳損傷又は中等度、重度若しくは中等度〜重度の外傷性脳損傷を有するのかどうかを決定すること」とは、対象が、軽度外傷性脳損傷又は中等度、重度若しくは中等度〜重度の外傷性脳損傷を有する可能性が、そうでない場合より高いことを決定するのに、他の情報（例えば、臨床評価データ）と共に、前述の方法が使用されうるという事実を指す。方法は、頭部への損傷又は推測される頭部への損傷後、約２時間以内のような、約２４時間以内に対象から採取された第１の試料及び第１の試料が採取された約３〜約６時間後に対象から採取された第２の試料である、対象から得られた、少なくとも２つの試料に対してアッセイを実施するステップ；少なくとも２つの試料中に、心臓トロポニンＩ（ｃＴｎＩ）を検出するステップ；及び対象が、軽度又は中等度、重度若しくは中等度〜重度の外傷性脳損傷（ＴＢＩ）を負ったのかどうかを決定するステップを含みうる。（１）ｃＴｎＩのレベルが、第１の試料から第２の試料へと、少なくともある絶対量だけ低下又は上昇する場合に、対象は、中等度、重度又は中等度〜重度の外傷性脳損傷を有すると決定される、又は（２）ｃＴｎＩのレベルの、第１の試料から第２の試料への、少なくともある絶対量だけの低下又は上昇が見られない場合に、対象は、軽度外傷性脳損傷を有すると決定される。試料は、生物学的試料でありうる。
【０２４８】
代替法において、方法は、頭部への損傷又は推測される頭部への損傷後、約２時間以内のような、約２４時間以内に対象から採取された第１の試料及び第１の試料が採取された約３〜約６時間後に対象から採取された第２の試料である、対象から得られた、少なくとも２つの試料に対してアッセイを実施するステップ；少なくとも２つの試料中に、ｃＴｎＩを検出するステップ；及び対象が、軽度又は中等度、重度若しくは中等度〜重度の外傷性脳損傷（ＴＢＩ）を負っているのかどうかを決定するステップであって、（１）ｃＴｎＩのレベルが、第１の試料から第２の試料へと、少なくとも第１の絶対量だけ低下又は上昇する場合に、対象は、中等度、重度又は中等度〜重度の外傷性脳損傷を有すると決定される、又は（２）ｃＴｎＩのレベルの、第１の試料から第２の試料への、少なくとも第２の絶対量だけの低下又は上昇が見られない場合に、対象は、軽度外傷性脳損傷を有すると決定されるステップを含みうる。試料は、生物学的試料でありうる。
【０２４９】
一部の実施形態において、方法は、試料を、ｃＴｎＩに対する抗体と接触させて、抗体とｃＴｎＩとの複合体の形成を可能とするステップを含みうる。方法はまた、結果として得られる抗体−ｃＴｎＩ複合体を検出して、第１の試料及び第２の試料の各々について、ｃＴｎＩのレベルを決定するステップも含む。ｃＴｎＩの存在の開始は、推測される損傷の開始後、約０〜約２時間以内に現れる。一部の実施形態において、ｃＴｎＩの存在の開始は、頭部への損傷の、約０分以内に、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間後に現れる。
【０２５０】
一部の実施形態において、第１の試料は、推測される損傷から約２４時間以内である、第１の時点において得られ、第２の試料は、第１の時点の後である第２の時点、又は任意選択的に、第３の時点若しくは第４の時点において得られる。一部の実施形態において、第１の試料は、推測される損傷後、約２４時間以内に採取され、第２の試料は、第１の試料後約３時間〜約６時間以内に採取される。一部の実施形態において、第１の試料は、頭部への損傷又は推測される頭部への損傷から、約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。
【０２５１】
一部の実施形態において、第１の試料は、推測される損傷から約２時間以内である、第１の時点において得られ、第２の試料は、第１の時点の後である第２の時点、又は任意選択的に、第３の時点若しくは第４の時点において得られる。一部の実施形態において、第１の試料は、推測される損傷後、約２時間以内に採取され、第２の試料は、第１の試料後約３時間〜約６時間以内に採取される。一部の実施形態において、第１の試料は、頭部への損傷又は推測される頭部への損傷の約０〜約２時間後に採取される。例えば、第１の試料は、推測される損傷後、約０〜約２時間、約０時間〜約９０分間、約０時間〜約６０分間、約０時間〜約４５分間、約０時間〜約３０分間、約０時間〜約２０分間、約０時間〜約１５分間、約０時間〜約１０分間、約０時間〜約５分間、約５分間〜約９０分間、約５分間〜約６０分間、約５分間〜約４５分間、約５分間〜約３０分間、約５分間〜約２０分間、約５分間〜約１５分間、約５分間〜約１０分間、約１０分間〜約９０分間、約１０分間〜約６０分間、約１０分間〜約４５分間、約１０分間〜約３０分間、約１０分間〜約２０分間、約１０分間〜約１５分間、約１５分間〜約９０分間、約１５分間〜約６０分間、約１５分間〜約４５分間、約１５分間〜約３０分間、約１５分間〜約２０分間、約２０分間〜約９０分間、約２０分間〜約６０分間、約２０分間〜約４５分間又は約２０分間〜約３０分間の間に採取されうる。例えば、第１の試料は、頭部への損傷又は推測される頭部への損傷から、約０分間、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間以内に、ヒト対象から採取されうる。
【０２５２】
一部の実施形態において、第２の試料は、第１の時点の約３時間〜約６時間後のような、第１の時点の約１時間〜約１０時間後に採取される。一部の実施形態において、第２の試料は、第１の試料の、約１時間、約２時間、約３時間、約４時間、約５時間、約６時間、約７時間、約８時間、約９時間又は約１０時間後に採取される。
【０２５３】
一部の実施形態において、対象は、心臓トロポニンのレベルが、１つ以上の時点において、決定される前に、又は決定された後において、ＧＣＳ（Ｇｌａｓｇｏｗ  Ｃｏｍａ  Ｓｃａｌｅ）スコアを受けている場合がある。ある特定の実施形態において、対象は、ＧＣＳ（Ｇｌａｓｇｏｗ  Ｃｏｍａ  Ｓｃａｌｅ）スコアに基づき、軽度外傷性脳損傷を有することが推測されうる。ある特定の実施形態において、対象は、異常な頭部ＣＴに基づき、軽度外傷性脳損傷を有することが推測されうる。一部の実施形態において、対象は、アッセイが実施される前に、又は実施された後において、ＣＴスキャンを受けている。一部の実施形態において、対象は、正常な頭部ＣＴスキャンを有する。
【０２５４】
一部の実施形態において、ｃＴｎＩの基準レベルは、中等度、重度又は中等度〜重度の外傷性脳損傷を有する対象と相関する。一部の実施形態において、ｃＴｎＩの基準レベルは、３〜１２のＧＣＳ（Ｇｌａｓｇｏｗ  Ｃｏｍａ  Ｓｃａｌｅ）スコア（中等度〜重度のＴＢＩ）と相関する。一部の実施形態において、ｃＴｎＩの基準レベルは、３〜８のＧＣＳ（Ｇｌａｓｇｏｗ  Ｃｏｍａ  Ｓｃａｌｅ）スコア（重度ＴＢＩ）と相関する。一部の実施形態において、ｃＴｎＩの基準レベルは、９〜１３のＧＣＳ（Ｇｌａｓｇｏｗ  Ｃｏｍａ  Ｓｃａｌｅ）スコア（中等度ＴＢＩ）と相関する。一部の実施形態において、対象は、ＧＣＳ（Ｇｌａｓｇｏｗ  Ｃｏｍａ  Ｓｃａｌｅ）スコアに基づき、軽度外傷性脳損傷を有すると推測される。一部の実施形態において、ｃＴｎＩの基準レベルは、軽度外傷性脳損傷を有する対象と相関する。一部の実施形態において、ｃＴｎＩの基準レベルは、１３〜１５のＧＣＳ（Ｇｌａｓｇｏｗ  Ｃｏｍａ  Ｓｃａｌｅ）スコア（軽度ＴＢＩ）と相関する。
【０２５５】
一部の実施形態において、絶対量は、少なくとも約６５％〜約１００％の間の感度及び少なくとも約６５％〜約１００％の間の特異度を有するアッセイにより決定されうる。例えば、絶対量は、少なくとも約８０％〜１００％の間の感度及び少なくとも約６５％〜１００％の間の特異度を有するアッセイにより決定されうる。一部の実施形態において、感度は、少なくとも約６５．０％であり、感度は、少なくとも約７０．０％、少なくとも約７５．０％、少なくとも約８０．０％、少なくとも約８５．０％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。一部の実施形態において、特異度は、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約１００％であり、特異度は、少なくとも約７５％である、感度は、少なくとも約９９％であり、特異度は、少なくとも約９９％である、又は感度は、少なくとも約８７％であり、特異度は、少なくとも約９５％である。
【０２５６】
一部の実施形態において、心臓トロポニンＩの、試料中絶対量は、約１ｐｇ／ｍＬ〜約５０ｐｇ／ｍＬ、約１ｐｇ／ｍＬ〜約４５ｐｇ／ｍＬ、約１ｐｇ／ｍＬ〜約４０ｐｇ／ｍＬ、約１ｐｇ／ｍＬ〜約３５ｐｇ／ｍＬ、約１ｐｇ／ｍＬ〜約３０ｐｇ／ｍＬ、約１ｐｇ／ｍＬ〜約２５ｐｇ／ｍＬ、約１ｐｇ／ｍＬ〜約２０ｐｇ／ｍＬ、約１ｐｇ／ｍＬ〜約１５ｐｇ／ｍＬ、約１ｐｇ／ｍＬ〜約１０ｐｇ／ｍＬ、約１ｐｇ／ｍＬ〜約９ｐｇ／ｍＬ、約１ｐｇ／ｍＬ〜約８ｐｇ／ｍＬ、約１ｐｇ／ｍＬ〜約７ｐｇ／ｍＬ、約１ｐｇ／ｍＬ〜約６ｐｇ／ｍＬ、約１ｐｇ／ｍＬ〜約５ｐｇ／ｍＬ、約１ｐｇ／ｍＬ〜約４ｐｇ／ｍＬ、約１ｐｇ／ｍＬ〜約３ｐｇ／ｍＬ、約１ｐｇ／ｍＬ〜約２ｐｇ／ｍＬ、約１ｐｇ／ｍＬ〜約１．５ｐｇ／ｍＬ、約１．５ｐｇ／ｍＬ〜約５０ｐｇ／ｍＬ、約１．５ｐｇ／ｍＬ〜約４５ｐｇ／ｍＬ、約１．５ｐｇ／ｍＬ〜約４０ｐｇ／ｍＬ、約１．５ｐｇ／ｍＬ〜約３５ｐｇ／ｍＬ、約１．５ｐｇ／ｍＬ〜約３０ｐｇ／ｍＬ、約１．５ｐｇ／ｍＬ〜約２５ｐｇ／ｍＬ、約１．５ｐｇ／ｍＬ〜約２０ｐｇ／ｍＬ、約１．５ｐｇ／ｍＬ〜約１５ｐｇ／ｍＬ、約１．５ｐｇ／ｍＬ〜約１０ｐｇ／ｍＬ、約１．５ｐｇ／ｍＬ〜約９ｐｇ／ｍＬ、約１．５ｐｇ／ｍＬ〜約８ｐｇ／ｍＬ、約１．５ｐｇ／ｍＬ〜約７ｐｇ／ｍＬ、約１．５ｐｇ／ｍＬ〜約６ｐｇ／ｍＬ、約１．５ｐｇ／ｍＬ〜約５ｐｇ／ｍＬ、約１．５ｐｇ／ｍＬ〜約４ｐｇ／ｍＬ、約１．５ｐｇ／ｍＬ〜約３ｐｇ／ｍＬ、約１．５ｐｇ／ｍＬ〜約２ｐｇ／ｍＬ、約２ｐｇ／ｍＬ〜約５０ｐｇ／ｍＬ、約２ｐｇ／ｍＬ〜約４５ｐｇ／ｍＬ、約２ｐｇ／ｍＬ〜約４０ｐｇ／ｍＬ、約２ｐｇ／ｍＬ〜約３５ｐｇ／ｍＬ、約２ｐｇ／ｍＬ〜約３０ｐｇ／ｍＬ、約２ｐｇ／ｍＬ〜約２５ｐｇ／ｍＬ、約２ｐｇ／ｍＬ〜約２０ｐｇ／ｍＬ、約２ｐｇ／ｍＬ〜約１５ｐｇ／ｍＬ、約２ｐｇ／ｍＬ〜約１０ｐｇ／ｍＬ、約２ｐｇ／ｍＬ〜約９ｐｇ／ｍＬ、約２ｐｇ／ｍＬ〜約８ｐｇ／ｍＬ、約２ｐｇ／ｍＬ〜約７ｐｇ／ｍＬ、約２ｐｇ／ｍＬ〜約６ｐｇ／ｍＬ、約２ｐｇ／ｍＬ〜約５ｐｇ／ｍＬ、約２ｐｇ／ｍＬ〜約４ｐｇ／ｍＬ、約２ｐｇ／ｍＬ〜約３ｐｇ／ｍＬ、約３ｐｇ／ｍＬ〜約５０ｐｇ／ｍＬ、約３ｐｇ／ｍＬ〜約４５ｐｇ／ｍＬ、約３ｐｇ／ｍＬ〜約４０ｐｇ／ｍＬ、約３ｐｇ／ｍＬ〜約３５ｐｇ／ｍＬ、約３ｐｇ／ｍＬ〜約３０ｐｇ／ｍＬ、約３ｐｇ／ｍＬ〜約２５ｐｇ／ｍＬ、約３ｐｇ／ｍＬ〜約２０ｐｇ／ｍＬ、約３ｐｇ／ｍＬ〜約１５ｐｇ／ｍＬ、約３ｐｇ／ｍＬ〜約１０ｐｇ／ｍＬ、約３ｐｇ／ｍＬ〜約９ｐｇ／ｍＬ、約３ｐｇ／ｍＬ〜約８ｐｇ／ｍＬ、約３ｐｇ／ｍＬ〜約７ｐｇ／ｍＬ、約３ｐｇ／ｍＬ〜約６ｐｇ／ｍＬ、約３ｐｇ／ｍＬ〜約５ｐｇ／ｍＬ、約３ｐｇ／ｍＬ〜約４ｐｇ／ｍＬ、約４ｐｇ／ｍＬ〜約５０ｐｇ／ｍＬ、約４ｐｇ／ｍＬ〜約４５ｐｇ／ｍＬ、約４ｐｇ／ｍＬ〜約４０ｐｇ／ｍＬ、約４ｐｇ／ｍＬ〜約３５ｐｇ／ｍＬ、約４ｐｇ／ｍＬ〜約３０ｐｇ／ｍＬ、約４ｐｇ／ｍＬ〜約２５ｐｇ／ｍＬ、約４ｐｇ／ｍＬ〜約２０ｐｇ／ｍＬ、約４ｐｇ／ｍＬ〜約１５ｐｇ／ｍＬ、約４ｐｇ／ｍＬ〜約１０ｐｇ／ｍＬ、約４ｐｇ／ｍＬ〜約９ｐｇ／ｍＬ、約４ｐｇ／ｍＬ〜約８ｐｇ／ｍＬ、約４ｐｇ／ｍＬ〜約７ｐｇ／ｍＬ、約４ｐｇ／ｍＬ〜約６ｐｇ／ｍＬ、約４ｐｇ／ｍＬ〜約５ｐｇ／ｍＬ、約５ｐｇ／ｍＬ〜約５０ｐｇ／ｍＬ、約５ｐｇ／ｍＬ〜約４５ｐｇ／ｍＬ、約５ｐｇ／ｍＬ〜約４０ｐｇ／ｍＬ、約５ｐｇ／ｍＬ〜約３５ｐｇ／ｍＬ、約５ｐｇ／ｍＬ〜約３０ｐｇ／ｍＬ、約５ｐｇ／ｍＬ〜約２５ｐｇ／ｍＬ、約５ｐｇ／ｍＬ〜約２０ｐｇ／ｍＬ、約５ｐｇ／ｍＬ〜約１５ｐｇ／ｍＬ、約５ｐｇ／ｍＬ〜約１０ｐｇ／ｍＬ、約５ｐｇ／ｍＬ〜約９ｐｇ／ｍＬ、約５ｐｇ／ｍＬ〜約８ｐｇ／ｍＬ、約５ｐｇ／ｍＬ〜約７ｐｇ／ｍＬ、約５ｐｇ／ｍＬ〜約６ｐｇ／ｍＬ、約６ｐｇ／ｍＬ〜約５０ｐｇ／ｍＬ、約６ｐｇ／ｍＬ〜約４５ｐｇ／ｍＬ、約６ｐｇ／ｍＬ〜約４０ｐｇ／ｍＬ、約６ｐｇ／ｍＬ〜約３５ｐｇ／ｍＬ、約６ｐｇ／ｍＬ〜約３０ｐｇ／ｍＬ、約６ｐｇ／ｍＬ〜約２５ｐｇ／ｍＬ、約６ｐｇ／ｍＬ〜約２０ｐｇ／ｍＬ、約６ｐｇ／ｍＬ〜約１５ｐｇ／ｍＬ、約６ｐｇ／ｍＬ〜約１０ｐｇ／ｍＬ、約６ｐｇ／ｍＬ〜約９ｐｇ／ｍＬ、約６ｐｇ／ｍＬ〜約８ｐｇ／ｍＬ、約６ｐｇ／ｍＬ〜約７ｐｇ／ｍＬ、約７ｐｇ／ｍＬ〜約５０ｐｇ／ｍＬ、約７ｐｇ／ｍＬ〜約４５ｐｇ／ｍＬ、約７ｐｇ／ｍＬ〜約４０ｐｇ／ｍＬ、約７ｐｇ／ｍＬ〜約３５ｐｇ／ｍＬ、約７ｐｇ／ｍＬ〜約３０ｐｇ／ｍＬ、約７ｐｇ／ｍＬ〜約２５ｐｇ／ｍＬ、約７ｐｇ／ｍＬ〜約２０ｐｇ／ｍＬ、約７ｐｇ／ｍＬ〜約１５ｐｇ／ｍＬ、約７ｐｇ／ｍＬ〜約１０ｐｇ／ｍＬ、約７ｐｇ／ｍＬ〜約９ｐｇ／ｍＬ、約７ｐｇ／ｍＬ〜約８ｐｇ／ｍＬ、約８ｐｇ／ｍＬ〜約５０ｐｇ／ｍＬ、約８ｐｇ／ｍＬ〜約４５ｐｇ／ｍＬ、約８ｐｇ／ｍＬ〜約４０ｐｇ／ｍＬ、約８ｐｇ／ｍＬ〜約３５ｐｇ／ｍＬ、約８ｐｇ／ｍＬ〜約３０ｐｇ／ｍＬ、約８ｐｇ／ｍＬ〜約２５ｐｇ／ｍＬ、約８ｐｇ／ｍＬ〜約２０ｐｇ／ｍＬ、約８ｐｇ／ｍＬ〜約１５ｐｇ／ｍＬ、約８ｐｇ／ｍＬ〜約１０ｐｇ／ｍＬ、約８ｐｇ／ｍＬ〜約９ｐｇ／ｍＬ、約９ｐｇ／ｍＬ〜約５０ｐｇ／ｍＬ、約９ｐｇ／ｍＬ〜約４５ｐｇ／ｍＬ、約９ｐｇ／ｍＬ〜約４０ｐｇ／ｍＬ、約９ｐｇ／ｍＬ〜約３５ｐｇ／ｍＬ、約９ｐｇ／ｍＬ〜約３０ｐｇ／ｍＬ、約９ｐｇ／ｍＬ〜約２５ｐｇ／ｍＬ、約９ｐｇ／ｍＬ〜約２０ｐｇ／ｍＬ、約９ｐｇ／ｍＬ〜約１５ｐｇ／ｍＬ、約９ｐｇ／ｍＬ〜約１０ｐｇ／ｍＬ、約１０ｐｇ／ｍＬ〜約５０ｐｇ／ｍＬ、約１０ｐｇ／ｍＬ〜約４５ｐｇ／ｍＬ、約１０ｐｇ／ｍＬ〜約４０ｐｇ／ｍＬ、約１０ｐｇ／ｍＬ〜約３５ｐｇ／ｍＬ、約１０ｐｇ／ｍＬ〜約３０ｐｇ／ｍＬ、約１０ｐｇ／ｍＬ〜約２５ｐｇ／ｍＬ、約１０ｐｇ／ｍＬ〜約２０ｐｇ／ｍＬ、約１０ｐｇ／ｍＬ〜約１５ｐｇ／ｍＬ、約２０ｐｇ／ｍＬ〜約５０ｐｇ／ｍＬ、約２０ｐｇ／ｍＬ〜約４５ｐｇ／ｍＬ、約２０ｐｇ／ｍＬ〜約４０ｐｇ／ｍＬ、約２０ｐｇ／ｍＬ〜約３５ｐｇ／ｍＬ、約２０ｐｇ／ｍＬ〜約３０ｐｇ／ｍＬ又は約２０ｐｇ／ｍＬ〜約２５ｐｇ／ｍＬである。一部の実施形態において、絶対量は、少なくとも約０．５ｐｇ／ｍＬ、少なくとも約１．０ｐｇ／ｍＬ、少なくとも約１．５ｐｇ／ｍＬ、少なくとも約２．０ｐｇ／ｍＬ、少なくとも約２．５ｐｇ／ｍＬ、少なくとも約３．０ｐｇ／ｍＬ、少なくとも約４．０ｐｇ／ｍＬ、少なくとも約５．０ｐｇ／ｍＬ、少なくとも約６．０ｐｇ／ｍＬ、少なくとも約７．０ｐｇ／ｍＬ、少なくとも約８．０ｐｇ／ｍＬ、少なくとも約９．０ｐｇ／ｍＬ、少なくとも約１０ｐｇ／ｍＬ、少なくとも約１５ｐｇ／ｍＬ、少なくとも約２０ｐｇ／ｍＬ、少なくとも約２５ｐｇ／ｍＬ、少なくとも約３０ｐｇ／ｍＬ、少なくとも約３５ｐｇ／ｍＬ、少なくとも約４０ｐｇ／ｍＬ、少なくとも約４５ｐｇ／ｍＬ又は少なくとも約５０ｐｇ／ｍＬでありうる。
【０２５７】
上記において記載された方法を実施することに加えて、当業者（例えば、医師）は、他の併存疾患（例えば、ＴＢＩ以外の、他の疾患、障害又は状態）を検出又は評価するために、どのようにしてさらなる検査を実施するのかについて理解し、承知する。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２５８】
一実施形態において、本明細書において記載された方法における、ｃＴｎＩの量又はレベルの変化が、対象の頭部損傷又は推測される頭部への損傷に帰せられ、急性心臓症候群（心筋梗塞、心不全などのような）の結果に帰せられないことを確認するために、医師又は他の医療ケア従事者は、１つ以上のさらなる検査又は手順を行う、又は実施して、急性心臓症候群の非存在を確認することができる。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２５９】
一部の実施形態において、方法は、下記において記載される通り、中等度、重度又は中等度〜重度の外傷性脳損傷を有すると評価されたヒト対象を、外傷性脳損傷処置により処置するステップをさらに含む。一部の実施形態において、方法は、下記において記載される通り、軽度外傷性脳損傷を有すると評価されたヒト対象をモニタリングするステップをさらに含む。一部の実施形態において、方法は、外傷性脳損傷についての、さらなる臨床情報を得るように、さらなる検査を指図するステップをさらに含む。一部の実施形態において、方法は、下記において記載される通り、軽度、中等度、重度又は中等度〜重度の脳損傷を有すると評価されたヒト対象を、心臓保護処置により処置して、心臓を保護するステップを含む。
【０２６０】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。また、臨床化学フォーマット、例えば当業者に公知の臨床化学フォーマットのアッセイも利用されうる。このようなアッセイについては、本明細書の第１１〜１３節において、さらに詳細に記載されている。
【０２６１】
５．心臓トロポニンＩ（ｃＴｎＩ）レベルの変化に基づく、（実際の頭部への損傷又は推測される）頭部への損傷を負った、又は負った可能性がある（又はこれを有する）ヒト対象に対して、ＣＴスキャンを実施するのかどうかについての決定の一助となる方法
本開示は、他の方法の中でとりわけ、（実際の頭部への損傷又は推測される）頭部への損傷を負った、又は負った可能性がある（又はこれを有する）ヒト対象に対して、コンピュータ断層撮影（ＣＴ）スキャンを実施するのかどうかを決定する一助となる方法に関する。本明細書において使用された、「ヒト対象に対して、ＣＴスキャンを実施するのかどうかについての決定」とは、対象の頭部ＣＴスキャンが、陽性となる可能性が、そうでない場合より高いことを決定するのに、他の情報（例えば、臨床評価データ）と共に、前述の方法が使用されうるという事実を指す。具体的に、このような方法は、推測される損傷から、約２時間以内のような、約２４時間以内に対象から採取された第１の試料及び第１の試料が採取された約３〜約６時間後に対象から採取された第２の試料である、対象から得られた、少なくとも２つの試料に対してアッセイを実施するステップ；少なくとも２つの試料中に、心臓トロポニンＩ（ｃＴｎＩ）を検出するステップ；及びｃＴｎＩのレベルが、第１の試料から第２の試料へと、少なくともある絶対量だけ低下又は上昇する場合に、対象に対してＣＴスキャンを実施し、ｃＴｎＩのレベルの、第１の試料から第２の試料への、少なくともある絶対量だけの低下又は上昇が見られない場合に、対象に対してＣＴスキャンを実施しないステップを含みうる。試料は、生物学的試料でありうる。
【０２６２】
一部の実施形態において、方法は、試料を、ｃＴｎＩに対する抗体と接触させて、抗体とｃＴｎＩとの複合体の形成を可能とするステップを含みうる。方法はまた、結果として得られる抗体−ｃＴｎＩ複合体を検出して、第１の試料及び第２の試料の各々について、ｃＴｎＩのレベルを決定するステップも含む。ｃＴｎＩの存在の開始は、推測される損傷の開始後、約２時間以内のような、約０〜約２４時間以内に現れる。一部の実施形態において、ｃＴｎＩの存在の開始は、頭部への損傷の、約０分以内に、約１分間、約２分間、約３分間、約４分間、約５分間、約６分間、約７分間、約８分間、約９分間、約１０分間、約１１分間、約１２分間、約１３分間、約１４分間、約１５分間、約２０分間、約３０分間、約６０分間、約９０分間又は約２時間後に現れる。
【０２６３】
一部の実施形態において、第１の試料は、推測される損傷から約２４時間以内である、第１の時点において得られ、第２の試料は、第１の時点の後である第２の時点、又は任意選択的に、第３の時点若しくは第４の時点において得られる。一部の実施形態において、第１の試料は、推測される損傷後、約２４時間以内に採取され、第２の試料は、第１の試料後約３時間〜約６時間以内に採取される。一部の実施形態において、第１の試料は、実際の頭部への損傷又は推測される頭部への損傷から、約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。
【０２６４】
一部の実施形態において、対象の頭部ＣＴスキャンが、陽性となるのか、陰性となるのかを決定するために、第１の試料は、推測される損傷から約２時間以内である、第１の時点において得られ、第２の試料は、第１の時点の後である第２の時点、又は任意選択的に、第３の時点若しくは第４の時点において得られる。一部の実施形態において、第１の試料は、推測される損傷後、約２時間以内に採取され、第２の試料は、第１の試料後約３時間〜約６時間以内に採取される。一部の実施形態において、第１の時点は、頭部への損傷又は推測される頭部への損傷の約０〜約２時間後である。例えば、第１の時点は、推測される損傷後、約０〜約２時間、約０時間〜約９０分間、約０時間〜約６０分間、約０時間〜約４５分間、約０時間〜約３０分間、約０時間〜約２０分間、約０時間〜約１５分間、約０時間〜約１０分間、約０時間〜約５分間、約５分間〜約９０分間、約５分間〜約６０分間、約５分間〜約４５分間、約５分間〜約３０分間、約５分間〜約２０分間、約５分間〜約１５分間、約５分間〜約１０分間、約１０分間〜約９０分間、約１０分間〜約６０分間、約１０分間〜約４５分間、約１０分間〜約３０分間、約１０分間〜約２０分間、約１０分間〜約１５分間、約１５分間〜約９０分間、約１５分間〜約６０分間、約１５分間〜約４５分間、約１５分間〜約３０分間、約１５分間〜約２０分間、約２０分間〜約９０分間、約２０分間〜約６０分間、約２０分間〜約４５分間又は約２０分間〜約３０分間の間でありうる。
【０２６５】
一部の実施形態において、第２の時点又は、任意選択的に、第３の時点若しくは第４の時点は、第１の時点の約３時間〜約６時間後のような、第１の時点の約１時間〜約１０時間後である。一部の実施形態において、第２の時点は、第１の時点の約１時間、約２時間、約３時間、約４時間、約５時間、約６時間、約７時間、約８時間、約９時間又は約１０時間後である。
【０２６６】
一部の実施形態において、絶対量は、少なくとも約６５％〜約１００％の間の感度及び少なくとも約６５％〜約１００％の間の特異度を有するアッセイにより決定されうる。例えば、絶対量は、少なくとも約８０％〜１００％の間の感度及び少なくとも約６５％〜１００％の間の特異度を有するアッセイにより決定されうる。一部の実施形態において、感度は、少なくとも約６５．０％であり、感度は、少なくとも約７０．０％、少なくとも約７５．０％、少なくとも約８０．０％、少なくとも約８５．０％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。一部の実施形態において、特異度は、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約１００％であり、特異度は、少なくとも約７５％である、感度は、少なくとも約９９％であり、特異度は、少なくとも約９９％である、又は感度は、少なくとも約８７％であり、特異度は、少なくとも約９５％である。
【０２６７】
一部の実施形態において、心臓トロポニンＩの、試料中の絶対量は、約１ｐｇ／ｍＬ〜約５０ｐｇ／ｍＬ、約１ｐｇ／ｍＬ〜約４５ｐｇ／ｍＬ、約１ｐｇ／ｍＬ〜約４０ｐｇ／ｍＬ、約１ｐｇ／ｍＬ〜約３５ｐｇ／ｍＬ、約１ｐｇ／ｍＬ〜約３０ｐｇ／ｍＬ、約１ｐｇ／ｍＬ〜約２５ｐｇ／ｍＬ、約１ｐｇ／ｍＬ〜約２０ｐｇ／ｍＬ、約１ｐｇ／ｍＬ〜約１５ｐｇ／ｍＬ、約１ｐｇ／ｍＬ〜約１０ｐｇ／ｍＬ、約１ｐｇ／ｍＬ〜約９ｐｇ／ｍＬ、約１ｐｇ／ｍＬ〜約８ｐｇ／ｍＬ、約１ｐｇ／ｍＬ〜約７ｐｇ／ｍＬ、約１ｐｇ／ｍＬ〜約６ｐｇ／ｍＬ、約１ｐｇ／ｍＬ〜約５ｐｇ／ｍＬ、約１ｐｇ／ｍＬ〜約４ｐｇ／ｍＬ、約１ｐｇ／ｍＬ〜約３ｐｇ／ｍＬ、約１ｐｇ／ｍＬ〜約２ｐｇ／ｍＬ、約１ｐｇ／ｍＬ〜約１．５ｐｇ／ｍＬ、約１．５ｐｇ／ｍＬ〜約５０ｐｇ／ｍＬ、約１．５ｐｇ／ｍＬ〜約４５ｐｇ／ｍＬ、約１．５ｐｇ／ｍＬ〜約４０ｐｇ／ｍＬ、約１．５ｐｇ／ｍＬ〜約３５ｐｇ／ｍＬ、約１．５ｐｇ／ｍＬ〜約３０ｐｇ／ｍＬ、約１．５ｐｇ／ｍＬ〜約２５ｐｇ／ｍＬ、約１．５ｐｇ／ｍＬ〜約２０ｐｇ／ｍＬ、約１．５ｐｇ／ｍＬ〜約１５ｐｇ／ｍＬ、約１．５ｐｇ／ｍＬ〜約１０ｐｇ／ｍＬ、約１．５ｐｇ／ｍＬ〜約９ｐｇ／ｍＬ、約１．５ｐｇ／ｍＬ〜約８ｐｇ／ｍＬ、約１．５ｐｇ／ｍＬ〜約７ｐｇ／ｍＬ、約１．５ｐｇ／ｍＬ〜約６ｐｇ／ｍＬ、約１．５ｐｇ／ｍＬ〜約５ｐｇ／ｍＬ、約１．５ｐｇ／ｍＬ〜約４ｐｇ／ｍＬ、約１．５ｐｇ／ｍＬ〜約３ｐｇ／ｍＬ、約１．５ｐｇ／ｍＬ〜約２ｐｇ／ｍＬ、約２ｐｇ／ｍＬ〜約５０ｐｇ／ｍＬ、約２ｐｇ／ｍＬ〜約４５ｐｇ／ｍＬ、約２ｐｇ／ｍＬ〜約４０ｐｇ／ｍＬ、約２ｐｇ／ｍＬ〜約３５ｐｇ／ｍＬ、約２ｐｇ／ｍＬ〜約３０ｐｇ／ｍＬ、約２ｐｇ／ｍＬ〜約２５ｐｇ／ｍＬ、約２ｐｇ／ｍＬ〜約２０ｐｇ／ｍＬ、約２ｐｇ／ｍＬ〜約１５ｐｇ／ｍＬ、約２ｐｇ／ｍＬ〜約１０ｐｇ／ｍＬ、約２ｐｇ／ｍＬ〜約９ｐｇ／ｍＬ、約２ｐｇ／ｍＬ〜約８ｐｇ／ｍＬ、約２ｐｇ／ｍＬ〜約７ｐｇ／ｍＬ、約２ｐｇ／ｍＬ〜約６ｐｇ／ｍＬ、約２ｐｇ／ｍＬ〜約５ｐｇ／ｍＬ、約２ｐｇ／ｍＬ〜約４ｐｇ／ｍＬ、約２ｐｇ／ｍＬ〜約３ｐｇ／ｍＬ、約３ｐｇ／ｍＬ〜約５０ｐｇ／ｍＬ、約３ｐｇ／ｍＬ〜約４５ｐｇ／ｍＬ、約３ｐｇ／ｍＬ〜約４０ｐｇ／ｍＬ、約３ｐｇ／ｍＬ〜約３５ｐｇ／ｍＬ、約３ｐｇ／ｍＬ〜約３０ｐｇ／ｍＬ、約３ｐｇ／ｍＬ〜約２５ｐｇ／ｍＬ、約３ｐｇ／ｍＬ〜約２０ｐｇ／ｍＬ、約３ｐｇ／ｍＬ〜約１５ｐｇ／ｍＬ、約３ｐｇ／ｍＬ〜約１０ｐｇ／ｍＬ、約３ｐｇ／ｍＬ〜約９ｐｇ／ｍＬ、約３ｐｇ／ｍＬ〜約８ｐｇ／ｍＬ、約３ｐｇ／ｍＬ〜約７ｐｇ／ｍＬ、約３ｐｇ／ｍＬ〜約６ｐｇ／ｍＬ、約３ｐｇ／ｍＬ〜約５ｐｇ／ｍＬ、約３ｐｇ／ｍＬ〜約４ｐｇ／ｍＬ、約４ｐｇ／ｍＬ〜約５０ｐｇ／ｍＬ、約４ｐｇ／ｍＬ〜約４５ｐｇ／ｍＬ、約４ｐｇ／ｍＬ〜約４０ｐｇ／ｍＬ、約４ｐｇ／ｍＬ〜約３５ｐｇ／ｍＬ、約４ｐｇ／ｍＬ〜約３０ｐｇ／ｍＬ、約４ｐｇ／ｍＬ〜約２５ｐｇ／ｍＬ、約４ｐｇ／ｍＬ〜約２０ｐｇ／ｍＬ、約４ｐｇ／ｍＬ〜約１５ｐｇ／ｍＬ、約４ｐｇ／ｍＬ〜約１０ｐｇ／ｍＬ、約４ｐｇ／ｍＬ〜約９ｐｇ／ｍＬ、約４ｐｇ／ｍＬ〜約８ｐｇ／ｍＬ、約４ｐｇ／ｍＬ〜約７ｐｇ／ｍＬ、約４ｐｇ／ｍＬ〜約６ｐｇ／ｍＬ、約４ｐｇ／ｍＬ〜約５ｐｇ／ｍＬ、約５ｐｇ／ｍＬ〜約５０ｐｇ／ｍＬ、約５ｐｇ／ｍＬ〜約４５ｐｇ／ｍＬ、約５ｐｇ／ｍＬ〜約４０ｐｇ／ｍＬ、約５ｐｇ／ｍＬ〜約３５ｐｇ／ｍＬ、約５ｐｇ／ｍＬ〜約３０ｐｇ／ｍＬ、約５ｐｇ／ｍＬ〜約２５ｐｇ／ｍＬ、約５ｐｇ／ｍＬ〜約２０ｐｇ／ｍＬ、約５ｐｇ／ｍＬ〜約１５ｐｇ／ｍＬ、約５ｐｇ／ｍＬ〜約１０ｐｇ／ｍＬ、約５ｐｇ／ｍＬ〜約９ｐｇ／ｍＬ、約５ｐｇ／ｍＬ〜約８ｐｇ／ｍＬ、約５ｐｇ／ｍＬ〜約７ｐｇ／ｍＬ、約５ｐｇ／ｍＬ〜約６ｐｇ／ｍＬ、約６ｐｇ／ｍＬ〜約５０ｐｇ／ｍＬ、約６ｐｇ／ｍＬ〜約４５ｐｇ／ｍＬ、約６ｐｇ／ｍＬ〜約４０ｐｇ／ｍＬ、約６ｐｇ／ｍＬ〜約３５ｐｇ／ｍＬ、約６ｐｇ／ｍＬ〜約３０ｐｇ／ｍＬ、約６ｐｇ／ｍＬ〜約２５ｐｇ／ｍＬ、約６ｐｇ／ｍＬ〜約２０ｐｇ／ｍＬ、約６ｐｇ／ｍＬ〜約１５ｐｇ／ｍＬ、約６ｐｇ／ｍＬ〜約１０ｐｇ／ｍＬ、約６ｐｇ／ｍＬ〜約９ｐｇ／ｍＬ、約６ｐｇ／ｍＬ〜約８ｐｇ／ｍＬ、約６ｐｇ／ｍＬ〜約７ｐｇ／ｍＬ、約７ｐｇ／ｍＬ〜約５０ｐｇ／ｍＬ、約７ｐｇ／ｍＬ〜約４５ｐｇ／ｍＬ、約７ｐｇ／ｍＬ〜約４０ｐｇ／ｍＬ、約７ｐｇ／ｍＬ〜約３５ｐｇ／ｍＬ、約７ｐｇ／ｍＬ〜約３０ｐｇ／ｍＬ、約７ｐｇ／ｍＬ〜約２５ｐｇ／ｍＬ、約７ｐｇ／ｍＬ〜約２０ｐｇ／ｍＬ、約７ｐｇ／ｍＬ〜約１５ｐｇ／ｍＬ、約７ｐｇ／ｍＬ〜約１０ｐｇ／ｍＬ、約７ｐｇ／ｍＬ〜約９ｐｇ／ｍＬ、約７ｐｇ／ｍＬ〜約８ｐｇ／ｍＬ、約８ｐｇ／ｍＬ〜約５０ｐｇ／ｍＬ、約８ｐｇ／ｍＬ〜約４５ｐｇ／ｍＬ、約８ｐｇ／ｍＬ〜約４０ｐｇ／ｍＬ、約８ｐｇ／ｍＬ〜約３５ｐｇ／ｍＬ、約８ｐｇ／ｍＬ〜約３０ｐｇ／ｍＬ、約８ｐｇ／ｍＬ〜約２５ｐｇ／ｍＬ、約８ｐｇ／ｍＬ〜約２０ｐｇ／ｍＬ、約８ｐｇ／ｍＬ〜約１５ｐｇ／ｍＬ、約８ｐｇ／ｍＬ〜約１０ｐｇ／ｍＬ、約８ｐｇ／ｍＬ〜約９ｐｇ／ｍＬ、約９ｐｇ／ｍＬ〜約５０ｐｇ／ｍＬ、約９ｐｇ／ｍＬ〜約４５ｐｇ／ｍＬ、約９ｐｇ／ｍＬ〜約４０ｐｇ／ｍＬ、約９ｐｇ／ｍＬ〜約３５ｐｇ／ｍＬ、約９ｐｇ／ｍＬ〜約３０ｐｇ／ｍＬ、約９ｐｇ／ｍＬ〜約２５ｐｇ／ｍＬ、約９ｐｇ／ｍＬ〜約２０ｐｇ／ｍＬ、約９ｐｇ／ｍＬ〜約１５ｐｇ／ｍＬ、約９ｐｇ／ｍＬ〜約１０ｐｇ／ｍＬ、約１０ｐｇ／ｍＬ〜約５０ｐｇ／ｍＬ、約１０ｐｇ／ｍＬ〜約４５ｐｇ／ｍＬ、約１０ｐｇ／ｍＬ〜約４０ｐｇ／ｍＬ、約１０ｐｇ／ｍＬ〜約３５ｐｇ／ｍＬ、約１０ｐｇ／ｍＬ〜約３０ｐｇ／ｍＬ、約１０ｐｇ／ｍＬ〜約２５ｐｇ／ｍＬ、約１０ｐｇ／ｍＬ〜約２０ｐｇ／ｍＬ、約１０ｐｇ／ｍＬ〜約１５ｐｇ／ｍＬ、約２０ｐｇ／ｍＬ〜約５０ｐｇ／ｍＬ、約２０ｐｇ／ｍＬ〜約４５ｐｇ／ｍＬ、約２０ｐｇ／ｍＬ〜約４０ｐｇ／ｍＬ、約２０ｐｇ／ｍＬ〜約３５ｐｇ／ｍＬ、約２０ｐｇ／ｍＬ〜約３０ｐｇ／ｍＬ又は約２０ｐｇ／ｍＬ〜約２５ｐｇ／ｍＬである。一部の実施形態において、絶対量は、少なくとも約０．５ｐｇ／ｍＬ、少なくとも約１．０ｐｇ／ｍＬ、少なくとも約１．５ｐｇ／ｍＬ、少なくとも約２．０ｐｇ／ｍＬ、少なくとも約２．５ｐｇ／ｍＬ、少なくとも約３．０ｐｇ／ｍＬ、少なくとも約４．０ｐｇ／ｍＬ、少なくとも約５．０ｐｇ／ｍＬ、少なくとも約６．０ｐｇ／ｍＬ、少なくとも約７．０ｐｇ／ｍＬ、少なくとも約８．０ｐｇ／ｍＬ、少なくとも約９．０ｐｇ／ｍＬ、少なくとも約１０ｐｇ／ｍＬ、少なくとも約１５ｐｇ／ｍＬ、少なくとも約２０ｐｇ／ｍＬ、少なくとも約２５ｐｇ／ｍＬ、少なくとも約３０ｐｇ／ｍＬ、少なくとも約３５ｐｇ／ｍＬ、少なくとも約４０ｐｇ／ｍＬ、少なくとも約４５ｐｇ／ｍＬ又は少なくとも約５０ｐｇ／ｍＬでありうる。
【０２６８】
上記において記載された方法を実施することに加えて、当業者（例えば、医師）は、他の併存疾患（例えば、ＴＢＩ以外の、他の疾患、障害又は状態）を検出又は評価するために、どのようにしてさらなる検査を実施するのかについて理解し、承知する。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２６９】
一実施形態において、本明細書において記載された方法における、ｃＴｎＩの量又はレベルの変化が、対象の頭部損傷又は推測される頭部への損傷に帰せられ、急性心臓症候群（心筋梗塞、心不全など）の結果に帰せられないことを確認するために、医師又は他の医療ケア従事者は、１つ以上のさらなる検査又は手順を行う、又は実施して、急性心臓症候群の非存在を確認することができる。このようなさらなる検査又は手順は、心電図、全血球（ＣＢＣ）計算、包括的代謝パネル、脂質プロファイル（例えば、ＨＤＬ、ＬＤＬ、トリグリセリドなどを決定するための）、血管造影、ｃ反応性タンパク質（ＣＲＰ）、脳性ナトリウム利尿ペプチド、血漿セラミドなどのうちの１つ以上のレベルを検出又は決定するための、１つ以上の検査のうちの１つ以上を含む。
【０２７０】
一部の実施形態において、方法は、下記において記載される通り、ＣＴスキャンを施されることが決定されたヒト対象を、外傷性脳損傷処置により処置するステップをさらに含む。一部の実施形態において、方法は、下記において記載される通り、ＣＴスキャンを施されることが決定されたヒト対象をモニタリングするステップをさらに含む。一部の実施形態において、方法は、外傷性脳損傷についての、さらなる臨床情報を得るように、さらなる検査を指図するステップをさらに含む。一部の実施形態において、方法は、下記において記載される通り、軽度、中等度、重度又は中等度〜重度の脳損傷を有すると評価されたヒト対象を、心臓保護処置により処置して、心臓を保護するステップを含む。
【０２７１】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。また、臨床化学フォーマット、例えば当業者に公知の臨床化学フォーマットのアッセイも利用されうる。このようなアッセイについては、本明細書の第１１〜１３節において、さらに詳細に記載されている。
【０２７２】
６．心臓トロポニンＩ（ｃＴｎＩ）を使用して、軽度外傷性脳損傷を有する、ヒト対象の転帰を予測する一助となる、又はこれを予測する方法
本開示は、他の方法の中でとりわけ、軽度外傷性脳損傷を有するヒト対象の転帰（ＴＢＩ）を予測する一助となる（又はこれを予測する）、例えば、対象の転帰が、思わしくなくなるのか、転帰が思わしくなるのかを決定する方法に関する。本明細書において使用された、「対象の転帰が、思わしいのかどうかを決定すること」という語句は、対象の軽度ＴＢＩからの転帰が陽性である可能性が、そうでない場合より高いことを決定するのに、他の情報（例えば、臨床評価データ）と共に、前述の方法が使用されうるという事実を指す。加えて、本明細書において使用された、「対象の転帰が、思わしくないのかどうかを決定すること」という語句は、対象の軽度ＴＢＩからの転帰が思わしくない、又は陰性である可能性が、そうでない場合より高いことを決定するのに、他の情報（例えば、臨床評価データ）と共に、前述の方法が使用されうるという事実を指す。上述の通り、本明細書において記載された方法は、軽度ＴＢＩを伴うと診断された（１）対象の転帰が思わしい（任意選択的に、思わしい転帰は、対象が、完全に回復し、軽度ＴＢＩの、１つ以上の症状を被り続けないことでありうる）可能性；又は（２）対象の転帰が思わしくない（任意選択的に、思わしくない転帰は、対象が、完全に回復せず、軽度ＴＢＩの、１つ以上の症状を被り続けることでありうる）可能性が、そうでない場合より高いのかどうかを決定するのに使用されうる。
【０２７３】
代替的に、かつ、任意選択的に、思わしい転帰とは、対象が、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；又は（ｄ）睡眠障害（例えば、不眠症など）のような、軽度ＴＢＩの結果としての、１つを超える振盪後症候群の症状を患わない可能性が、そうでない場合より高いことを意味しうる。代替的に、かつ、任意選択的に、思わしくない転帰を有する対象は、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；（ｄ）睡眠障害（例えば、不眠症など）；又は（ｅ）（ａ）〜（ｄ）の任意の組合せのような、１つを超える振盪後症候群の症状を患う可能性が高い。代替的に、かつ、任意選択的に、思わしくない転帰とはまた、対象が、軽度ＴＢＩの、１つ以上の症状を呈示することも意味しうる。代替的に、かつ、任意選択的に、思わしくない転帰とはまた、対象の状態が、軽度ＴＢＩから、中等度、中等度〜重度又は重度へと悪化することも意味しうる。加えて、転帰が思わしい対象が、５以上のＧＯＳＥスコアを有する可能性が高いのに対し、転帰が思わしくない対象は、５未満のＧＯＳＥスコアを有する可能性が高い。
【０２７４】
本開示の時点の、当技術分野において、重度の外傷性損傷後の対象における、ｃＴｎＩレベルは、上昇することが公知であった。実際、重度の外傷性損傷を伴う対象におけるｃＴｎＩのレベルの上昇は、転帰不良と関連することが多い（参照により本明細書に組み込まれた、Ｃａｉら、「Ｐｒｏｇｎｏｓｔｉｃ  Ｖａｌｕｅ  ｏｆ  Ｃａｒｄｉａｃ  Ｔｒｏｐｏｎｉｎ  Ｉ  Ｆｏｌｌｏｗｉｎｇ  Ｓｅｖｅｒｅ  Ｔｒａｕｍａｔｉｃ  Ｂｒａｉｎ  Ｉｎｊｕｒｙ」、Ａｃａｄｅｍｉｃ  Ｓｕｒｇｉｃａｌ  Ｃｏｎｇｒｅｓｓ  Ａｂｓｔｒａｃｔｓ、２０１５を参照されたい）。これを踏まえると、頭部への損傷を負った、又は負った可能性がある対象における、ｃＴｎＩレベルの検出及び／又は測定が、軽度ＴＢＩを伴うヒト対象の損傷の転帰及び重症度を予測するのに使用されうるという、本開示における発見は、驚くべきことである。
【０２７５】
具体的に、このような方法は、頭部への損傷後、約２４時間以内のような、２８時間以内に対象から採取された試料中の心臓トロポニンＩのレベルを決定するステップ、及びｃＴｎＩのレベルが、ｃＴｎＩの基準レベルより高い場合に、対象を、例えば、１カ月後若しくは６カ月後における転帰が思わしくない、又はより重度の外傷性脳損傷を有すると予測する、又はｃＴｎＩのレベルが、ｃＴｎＩの基準レベルより低い場合に、対象を、例えば、１カ月後若しくは６カ月後における転帰が思わしい、又はそれほど重度ではない外傷性脳損傷を有すると予測するステップを含みうる。試料は、生物学的試料でありうる。
【０２７６】
一部の実施形態において、試料は、頭部への損傷から、約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、約２４時間以内に、約２５時間以内に、約２６時間以内に、約２７時間以内に、又は約２８時間以内に対象から得られうる、又はこれから採取されうる。
【０２７７】
一部の実施形態において、対象は、心臓トロポニンのレベルが、１つ以上の時点において、決定される前に、又は決定された後において、ＧＣＳ（Ｇｌａｓｇｏｗ  Ｃｏｍａ  Ｓｃａｌｅ）スコアを受けている場合がある。ある特定の実施形態において、対象は、ＧＣＳ（Ｇｌａｓｇｏｗ  Ｃｏｍａ  Ｓｃａｌｅ）スコアに基づき、軽度外傷性脳損傷を有することが推測されうる。ある特定の実施形態において、対象は、異常な頭部ＣＴに基づき、軽度外傷性脳損傷を有することが推測されうる。一部の実施形態において、対象は、アッセイが実施される前に、又は実施された後において、ＣＴスキャンを受けている。一部の実施形態において、対象は、正常な頭部ＣＴスキャンを有する。
【０２７８】
一部の実施形態において、対象は、アッセイが実施された後において、ＧＯＳＥスコアを受けている。一部の実施形態において、対象は、ＧＯＳＥスコアに基づき、転帰が思わしくないと推測される。一部の実施形態において、対象は、推測される損傷の１カ月、２カ月、３カ月、４カ月、５カ月又は６カ月後において、５未満のＧＯＳＥスコアを有する。一部の実施形態において、ｃＴｎＩの基準レベルは、転帰が思わしくない対象と相関する。一部の実施形態において、ｃＴｎＩの基準レベルは、１〜５のＧＯＳＥスコアと相関する。一部の実施形態において、対象は、ＧＯＳＥスコアに基づき、転帰が思わしいと推測される。一部の実施形態において、ｃＴｎＩの基準レベルは、転帰が思わしい対象と相関する。一部の実施形態において、ｃＴｎＩの基準レベルは、６〜８のＧＯＳＥスコアと相関する。
【０２７９】
一部の実施形態において、ｃＴｎＩの基準レベルは、中等度〜重度の外傷性脳損傷のような、より重度の外傷性脳損傷を有する対象と相関する。一部の実施形態において、ｃＴｎＩの基準レベルは、３〜１２のＧＣＳ（Ｇｌａｓｇｏｗ  Ｃｏｍａ  Ｓｃａｌｅ）スコアと相関する。一部の実施形態において、対象は、ＧＣＳ（Ｇｌａｓｇｏｗ  Ｃｏｍａ  Ｓｃａｌｅ）スコアに基づき、軽度外傷性脳損傷を有すると推測される。一部の実施形態において、ｃＴｎＩの基準レベルは、軽度外傷性脳損傷のような、それほど重度ではない外傷性脳損傷を有する対象と相関する。一部の実施形態において、ｃＴｎＩの基準レベルは、１３〜１５のＧＣＳ（Ｇｌａｓｇｏｗ  Ｃｏｍａ  Ｓｃａｌｅ）スコアと相関する。
【０２８０】
一般に、ｃＴｎＩの基準レベルはまた、被験試料を、ｃＴｎＩについてアッセイしたときに得られた結果を評価するためのベンチマークとしても利用されうる。一般に、このような比較を行う場合に、ｃＴｎＩの基準レベルは、解析物の存在、量又は濃度の、ＴＢＩの特定の病期若しくはエンドポイント又は特定の徴候との連関又は関連を成立させうるような、十分な回数及び適切な条件下において、特定のアッセイを行うことにより得られる。典型的に、ｃＴｎＩの基準レベルは、基準対象（又は対象の集団）についてのアッセイにより得られる。測定されるｃＴｎＩは、この断片、この分解産物及び／又は酵素によるこの切断産物を含みうる。
【０２８１】
ある特定の実施形態において、基準レベルは、頭部損傷を負っていない、対照の対象と相関しうる。
【０２８２】
一部の実施形態において、方法は、試料を、対象から得、試料を、心臓トロポニンＩに対する抗体と接触させて、抗体と心臓トロポニンＩとの複合体の形成を可能とするステップを含みうる。方法はまた、結果として得られる抗体−心臓トロポニンＩ複合体を検出するステップも含む。
【０２８３】
一部の実施形態において、ｃＴｎＩの基準レベルは、少なくとも約６５％〜約１００％の間の感度及び少なくとも約３０％〜約１００％の間の特異度を有するアッセイにより決定される。一部の実施形態において、感度は、少なくとも約６５％〜約１００％の間、少なくとも約６５％〜少なくとも約９９％の間、少なくとも約６５％〜少なくとも約９５％の間、少なくとも約６５％〜少なくとも約９０％の間、少なくとも約６５％〜少なくとも約８５％の間、少なくとも約６５％〜少なくとも約８０％の間、少なくとも約６５％〜少なくとも約７５％の間、少なくとも約６５％〜少なくとも約７０％の間、少なくとも約７５％〜約１００％の間、少なくとも約７５％〜少なくとも約９９％の間、少なくとも約７５％〜少なくとも約９５％の間、少なくとも約７５％〜少なくとも約９０％の間、少なくとも約７５％〜少なくとも約８５％の間、少なくとも約７５％〜少なくとも約８０％の間、少なくとも約８０％〜約１００％の間、少なくとも約８０％〜少なくとも約９９％の間、少なくとも約８０％〜少なくとも約９５％の間、少なくとも約８０％〜少なくとも約９０％の間、少なくとも約８５％〜約１００％の間、少なくとも約８５％〜少なくとも約９９％の間、少なくとも約８５％〜少なくとも約９５％の間、少なくとも約８５％〜少なくとも約９０％の間、少なくとも約９５％〜約１００％の間又は少なくとも約９５％〜少なくとも約９９％の間である。一部の実施形態において、感度は、少なくとも約６５．０％、少なくとも約７０．０％、少なくとも約７５．０％、少なくとも約８０．０％、少なくとも約８３．０％、少なくとも約８３．３％、少なくとも約８５．０％、少なくとも約８７．５％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。
【０２８４】
一部の実施形態において、特異度は、少なくとも約３０％〜約１００％の間、少なくとも約３０％〜約９９％の間、少なくとも約３０％〜約９５％の間、少なくとも約３０％〜約９０％の間、少なくとも約３０％〜約８５％の間、少なくとも約３０％〜約８０％の間、少なくとも約３０％〜約７５％の間、少なくとも約３０％〜約７０％の間、少なくとも約３０％〜約６０％の間、少なくとも約３０％〜約５０％の間、少なくとも約４０％〜約１００％の間、少なくとも約４０％〜約９９％の間、少なくとも約４０％〜約９５％の間、少なくとも約４０％〜約９０％の間、少なくとも約４０％〜約８５％の間、少なくとも約４０％〜約８０％の間、少なくとも約４０％〜約７５％の間、少なくとも約４０％〜約７０％の間、少なくとも約４０％〜約６０％の間、少なくとも約４０％〜約５０％の間、少なくとも約４５％〜約１００％の間、少なくとも約４５％〜約９９％の間、少なくとも約４５％〜約９５％の間、少なくとも約４５％〜約９０％の間、少なくとも約４５％〜約８５％の間、少なくとも約４５％〜約８０％の間、少なくとも約４５％〜約７５％の間、少なくとも約４５％〜約７０％の間、少なくとも約４５％〜約６０％の間、少なくとも約４５％〜約５０％の間、少なくとも約５０％〜約１００％の間、少なくとも約５０％〜約９９％の間、少なくとも約５０％〜約９５％の間、少なくとも約５０％〜約９０％の間、少なくとも約５０％〜約８５％の間、少なくとも約５０％〜約８０％の間、少なくとも約５０％〜約７５％の間、少なくとも約５０％〜約７０％の間、少なくとも約５０％〜約６０％の間、少なくとも約６０％〜約１００％の間、少なくとも約６０％〜約９９％の間、少なくとも約６０％〜約９５％の間、少なくとも約６０％〜約９０％の間、少なくとも約６０％〜約８５％の間、少なくとも約６０％〜約８０％の間、少なくとも約６０％〜約７５％の間、少なくとも約６０％〜約７０％の間、少なくとも約７０％〜約１００％の間、少なくとも約７０％〜約９９％の間、少なくとも約７０％〜約９５％の間、少なくとも約７０％〜約９０％の間、少なくとも約７０％〜約８５％の間、少なくとも約７０％〜約８０％の間、少なくとも約７０％〜約７５％の間、少なくとも約８０％〜約１００％の間、少なくとも約８０％〜約９９％の間、少なくとも約８０％〜約９５％の間、少なくとも約８０％〜約９０％の間、少なくとも約８０％〜約８５％の間、少なくとも約９０％〜約１００％の間、少なくとも約９０％〜約９９％の間、少なくとも約９０％〜約９５％の間、少なくとも約９５％〜約９９％の間又は少なくとも約９５％〜約１００％の間である。一部の実施形態において、特異度は、少なくとも約３０．０％、少なくとも約３１．０％、少なくとも約３２．０％、少なくとも約３３．０％、少なくとも約３４．０％、少なくとも約３５．０％、少なくとも約３６．０％、少なくとも約３７．０％、少なくとも約３８．０％、少なくとも約３９．０％、少なくとも約４０．０％、少なくとも約４５．０％、少なくとも約４９．２％、少なくとも約５０．０％、少なくとも約５４．９％、少なくとも約５５．０％、少なくとも約６０．０％、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約９９％であり、特異度は、少なくとも約７５％である、感度は、少なくとも約９９％であり、特異度は、少なくとも約９９％である、又は感度は、少なくとも約１００％であり、特異度は、少なくとも約１００％である。
【０２８５】
一部の実施形態において、心臓トロポニンＩの、試料中基準レベルは、約１．０ｐｇ／ｍＬ〜約５０．０ｐｇ／ｍＬ、約１．５ｐｇ／ｍＬ〜約５０．０ｐｇ／ｍＬ、約２．０ｐｇ／ｍＬ〜約５０．０ｐｇ／ｍＬ、約２．５ｐｇ／ｍＬ〜約５０．０ｐｇ／ｍＬ、約３．０ｐｇ／ｍＬ〜約５０．０ｐｇ／ｍＬ、約３．５ｐｇ／ｍＬ〜約５０．０ｐｇ／ｍＬ、約４．０ｐｇ／ｍＬ〜約５０．０ｐｇ／ｍＬ、約４．５ｐｇ／ｍＬ〜約５０．０ｐｇ／ｍＬ、約５．０ｐｇ／ｍＬ〜約５０．０ｐｇ／ｍＬ、約５．５ｐｇ／ｍＬ〜約５０．０ｐｇ／ｍＬ、約６．０ｐｇ／ｍＬ〜約５０．０ｐｇ／ｍＬ、約６．５ｐｇ／ｍＬ〜約５０．０ｐｇ／ｍＬ、約７．０ｐｇ／ｍＬ〜約５０．０ｐｇ／ｍＬ、約７．５ｐｇ／ｍＬ〜約５０．０ｐｇ／ｍＬ、約８．０ｐｇ／ｍＬ〜約５０．０ｐｇ／ｍＬ、約８．５ｐｇ／ｍＬ〜約５０．０ｐｇ／ｍＬ、約９．０ｐｇ／ｍＬ〜約５０．０ｐｇ／ｍＬ、約９．５ｐｇ／ｍＬ〜約５０．０ｐｇ／ｍＬ、約１０．０ｐｇ／ｍＬ〜約５０．０ｐｇ／ｍＬ、約１．０ｐｇ／ｍＬ〜約４０．０ｐｇ／ｍＬ、約１．５ｐｇ／ｍＬ〜約４０．０ｐｇ／ｍＬ、約２．０ｐｇ／ｍＬ〜約４０．０ｐｇ／ｍＬ、約２．５ｐｇ／ｍＬ〜約４０．０ｐｇ／ｍＬ、約３．０ｐｇ／ｍＬ〜約４０．０ｐｇ／ｍＬ、約３．５ｐｇ／ｍＬ〜約４０．０ｐｇ／ｍＬ、約４．０ｐｇ／ｍＬ〜約４０．０ｐｇ／ｍＬ、約４．５ｐｇ／ｍＬ〜約４０．０ｐｇ／ｍＬ、約５．０ｐｇ／ｍＬ〜約４０．０ｐｇ／ｍＬ、約５．５ｐｇ／ｍＬ〜約４０．０ｐｇ／ｍＬ、約６．０ｐｇ／ｍＬ〜約４０．０ｐｇ／ｍＬ、約６．５ｐｇ／ｍＬ〜約４０．０ｐｇ／ｍＬ、約７．０ｐｇ／ｍＬ〜約４０．０ｐｇ／ｍＬ、約７．５ｐｇ／ｍＬ〜約４０．０ｐｇ／ｍＬ、約８．０ｐｇ／ｍＬ〜約４０．０ｐｇ／ｍＬ、約８．５ｐｇ／ｍＬ〜約４０．０ｐｇ／ｍＬ、約９．０ｐｇ／ｍＬ〜約４０．０ｐｇ／ｍＬ、約９．５ｐｇ／ｍＬ〜約４０．０ｐｇ／ｍＬ、約１０．０ｐｇ／ｍＬ〜約４０．０ｐｇ／ｍＬ、約１．０ｐｇ／ｍＬ〜約３５．０ｐｇ／ｍＬ、約１．５ｐｇ／ｍＬ〜約３５．０ｐｇ／ｍＬ、約２．０ｐｇ／ｍＬ〜約３５．０ｐｇ／ｍＬ、約２．５ｐｇ／ｍＬ〜約３５．０ｐｇ／ｍＬ、約３．０ｐｇ／ｍＬ〜約３５．０ｐｇ／ｍＬ、約３．５ｐｇ／ｍＬ〜約３５．０ｐｇ／ｍＬ、約４．０ｐｇ／ｍＬ〜約３５．０ｐｇ／ｍＬ、約４．５ｐｇ／ｍＬ〜約３５．０ｐｇ／ｍＬ、約５．０ｐｇ／ｍＬ〜約３５．０ｐｇ／ｍＬ、約５．５ｐｇ／ｍＬ〜約３５．０ｐｇ／ｍＬ、約６．０ｐｇ／ｍＬ〜約３５．０ｐｇ／ｍＬ、約６．５ｐｇ／ｍＬ〜約３５．０ｐｇ／ｍＬ、約７．０ｐｇ／ｍＬ〜約３５．０ｐｇ／ｍＬ、約７．５ｐｇ／ｍＬ〜約３５．０ｐｇ／ｍＬ、約８．０ｐｇ／ｍＬ〜約３５．０ｐｇ／ｍＬ、約８．５ｐｇ／ｍＬ〜約３５．０ｐｇ／ｍＬ、約９．０ｐｇ／ｍＬ〜約３５．０ｐｇ／ｍＬ、約９．５ｐｇ／ｍＬ〜約３５．０ｐｇ／ｍＬ、約１０．０ｐｇ／ｍＬ〜約３５．０ｐｇ／ｍＬ、約１．０ｐｇ／ｍＬ〜約３０．０ｐｇ／ｍＬ、約１．５ｐｇ／ｍＬ〜約３０．０ｐｇ／ｍＬ、約２．０ｐｇ／ｍＬ〜約３０．０ｐｇ／ｍＬ、約２．５ｐｇ／ｍＬ〜約３０．０ｐｇ／ｍＬ、約３．０ｐｇ／ｍＬ〜約３０．０ｐｇ／ｍＬ、約３．５ｐｇ／ｍＬ〜約３０．０ｐｇ／ｍＬ、約４．０ｐｇ／ｍＬ〜約３０．０ｐｇ／ｍＬ、約４．５ｐｇ／ｍＬ〜約３０．０ｐｇ／ｍＬ、約５．０ｐｇ／ｍＬ〜約３０．０ｐｇ／ｍＬ、約５．５ｐｇ／ｍＬ〜約３０．０ｐｇ／ｍＬ、約６．０ｐｇ／ｍＬ〜約３０．０ｐｇ／ｍＬ、約６．５ｐｇ／ｍＬ〜約３０．０ｐｇ／ｍＬ、約７．０ｐｇ／ｍＬ〜約３０．０ｐｇ／ｍＬ、約７．５ｐｇ／ｍＬ〜約３０．０ｐｇ／ｍＬ、約８．０ｐｇ／ｍＬ〜約３０．０ｐｇ／ｍＬ、約８．５ｐｇ／ｍＬ〜約３０．０ｐｇ／ｍＬ、約９．０ｐｇ／ｍＬ〜約３０．０ｐｇ／ｍＬ、約９．５ｐｇ／ｍＬ〜約３０．０ｐｇ／ｍＬ、約１０．０ｐｇ／ｍＬ〜約３０．０ｐｇ／ｍＬ、約１．０ｐｇ／ｍＬ〜約２５．０ｐｇ／ｍＬ、約１．５ｐｇ／ｍＬ〜約２５．０ｐｇ／ｍＬ、約２．０ｐｇ／ｍＬ〜約２５．０ｐｇ／ｍＬ、約２．５ｐｇ／ｍＬ〜約２５．０ｐｇ／ｍＬ、約３．０ｐｇ／ｍＬ〜約２５．０ｐｇ／ｍＬ、約３．５ｐｇ／ｍＬ〜約２５．０ｐｇ／ｍＬ、約４．０ｐｇ／ｍＬ〜約２５．０ｐｇ／ｍＬ、約４．５ｐｇ／ｍＬ〜約２５．０ｐｇ／ｍＬ、約５．０ｐｇ／ｍＬ〜約２５．０ｐｇ／ｍＬ、約５．５ｐｇ／ｍＬ〜約２５．０ｐｇ／ｍＬ、約６．０ｐｇ／ｍＬ〜約２５．０ｐｇ／ｍＬ、約６．５ｐｇ／ｍＬ〜約２５．０ｐｇ／ｍＬ、約７．０ｐｇ／ｍＬ〜約２５．０ｐｇ／ｍＬ、約７．５ｐｇ／ｍＬ〜約２５．０ｐｇ／ｍＬ、約８．０ｐｇ／ｍＬ〜約２５．０ｐｇ／ｍＬ、約８．５ｐｇ／ｍＬ〜約２５．０ｐｇ／ｍＬ、約９．０ｐｇ／ｍＬ〜約２５．０ｐｇ／ｍＬ、約９．５ｐｇ／ｍＬ〜約２５．０ｐｇ／ｍＬ、約１０．０ｐｇ／ｍＬ〜約２５．０ｐｇ／ｍＬ、約１．０ｐｇ／ｍＬ〜約２４．０ｐｇ／ｍＬ、約１．５ｐｇ／ｍＬ〜約２４．０ｐｇ／ｍＬ、約２．０ｐｇ／ｍＬ〜約２４．０ｐｇ／ｍＬ、約２．５ｐｇ／ｍＬ〜約２４．０ｐｇ／ｍＬ、約３．０ｐｇ／ｍＬ〜約２４．０ｐｇ／ｍＬ、約３．５ｐｇ／ｍＬ〜約２４．０ｐｇ／ｍＬ、約４．０ｐｇ／ｍＬ〜約２４．０ｐｇ／ｍＬ、約４．５ｐｇ／ｍＬ〜約２４．０ｐｇ／ｍＬ、約５．０ｐｇ／ｍＬ〜約２４．０ｐｇ／ｍＬ、約５．５ｐｇ／ｍＬ〜約２４．０ｐｇ／ｍＬ、約６．０ｐｇ／ｍＬ〜約２４．０ｐｇ／ｍＬ、約６．５ｐｇ／ｍＬ〜約２４．０ｐｇ／ｍＬ、約７．０ｐｇ／ｍＬ〜約２４．０ｐｇ／ｍＬ、約７．５ｐｇ／ｍＬ〜約２４．０ｐｇ／ｍＬ、約８．０ｐｇ／ｍＬ〜約２４．０ｐｇ／ｍＬ、約８．５ｐｇ／ｍＬ〜約２４．０ｐｇ／ｍＬ、約９．０ｐｇ／ｍＬ〜約２４．０ｐｇ／ｍＬ、約９．５ｐｇ／ｍＬ〜約２４．０ｐｇ／ｍＬ、約１０．０ｐｇ／ｍＬ〜約２４．０ｐｇ／ｍＬ、約１．０ｐｇ／ｍＬ〜約２３．０ｐｇ／ｍＬ、約１．５ｐｇ／ｍＬ〜約２３．０ｐｇ／ｍＬ、約２．０ｐｇ／ｍＬ〜約２３．０ｐｇ／ｍＬ、約２．５ｐｇ／ｍＬ〜約２３．０ｐｇ／ｍＬ、約３．０ｐｇ／ｍＬ〜約２３．０ｐｇ／ｍＬ、約３．５ｐｇ／ｍＬ〜約２３．０ｐｇ／ｍＬ、約４．０ｐｇ／ｍＬ〜約２３．０ｐｇ／ｍＬ、約４．５ｐｇ／ｍＬ〜約２３．０ｐｇ／ｍＬ、約５．０ｐｇ／ｍＬ〜約２３．０ｐｇ／ｍＬ、約５．５ｐｇ／ｍＬ〜約２３．０ｐｇ／ｍＬ、約６．０ｐｇ／ｍＬ〜約２３．０ｐｇ／ｍＬ、約６．５ｐｇ／ｍＬ〜約２３．０ｐｇ／ｍＬ、約７．０ｐｇ／ｍＬ〜約２３．０ｐｇ／ｍＬ、約７．５ｐｇ／ｍＬ〜約２３．０ｐｇ／ｍＬ、約８．０ｐｇ／ｍＬ〜約２３．０ｐｇ／ｍＬ、約８．５ｐｇ／ｍＬ〜約２３．０ｐｇ／ｍＬ、約９．０ｐｇ／ｍＬ〜約２３．０ｐｇ／ｍＬ、約９．５ｐｇ／ｍＬ〜約２３．０ｐｇ／ｍＬ、約１０．０ｐｇ／ｍＬ〜約２３．０ｐｇ／ｍＬ、約１．０ｐｇ／ｍＬ〜約２２．０ｐｇ／ｍＬ、約１．５ｐｇ／ｍＬ〜約２２．０ｐｇ／ｍＬ、約２．０ｐｇ／ｍＬ〜約２２．０ｐｇ／ｍＬ、約２．５ｐｇ／ｍＬ〜約２２．０ｐｇ／ｍＬ、約３．０ｐｇ／ｍＬ〜約２２．０ｐｇ／ｍＬ、約３．５ｐｇ／ｍＬ〜約２２．０ｐｇ／ｍＬ、約４．０ｐｇ／ｍＬ〜約２２．０ｐｇ／ｍＬ、約４．５ｐｇ／ｍＬ〜約２２．０ｐｇ／ｍＬ、約５．０ｐｇ／ｍＬ〜約２２．０ｐｇ／ｍＬ、約５．５ｐｇ／ｍＬ〜約２２．０ｐｇ／ｍＬ、約６．０ｐｇ／ｍＬ〜約２２．０ｐｇ／ｍＬ、約６．５ｐｇ／ｍＬ〜約２２．０ｐｇ／ｍＬ、約７．０ｐｇ／ｍＬ〜約２２．０ｐｇ／ｍＬ、約７．５ｐｇ／ｍＬ〜約２２．０ｐｇ／ｍＬ、約８．０ｐｇ／ｍＬ〜約２２．０ｐｇ／ｍＬ、約８．５ｐｇ／ｍＬ〜約２２．０ｐｇ／ｍＬ、約９．０ｐｇ／ｍＬ〜約２２．０ｐｇ／ｍＬ、約９．５ｐｇ／ｍＬ〜約２２．０ｐｇ／ｍＬ、約１０．０ｐｇ／ｍＬ〜約２２．０ｐｇ／ｍＬ、約１．０ｐｇ／ｍＬ〜約２１．０ｐｇ／ｍＬ、約１．５ｐｇ／ｍＬ〜約２１．０ｐｇ／ｍＬ、約２．０ｐｇ／ｍＬ〜約２１．０ｐｇ／ｍＬ、約２．５ｐｇ／ｍＬ〜約２１．０ｐｇ／ｍＬ、約３．０ｐｇ／ｍＬ〜約２１．０ｐｇ／ｍＬ、約３．５ｐｇ／ｍＬ〜約２１．０ｐｇ／ｍＬ、約４．０ｐｇ／ｍＬ〜約２１．０ｐｇ／ｍＬ、約４．５ｐｇ／ｍＬ〜約２１．０ｐｇ／ｍＬ、約５．０ｐｇ／ｍＬ〜約２１．０ｐｇ／ｍＬ、約５．５ｐｇ／ｍＬ〜約２１．０ｐｇ／ｍＬ、約６．０ｐｇ／ｍＬ〜約２１．０ｐｇ／ｍＬ、約６．５ｐｇ／ｍＬ〜約２１．０ｐｇ／ｍＬ、約７．０ｐｇ／ｍＬ〜約２１．０ｐｇ／ｍＬ、約７．５ｐｇ／ｍＬ〜約２１．０ｐｇ／ｍＬ、約８．０ｐｇ／ｍＬ〜約２１．０ｐｇ／ｍＬ、約８．５ｐｇ／ｍＬ〜約２１．０ｐｇ／ｍＬ、約９．０ｐｇ／ｍＬ〜約２１．０ｐｇ／ｍＬ、約９．５ｐｇ／ｍＬ〜約２１．０ｐｇ／ｍＬ、約１０．０ｐｇ／ｍＬ〜約２１．０ｐｇ／ｍＬ、約１．０ｐｇ／ｍＬ〜約２０．０ｐｇ／ｍＬ、約１．５ｐｇ／ｍＬ〜約２０．０ｐｇ／ｍＬ、約２．０ｐｇ／ｍＬ〜約２０．０ｐｇ／ｍＬ、約２．５ｐｇ／ｍＬ〜約２０．０ｐｇ／ｍＬ、約３．０ｐｇ／ｍＬ〜約２０．０ｐｇ／ｍＬ、約３．５ｐｇ／ｍＬ〜約２０．０ｐｇ／ｍＬ、約４．０ｐｇ／ｍＬ〜約２０．０ｐｇ／ｍＬ、約４．５ｐｇ／ｍＬ〜約２０．０ｐｇ／ｍＬ、約５．０ｐｇ／ｍＬ〜約２０．０ｐｇ／ｍＬ、約５．５ｐｇ／ｍＬ〜約２０．０ｐｇ／ｍＬ、約６．０ｐｇ／ｍＬ〜約２０．０ｐｇ／ｍＬ、約６．５ｐｇ／ｍＬ〜約２０．０ｐｇ／ｍＬ、約７．０ｐｇ／ｍＬ〜約２０．０ｐｇ／ｍＬ、約７．５ｐｇ／ｍＬ〜約２０．０ｐｇ／ｍＬ、約８．０ｐｇ／ｍＬ〜約２０．０ｐｇ／ｍＬ、約８．５ｐｇ／ｍＬ〜約２０．０ｐｇ／ｍＬ、約９．０ｐｇ／ｍＬ〜約２０．０ｐｇ／ｍＬ、約９．５ｐｇ／ｍＬ〜約２０．０ｐｇ／ｍＬ、約１０．０ｐｇ／ｍＬ〜約２０．０ｐｇ／ｍＬ、約１．０ｐｇ／ｍＬ〜約１９．０ｐｇ／ｍＬ、約１．５ｐｇ／ｍＬ〜約１９．０ｐｇ／ｍＬ、約２．０ｐｇ／ｍＬ〜約１９．０ｐｇ／ｍＬ、約２．５ｐｇ／ｍＬ〜約１９．０ｐｇ／ｍＬ、約３．０ｐｇ／ｍＬ〜約１９．０ｐｇ／ｍＬ、約３．５ｐｇ／ｍＬ〜約１９．０ｐｇ／ｍＬ、約４．０ｐｇ／ｍＬ〜約１９．０ｐｇ／ｍＬ、約４．５ｐｇ／ｍＬ〜約１９．０ｐｇ／ｍＬ、約５．０ｐｇ／ｍＬ〜約１９．０ｐｇ／ｍＬ、約５．５ｐｇ／ｍＬ〜約１９．０ｐｇ／ｍＬ、約６．０ｐｇ／ｍＬ〜約１９．０ｐｇ／ｍＬ、約６．５ｐｇ／ｍＬ〜約１９．０ｐｇ／ｍＬ、約７．０ｐｇ／ｍＬ〜約１９．０ｐｇ／ｍＬ、約７．５ｐｇ／ｍＬ〜約１９．０ｐｇ／ｍＬ、約８．０ｐｇ／ｍＬ〜約１９．０ｐｇ／ｍＬ、約８．５ｐｇ／ｍＬ〜約１９．０ｐｇ／ｍＬ、約９．０ｐｇ／ｍＬ〜約１９．０ｐｇ／ｍＬ、約９．５ｐｇ／ｍＬ〜約１９．０ｐｇ／ｍＬ、約１０．０ｐｇ／ｍＬ〜約１９．０ｐｇ／ｍＬ、約１．０ｐｇ／ｍＬ〜約１８．０ｐｇ／ｍＬ、約１．５ｐｇ／ｍＬ〜約１８．０ｐｇ／ｍＬ、約２．０ｐｇ／ｍＬ〜約１８．０ｐｇ／ｍＬ、約２．５ｐｇ／ｍＬ〜約１８．０ｐｇ／ｍＬ、約３．０ｐｇ／ｍＬ〜約１８．０ｐｇ／ｍＬ、約３．５ｐｇ／ｍＬ〜約１８．０ｐｇ／ｍＬ、約４．０ｐｇ／ｍＬ〜約１８．０ｐｇ／ｍＬ、約４．５ｐｇ／ｍＬ〜約１８．０ｐｇ／ｍＬ、約５．０ｐｇ／ｍＬ〜約１８．０ｐｇ／ｍＬ、約５．５ｐｇ／ｍＬ〜約１８．０ｐｇ／ｍＬ、約６．０ｐｇ／ｍＬ〜約１８．０ｐｇ／ｍＬ、約６．５ｐｇ／ｍＬ〜約１８．０ｐｇ／ｍＬ、約７．０ｐｇ／ｍＬ〜約１８．０ｐｇ／ｍＬ、約７．５ｐｇ／ｍＬ〜約１８．０ｐｇ／ｍＬ、約８．０ｐｇ／ｍＬ〜約１８．０ｐｇ／ｍＬ、約８．５ｐｇ／ｍＬ〜約１８．０ｐｇ／ｍＬ、約９．０ｐｇ／ｍＬ〜約１８．０ｐｇ／ｍＬ、約９．５ｐｇ／ｍＬ〜約１８．０ｐｇ／ｍＬ、約１０．０ｐｇ／ｍＬ〜約１８．０ｐｇ／ｍＬ、約１．０ｐｇ／ｍＬ〜約１７．０ｐｇ／ｍＬ、約１．５ｐｇ／ｍＬ〜約１７．０ｐｇ／ｍＬ、約２．０ｐｇ／ｍＬ〜約１７．０ｐｇ／ｍＬ、約２．５ｐｇ／ｍＬ〜約１７．０ｐｇ／ｍＬ、約３．０ｐｇ／ｍＬ〜約１７．０ｐｇ／ｍＬ、約３．５ｐｇ／ｍＬ〜約１７．０ｐｇ／ｍＬ、約４．０ｐｇ／ｍＬ〜約１７．０ｐｇ／ｍＬ、約４．５ｐｇ／ｍＬ〜約１７．０ｐｇ／ｍＬ、約５．０ｐｇ／ｍＬ〜約１７．０ｐｇ／ｍＬ、約５．５ｐｇ／ｍＬ〜約１７．０ｐｇ／ｍＬ、約６．０ｐｇ／ｍＬ〜約１７．０ｐｇ／ｍＬ、約６．５ｐｇ／ｍＬ〜約１７．０ｐｇ／ｍＬ、約７．０ｐｇ／ｍＬ〜約１７．０ｐｇ／ｍＬ、約７．５ｐｇ／ｍＬ〜約１７．０
ｐｇ／ｍＬ、約８．０ｐｇ／ｍＬ〜約１７．０ｐｇ／ｍＬ、約８．５ｐｇ／ｍＬ〜約１７．０ｐｇ／ｍＬ、約９．０ｐｇ／ｍＬ〜約１７．０ｐｇ／ｍＬ、約９．５ｐｇ／ｍＬ〜約１７．０ｐｇ／ｍＬ、約１０．０ｐｇ／ｍＬ〜約１７．０ｐｇ／ｍＬ、約１．０ｐｇ／ｍＬ〜約１６．０ｐｇ／ｍＬ、約１．５ｐｇ／ｍＬ〜約１６．０ｐｇ／ｍＬ、約２．０ｐｇ／ｍＬ〜約１６．０ｐｇ／ｍＬ、約２．５ｐｇ／ｍＬ〜約１６．０ｐｇ／ｍＬ、約３．０ｐｇ／ｍＬ〜約１６．０ｐｇ／ｍＬ、約３．５ｐｇ／ｍＬ〜約１６．０ｐｇ／ｍＬ、約４．０ｐｇ／ｍＬ〜約１６．０ｐｇ／ｍＬ、約４．５ｐｇ／ｍＬ〜約１６．０ｐｇ／ｍＬ、約５．０ｐｇ／ｍＬ〜約１６．０ｐｇ／ｍＬ、約５．５ｐｇ／ｍＬ〜約１６．０ｐｇ／ｍＬ、約６．０ｐｇ／ｍＬ〜約１６．０ｐｇ／ｍＬ、約６．５ｐｇ／ｍＬ〜約１６．０ｐｇ／ｍＬ、約７．０ｐｇ／ｍＬ〜約１６．０ｐｇ／ｍＬ、約７．５ｐｇ／ｍＬ〜約１６．０ｐｇ／ｍＬ、約８．０ｐｇ／ｍＬ〜約１６．０ｐｇ／ｍＬ、約８．５ｐｇ／ｍＬ〜約１６．０ｐｇ／ｍＬ、約９．０ｐｇ／ｍＬ〜約１６．０ｐｇ／ｍＬ、約９．５ｐｇ／ｍＬ〜約１６．０ｐｇ／ｍＬ、約１０．０ｐｇ／ｍＬ〜約１６．０ｐｇ／ｍＬ、約１．０ｐｇ／ｍＬ〜約１５．０ｐｇ／ｍＬ、約１．５ｐｇ／ｍＬ〜約１５．０ｐｇ／ｍＬ、約２．０ｐｇ／ｍＬ〜約１５．０ｐｇ／ｍＬ、約２．５ｐｇ／ｍＬ〜約１５．０ｐｇ／ｍＬ、約３．０ｐｇ／ｍＬ〜約１５．０ｐｇ／ｍＬ、約３．５ｐｇ／ｍＬ〜約１５．０ｐｇ／ｍＬ、約４．０ｐｇ／ｍＬ〜約１５．０ｐｇ／ｍＬ、約４．５ｐｇ／ｍＬ〜約１５．０ｐｇ／ｍＬ、約５．０ｐｇ／ｍＬ〜約１５．０ｐｇ／ｍＬ、約５．５ｐｇ／ｍＬ〜約１５．０ｐｇ／ｍＬ、約６．０ｐｇ／ｍＬ〜約１５．０ｐｇ／ｍＬ、約６．５ｐｇ／ｍＬ〜約１５．０ｐｇ／ｍＬ、約７．０ｐｇ／ｍＬ〜約１５．０ｐｇ／ｍＬ、約７．５ｐｇ／ｍＬ〜約１５．０ｐｇ／ｍＬ、約８．０ｐｇ／ｍＬ〜約１５．０ｐｇ／ｍＬ、約８．５ｐｇ／ｍＬ〜約１５．０ｐｇ／ｍＬ、約９．０ｐｇ／ｍＬ〜約１５．０ｐｇ／ｍＬ、約９．５ｐｇ／ｍＬ〜約１５．０ｐｇ／ｍＬ又は約１０．０ｐｇ／ｍＬ〜約１５．０ｐｇ／ｍＬである。一部の実施形態において、心臓トロポニンＩの、試料中量は、約１．０ｐｇ／ｍＬ、約１．５ｐｇ／ｍＬ、約２．０ｐｇ／ｍＬ、約２．５ｐｇ／ｍＬ、約３．０ｐｇ／ｍＬ、約３．５ｐｇ／ｍＬ、約４．０ｐｇ／ｍＬ、約４．５ｐｇ／ｍＬ、約５．０ｐｇ／ｍＬ、約５．５ｐｇ／ｍＬ、約５．６ｐｇ／ｍＬ、約５．７ｐｇ／ｍＬ、約５．８ｐｇ／ｍＬ、約５．９ｐｇ／ｍＬ、約６．０ｐｇ／ｍＬ、約６．５ｐｇ／ｍＬ、約７．０ｐｇ／ｍＬ、約７．５ｐｇ／ｍＬ、約８．０ｐｇ／ｍＬ、約８．５ｐｇ／ｍＬ、約９．０ｐｇ／ｍＬ、約９．５ｐｇ／ｍＬ又は約１０．０ｐｇ／ｍＬである。
【０２８６】
一部の実施形態において、方法は、下記において記載される通り、転帰が思わしくないと予測されたヒト対象を、外傷性脳損傷処置により処置するステップをさらに含む。一部の実施形態において、方法は、下記において記載される通り、転帰が思わしくないと予測されたヒト対象をモニタリングするステップをさらに含む。一部の実施形態において、方法は、転帰が思わしくないと予測されたヒト対象における軽度ＴＢＩについての、さらなる臨床情報を得るように、さらなる検査を指図するステップをさらに含む。一部の実施形態において、方法は、下記において記載される通り、転帰が思わしくないとことが予測されるヒト対象を、心臓保護処置により処置して、心臓を保護するステップを含む。
【０２８７】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。このようなアッセイについては、本明細書の第１１〜１３節において、さらに詳細に記載されている。また、臨床化学フォーマット、例えば当業者に公知の臨床化学フォーマットのアッセイも利用されうる。例えば、臨床化学フォーマットは、１つの抗体を伴うアッセイ又は抗体を伴わないアッセイを含みうる。臨床化学フォーマットのために使用されうる解析器の例については、米国特許公開第２０１６／０３２０４２２号及び同第２０１５／０１１２６３０号において記載されている。
【０２８８】
７．心臓トロポニンＩ（ｃＴｎＩ）レベルの変化に基づき、軽度外傷性脳損傷を有する、ヒト対象の転帰を予測する一助となる、又はこれを予測する方法
本開示は、他の方法の中でとりわけ、軽度外傷性脳損傷を有するヒト対象の転帰（ＴＢＩ）を予測する一助となる（又はこれを予測する）、例えば、対象の転帰が、思わしくなくなる、又は陰性となるのか、転帰が思わしくなるのかを決定する方法に関する。本明細書において使用された、「対象の転帰が、思わしいのかどうかを決定すること」という語句は、対象の軽度ＴＢＩからの転帰が陽性である可能性が、そうでない場合より高いことを決定するのに、他の情報（例えば、臨床評価データ）と共に、前述の方法が使用されうるという事実を指す。加えて、本明細書において使用された、「対象の転帰が、思わしくないのかどうかを決定すること」という語句は、対象の軽度ＴＢＩからの転帰が思わしくない、又は陰性である可能性が、そうでない場合より高いことを決定するのに、他の情報（例えば、臨床評価データ）と共に、前述の方法が使用されうるという事実を指す。
【０２８９】
上述の通り、本明細書において記載された方法は、軽度ＴＢＩを伴うと診断された（１）対象の転帰が思わしい（任意選択的に、思わしい転帰は、対象が、完全に回復し、軽度ＴＢＩの、１つ以上の症状を被り続けないことでありうる）可能性；又は（２）対象の転帰が思わしくない（任意選択的に、思わしくない転帰は、対象が、完全に回復せず、軽度ＴＢＩの、１つ以上の症状を被り続けることでありうる）可能性が、そうでない場合より高いのかどうかを決定するのに使用されうる。
【０２９０】
代替的に、かつ、任意選択的に、思わしい転帰とは、対象が、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；又は（ｄ）睡眠障害（例えば、不眠症など）のような、軽度ＴＢＩの結果としての、１つを超える振盪後症候群の症状を患わない可能性が、そうでない場合より高いことを意味しうる。代替的に、かつ、任意選択的に、思わしくない転帰を有する対象は、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；（ｄ）睡眠障害（例えば、不眠症など）；又は（ｅ）（ａ）〜（ｄ）の任意の組合せのような、１つを超える振盪後症候群の症状を患う可能性が高い。代替的に、かつ、任意選択的に、思わしくない転帰とはまた、対象が、軽度ＴＢＩの、１つ以上の症状を呈示することも意味しうる。代替的に、かつ、任意選択的に、思わしくない転帰とはまた、対象の状態が、軽度ＴＢＩから、中等度、中等度〜重度又は重度へと悪化することも意味しうる。加えて、転帰が思わしい対象が、５以上のＧＯＳＥスコアを有する可能性が高いのに対し、転帰が思わしくない対象は、５未満のＧＯＳＥスコアを有する可能性が高い。
【０２９１】
本明細書において開示された方法は、頭部への損傷後、以内に、ヒト対象から得られた１つ以上の試料に対する、少なくとも２つ以上のアッセイを、２つ以上の異なる時点において実施するステップ、及びこれらの時点の各々において、心臓トロポニンＩのレベルを決定するステップを含みうる。心臓トロポニンＩの、試料中量又は試料中レベルが、第１の（又は先行）試料から、後続（例えば、第２の）試料へと上昇した場合、対象は、例えば、６カ月後における転帰が思わしくない、又はより重度の外傷性脳損傷を有することが予測されるという決定がなされる。しかし、心臓トロポニンＩの、試料中量又は試料中レベルが、第１の（又は先行）試料から、後続（例えば、第２の）試料へと、同じレベルを維持した、又は低下した場合、対象は、６カ月後における転帰が思わしい、又はそれほど重度ではない外傷性脳損傷を有することが予測されるという決定がなされる。
【０２９２】
具体的に、このような方法は、（ａ）ヒト対象に由来する試料に対するアッセイを実施して、第１の試料中及び第２の試料中の、心臓トロポニンＩのレベルを測定又は検出するステップであって、第１の試料が、ヒト対象から、頭部への損傷後２４時間以内の第１の時点において採取され、第２の試料が、ヒト対象から、第１の試料の約０時間〜６時間後に採取され、試料が、生物学的試料であるステップ；（ｂ）心臓トロポニンＩの量が、第１の試料から第２の試料へと、上昇したのか、低下したのかを決定するステップ；及び（ｃ）検出された心臓トロポニンＩのレベルが、第１の試料から第２の試料へと、上昇した場合に、ヒト対象において、思わしくない転帰又は陰性の転帰を予測するステップを含みうる。一部の実施形態において、ヒト対象は、第１の試料から第２の試料へと、少なくともある絶対量だけの上昇が見られる場合に、転帰が思わしくない、又は陽性であると予測される。一部の実施形態において、ヒト対象は、検出された心臓トロポニンＩのレベルが、第１の試料から第２の試料へと、少なくとも約２０％上昇した場合に、転帰が思わしくない、又は陰性であると予測され、ヒト対象は、検出された心臓トロポニンＩのレベルが、第１の試料から第２の試料へと、約２０％未満上昇したように、不変を維持した、低下した、又は上昇した場合に、ヒト対象における、転帰が思わしいと予測される。
【０２９３】
第１の（又は先行）試料は、頭部への損傷から、０分間、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。一部の実施形態において、第１の（又は先行）試料は、推測される損傷後約０〜約１時間以内に、約０〜約２時間以内に、約０〜約３時間以内に、約０〜約４時間以内に、約０〜約５時間以内に、約０〜約６時間以内に、約０〜約７時間以内に、約０〜約８時間以内に、約０〜約９時間以内に、約０〜約１０時間以内に、約０〜約１１時間以内に、約０〜約１２時間以内に、約０〜約１８時間以内に、約６〜約１２時間以内に、約１２〜約１８時間以内に、約１８〜約２４時間以内に、又は２４時間を超える時間後に採取される。第２の（又は後続）試料は、第１の（又は最新）試料を得た、約０時間〜６時間後に得られうる。一部の実施形態において、第２の（又は後続）試料は、第１の試料が、対象から採取された後、少なくとも約３０分以内に、少なくとも約１時間以内に、少なくとも約２時間以内に、少なくとも約３時間以内に、少なくとも約４時間以内に、少なくとも約５時間以内に、又は少なくとも約６時間以内に対象から採取される。
【０２９４】
一部の実施形態において、対象は、検出された心臓トロポニンＩのレベルが、第１の試料から第２の試料へと、上昇した場合に、転帰が思わしくないと予測される。例えば、対象は、検出された心臓トロポニンＩのレベルが、第１の試料から第２の試料へと、少なくとも約１５％、少なくとも約２０％、少なくとも約２５％、少なくとも約３０％、少なくとも約４０％、少なくとも約５０％、少なくとも約６０％、少なくとも約７０％、少なくとも約８０％、少なくとも約９０％、少なくとも約１００％、少なくとも約２５０％、少なくとも約５００％又は少なくとも約１０００％上昇した場合に、転帰が思わしくないと予測されうる。一部の実施形態において、対象は、検出された心臓トロポニンＩのレベルが、第１の試料から第２の試料へと、少なくとも約２０％上昇した場合に、転帰が思わしくないと予測されうる。
【０２９５】
一部の実施形態において、対象は、心臓トロポニンのレベルが、１つ以上の時点において、決定される前に、又は決定された後において、ＧＣＳ（Ｇｌａｓｇｏｗ  Ｃｏｍａ  Ｓｃａｌｅ）スコアを受けている場合がある。ある特定の実施形態において、対象は、ＧＣＳ（Ｇｌａｓｇｏｗ  Ｃｏｍａ  Ｓｃａｌｅ）スコアに基づき、軽度外傷性脳損傷を有することが推測されうる。ある特定の実施形態において、対象は、異常な頭部ＣＴに基づき、軽度外傷性脳損傷を有することが推測されうる。一部の実施形態において、対象は、アッセイが実施される前に、又は実施された後において、ＣＴスキャンを受けている。一部の実施形態において、対象は、正常な頭部ＣＴスキャンを有する。
【０２９６】
一部の実施形態において、対象は、アッセイが実施された後において、ＧＯＳＥスコアを受けている。一部の実施形態において、対象は、ＧＯＳＥスコアに基づき、転帰が思わしくないと推測される。一部の実施形態において、対象は、推測される損傷の１カ月、２カ月、３カ月、４カ月、５カ月又は６カ月後において、５未満のＧＯＳＥスコアを有する。一部の実施形態において、ｃＴｎＩのレベルの上昇は、転帰が思わしくない対象と相関する。一部の実施形態において、ｃＴｎＩのレベルの上昇は、１〜５のＧＯＳＥスコアと相関する。一部の実施形態において、対象は、ＧＯＳＥスコアに基づき、転帰が思わしいと推測される。一部の実施形態において、ｃＴｎＩのレベルの低下又は不変は、転帰が思わしい対象と相関する。一部の実施形態において、ｃＴｎＩのレベルの低下又は不変は、６〜８のＧＯＳＥスコアと相関する。
【０２９７】
一部の実施形態において、ｃＴｎＩのレベルの上昇は、中等度〜重度の外傷性脳損傷のような、より重度の外傷性脳損傷を有する対象と相関する。一部の実施形態において、ｃＴｎＩのレベルの上昇は、３〜１２のＧＣＳ（Ｇｌａｓｇｏｗ  Ｃｏｍａ  Ｓｃａｌｅ）スコアと相関する。一部の実施形態において、対象は、ＧＣＳ（Ｇｌａｓｇｏｗ  Ｃｏｍａ  Ｓｃａｌｅ）スコアに基づき、軽度外傷性脳損傷を有すると推測される。一部の実施形態において、ｃＴｎＩのレベルの低下又は不変は、軽度外傷性脳損傷のような、それほど重度ではない外傷性脳損傷を有する対象と相関する。一部の実施形態において、ｃＴｎＩのレベルの低下又は不変は、１３〜１５のＧＣＳ（Ｇｌａｓｇｏｗ  Ｃｏｍａ  Ｓｃａｌｅ）スコアと相関する。
【０２９８】
一部の実施形態において、方法は、試料を、対象から得、試料を、心臓トロポニンＩに対する抗体と接触させて、抗体と心臓トロポニンＩとの複合体の形成を可能とするステップを含みうる。方法はまた、結果として得られる抗体−心臓トロポニンＩ複合体を検出するステップも含む。
【０２９９】
一部の実施形態において、心臓トロポニンＩの、第１の試料中又は先行試料中の量は、約１．０ｐｇ／ｍＬ〜約５０．０ｐｇ／ｍＬ、約１．５ｐｇ／ｍＬ〜約５０．０ｐｇ／ｍＬ、約２．０ｐｇ／ｍＬ〜約５０．０ｐｇ／ｍＬ、約２．５ｐｇ／ｍＬ〜約５０．０ｐｇ／ｍＬ、約３．０ｐｇ／ｍＬ〜約５０．０ｐｇ／ｍＬ、約３．５ｐｇ／ｍＬ〜約５０．０ｐｇ／ｍＬ、約４．０ｐｇ／ｍＬ〜約５０．０ｐｇ／ｍＬ、約４．５ｐｇ／ｍＬ〜約５０．０ｐｇ／ｍＬ、約５．０ｐｇ／ｍＬ〜約５０．０ｐｇ／ｍＬ、約５．５ｐｇ／ｍＬ〜約５０．０ｐｇ／ｍＬ、約６．０ｐｇ／ｍＬ〜約５０．０ｐｇ／ｍＬ、約６．５ｐｇ／ｍＬ〜約５０．０ｐｇ／ｍＬ、約７．０ｐｇ／ｍＬ〜約５０．０ｐｇ／ｍＬ、約７．５ｐｇ／ｍＬ〜約５０．０ｐｇ／ｍＬ、約８．０ｐｇ／ｍＬ〜約５０．０ｐｇ／ｍＬ、約８．５ｐｇ／ｍＬ〜約５０．０ｐｇ／ｍＬ、約９．０ｐｇ／ｍＬ〜約５０．０ｐｇ／ｍＬ、約９．５ｐｇ／ｍＬ〜約５０．０ｐｇ／ｍＬ、約１０．０ｐｇ／ｍＬ〜約５０．０ｐｇ／ｍＬ、約１．０ｐｇ／ｍＬ〜約４０．０ｐｇ／ｍＬ、約１．５ｐｇ／ｍＬ〜約４０．０ｐｇ／ｍＬ、約２．０ｐｇ／ｍＬ〜約４０．０ｐｇ／ｍＬ、約２．５ｐｇ／ｍＬ〜約４０．０ｐｇ／ｍＬ、約３．０ｐｇ／ｍＬ〜約４０．０ｐｇ／ｍＬ、約３．５ｐｇ／ｍＬ〜約４０．０ｐｇ／ｍＬ、約４．０ｐｇ／ｍＬ〜約４０．０ｐｇ／ｍＬ、約４．５ｐｇ／ｍＬ〜約４０．０ｐｇ／ｍＬ、約５．０ｐｇ／ｍＬ〜約４０．０ｐｇ／ｍＬ、約５．５ｐｇ／ｍＬ〜約４０．０ｐｇ／ｍＬ、約６．０ｐｇ／ｍＬ〜約４０．０ｐｇ／ｍＬ、約６．５ｐｇ／ｍＬ〜約４０．０ｐｇ／ｍＬ、約７．０ｐｇ／ｍＬ〜約４０．０ｐｇ／ｍＬ、約７．５ｐｇ／ｍＬ〜約４０．０ｐｇ／ｍＬ、約８．０ｐｇ／ｍＬ〜約４０．０ｐｇ／ｍＬ、約８．５ｐｇ／ｍＬ〜約４０．０ｐｇ／ｍＬ、約９．０ｐｇ／ｍＬ〜約４０．０ｐｇ／ｍＬ、約９．５ｐｇ／ｍＬ〜約４０．０ｐｇ／ｍＬ、約１０．０ｐｇ／ｍＬ〜約４０．０ｐｇ／ｍＬ、約１．０ｐｇ／ｍＬ〜約３５．０ｐｇ／ｍＬ、約１．５ｐｇ／ｍＬ〜約３５．０ｐｇ／ｍＬ、約２．０ｐｇ／ｍＬ〜約３５．０ｐｇ／ｍＬ、約２．５ｐｇ／ｍＬ〜約３５．０ｐｇ／ｍＬ、約３．０ｐｇ／ｍＬ〜約３５．０ｐｇ／ｍＬ、約３．５ｐｇ／ｍＬ〜約３５．０ｐｇ／ｍＬ、約４．０ｐｇ／ｍＬ〜約３５．０ｐｇ／ｍＬ、約４．５ｐｇ／ｍＬ〜約３５．０ｐｇ／ｍＬ、約５．０ｐｇ／ｍＬ〜約３５．０ｐｇ／ｍＬ、約５．５ｐｇ／ｍＬ〜約３５．０ｐｇ／ｍＬ、約６．０ｐｇ／ｍＬ〜約３５．０ｐｇ／ｍＬ、約６．５ｐｇ／ｍＬ〜約３５．０ｐｇ／ｍＬ、約７．０ｐｇ／ｍＬ〜約３５．０ｐｇ／ｍＬ、約７．５ｐｇ／ｍＬ〜約３５．０ｐｇ／ｍＬ、約８．０ｐｇ／ｍＬ〜約３５．０ｐｇ／ｍＬ、約８．５ｐｇ／ｍＬ〜約３５．０ｐｇ／ｍＬ、約９．０ｐｇ／ｍＬ〜約３５．０ｐｇ／ｍＬ、約９．５ｐｇ／ｍＬ〜約３５．０ｐｇ／ｍＬ、約１０．０ｐｇ／ｍＬ〜約３５．０ｐｇ／ｍＬ、約１．０ｐｇ／ｍＬ〜約３０．０ｐｇ／ｍＬ、約１．５ｐｇ／ｍＬ〜約３０．０ｐｇ／ｍＬ、約２．０ｐｇ／ｍＬ〜約３０．０ｐｇ／ｍＬ、約２．５ｐｇ／ｍＬ〜約３０．０ｐｇ／ｍＬ、約３．０ｐｇ／ｍＬ〜約３０．０ｐｇ／ｍＬ、約３．５ｐｇ／ｍＬ〜約３０．０ｐｇ／ｍＬ、約４．０ｐｇ／ｍＬ〜約３０．０ｐｇ／ｍＬ、約４．５ｐｇ／ｍＬ〜約３０．０ｐｇ／ｍＬ、約５．０ｐｇ／ｍＬ〜約３０．０ｐｇ／ｍＬ、約５．５ｐｇ／ｍＬ〜約３０．０ｐｇ／ｍＬ、約６．０ｐｇ／ｍＬ〜約３０．０ｐｇ／ｍＬ、約６．５ｐｇ／ｍＬ〜約３０．０ｐｇ／ｍＬ、約７．０ｐｇ／ｍＬ〜約３０．０ｐｇ／ｍＬ、約７．５ｐｇ／ｍＬ〜約３０．０ｐｇ／ｍＬ、約８．０ｐｇ／ｍＬ〜約３０．０ｐｇ／ｍＬ、約８．５ｐｇ／ｍＬ〜約３０．０ｐｇ／ｍＬ、約９．０ｐｇ／ｍＬ〜約３０．０ｐｇ／ｍＬ、約９．５ｐｇ／ｍＬ〜約３０．０ｐｇ／ｍＬ、約１０．０ｐｇ／ｍＬ〜約３０．０ｐｇ／ｍＬ、約１．０ｐｇ／ｍＬ〜約２５．０ｐｇ／ｍＬ、約１．５ｐｇ／ｍＬ〜約２５．０ｐｇ／ｍＬ、約２．０ｐｇ／ｍＬ〜約２５．０ｐｇ／ｍＬ、約２．５ｐｇ／ｍＬ〜約２５．０ｐｇ／ｍＬ、約３．０ｐｇ／ｍＬ〜約２５．０ｐｇ／ｍＬ、約３．５ｐｇ／ｍＬ〜約２５．０ｐｇ／ｍＬ、約４．０ｐｇ／ｍＬ〜約２５．０ｐｇ／ｍＬ、約４．５ｐｇ／ｍＬ〜約２５．０ｐｇ／ｍＬ、約５．０ｐｇ／ｍＬ〜約２５．０ｐｇ／ｍＬ、約５．５ｐｇ／ｍＬ〜約２５．０ｐｇ／ｍＬ、約６．０ｐｇ／ｍＬ〜約２５．０ｐｇ／ｍＬ、約６．５ｐｇ／ｍＬ〜約２５．０ｐｇ／ｍＬ、約７．０ｐｇ／ｍＬ〜約２５．０ｐｇ／ｍＬ、約７．５ｐｇ／ｍＬ〜約２５．０ｐｇ／ｍＬ、約８．０ｐｇ／ｍＬ〜約２５．０ｐｇ／ｍＬ、約８．５ｐｇ／ｍＬ〜約２５．０ｐｇ／ｍＬ、約９．０ｐｇ／ｍＬ〜約２５．０ｐｇ／ｍＬ、約９．５ｐｇ／ｍＬ〜約２５．０ｐｇ／ｍＬ、約１０．０ｐｇ／ｍＬ〜約２５．０ｐｇ／ｍＬ、約１．０ｐｇ／ｍＬ〜約２４．０ｐｇ／ｍＬ、約１．５ｐｇ／ｍＬ〜約２４．０ｐｇ／ｍＬ、約２．０ｐｇ／ｍＬ〜約２４．０ｐｇ／ｍＬ、約２．５ｐｇ／ｍＬ〜約２４．０ｐｇ／ｍＬ、約３．０ｐｇ／ｍＬ〜約２４．０ｐｇ／ｍＬ、約３．５ｐｇ／ｍＬ〜約２４．０ｐｇ／ｍＬ、約４．０ｐｇ／ｍＬ〜約２４．０ｐｇ／ｍＬ、約４．５ｐｇ／ｍＬ〜約２４．０ｐｇ／ｍＬ、約５．０ｐｇ／ｍＬ〜約２４．０ｐｇ／ｍＬ、約５．５ｐｇ／ｍＬ〜約２４．０ｐｇ／ｍＬ、約６．０ｐｇ／ｍＬ〜約２４．０ｐｇ／ｍＬ、約６．５ｐｇ／ｍＬ〜約２４．０ｐｇ／ｍＬ、約７．０ｐｇ／ｍＬ〜約２４．０ｐｇ／ｍＬ、約７．５ｐｇ／ｍＬ〜約２４．０ｐｇ／ｍＬ、約８．０ｐｇ／ｍＬ〜約２４．０ｐｇ／ｍＬ、約８．５ｐｇ／ｍＬ〜約２４．０ｐｇ／ｍＬ、約９．０ｐｇ／ｍＬ〜約２４．０ｐｇ／ｍＬ、約９．５ｐｇ／ｍＬ〜約２４．０ｐｇ／ｍＬ、約１０．０ｐｇ／ｍＬ〜約２４．０ｐｇ／ｍＬ、約１．０ｐｇ／ｍＬ〜約２３．０ｐｇ／ｍＬ、約１．５ｐｇ／ｍＬ〜約２３．０ｐｇ／ｍＬ、約２．０ｐｇ／ｍＬ〜約２３．０ｐｇ／ｍＬ、約２．５ｐｇ／ｍＬ〜約２３．０ｐｇ／ｍＬ、約３．０ｐｇ／ｍＬ〜約２３．０ｐｇ／ｍＬ、約３．５ｐｇ／ｍＬ〜約２３．０ｐｇ／ｍＬ、約４．０ｐｇ／ｍＬ〜約２３．０ｐｇ／ｍＬ、約４．５ｐｇ／ｍＬ〜約２３．０ｐｇ／ｍＬ、約５．０ｐｇ／ｍＬ〜約２３．０ｐｇ／ｍＬ、約５．５ｐｇ／ｍＬ〜約２３．０ｐｇ／ｍＬ、約６．０ｐｇ／ｍＬ〜約２３．０ｐｇ／ｍＬ、約６．５ｐｇ／ｍＬ〜約２３．０ｐｇ／ｍＬ、約７．０ｐｇ／ｍＬ〜約２３．０ｐｇ／ｍＬ、約７．５ｐｇ／ｍＬ〜約２３．０ｐｇ／ｍＬ、約８．０ｐｇ／ｍＬ〜約２３．０ｐｇ／ｍＬ、約８．５ｐｇ／ｍＬ〜約２３．０ｐｇ／ｍＬ、約９．０ｐｇ／ｍＬ〜約２３．０ｐｇ／ｍＬ、約９．５ｐｇ／ｍＬ〜約２３．０ｐｇ／ｍＬ、約１０．０ｐｇ／ｍＬ〜約２３．０ｐｇ／ｍＬ、約１．０ｐｇ／ｍＬ〜約２２．０ｐｇ／ｍＬ、約１．５ｐｇ／ｍＬ〜約２２．０ｐｇ／ｍＬ、約２．０ｐｇ／ｍＬ〜約２２．０ｐｇ／ｍＬ、約２．５ｐｇ／ｍＬ〜約２２．０ｐｇ／ｍＬ、約３．０ｐｇ／ｍＬ〜約２２．０ｐｇ／ｍＬ、約３．５ｐｇ／ｍＬ〜約２２．０ｐｇ／ｍＬ、約４．０ｐｇ／ｍＬ〜約２２．０ｐｇ／ｍＬ、約４．５ｐｇ／ｍＬ〜約２２．０ｐｇ／ｍＬ、約５．０ｐｇ／ｍＬ〜約２２．０ｐｇ／ｍＬ、約５．５ｐｇ／ｍＬ〜約２２．０ｐｇ／ｍＬ、約６．０ｐｇ／ｍＬ〜約２２．０ｐｇ／ｍＬ、約６．５ｐｇ／ｍＬ〜約２２．０ｐｇ／ｍＬ、約７．０ｐｇ／ｍＬ〜約２２．０ｐｇ／ｍＬ、約７．５ｐｇ／ｍＬ〜約２２．０ｐｇ／ｍＬ、約８．０ｐｇ／ｍＬ〜約２２．０ｐｇ／ｍＬ、約８．５ｐｇ／ｍＬ〜約２２．０ｐｇ／ｍＬ、約９．０ｐｇ／ｍＬ〜約２２．０ｐｇ／ｍＬ、約９．５ｐｇ／ｍＬ〜約２２．０ｐｇ／ｍＬ、約１０．０ｐｇ／ｍＬ〜約２２．０ｐｇ／ｍＬ、約１．０ｐｇ／ｍＬ〜約２１．０ｐｇ／ｍＬ、約１．５ｐｇ／ｍＬ〜約２１．０ｐｇ／ｍＬ、約２．０ｐｇ／ｍＬ〜約２１．０ｐｇ／ｍＬ、約２．５ｐｇ／ｍＬ〜約２１．０ｐｇ／ｍＬ、約３．０ｐｇ／ｍＬ〜約２１．０ｐｇ／ｍＬ、約３．５ｐｇ／ｍＬ〜約２１．０ｐｇ／ｍＬ、約４．０ｐｇ／ｍＬ〜約２１．０ｐｇ／ｍＬ、約４．５ｐｇ／ｍＬ〜約２１．０ｐｇ／ｍＬ、約５．０ｐｇ／ｍＬ〜約２１．０ｐｇ／ｍＬ、約５．５ｐｇ／ｍＬ〜約２１．０ｐｇ／ｍＬ、約６．０ｐｇ／ｍＬ〜約２１．０ｐｇ／ｍＬ、約６．５ｐｇ／ｍＬ〜約２１．０ｐｇ／ｍＬ、約７．０ｐｇ／ｍＬ〜約２１．０ｐｇ／ｍＬ、約７．５ｐｇ／ｍＬ〜約２１．０ｐｇ／ｍＬ、約８．０ｐｇ／ｍＬ〜約２１．０ｐｇ／ｍＬ、約８．５ｐｇ／ｍＬ〜約２１．０ｐｇ／ｍＬ、約９．０ｐｇ／ｍＬ〜約２１．０ｐｇ／ｍＬ、約９．５ｐｇ／ｍＬ〜約２１．０ｐｇ／ｍＬ、約１０．０ｐｇ／ｍＬ〜約２１．０ｐｇ／ｍＬ、約１．０ｐｇ／ｍＬ〜約２０．０ｐｇ／ｍＬ、約１．５ｐｇ／ｍＬ〜約２０．０ｐｇ／ｍＬ、約２．０ｐｇ／ｍＬ〜約２０．０ｐｇ／ｍＬ、約２．５ｐｇ／ｍＬ〜約２０．０ｐｇ／ｍＬ、約３．０ｐｇ／ｍＬ〜約２０．０ｐｇ／ｍＬ、約３．５ｐｇ／ｍＬ〜約２０．０ｐｇ／ｍＬ、約４．０ｐｇ／ｍＬ〜約２０．０ｐｇ／ｍＬ、約４．５ｐｇ／ｍＬ〜約２０．０ｐｇ／ｍＬ、約５．０ｐｇ／ｍＬ〜約２０．０ｐｇ／ｍＬ、約５．５ｐｇ／ｍＬ〜約２０．０ｐｇ／ｍＬ、約６．０ｐｇ／ｍＬ〜約２０．０ｐｇ／ｍＬ、約６．５ｐｇ／ｍＬ〜約２０．０ｐｇ／ｍＬ、約７．０ｐｇ／ｍＬ〜約２０．０ｐｇ／ｍＬ、約７．５ｐｇ／ｍＬ〜約２０．０ｐｇ／ｍＬ、約８．０ｐｇ／ｍＬ〜約２０．０ｐｇ／ｍＬ、約８．５ｐｇ／ｍＬ〜約２０．０ｐｇ／ｍＬ、約９．０ｐｇ／ｍＬ〜約２０．０ｐｇ／ｍＬ、約９．５ｐｇ／ｍＬ〜約２０．０ｐｇ／ｍＬ、約１０．０ｐｇ／ｍＬ〜約２０．０ｐｇ／ｍＬ、約１．０ｐｇ／ｍＬ〜約１９．０ｐｇ／ｍＬ、約１．５ｐｇ／ｍＬ〜約１９．０ｐｇ／ｍＬ、約２．０ｐｇ／ｍＬ〜約１９．０ｐｇ／ｍＬ、約２．５ｐｇ／ｍＬ〜約１９．０ｐｇ／ｍＬ、約３．０ｐｇ／ｍＬ〜約１９．０ｐｇ／ｍＬ、約３．５ｐｇ／ｍＬ〜約１９．０ｐｇ／ｍＬ、約４．０ｐｇ／ｍＬ〜約１９．０ｐｇ／ｍＬ、約４．５ｐｇ／ｍＬ〜約１９．０ｐｇ／ｍＬ、約５．０ｐｇ／ｍＬ〜約１９．０ｐｇ／ｍＬ、約５．５ｐｇ／ｍＬ〜約１９．０ｐｇ／ｍＬ、約６．０ｐｇ／ｍＬ〜約１９．０ｐｇ／ｍＬ、約６．５ｐｇ／ｍＬ〜約１９．０ｐｇ／ｍＬ、約７．０ｐｇ／ｍＬ〜約１９．０ｐｇ／ｍＬ、約７．５ｐｇ／ｍＬ〜約１９．０ｐｇ／ｍＬ、約８．０ｐｇ／ｍＬ〜約１９．０ｐｇ／ｍＬ、約８．５ｐｇ／ｍＬ〜約１９．０ｐｇ／ｍＬ、約９．０ｐｇ／ｍＬ〜約１９．０ｐｇ／ｍＬ、約９．５ｐｇ／ｍＬ〜約１９．０ｐｇ／ｍＬ、約１０．０ｐｇ／ｍＬ〜約１９．０ｐｇ／ｍＬ、約１．０ｐｇ／ｍＬ〜約１８．０ｐｇ／ｍＬ、約１．５ｐｇ／ｍＬ〜約１８．０ｐｇ／ｍＬ、約２．０ｐｇ／ｍＬ〜約１８．０ｐｇ／ｍＬ、約２．５ｐｇ／ｍＬ〜約１８．０ｐｇ／ｍＬ、約３．０ｐｇ／ｍＬ〜約１８．０ｐｇ／ｍＬ、約３．５ｐｇ／ｍＬ〜約１８．０ｐｇ／ｍＬ、約４．０ｐｇ／ｍＬ〜約１８．０ｐｇ／ｍＬ、約４．５ｐｇ／ｍＬ〜約１８．０ｐｇ／ｍＬ、約５．０ｐｇ／ｍＬ〜約１８．０ｐｇ／ｍＬ、約５．５ｐｇ／ｍＬ〜約１８．０ｐｇ／ｍＬ、約６．０ｐｇ／ｍＬ〜約１８．０ｐｇ／ｍＬ、約６．５ｐｇ／ｍＬ〜約１８．０ｐｇ／ｍＬ、約７．０ｐｇ／ｍＬ〜約１８．０ｐｇ／ｍＬ、約７．５ｐｇ／ｍＬ〜約１８．０ｐｇ／ｍＬ、約８．０ｐｇ／ｍＬ〜約１８．０ｐｇ／ｍＬ、約８．５ｐｇ／ｍＬ〜約１８．０ｐｇ／ｍＬ、約９．０ｐｇ／ｍＬ〜約１８．０ｐｇ／ｍＬ、約９．５ｐｇ／ｍＬ〜約１８．０ｐｇ／ｍＬ、約１０．０ｐｇ／ｍＬ〜約１８．０ｐｇ／ｍＬ、約１．０ｐｇ／ｍＬ〜約１７．０ｐｇ／ｍＬ、約１．５ｐｇ／ｍＬ〜約１７．０ｐｇ／ｍＬ、約２．０ｐｇ／ｍＬ〜約１７．０ｐｇ／ｍＬ、約２．５ｐｇ／ｍＬ〜約１７．０ｐｇ／ｍＬ、約３．０ｐｇ／ｍＬ〜約１７．０ｐｇ／ｍＬ、約３．５ｐｇ／ｍＬ〜約１７．０ｐｇ／ｍＬ、約４．０ｐｇ／ｍＬ〜約１７．０ｐｇ／ｍＬ、約４．５ｐｇ／ｍＬ〜約１７．０ｐｇ／ｍＬ、約５．０ｐｇ／ｍＬ〜約１７．０ｐｇ／ｍＬ、約５．５ｐｇ／ｍＬ〜約１７．０ｐｇ／ｍＬ、約６．０ｐｇ／ｍＬ〜約１７．０ｐｇ／ｍＬ、約６．５ｐｇ／ｍＬ〜約１７．０ｐｇ／ｍＬ、約７．０ｐｇ／ｍＬ〜約１７．０ｐｇ／ｍＬ、約７．５ｐｇ／ｍ
Ｌ〜約１７．０ｐｇ／ｍＬ、約８．０ｐｇ／ｍＬ〜約１７．０ｐｇ／ｍＬ、約８．５ｐｇ／ｍＬ〜約１７．０ｐｇ／ｍＬ、約９．０ｐｇ／ｍＬ〜約１７．０ｐｇ／ｍＬ、約９．５ｐｇ／ｍＬ〜約１７．０ｐｇ／ｍＬ、約１０．０ｐｇ／ｍＬ〜約１７．０ｐｇ／ｍＬ、約１．０ｐｇ／ｍＬ〜約１６．０ｐｇ／ｍＬ、約１．５ｐｇ／ｍＬ〜約１６．０ｐｇ／ｍＬ、約２．０ｐｇ／ｍＬ〜約１６．０ｐｇ／ｍＬ、約２．５ｐｇ／ｍＬ〜約１６．０ｐｇ／ｍＬ、約３．０ｐｇ／ｍＬ〜約１６．０ｐｇ／ｍＬ、約３．５ｐｇ／ｍＬ〜約１６．０ｐｇ／ｍＬ、約４．０ｐｇ／ｍＬ〜約１６．０ｐｇ／ｍＬ、約４．５ｐｇ／ｍＬ〜約１６．０ｐｇ／ｍＬ、約５．０ｐｇ／ｍＬ〜約１６．０ｐｇ／ｍＬ、約５．５ｐｇ／ｍＬ〜約１６．０ｐｇ／ｍＬ、約６．０ｐｇ／ｍＬ〜約１６．０ｐｇ／ｍＬ、約６．５ｐｇ／ｍＬ〜約１６．０ｐｇ／ｍＬ、約７．０ｐｇ／ｍＬ〜約１６．０ｐｇ／ｍＬ、約７．５ｐｇ／ｍＬ〜約１６．０ｐｇ／ｍＬ、約８．０ｐｇ／ｍＬ〜約１６．０ｐｇ／ｍＬ、約８．５ｐｇ／ｍＬ〜約１６．０ｐｇ／ｍＬ、約９．０ｐｇ／ｍＬ〜約１６．０ｐｇ／ｍＬ、約９．５ｐｇ／ｍＬ〜約１６．０ｐｇ／ｍＬ、約１０．０ｐｇ／ｍＬ〜約１６．０ｐｇ／ｍＬ、約１．０ｐｇ／ｍＬ〜約１５．０ｐｇ／ｍＬ、約１．５ｐｇ／ｍＬ〜約１５．０ｐｇ／ｍＬ、約２．０ｐｇ／ｍＬ〜約１５．０ｐｇ／ｍＬ、約２．５ｐｇ／ｍＬ〜約１５．０ｐｇ／ｍＬ、約３．０ｐｇ／ｍＬ〜約１５．０ｐｇ／ｍＬ、約３．５ｐｇ／ｍＬ〜約１５．０ｐｇ／ｍＬ、約４．０ｐｇ／ｍＬ〜約１５．０ｐｇ／ｍＬ、約４．５ｐｇ／ｍＬ〜約１５．０ｐｇ／ｍＬ、約５．０ｐｇ／ｍＬ〜約１５．０ｐｇ／ｍＬ、約５．５ｐｇ／ｍＬ〜約１５．０ｐｇ／ｍＬ、約６．０ｐｇ／ｍＬ〜約１５．０ｐｇ／ｍＬ、約６．５ｐｇ／ｍＬ〜約１５．０ｐｇ／ｍＬ、約７．０ｐｇ／ｍＬ〜約１５．０ｐｇ／ｍＬ、約７．５ｐｇ／ｍＬ〜約１５．０ｐｇ／ｍＬ、約８．０ｐｇ／ｍＬ〜約１５．０ｐｇ／ｍＬ、約８．５ｐｇ／ｍＬ〜約１５．０ｐｇ／ｍＬ、約９．０ｐｇ／ｍＬ〜約１５．０ｐｇ／ｍＬ、約９．５ｐｇ／ｍＬ〜約１５．０ｐｇ／ｍＬ又は約１０．０ｐｇ／ｍＬ〜約１５．０ｐｇ／ｍＬである。
【０３００】
一部の実施形態において、心臓トロポニンＩの、第２の試料中又は後続試料中の量は、約１．０ｐｇ／ｍＬ〜約５０．０ｐｇ／ｍＬ、約１．５ｐｇ／ｍＬ〜約５０．０ｐｇ／ｍＬ、約２．０ｐｇ／ｍＬ〜約５０．０ｐｇ／ｍＬ、約２．５ｐｇ／ｍＬ〜約５０．０ｐｇ／ｍＬ、約３．０ｐｇ／ｍＬ〜約５０．０ｐｇ／ｍＬ、約３．５ｐｇ／ｍＬ〜約５０．０ｐｇ／ｍＬ、約４．０ｐｇ／ｍＬ〜約５０．０ｐｇ／ｍＬ、約４．５ｐｇ／ｍＬ〜約５０．０ｐｇ／ｍＬ、約５．０ｐｇ／ｍＬ〜約５０．０ｐｇ／ｍＬ、約５．５ｐｇ／ｍＬ〜約５０．０ｐｇ／ｍＬ、約６．０ｐｇ／ｍＬ〜約５０．０ｐｇ／ｍＬ、約６．５ｐｇ／ｍＬ〜約５０．０ｐｇ／ｍＬ、約７．０ｐｇ／ｍＬ〜約５０．０ｐｇ／ｍＬ、約７．５ｐｇ／ｍＬ〜約５０．０ｐｇ／ｍＬ、約８．０ｐｇ／ｍＬ〜約５０．０ｐｇ／ｍＬ、約８．５ｐｇ／ｍＬ〜約５０．０ｐｇ／ｍＬ、約９．０ｐｇ／ｍＬ〜約５０．０ｐｇ／ｍＬ、約９．５ｐｇ／ｍＬ〜約５０．０ｐｇ／ｍＬ、約１０．０ｐｇ／ｍＬ〜約５０．０ｐｇ／ｍＬ、約１．０ｐｇ／ｍＬ〜約４０．０ｐｇ／ｍＬ、約１．５ｐｇ／ｍＬ〜約４０．０ｐｇ／ｍＬ、約２．０ｐｇ／ｍＬ〜約４０．０ｐｇ／ｍＬ、約２．５ｐｇ／ｍＬ〜約４０．０ｐｇ／ｍＬ、約３．０ｐｇ／ｍＬ〜約４０．０ｐｇ／ｍＬ、約３．５ｐｇ／ｍＬ〜約４０．０ｐｇ／ｍＬ、約４．０ｐｇ／ｍＬ〜約４０．０ｐｇ／ｍＬ、約４．５ｐｇ／ｍＬ〜約４０．０ｐｇ／ｍＬ、約５．０ｐｇ／ｍＬ〜約４０．０ｐｇ／ｍＬ、約５．５ｐｇ／ｍＬ〜約４０．０ｐｇ／ｍＬ、約６．０ｐｇ／ｍＬ〜約４０．０ｐｇ／ｍＬ、約６．５ｐｇ／ｍＬ〜約４０．０ｐｇ／ｍＬ、約７．０ｐｇ／ｍＬ〜約４０．０ｐｇ／ｍＬ、約７．５ｐｇ／ｍＬ〜約４０．０ｐｇ／ｍＬ、約８．０ｐｇ／ｍＬ〜約４０．０ｐｇ／ｍＬ、約８．５ｐｇ／ｍＬ〜約４０．０ｐｇ／ｍＬ、約９．０ｐｇ／ｍＬ〜約４０．０ｐｇ／ｍＬ、約９．５ｐｇ／ｍＬ〜約４０．０ｐｇ／ｍＬ、約１０．０ｐｇ／ｍＬ〜約４０．０ｐｇ／ｍＬ、約１．０ｐｇ／ｍＬ〜約３５．０ｐｇ／ｍＬ、約１．５ｐｇ／ｍＬ〜約３５．０ｐｇ／ｍＬ、約２．０ｐｇ／ｍＬ〜約３５．０ｐｇ／ｍＬ、約２．５ｐｇ／ｍＬ〜約３５．０ｐｇ／ｍＬ、約３．０ｐｇ／ｍＬ〜約３５．０ｐｇ／ｍＬ、約３．５ｐｇ／ｍＬ〜約３５．０ｐｇ／ｍＬ、約４．０ｐｇ／ｍＬ〜約３５．０ｐｇ／ｍＬ、約４．５ｐｇ／ｍＬ〜約３５．０ｐｇ／ｍＬ、約５．０ｐｇ／ｍＬ〜約３５．０ｐｇ／ｍＬ、約５．５ｐｇ／ｍＬ〜約３５．０ｐｇ／ｍＬ、約６．０ｐｇ／ｍＬ〜約３５．０ｐｇ／ｍＬ、約６．５ｐｇ／ｍＬ〜約３５．０ｐｇ／ｍＬ、約７．０ｐｇ／ｍＬ〜約３５．０ｐｇ／ｍＬ、約７．５ｐｇ／ｍＬ〜約３５．０ｐｇ／ｍＬ、約８．０ｐｇ／ｍＬ〜約３５．０ｐｇ／ｍＬ、約８．５ｐｇ／ｍＬ〜約３５．０ｐｇ／ｍＬ、約９．０ｐｇ／ｍＬ〜約３５．０ｐｇ／ｍＬ、約９．５ｐｇ／ｍＬ〜約３５．０ｐｇ／ｍＬ、約１０．０ｐｇ／ｍＬ〜約３５．０ｐｇ／ｍＬ、約１．０ｐｇ／ｍＬ〜約３０．０ｐｇ／ｍＬ、約１．５ｐｇ／ｍＬ〜約３０．０ｐｇ／ｍＬ、約２．０ｐｇ／ｍＬ〜約３０．０ｐｇ／ｍＬ、約２．５ｐｇ／ｍＬ〜約３０．０ｐｇ／ｍＬ、約３．０ｐｇ／ｍＬ〜約３０．０ｐｇ／ｍＬ、約３．５ｐｇ／ｍＬ〜約３０．０ｐｇ／ｍＬ、約４．０ｐｇ／ｍＬ〜約３０．０ｐｇ／ｍＬ、約４．５ｐｇ／ｍＬ〜約３０．０ｐｇ／ｍＬ、約５．０ｐｇ／ｍＬ〜約３０．０ｐｇ／ｍＬ、約５．５ｐｇ／ｍＬ〜約３０．０ｐｇ／ｍＬ、約６．０ｐｇ／ｍＬ〜約３０．０ｐｇ／ｍＬ、約６．５ｐｇ／ｍＬ〜約３０．０ｐｇ／ｍＬ、約７．０ｐｇ／ｍＬ〜約３０．０ｐｇ／ｍＬ、約７．５ｐｇ／ｍＬ〜約３０．０ｐｇ／ｍＬ、約８．０ｐｇ／ｍＬ〜約３０．０ｐｇ／ｍＬ、約８．５ｐｇ／ｍＬ〜約３０．０ｐｇ／ｍＬ、約９．０ｐｇ／ｍＬ〜約３０．０ｐｇ／ｍＬ、約９．５ｐｇ／ｍＬ〜約３０．０ｐｇ／ｍＬ、約１０．０ｐｇ／ｍＬ〜約３０．０ｐｇ／ｍＬ、約１．０ｐｇ／ｍＬ〜約２９．０ｐｇ／ｍＬ、約１．５ｐｇ／ｍＬ〜約２９．０ｐｇ／ｍＬ、約２．０ｐｇ／ｍＬ〜約２９．０ｐｇ／ｍＬ、約２．５ｐｇ／ｍＬ〜約２９．０ｐｇ／ｍＬ、約３．０ｐｇ／ｍＬ〜約２９．０ｐｇ／ｍＬ、約３．５ｐｇ／ｍＬ〜約２９．０ｐｇ／ｍＬ、約４．０ｐｇ／ｍＬ〜約２９．０ｐｇ／ｍＬ、約４．５ｐｇ／ｍＬ〜約２９．０ｐｇ／ｍＬ、約５．０ｐｇ／ｍＬ〜約２９．０ｐｇ／ｍＬ、約５．５ｐｇ／ｍＬ〜約２９．０ｐｇ／ｍＬ、約６．０ｐｇ／ｍＬ〜約２９．０ｐｇ／ｍＬ、約６．５ｐｇ／ｍＬ〜約２９．０ｐｇ／ｍＬ、約７．０ｐｇ／ｍＬ〜約２９．０ｐｇ／ｍＬ、約７．５ｐｇ／ｍＬ〜約２９．０ｐｇ／ｍＬ、約８．０ｐｇ／ｍＬ〜約２９．０ｐｇ／ｍＬ、約８．５ｐｇ／ｍＬ〜約２９．０ｐｇ／ｍＬ、約９．０ｐｇ／ｍＬ〜約２９．０ｐｇ／ｍＬ、約９．５ｐｇ／ｍＬ〜約２９．０ｐｇ／ｍＬ、約１０．０ｐｇ／ｍＬ〜約２９．０ｐｇ／ｍＬ、約１．０ｐｇ／ｍＬ〜約２８．０ｐｇ／ｍＬ、約１．５ｐｇ／ｍＬ〜約２８．０ｐｇ／ｍＬ、約２．０ｐｇ／ｍＬ〜約２８．０ｐｇ／ｍＬ、約２．５ｐｇ／ｍＬ〜約２８．０ｐｇ／ｍＬ、約３．０ｐｇ／ｍＬ〜約２８．０ｐｇ／ｍＬ、約３．５ｐｇ／ｍＬ〜約２８．０ｐｇ／ｍＬ、約４．０ｐｇ／ｍＬ〜約２８．０ｐｇ／ｍＬ、約４．５ｐｇ／ｍＬ〜約２８．０ｐｇ／ｍＬ、約５．０ｐｇ／ｍＬ〜約２８．０ｐｇ／ｍＬ、約５．５ｐｇ／ｍＬ〜約２８．０ｐｇ／ｍＬ、約６．０ｐｇ／ｍＬ〜約２８．０ｐｇ／ｍＬ、約６．５ｐｇ／ｍＬ〜約２８．０ｐｇ／ｍＬ、約７．０ｐｇ／ｍＬ〜約２８．０ｐｇ／ｍＬ、約７．５ｐｇ／ｍＬ〜約２８．０ｐｇ／ｍＬ、約８．０ｐｇ／ｍＬ〜約２８．０ｐｇ／ｍＬ、約８．５ｐｇ／ｍＬ〜約２８．０ｐｇ／ｍＬ、約９．０ｐｇ／ｍＬ〜約２８．０ｐｇ／ｍＬ、約９．５ｐｇ／ｍＬ〜約２８．０ｐｇ／ｍＬ、約１０．０ｐｇ／ｍＬ〜約２８．０ｐｇ／ｍＬ、約１．０ｐｇ／ｍＬ〜約２７．０ｐｇ／ｍＬ、約１．５ｐｇ／ｍＬ〜約２７．０ｐｇ／ｍＬ、約２．０ｐｇ／ｍＬ〜約２７．０ｐｇ／ｍＬ、約２．５ｐｇ／ｍＬ〜約２７．０ｐｇ／ｍＬ、約３．０ｐｇ／ｍＬ〜約２７．０ｐｇ／ｍＬ、約３．５ｐｇ／ｍＬ〜約２７．０ｐｇ／ｍＬ、約４．０ｐｇ／ｍＬ〜約２７．０ｐｇ／ｍＬ、約４．５ｐｇ／ｍＬ〜約２７．０ｐｇ／ｍＬ、約５．０ｐｇ／ｍＬ〜約２７．０ｐｇ／ｍＬ、約５．５ｐｇ／ｍＬ〜約２７．０ｐｇ／ｍＬ、約６．０ｐｇ／ｍＬ〜約２７．０ｐｇ／ｍＬ、約６．５ｐｇ／ｍＬ〜約２７．０ｐｇ／ｍＬ、約７．０ｐｇ／ｍＬ〜約２７．０ｐｇ／ｍＬ、約７．５ｐｇ／ｍＬ〜約２７．０ｐｇ／ｍＬ、約８．０ｐｇ／ｍＬ〜約２７．０ｐｇ／ｍＬ、約８．５ｐｇ／ｍＬ〜約２７．０ｐｇ／ｍＬ、約９．０ｐｇ／ｍＬ〜約２７．０ｐｇ／ｍＬ、約９．５ｐｇ／ｍＬ〜約２７．０ｐｇ／ｍＬ、約１０．０ｐｇ／ｍＬ〜約２７．０ｐｇ／ｍＬ、約１．０ｐｇ／ｍＬ〜約２６．０ｐｇ／ｍＬ、約１．５ｐｇ／ｍＬ〜約２６．０ｐｇ／ｍＬ、約２．０ｐｇ／ｍＬ〜約２６．０ｐｇ／ｍＬ、約２．５ｐｇ／ｍＬ〜約２６．０ｐｇ／ｍＬ、約３．０ｐｇ／ｍＬ〜約２６．０ｐｇ／ｍＬ、約３．５ｐｇ／ｍＬ〜約２６．０ｐｇ／ｍＬ、約４．０ｐｇ／ｍＬ〜約２６．０ｐｇ／ｍＬ、約４．５ｐｇ／ｍＬ〜約２６．０ｐｇ／ｍＬ、約５．０ｐｇ／ｍＬ〜約２６．０ｐｇ／ｍＬ、約５．５ｐｇ／ｍＬ〜約２６．０ｐｇ／ｍＬ、約６．０ｐｇ／ｍＬ〜約２６．０ｐｇ／ｍＬ、約６．５ｐｇ／ｍＬ〜約２６．０ｐｇ／ｍＬ、約７．０ｐｇ／ｍＬ〜約２６．０ｐｇ／ｍＬ、約７．５ｐｇ／ｍＬ〜約２６．０ｐｇ／ｍＬ、約８．０ｐｇ／ｍＬ〜約２６．０ｐｇ／ｍＬ、約８．５ｐｇ／ｍＬ〜約２６．０ｐｇ／ｍＬ、約９．０ｐｇ／ｍＬ〜約２６．０ｐｇ／ｍＬ、約９．５ｐｇ／ｍＬ〜約２６．０ｐｇ／ｍＬ、約１０．０ｐｇ／ｍＬ〜約２６．０ｐｇ／ｍＬ、約１．０ｐｇ／ｍＬ〜約２５．０ｐｇ／ｍＬ、約１．５ｐｇ／ｍＬ〜約２５．０ｐｇ／ｍＬ、約２．０ｐｇ／ｍＬ〜約２５．０ｐｇ／ｍＬ、約２．５ｐｇ／ｍＬ〜約２５．０ｐｇ／ｍＬ、約３．０ｐｇ／ｍＬ〜約２５．０ｐｇ／ｍＬ、約３．５ｐｇ／ｍＬ〜約２５．０ｐｇ／ｍＬ、約４．０ｐｇ／ｍＬ〜約２５．０ｐｇ／ｍＬ、約４．５ｐｇ／ｍＬ〜約２５．０ｐｇ／ｍＬ、約５．０ｐｇ／ｍＬ〜約２５．０ｐｇ／ｍＬ、約５．５ｐｇ／ｍＬ〜約２５．０ｐｇ／ｍＬ、約６．０ｐｇ／ｍＬ〜約２５．０ｐｇ／ｍＬ、約６．５ｐｇ／ｍＬ〜約２５．０ｐｇ／ｍＬ、約７．０ｐｇ／ｍＬ〜約２５．０ｐｇ／ｍＬ、約７．５ｐｇ／ｍＬ〜約２５．０ｐｇ／ｍＬ、約８．０ｐｇ／ｍＬ〜約２５．０ｐｇ／ｍＬ、約８．５ｐｇ／ｍＬ〜約２５．０ｐｇ／ｍＬ、約９．０ｐｇ／ｍＬ〜約２５．０ｐｇ／ｍＬ、約９．５ｐｇ／ｍＬ〜約２５．０ｐｇ／ｍＬ、約１０．０ｐｇ／ｍＬ〜約２５．０ｐｇ／ｍＬ、約１．０ｐｇ／ｍＬ〜約２４．０ｐｇ／ｍＬ、約１．５ｐｇ／ｍＬ〜約２４．０ｐｇ／ｍＬ、約２．０ｐｇ／ｍＬ〜約２４．０ｐｇ／ｍＬ、約２．５ｐｇ／ｍＬ〜約２４．０ｐｇ／ｍＬ、約３．０ｐｇ／ｍＬ〜約２４．０ｐｇ／ｍＬ、約３．５ｐｇ／ｍＬ〜約２４．０ｐｇ／ｍＬ、約４．０ｐｇ／ｍＬ〜約２４．０ｐｇ／ｍＬ、約４．５ｐｇ／ｍＬ〜約２４．０ｐｇ／ｍＬ、約５．０ｐｇ／ｍＬ〜約２４．０ｐｇ／ｍＬ、約５．５ｐｇ／ｍＬ〜約２４．０ｐｇ／ｍＬ、約６．０ｐｇ／ｍＬ〜約２４．０ｐｇ／ｍＬ、約６．５ｐｇ／ｍＬ〜約２４．０ｐｇ／ｍＬ、約７．０ｐｇ／ｍＬ〜約２４．０ｐｇ／ｍＬ、約７．５ｐｇ／ｍＬ〜約２４．０ｐｇ／ｍＬ、約８．０ｐｇ／ｍＬ〜約２４．０ｐｇ／ｍＬ、約８．５ｐｇ／ｍＬ〜約２４．０ｐｇ／ｍＬ、約９．０ｐｇ／ｍＬ〜約２４．０ｐｇ／ｍＬ、約９．５ｐｇ／ｍＬ〜約２４．０ｐｇ／ｍＬ、約１０．０ｐｇ／ｍＬ〜約２４．０ｐｇ／ｍＬ、約１．０ｐｇ／ｍＬ〜約２３．０ｐｇ／ｍＬ、約１．５ｐｇ／ｍＬ〜約２３．０ｐｇ／ｍＬ、約２．０ｐｇ／ｍＬ〜約２３．０ｐｇ／ｍＬ、約２．５ｐｇ／ｍＬ〜約２３．０ｐｇ／ｍＬ、約３．０ｐｇ／ｍＬ〜約２３．０ｐｇ／ｍＬ、約３．５ｐｇ／ｍＬ〜約２３．０ｐｇ／ｍＬ、約４．０ｐｇ／ｍＬ〜約２３．０ｐｇ／ｍＬ、約４．５ｐｇ／ｍＬ〜約２３．０ｐｇ／ｍＬ、約５．０ｐｇ／ｍＬ〜約２３．０ｐｇ／ｍＬ、約５．５ｐｇ／ｍＬ〜約２３．０ｐｇ／ｍＬ、約６．０ｐｇ／ｍＬ〜約２３．０ｐｇ／ｍＬ、約６．５ｐｇ／ｍＬ〜約２３．０ｐｇ／ｍＬ、約７．０ｐｇ／ｍＬ〜約２３．０ｐｇ／ｍＬ、約７．５ｐｇ／ｍＬ〜約２３．０ｐｇ／ｍＬ、約８．０ｐｇ／ｍＬ〜約２３．０ｐｇ／ｍＬ、約８．５ｐｇ／ｍＬ〜約２３．０ｐｇ／ｍＬ、約９．０ｐｇ／ｍＬ〜約２３．０ｐｇ／ｍＬ、約９．５ｐｇ／ｍＬ〜約２３．０ｐｇ／ｍＬ、約１０．０ｐｇ／ｍＬ〜約２３．０ｐｇ／ｍＬ、約１．０ｐｇ／ｍＬ〜約２２．０ｐｇ／ｍＬ、約１．５ｐｇ／ｍＬ〜約２２．０ｐｇ／ｍＬ、約２．０ｐｇ／ｍＬ〜約２２．０ｐｇ／ｍＬ、約２．５ｐｇ／ｍＬ〜約２２．０ｐｇ／ｍＬ、約３．０ｐｇ／ｍＬ〜約２２．０ｐｇ／ｍＬ、約３．５ｐｇ／ｍＬ〜約２２．０ｐｇ／ｍＬ、約４．０ｐｇ／ｍＬ〜約２２．０ｐｇ／ｍＬ、約４．５ｐｇ／ｍＬ〜約２２．０ｐｇ／ｍＬ、約５．０ｐｇ／ｍＬ〜約２２．０ｐｇ／ｍＬ、約５．５ｐｇ／ｍＬ〜約２２．０ｐｇ／ｍＬ、約６．０ｐｇ／ｍＬ〜約２２．０ｐｇ／ｍＬ、約６．５ｐｇ／ｍＬ〜約２２．０ｐｇ／ｍＬ、約７．０ｐｇ／ｍＬ〜約２２．０ｐｇ／ｍＬ、約７．５ｐｇ／ｍＬ〜約２２．０ｐｇ／ｍＬ、約８．０ｐｇ／ｍＬ〜約２２．０ｐｇ／ｍＬ、約８．５ｐｇ／ｍＬ〜約２２．０ｐｇ／ｍＬ、約９．０ｐｇ／ｍＬ〜約２２．０ｐｇ／ｍＬ、約９．５ｐｇ／ｍＬ〜約２２．０ｐｇ／ｍＬ、約１０．０ｐｇ／ｍＬ〜約２２．０ｐｇ／ｍＬ、約１．０ｐｇ／ｍＬ〜約２１．０ｐｇ／ｍＬ、約１．５ｐｇ／ｍＬ〜約２１．０ｐｇ／ｍＬ、約２．０ｐｇ／ｍＬ〜約２１．０ｐｇ／ｍＬ、約２．５ｐｇ／ｍＬ〜約２１．０ｐｇ／ｍＬ、約３．０ｐｇ／ｍＬ〜約２１．０ｐｇ／ｍＬ、約３．５ｐｇ／ｍＬ〜約２１．０ｐｇ／ｍＬ、約４．０ｐｇ／ｍＬ〜約２１．０ｐｇ／ｍＬ、約４．５ｐｇ／ｍＬ〜約２１．０ｐｇ／ｍＬ、約５．０ｐｇ／ｍＬ〜約２１．０ｐｇ／ｍＬ、約５．５ｐｇ／ｍＬ〜約２１．０ｐｇ／ｍＬ、約６．０ｐｇ／ｍＬ〜約２１．０ｐｇ／ｍＬ、約６．５ｐｇ／ｍＬ〜約２１．０ｐｇ／ｍＬ、約７．０ｐｇ／ｍＬ〜約２１．０ｐｇ／ｍＬ、約７．５ｐｇ／ｍ
Ｌ〜約２１．０ｐｇ／ｍＬ、約８．０ｐｇ／ｍＬ〜約２１．０ｐｇ／ｍＬ、約８．５ｐｇ／ｍＬ〜約２１．０ｐｇ／ｍＬ、約９．０ｐｇ／ｍＬ〜約２１．０ｐｇ／ｍＬ、約９．５ｐｇ／ｍＬ〜約２１．０ｐｇ／ｍＬ、約１０．０ｐｇ／ｍＬ〜約２１．０ｐｇ／ｍＬ、約１．０ｐｇ／ｍＬ〜約２０．０ｐｇ／ｍＬ、約１．５ｐｇ／ｍＬ〜約２０．０ｐｇ／ｍＬ、約２．０ｐｇ／ｍＬ〜約２０．０ｐｇ／ｍＬ、約２．５ｐｇ／ｍＬ〜約２０．０ｐｇ／ｍＬ、約３．０ｐｇ／ｍＬ〜約２０．０ｐｇ／ｍＬ、約３．５ｐｇ／ｍＬ〜約２０．０ｐｇ／ｍＬ、約４．０ｐｇ／ｍＬ〜約２０．０ｐｇ／ｍＬ、約４．５ｐｇ／ｍＬ〜約２０．０ｐｇ／ｍＬ、約５．０ｐｇ／ｍＬ〜約２０．０ｐｇ／ｍＬ、約５．５ｐｇ／ｍＬ〜約２０．０ｐｇ／ｍＬ、約６．０ｐｇ／ｍＬ〜約２０．０ｐｇ／ｍＬ、約６．５ｐｇ／ｍＬ〜約２０．０ｐｇ／ｍＬ、約７．０ｐｇ／ｍＬ〜約２０．０ｐｇ／ｍＬ、約７．５ｐｇ／ｍＬ〜約２０．０ｐｇ／ｍＬ、約８．０ｐｇ／ｍＬ〜約２０．０ｐｇ／ｍＬ、約８．５ｐｇ／ｍＬ〜約２０．０ｐｇ／ｍＬ、約９．０ｐｇ／ｍＬ〜約２０．０ｐｇ／ｍＬ、約９．５ｐｇ／ｍＬ〜約２０．０ｐｇ／ｍＬ、約１０．０ｐｇ／ｍＬ〜約２０．０ｐｇ／ｍＬ、約１．０ｐｇ／ｍＬ〜約１９．０ｐｇ／ｍＬ、約１．５ｐｇ／ｍＬ〜約１９．０ｐｇ／ｍＬ、約２．０ｐｇ／ｍＬ〜約１９．０ｐｇ／ｍＬ、約２．５ｐｇ／ｍＬ〜約１９．０ｐｇ／ｍＬ、約３．０ｐｇ／ｍＬ〜約１９．０ｐｇ／ｍＬ、約３．５ｐｇ／ｍＬ〜約１９．０ｐｇ／ｍＬ、約４．０ｐｇ／ｍＬ〜約１９．０ｐｇ／ｍＬ、約４．５ｐｇ／ｍＬ〜約１９．０ｐｇ／ｍＬ、約５．０ｐｇ／ｍＬ〜約１９．０ｐｇ／ｍＬ、約５．５ｐｇ／ｍＬ〜約１９．０ｐｇ／ｍＬ、約６．０ｐｇ／ｍＬ〜約１９．０ｐｇ／ｍＬ、約６．５ｐｇ／ｍＬ〜約１９．０ｐｇ／ｍＬ、約７．０ｐｇ／ｍＬ〜約１９．０ｐｇ／ｍＬ、約７．５ｐｇ／ｍＬ〜約１９．０ｐｇ／ｍＬ、約８．０ｐｇ／ｍＬ〜約１９．０ｐｇ／ｍＬ、約８．５ｐｇ／ｍＬ〜約１９．０ｐｇ／ｍＬ、約９．０ｐｇ／ｍＬ〜約１９．０ｐｇ／ｍＬ、約９．５ｐｇ／ｍＬ〜約１９．０ｐｇ／ｍＬ、約１０．０ｐｇ／ｍＬ〜約１９．０ｐｇ／ｍＬ、約１．０ｐｇ／ｍＬ〜約１８．０ｐｇ／ｍＬ、約１．５ｐｇ／ｍＬ〜約１８．０ｐｇ／ｍＬ、約２．０ｐｇ／ｍＬ〜約１８．０ｐｇ／ｍＬ、約２．５ｐｇ／ｍＬ〜約１８．０ｐｇ／ｍＬ、約３．０ｐｇ／ｍＬ〜約１８．０ｐｇ／ｍＬ、約３．５ｐｇ／ｍＬ〜約１８．０ｐｇ／ｍＬ、約４．０ｐｇ／ｍＬ〜約１８．０ｐｇ／ｍＬ、約４．５ｐｇ／ｍＬ〜約１８．０ｐｇ／ｍＬ、約５．０ｐｇ／ｍＬ〜約１８．０ｐｇ／ｍＬ、約５．５ｐｇ／ｍＬ〜約１８．０ｐｇ／ｍＬ、約６．０ｐｇ／ｍＬ〜約１８．０ｐｇ／ｍＬ、約６．５ｐｇ／ｍＬ〜約１８．０ｐｇ／ｍＬ、約７．０ｐｇ／ｍＬ〜約１８．０ｐｇ／ｍＬ、約７．５ｐｇ／ｍＬ〜約１８．０ｐｇ／ｍＬ、約８．０ｐｇ／ｍＬ〜約１８．０ｐｇ／ｍＬ、約８．５ｐｇ／ｍＬ〜約１８．０ｐｇ／ｍＬ、約９．０ｐｇ／ｍＬ〜約１８．０ｐｇ／ｍＬ、約９．５ｐｇ／ｍＬ〜約１８．０ｐｇ／ｍＬ、約１０．０ｐｇ／ｍＬ〜約１８．０ｐｇ／ｍＬ、約１．０ｐｇ／ｍＬ〜約１７．０ｐｇ／ｍＬ、約１．５ｐｇ／ｍＬ〜約１７．０ｐｇ／ｍＬ、約２．０ｐｇ／ｍＬ〜約１７．０ｐｇ／ｍＬ、約２．５ｐｇ／ｍＬ〜約１７．０ｐｇ／ｍＬ、約３．０ｐｇ／ｍＬ〜約１７．０ｐｇ／ｍＬ、約３．５ｐｇ／ｍＬ〜約１７．０ｐｇ／ｍＬ、約４．０ｐｇ／ｍＬ〜約１７．０ｐｇ／ｍＬ、約４．５ｐｇ／ｍＬ〜約１７．０ｐｇ／ｍＬ、約５．０ｐｇ／ｍＬ〜約１７．０ｐｇ／ｍＬ、約５．５ｐｇ／ｍＬ〜約１７．０ｐｇ／ｍＬ、約６．０ｐｇ／ｍＬ〜約１７．０ｐｇ／ｍＬ、約６．５ｐｇ／ｍＬ〜約１７．０ｐｇ／ｍＬ、約７．０ｐｇ／ｍＬ〜約１７．０ｐｇ／ｍＬ、約７．５ｐｇ／ｍＬ〜約１７．０ｐｇ／ｍＬ、約８．０ｐｇ／ｍＬ〜約１７．０ｐｇ／ｍＬ、約８．５ｐｇ／ｍＬ〜約１７．０ｐｇ／ｍＬ、約９．０ｐｇ／ｍＬ〜約１７．０ｐｇ／ｍＬ、約９．５ｐｇ／ｍＬ〜約１７．０ｐｇ／ｍＬ、約１０．０ｐｇ／ｍＬ〜約１７．０ｐｇ／ｍＬ、約１．０ｐｇ／ｍＬ〜約１６．０ｐｇ／ｍＬ、約１．５ｐｇ／ｍＬ〜約１６．０ｐｇ／ｍＬ、約２．０ｐｇ／ｍＬ〜約１６．０ｐｇ／ｍＬ、約２．５ｐｇ／ｍＬ〜約１６．０ｐｇ／ｍＬ、約３．０ｐｇ／ｍＬ〜約１６．０ｐｇ／ｍＬ、約３．５ｐｇ／ｍＬ〜約１６．０ｐｇ／ｍＬ、約４．０ｐｇ／ｍＬ〜約１６．０ｐｇ／ｍＬ、約４．５ｐｇ／ｍＬ〜約１６．０ｐｇ／ｍＬ、約５．０ｐｇ／ｍＬ〜約１６．０ｐｇ／ｍＬ、約５．５ｐｇ／ｍＬ〜約１６．０ｐｇ／ｍＬ、約６．０ｐｇ／ｍＬ〜約１６．０ｐｇ／ｍＬ、約６．５ｐｇ／ｍＬ〜約１６．０ｐｇ／ｍＬ、約７．０ｐｇ／ｍＬ〜約１６．０ｐｇ／ｍＬ、約７．５ｐｇ／ｍＬ〜約１６．０ｐｇ／ｍＬ、約８．０ｐｇ／ｍＬ〜約１６．０ｐｇ／ｍＬ、約８．５ｐｇ／ｍＬ〜約１６．０ｐｇ／ｍＬ、約９．０ｐｇ／ｍＬ〜約１６．０ｐｇ／ｍＬ、約９．５ｐｇ／ｍＬ〜約１６．０ｐｇ／ｍＬ、約１０．０ｐｇ／ｍＬ〜約１６．０ｐｇ／ｍＬ、約１．０ｐｇ／ｍＬ〜約１５．０ｐｇ／ｍＬ、約１．５ｐｇ／ｍＬ〜約１５．０ｐｇ／ｍＬ、約２．０ｐｇ／ｍＬ〜約１５．０ｐｇ／ｍＬ、約２．５ｐｇ／ｍＬ〜約１５．０ｐｇ／ｍＬ、約３．０ｐｇ／ｍＬ〜約１５．０ｐｇ／ｍＬ、約３．５ｐｇ／ｍＬ〜約１５．０ｐｇ／ｍＬ、約４．０ｐｇ／ｍＬ〜約１５．０ｐｇ／ｍＬ、約４．５ｐｇ／ｍＬ〜約１５．０ｐｇ／ｍＬ、約５．０ｐｇ／ｍＬ〜約１５．０ｐｇ／ｍＬ、約５．５ｐｇ／ｍＬ〜約１５．０ｐｇ／ｍＬ、約６．０ｐｇ／ｍＬ〜約１５．０ｐｇ／ｍＬ、約６．５ｐｇ／ｍＬ〜約１５．０ｐｇ／ｍＬ、約７．０ｐｇ／ｍＬ〜約１５．０ｐｇ／ｍＬ、約７．５ｐｇ／ｍＬ〜約１５．０ｐｇ／ｍＬ、約８．０ｐｇ／ｍＬ〜約１５．０ｐｇ／ｍＬ、約８．５ｐｇ／ｍＬ〜約１５．０ｐｇ／ｍＬ、約９．０ｐｇ／ｍＬ〜約１５．０ｐｇ／ｍＬ、約９．５ｐｇ／ｍＬ〜約１５．０ｐｇ／ｍＬ又は約１０．０ｐｇ／ｍＬ〜約１５．０ｐｇ／ｍＬである。
【０３０１】
一部の実施形態において、ｃＴｎＩの絶対量は、少なくとも約６５％〜約１００％の間の感度及び少なくとも約３０％〜約１００％の間の特異度を有するアッセイにより決定される。一部の実施形態において、感度は、少なくとも約６５％〜約１００％の間、少なくとも約６５％〜少なくとも約９９％の間、少なくとも約６５％〜少なくとも約９５％の間、少なくとも約６５％〜少なくとも約９０％の間、少なくとも約６５％〜少なくとも約８５％の間、少なくとも約６５％〜少なくとも約８０％の間、少なくとも約６５％〜少なくとも約７５％の間、少なくとも約６５％〜少なくとも約７０％の間、少なくとも約７５％〜約１００％の間、少なくとも約７５％〜少なくとも約９９％の間、少なくとも約７５％〜少なくとも約９５％の間、少なくとも約７５％〜少なくとも約９０％の間、少なくとも約７５％〜少なくとも約８５％の間、少なくとも約７５％〜少なくとも約８０％の間、少なくとも約８５％〜約１００％の間、少なくとも約８５％〜少なくとも約９９％の間、少なくとも約８５％〜少なくとも約９５％の間、少なくとも約８５％〜少なくとも約９０％の間、少なくとも約９５％〜約１００％の間又は少なくとも約９５％〜少なくとも約９９％の間である。一部の実施形態において、感度は、少なくとも約６５．０％、少なくとも約７０．０％、少なくとも約７５．０％、少なくとも約８０．０％、少なくとも約８２．４％、少なくとも約８５．０％、少なくとも約８７．５％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。
【０３０２】
一部の実施形態において、特異度は、少なくとも約３０％〜約１００％の間、少なくとも約３０％〜約９９％の間、少なくとも約３０％〜約９５％の間、少なくとも約３０％〜約９０％の間、少なくとも約３０％〜約８５％の間、少なくとも約３０％〜約８０％の間、少なくとも約３０％〜約７５％の間、少なくとも約３０％〜約７０％の間、少なくとも約３０％〜約６０％の間、少なくとも約３０％〜約５０％の間、少なくとも約４０％〜約１００％の間、少なくとも約４０％〜約９９％の間、少なくとも約４０％〜約９５％の間、少なくとも約４０％〜約９０％の間、少なくとも約４０％〜約８５％の間、少なくとも約４０％〜約８０％の間、少なくとも約４０％〜約７５％の間、少なくとも約４０％〜約７０％の間、少なくとも約４０％〜約６０％の間、少なくとも約４０％〜約５０％の間、少なくとも約５０％〜約１００％の間、少なくとも約５０％〜約９９％の間、少なくとも約５０％〜約９５％の間、少なくとも約５０％〜約９０％の間、少なくとも約５０％〜約８５％の間、少なくとも約５０％〜約８０％の間、少なくとも約５０％〜約７５％の間、少なくとも約５０％〜約７０％の間、少なくとも約５０％〜約６０％の間、少なくとも約６０％〜約１００％の間、少なくとも約６０％〜約９９％の間、少なくとも約６０％〜約９５％の間、少なくとも約６０％〜約９０％の間、少なくとも約６０％〜約８５％の間、少なくとも約６０％〜約８０％の間、少なくとも約６０％〜約７５％の間、少なくとも約６０％〜約７０％の間、少なくとも約７０％〜約１００％の間、少なくとも約７０％〜約９９％の間、少なくとも約７０％〜約９５％の間、少なくとも約７０％〜約９０％の間、少なくとも約７０％〜約８５％の間、少なくとも約７０％〜約８０％の間、少なくとも約７０％〜約７５％の間、少なくとも約８０％〜約１００％の間、少なくとも約８０％〜約９９％の間、少なくとも約８０％〜約９５％の間、少なくとも約８０％〜約９０％の間、少なくとも約８０％〜約８５％の間、少なくとも約９０％〜約１００％の間、少なくとも約９０％〜約９９％の間、少なくとも約９０％〜約９５％の間、少なくとも約９５％〜約９９％の間又は少なくとも約９５％〜約１００％の間である。一部の実施形態において、特異度は、少なくとも約３０．０％、少なくとも約３１．０％、少なくとも約３２．０％、少なくとも約３３．０％、少なくとも約３４．０％、少なくとも約３５．０％、少なくとも約３６．０％、少なくとも約３７．０％、少なくとも約３８．０％、少なくとも約３９．０％、少なくとも約４０．０％、少なくとも約４５．０％、少なくとも約５０．０％、少なくとも約５５．０％、少なくとも約６０．０％、少なくとも約６５．０％、少なくとも約６９．５％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約８２．４％であり、特異度は、少なくとも約６９．５％である、感度は、少なくとも約９９％であり、特異度は、少なくとも約７５％である、感度は、少なくとも約９９％であり、特異度は、少なくとも約９９％である、又は感度は、少なくとも約１００％であり、特異度は、少なくとも約１００％である。
【０３０３】
一部の実施形態において、絶対量は、少なくとも約１ｐｇ／ｍＬ〜約２５ｐｇ／ｍＬの間でありうる。一部の実施形態において、絶対量は、少なくとも約１ｐｇ／ｍＬ〜約２５ｐｇ／ｍＬの間、少なくとも約１ｐｇ／ｍＬ〜約２０ｐｇ／ｍＬの間、少なくとも約１ｐｇ／ｍＬ〜約１５ｐｇ／ｍＬの間、少なくとも約１ｐｇ／ｍＬ〜約１０ｐｇ／ｍＬの間、少なくとも約１ｐｇ／ｍＬ〜約９ｐｇ／ｍＬの間、少なくとも約１ｐｇ／ｍＬ〜約８ｐｇ／ｍＬの間、少なくとも約１ｐｇ／ｍＬ〜約７ｐｇ／ｍＬの間、少なくとも約１ｐｇ／ｍＬ〜約６ｐｇ／ｍＬの間、少なくとも約１ｐｇ／ｍＬ〜約５ｐｇ／ｍＬの間、少なくとも約１ｐｇ／ｍＬ〜約４ｐｇ／ｍＬの間、少なくとも約１ｐｇ／ｍＬ〜約３ｐｇ／ｍＬの間、少なくとも約１ｐｇ／ｍＬ〜約２ｐｇ／ｍＬの間、少なくとも約１ｐｇ／ｍＬ〜約１．５ｐｇ／ｍＬの間、少なくとも約１．５ｐｇ／ｍＬ〜約２５ｐｇ／ｍＬの間、少なくとも約１．５ｐｇ／ｍＬ〜約２０ｐｇ／ｍＬの間、少なくとも約１．５ｐｇ／ｍＬ〜約１５ｐｇ／ｍＬの間、少なくとも約１．５ｐｇ／ｍＬ〜約１０ｐｇ／ｍＬの間、少なくとも約１．５ｐｇ／ｍＬ〜約９ｐｇ／ｍＬの間、少なくとも約１．５ｐｇ／ｍＬ〜約８ｐｇ／ｍＬの間、少なくとも約１．５ｐｇ／ｍＬ〜約７ｐｇ／ｍＬの間、少なくとも約１．５ｐｇ／ｍＬ〜約６ｐｇ／ｍＬの間、少なくとも約１．５ｐｇ／ｍＬ〜約５ｐｇ／ｍＬの間、少なくとも約１．５ｐｇ／ｍＬ〜約４ｐｇ／ｍＬの間、少なくとも約１．５ｐｇ／ｍＬ〜約３ｐｇ／ｍＬの間、少なくとも約１．５ｐｇ／ｍＬ〜約２ｐｇ／ｍＬの間、少なくとも約２ｐｇ／ｍＬ〜約２５ｐｇ／ｍＬの間、少なくとも約２ｐｇ／ｍＬ〜約２０ｐｇ／ｍＬの間、少なくとも約２ｐｇ／ｍＬ〜約１５ｐｇ／ｍＬの間、少なくとも約２ｐｇ／ｍＬ〜約１０ｐｇ／ｍＬの間、少なくとも約２ｐｇ／ｍＬ〜約９ｐｇ／ｍＬの間、少なくとも約２ｐｇ／ｍＬ〜約８ｐｇ／ｍＬの間、少なくとも約２ｐｇ／ｍＬ〜約７ｐｇ／ｍＬの間、少なくとも約２ｐｇ／ｍＬ〜約６ｐｇ／ｍＬの間、少なくとも約２ｐｇ／ｍＬ〜約５ｐｇ／ｍＬの間、少なくとも約２ｐｇ／ｍＬ〜約４ｐｇ／ｍＬの間、少なくとも約２ｐｇ／ｍＬ〜約３ｐｇ／ｍＬの間、少なくとも約３ｐｇ／ｍＬ〜約２５ｐｇ／ｍＬの間、少なくとも約３ｐｇ／ｍＬ〜約２０ｐｇ／ｍＬの間、少なくとも約３ｐｇ／ｍＬ〜約１５ｐｇ／ｍＬの間、少なくとも約３ｐｇ／ｍＬ〜約１０ｐｇ／ｍＬの間、少なくとも約３ｐｇ／ｍＬ〜約９ｐｇ／ｍＬの間、少なくとも約３ｐｇ／ｍＬ〜約８ｐｇ／ｍＬの間、少なくとも約３ｐｇ／ｍＬ〜約７ｐｇ／ｍＬの間、少なくとも約３ｐｇ／ｍＬ〜約６ｐｇ／ｍＬの間、少なくとも約３ｐｇ／ｍＬ〜約５ｐｇ／ｍＬの間、少なくとも約３ｐｇ／ｍＬ〜約４ｐｇ／ｍＬの間、少なくとも約４ｐｇ／ｍＬ〜約２５ｐｇ／ｍＬの間、少なくとも約４ｐｇ／ｍＬ〜約２０ｐｇ／ｍＬの間、少なくとも約４ｐｇ／ｍＬ〜約１５ｐｇ／ｍＬの間、少なくとも約４ｐｇ／ｍＬ〜約１０ｐｇ／ｍＬの間、少なくとも約４ｐｇ／ｍＬ〜約９ｐｇ／ｍＬの間、少なくとも約４ｐｇ／ｍＬ〜約８ｐｇ／ｍＬの間、少なくとも約４ｐｇ／ｍＬ〜約７ｐｇ／ｍＬの間、少なくとも約４ｐｇ／ｍＬ〜約６ｐｇ／ｍＬの間、少なくとも約４ｐｇ／ｍＬ〜約５ｐｇ／ｍＬの間、少なくとも約５ｐｇ／ｍＬ〜約２５ｐｇ／ｍＬの間、少なくとも約５ｐｇ／ｍＬ〜約２０ｐｇ／ｍＬの間、少なくとも約５ｐｇ／ｍＬ〜約１５ｐｇ／ｍＬの間、少なくとも約５ｐｇ／ｍＬ〜約１０ｐｇ／ｍＬの間、少なくとも約５ｐｇ／ｍＬ〜約９ｐｇ／ｍＬの間、少なくとも約５ｐｇ／ｍＬ〜約８ｐｇ／ｍＬの間、少なくとも約５ｐｇ／ｍＬ〜約７ｐｇ／ｍＬの間、少なくとも約５ｐｇ／ｍＬ〜約６ｐｇ／ｍＬの間、少なくとも約６ｐｇ／ｍＬ〜約２５ｐｇ／ｍＬの間、少なくとも約６ｐｇ／ｍＬ〜約２０ｐｇ／ｍＬの間、少なくとも約６ｐｇ／ｍＬ〜約１５ｐｇ／ｍＬの間、少なくとも約６ｐｇ／ｍＬ〜約１０ｐｇ／ｍＬの間、少なくとも約６ｐｇ／ｍＬ〜約９ｐｇ／ｍＬの間、少なくとも約６ｐｇ／ｍＬ〜約８ｐｇ／ｍＬの間、少なくとも約６ｐｇ／ｍＬ〜約７ｐｇ／ｍＬの間、少なくとも約７ｐｇ／ｍＬ〜約２５ｐｇ／ｍＬの間、少なくとも約７ｐｇ／ｍＬ〜約２０ｐｇ／ｍＬの間、少なくとも約７ｐｇ／ｍＬ〜約１５ｐｇ／ｍＬの間、少なくとも約７ｐｇ／ｍＬ〜約１０ｐｇ／ｍＬの間、少なくとも約７ｐｇ／ｍＬ〜約９ｐｇ／ｍＬの間、少なくとも約７ｐｇ／ｍＬ〜約８ｐｇ／ｍＬの間、少なくとも約８ｐｇ／ｍＬ〜約２５ｐｇ／ｍＬの間、少なくとも約８ｐｇ／ｍＬ〜約２０ｐｇ／ｍＬの間、少なくとも約８ｐｇ／ｍＬ〜約１５ｐｇ／ｍＬの間、少なくとも約８ｐｇ／ｍＬ〜約１０ｐｇ／ｍＬの間、少なくとも約８ｐｇ／ｍＬ〜約９ｐｇ／ｍＬの間、少なくとも約９ｐｇ／ｍＬ〜約２５ｐｇ／ｍＬの間、少なくとも約９ｐｇ／ｍＬ〜約２０ｐｇ／ｍＬの間、少なくとも約９ｐｇ／ｍＬ〜約１５ｐｇ／ｍＬの間、少なくとも約９ｐｇ／ｍＬ〜約１０ｐｇ／ｍＬの間、少なくとも約１０ｐｇ／ｍＬ〜約２５ｐｇ／ｍＬの間、少なくとも約１０ｐｇ／ｍＬ〜約２０ｐｇ／ｍＬの間、少なくとも約１０ｐｇ／ｍＬ〜約１５ｐｇ／ｍＬの間、少なくとも約１５ｐｇ／ｍＬ〜約２５ｐｇ／ｍＬの間、少なくとも約１５ｐｇ／ｍＬ〜約２０ｐｇ／ｍＬの間、又は少なくとも約２０ｐｇ／ｍＬ〜約２５ｐｇ／ｍＬの間でありうる。一部の実施形態において、絶対量は、少なくとも約０．５ｐｇ／ｍＬ、少なくとも約１ｐｇ／ｍＬ、少なくとも約１．５ｐｇ／ｍＬ、少なくとも約２ｐｇ／ｍＬ、少なくとも約３ｐｇ／ｍＬ、少なくとも約４ｐｇ／ｍＬ、少なくとも約５ｐｇ／ｍＬ、少なくとも約６ｐｇ／ｍＬ、少なくとも約７ｐｇ／ｍＬ、少なくとも約８ｐｇ／ｍＬ、少なくとも約９ｐｇ／ｍＬ、少なくとも約１０ｐｇ／ｍＬ、少なくとも約１１ｐｇ／ｍＬ、少なくとも約１２ｐｇ／ｍＬ、少なくとも約１３ｐｇ／ｍＬ、少なくとも約１４ｐｇ／ｍＬ、少なくとも約１５ｐｇ／ｍＬ、少なくとも約２０ｐｇ／ｍＬ又は少なくとも約２５ｐｇ／ｍＬでありうる。
【０３０４】
一部の実施形態において、絶対量は、約１ｐｇ／ｍＬ〜約５０ｐｇ／ｍＬの間、約１ｐｇ／ｍＬ〜約４０ｐｇ／ｍＬの間、約１ｐｇ／ｍＬ〜約３０ｐｇ／ｍＬの間、約１ｐｇ／ｍＬ〜約２０ｐｇ／ｍＬの間、約１ｐｇ／ｍＬ〜約１０ｐｇ／ｍＬの間、約１ｐｇ／ｍＬ〜約５ｐｇ／ｍＬの間、約２．５ｐｇ／ｍＬ〜約５０ｐｇ／ｍＬの間、約２．５ｐｇ／ｍＬ〜約４０ｐｇ／ｍＬの間、約２．５ｐｇ／ｍＬ〜約３０ｐｇ／ｍＬの間、約２．５ｐｇ／ｍＬ〜約２０ｐｇ／ｍＬの間、約２．５ｐｇ／ｍＬ〜約１０ｐｇ／ｍＬの間、約２．５ｐｇ／ｍＬ〜約５ｐｇ／ｍＬの間、約５ｐｇ／ｍＬ〜約５０ｐｇ／ｍＬの間、約５ｐｇ／ｍＬ〜約４０ｐｇ／ｍＬの間、約５ｐｇ／ｍＬ〜約３０ｐｇ／ｍＬの間、約５ｐｇ／ｍＬ〜約２０ｐｇ／ｍＬの間、又は約５ｐｇ／ｍＬ〜約１０ｐｇ／ｍＬの間である。一部の実施形態において、絶対量は、少なくとも約１ｐｇ／ｍＬ、少なくとも約２ｐｇ／ｍＬ、少なくとも約３ｐｇ／ｍＬ、少なくとも約４ｐｇ／ｍＬ、少なくとも約５ｐｇ／ｍＬ、少なくとも約５．５ｐｇ／ｍＬ、少なくとも約５．６ｐｇ／ｍＬ、少なくとも約５．７ｐｇ／ｍＬ、少なくとも約５．８ｐｇ／ｍＬ、少なくとも約５．９ｐｇ／ｍＬ、少なくとも約６ｐｇ／ｍＬ、少なくとも約７ｐｇ／ｍＬ、少なくとも約８ｐｇ／ｍＬ、少なくとも約９ｐｇ／ｍＬ、少なくとも約１０ｐｇ／ｍＬ、少なくとも約２０ｐｇ／ｍＬ、少なくとも約３０ｐｇ／ｍＬ、少なくとも約４０ｐｇ／ｍＬ又は少なくとも約１０ｐｇ／ｍＬである。
【０３０５】
一部の実施形態において、方法は、下記において記載される通り、転帰が思わしくないと予測されたヒト対象を、外傷性脳損傷処置により処置するステップをさらに含む。一部の実施形態において、方法は、下記において記載される通り、転帰が思わしくないと予測されたヒト対象をモニタリングするステップをさらに含む。一部の実施形態において、方法は、転帰が思わしくないと予測されたヒト対象における軽度ＴＢＩについての、さらなる臨床情報を得るように、さらなる検査を指図するステップをさらに含む。一部の実施形態において、方法は、下記において記載される通り、転帰が思わしくないとことが予測されるヒト対象を、心臓保護処置により処置して、心臓を保護するステップを含む。
【０３０６】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。このようなアッセイについては、本明細書の第１１〜１３節において、さらに詳細に記載されている。また、臨床化学フォーマット、例えば当業者に公知の臨床化学フォーマットのアッセイも利用されうる。例えば、臨床化学フォーマットは、１つの抗体を伴うアッセイ又は抗体を伴わないアッセイを含みうる。臨床化学フォーマットのために使用されうる解析器の例については、米国特許公開第２０１６／０３２０４２２号及び同第２０１５／０１１２６３０号において記載されている。
【０３０７】
８．心臓トロポニンＩ（ｃＴｎＩ）及び年齢を使用して、軽度外傷性脳損傷を有する、ヒト対象の転帰を予測する一助となる、又はこれを予測する方法
本開示は、他の方法の中でとりわけ、軽度外傷性脳損傷を有するヒト対象の転帰（ＴＢＩ）を予測する一助となる（又はこれを予測する）、例えば、対象の転帰が、思わしくなくなる、又は陰性となるのか、転帰が思わしくなるのかを決定する方法に関する。本明細書において使用された、「対象の転帰が、思わしいのかどうかを決定すること」という語句は、対象の軽度ＴＢＩからの転帰が陽性である可能性が、そうでない場合より高いことを決定するのに、他の情報（例えば、臨床評価データ）と共に、前述の方法が使用されうるという事実を指す。加えて、本明細書において使用された、「対象の転帰が、思わしくないのかどうかを決定すること」という語句は、対象の軽度ＴＢＩからの転帰が思わしくない、又は陰性である可能性が、そうでない場合より高いことを決定するのに、他の情報（例えば、臨床評価データ）と共に、前述の方法が使用されうるという事実を指す。
【０３０８】
上述の通り、本明細書において記載された方法は、軽度ＴＢＩを伴うと診断された（１）対象の転帰が思わしい（任意選択的に、思わしい転帰は、対象が、完全に回復し、軽度ＴＢＩの、１つ以上の症状を被り続けないことでありうる）可能性；又は（２）対象の転帰が思わしくない（任意選択的に、思わしくない転帰は、対象が、完全に回復せず、軽度ＴＢＩの、１つ以上の症状を被り続けることでありうる）可能性が、そうでない場合より高いのかどうかを決定するのに使用されうる。
【０３０９】
代替的に、かつ、任意選択的に、思わしい転帰とは、対象が、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；又は（ｄ）睡眠障害（例えば、不眠症など）のような、軽度ＴＢＩの結果としての、１つを超える振盪後症候群の症状を患わない可能性が、そうでない場合より高いことを意味しうる。代替的に、かつ、任意選択的に、思わしくない転帰を有する対象は、（ａ）身体障害（例えば、頭痛、めまい、疲労感、光ノイズ及び光に対する過敏性など）；（ｂ）認知障害（例えば、注意障害、記憶問題、落ち着きのなさなど）；（ｃ）情緒障害（例えば、人格変化、易刺激性、抑うつ、無気力など）；（ｄ）睡眠障害（例えば、不眠症など）；又は（ｅ）（ａ）〜（ｄ）の任意の組合せのような、１つを超える振盪後症候群の症状を患う可能性が高い。代替的に、かつ、任意選択的に、思わしくない転帰とはまた、対象が、軽度ＴＢＩの、１つ以上の症状を呈示することも意味しうる。代替的に、かつ、任意選択的に、思わしくない転帰とはまた、対象の状態が、軽度ＴＢＩから、中等度、中等度〜重度又は重度へと悪化することも意味しうる。加えて、転帰が思わしい対象が、５以上のＧＯＳＥスコアを有する可能性が高いのに対し、転帰が思わしくない対象は、５未満のＧＯＳＥスコアを有する可能性が高い。
【０３１０】
本明細書において開示された方法は、頭部への損傷後に、ヒト対象から得られた第１の試料及び第２の試料に対するアッセイを実施するステップ、並びに対象の年齢を決定するステップを含みうる。第１の試料は、損傷後、約２４時間以内に対象から採取され、第２の試料は、第１の試料が、２つ以上の異なる時点において採取された後、０〜約４時間以内に対象から採取される。アッセイは、これらの試料の各々における、心臓トロポニンＩのレベルを決定するのに使用される。心臓トロポニンＩの、第１の試料中及び／又は第２の試料中の量又はレベルが、心臓トロポニンＩの基準レベルより高く、対象の年齢が、例えば、４０〜５０歳の間のように、基準年齢より低い場合、対象は、例えば、６カ月後における転帰が思わしくない、又はより重度の外傷性脳損傷を有することが予測されるという決定がなされる。しかし、心臓トロポニンＩの、第１の試料中レベル及び第２の試料中レベルが、心臓トロポニンＩの基準レベルより低く、対象の年齢が、基準年齢未満である場合、対象は、６カ月後における転帰が思わしい、又はそれほど重度ではない外傷性脳損傷を有することが予測されるという決定がなされる。
【０３１１】
上記の方法についての、一部の実施形態において、対象の年齢は、１８〜３０歳である。上記の方法についての、他の実施形態において、対象の年齢は、３１〜５０歳である。上記の方法についての、さらに他の実施形態において、対象の年齢は、５１〜７０歳である。上記の方法についての、さらに他の実施形態において、対象の年齢は、７０〜１００歳である。上記の方法についての、さらに他の実施形態において、年齢は、１８歳以下である。上記の方法についての、さらに他の実施形態において、年齢は、１９〜５０歳である。なおさらなる実施形態において、年齢は、５１〜７０歳である。上記の方法についての、さらに他の実施形態において、年齢は、７０歳を超える。上記の方法についての、さらに他の実施形態において、対象の年齢は、２０〜３０歳である。上記の方法についての、さらに他の実施形態において、対象の年齢は、３１〜４０歳である。上記の方法についての、さらに他の実施形態において、対象の年齢は、４１〜５０歳である。上記の方法についての、さらに他の実施形態において、対象の年齢は、５１〜６０歳である。上記の方法についての、さらに他の実施形態において、対象の年齢は、６１〜７０歳である。上記の方法についての、さらに他の実施形態において、対象の年齢は、７１〜８０歳である。上記の方法についての、さらに他の実施形態において、対象の年齢は、８１〜９０歳である。上記の方法についての、さらに他の実施形態において、対象の年齢は、９１〜１００歳である。
【０３１２】
一部の実施形態において、第１の時点及び第２の時点において採取された試料中のｃＴｎＩレベルは、以下の式中の対象の年齢と組み合わされる。
【０３１３】
【数１】
2020522686.tif 000003
【０３１４】
一部の実施形態において、年齢は、連続変数である。例えば、重みが、係数に基づき割り当てられる場合、年齢の重みは、１．０６であることが可能であり、初期トロポニンの重みは、０．２５であることが可能であり、４時間後のトロポニンの重みは、４．２２でありうる。第１の（又は先行）試料は、頭部への損傷から、０分間、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。一部の実施形態において、第１の（又は先行）試料は、損傷後約０〜約１時間以内に、約０〜約２時間以内に、約０〜約３時間以内に、約０〜約４時間以内に、約０〜約５時間以内に、約０〜約６時間以内に、約０〜約７時間以内に、約０〜約８時間以内に、約０〜約９時間以内に、約０〜約１０時間以内に、約０〜約１１時間以内に、約０〜約１２時間以内に、約０〜約１８時間以内に、約６〜約１２時間以内に、約１２〜約１８時間以内に、約１８〜約２４時間以内に、又は２４時間を超える時間後に採取される。第２の（又は後続）試料は、第１の（又は最新）試料を得た、約０時間〜６時間後に得られうる。一部の実施形態において、第２の（又は後続）試料は、第１の試料が、対象から採取された後、少なくとも約３０分以内に、少なくとも約１時間以内に、少なくとも約２時間以内に、少なくとも約３時間以内に、少なくとも約４時間以内に、少なくとも約５時間以内に、又は少なくとも約６時間以内に対象から採取される。
【０３１５】
一部の実施形態において、対象は、心臓トロポニンのレベルが、１つ以上の時点において、決定される前に、又は決定された後において、ＧＣＳ（Ｇｌａｓｇｏｗ  Ｃｏｍａ  Ｓｃａｌｅ）スコアを受けている場合がある。ある特定の実施形態において、対象は、ＧＣＳ（Ｇｌａｓｇｏｗ  Ｃｏｍａ  Ｓｃａｌｅ）スコアに基づき、軽度外傷性脳損傷を有することが推測されうる。ある特定の実施形態において、対象は、異常な頭部ＣＴに基づき、軽度外傷性脳損傷を有することが推測されうる。一部の実施形態において、対象は、アッセイが実施される前に、又は実施された後において、ＣＴスキャンを受けている。一部の実施形態において、対象は、正常な頭部ＣＴスキャンを有する。
【０３１６】
一部の実施形態において、対象は、アッセイが実施された後において、ＧＯＳＥスコアを受けている。一部の実施形態において、対象は、ＧＯＳＥスコアに基づき、転帰が思わしくないと推測される。一部の実施形態において、対象は、損傷の１カ月、２カ月、３カ月、４カ月、５カ月又は６カ月後において、５未満のＧＯＳＥスコアを有する。一部の実施形態において、ｃＴｎＩの基準レベルは、転帰が思わしくない対象と相関する。一部の実施形態において、ｃＴｎＩの基準レベルは、１〜５のＧＯＳＥスコアと相関する。一部の実施形態において、対象は、ＧＯＳＥスコアに基づき、転帰が思わしいと推測される。一部の実施形態において、ｃＴｎＩの基準レベルは、転帰が思わしい対象と相関する。一部の実施形態において、ｃＴｎＩの基準レベルは、６〜８のＧＯＳＥスコアと相関する。
【０３１７】
一部の実施形態において、ｃＴｎＩの基準レベルは、中等度〜重度の外傷性脳損傷のような、より重度の外傷性脳損傷を有する対象と相関する。一部の実施形態において、ｃＴｎＩの基準レベルは、３〜１２のＧＣＳ（Ｇｌａｓｇｏｗ  Ｃｏｍａ  Ｓｃａｌｅ）スコアと相関する。一部の実施形態において、対象は、ＧＣＳ（Ｇｌａｓｇｏｗ  Ｃｏｍａ  Ｓｃａｌｅ）スコアに基づき、軽度外傷性脳損傷を有すると推測される。一部の実施形態において、ｃＴｎＩの基準レベルは、軽度外傷性脳損傷のような、それほど重度ではない外傷性脳損傷を有する対象と相関する。一部の実施形態において、ｃＴｎＩの基準レベルは、１３〜１５のＧＣＳ（Ｇｌａｓｇｏｗ  Ｃｏｍａ  Ｓｃａｌｅ）スコアと相関する。
【０３１８】
一般に、ｃＴｎＩの基準レベルはまた、被験試料を、ｃＴｎＩについてアッセイしたときに得られた結果を評価するためのベンチマークとしても利用されうる。一般に、このような比較を行う場合に、ｃＴｎＩの基準レベルは、解析物の存在、量又は濃度の、ＴＢＩの特定の病期若しくはエンドポイント又は特定の徴候との連関又は関連を成立させうるような、十分な回数及び適切な条件下において、特定のアッセイを行うことにより得られる。典型的に、ｃＴｎＩの基準レベルは、基準対象（又は対象の集団）についてのアッセイにより得られる。測定されるｃＴｎＩは、この断片、この分解産物及び／又は酵素によるこの切断産物を含みうる。
【０３１９】
ある特定の実施形態において、基準レベルは、頭部損傷を負っていない、対照の対象と相関しうる。
【０３２０】
一部の実施形態において、方法は、試料を、対象から得、試料を、心臓トロポニンＩに対する抗体と接触させて、抗体と心臓トロポニンＩとの複合体の形成を可能とするステップを含みうる。方法はまた、結果として得られる抗体−心臓トロポニンＩ複合体を検出するステップも含む。
【０３２１】
一部の実施形態において、ｃＴｎＩの基準レベルは、少なくとも約６５％〜約１００％の間の感度及び少なくとも約３０％〜約１００％の間の特異度を有するアッセイにより決定される。一部の実施形態において、感度は、少なくとも約６５％〜約１００％の間、少なくとも約６５％〜少なくとも約９９％の間、少なくとも約６５％〜少なくとも約９５％の間、少なくとも約６５％〜少なくとも約９０％の間、少なくとも約６５％〜少なくとも約８５％の間、少なくとも約６５％〜少なくとも約８０％の間、少なくとも約６５％〜少なくとも約７５％の間、少なくとも約６５％〜少なくとも約７０％の間、少なくとも約７５％〜約１００％の間、少なくとも約７５％〜少なくとも約９９％の間、少なくとも約７５％〜少なくとも約９５％の間、少なくとも約７５％〜少なくとも約９０％の間、少なくとも約７５％〜少なくとも約８５％の間、少なくとも約７５％〜少なくとも約８０％の間、少なくとも約８５％〜約１００％の間、少なくとも約８５％〜少なくとも約９９％の間、少なくとも約８５％〜少なくとも約９５％の間、少なくとも約８５％〜少なくとも約９０％の間、少なくとも約９５％〜約１００％の間又は少なくとも約９５％〜少なくとも約９９％の間である。一部の実施形態において、感度は、少なくとも約６５．０％、少なくとも約７０．０％、少なくとも約７５．０％、少なくとも約８０．０％、少なくとも約８５．０％、少なくとも約８７．５％、少なくとも約９０．０％、少なくとも約９５．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。
【０３２２】
一部の実施形態において、特異度は、少なくとも約３０％〜約１００％の間、少なくとも約３０％〜約９９％の間、少なくとも約３０％〜約９５％の間、少なくとも約３０％〜約９０％の間、少なくとも約３０％〜約８５％の間、少なくとも約３０％〜約８０％の間、少なくとも約３０％〜約７５％の間、少なくとも約３０％〜約７０％の間、少なくとも約３０％〜約６０％の間、少なくとも約３０％〜約５０％の間、少なくとも約４０％〜約１００％の間、少なくとも約４０％〜約９９％の間、少なくとも約４０％〜約９５％の間、少なくとも約４０％〜約９０％の間、少なくとも約４０％〜約８５％の間、少なくとも約４０％〜約８０％の間、少なくとも約４０％〜約７５％の間、少なくとも約４０％〜約７０％の間、少なくとも約４０％〜約６０％の間、少なくとも約４０％〜約５０％の間、少なくとも約５０％〜約１００％の間、少なくとも約５０％〜約９９％の間、少なくとも約５０％〜約９５％の間、少なくとも約５０％〜約９０％の間、少なくとも約５０％〜約８５％の間、少なくとも約５０％〜約８０％の間、少なくとも約５０％〜約７５％の間、少なくとも約５０％〜約７０％の間、少なくとも約５０％〜約６０％の間、少なくとも約６０％〜約１００％の間、少なくとも約６０％〜約９９％の間、少なくとも約６０％〜約９５％の間、少なくとも約６０％〜約９０％の間、少なくとも約６０％〜約８５％の間、少なくとも約６０％〜約８０％の間、少なくとも約６０％〜約７５％の間、少なくとも約６０％〜約７０％の間、少なくとも約７０％〜約１００％の間、少なくとも約７０％〜約９９％の間、少なくとも約７０％〜約９５％の間、少なくとも約７０％〜約９０％の間、少なくとも約７０％〜約８５％の間、少なくとも約７０％〜約８０％の間、少なくとも約７０％〜約７５％の間、少なくとも約８０％〜約１００％の間、少なくとも約８０％〜約９９％の間、少なくとも約８０％〜約９５％の間、少なくとも約８０％〜約９０％の間、少なくとも約８０％〜約８５％の間、少なくとも約９０％〜約１００％の間、少なくとも約９０％〜約９９％の間、少なくとも約９０％〜約９５％の間、少なくとも約９５％〜約９９％の間又は少なくとも約９５％〜約１００％の間である。一部の実施形態において、特異度は、少なくとも約３０．０％、少なくとも約３１．０％、少なくとも約３２．０％、少なくとも約３３．０％、少なくとも約３４．０％、少なくとも約３５．０％、少なくとも約３６．０％、少なくとも約３７．０％、少なくとも約３８．０％、少なくとも約３９．０％、少なくとも約４０．０％、少なくとも約４５．０％、少なくとも約５０．０％、少なくとも約５５．０％、少なくとも約６０．０％、少なくとも約６５．０％、少なくとも約７０．０％、少なくとも約７５．０％、少なくとも約８０．０％、少なくとも約８５．０％、少なくとも約９０．０％、少なくとも約９１．０％、少なくとも約９２．０％、少なくとも約９３．０％、少なくとも約９４．０％、少なくとも約９５．０％、少なくとも約９６．０％、少なくとも約９７．０％、少なくとも約９８．０％、少なくとも約９９．０％、少なくとも約９９．１％、少なくとも約９９．２％、少なくとも約９９．３％、少なくとも約９９．４％、少なくとも約９９．５％、少なくとも約９９．６％、少なくとも約９９．７％、少なくとも約９９．８％、少なくとも約９９．９％又は少なくとも約１００．０％である。例えば、感度は、少なくとも約９９％であり、特異度は、少なくとも約７５％である、感度は、少なくとも約９９％であり、特異度は、少なくとも約９９％である、又は感度は、少なくとも約１００％であり、特異度は、少なくとも約１００％である。
【０３２３】
一部の実施形態において、心臓トロポニンＩの基準レベルは、約０．０１００ｐｇ／ｍＬ〜約５０．０ｐｇ／ｍＬ、約０．０２００ｐｇ／ｍＬ〜約５０．０ｐｇ／ｍＬ、約０．０３００ｐｇ／ｍＬ〜約５０．０ｐｇ／ｍＬ、約０．０３６ｐｇ／ｍＬ〜約５０．０ｐｇ／ｍＬ、約０．０４００ｐｇ／ｍＬ〜約５０．０ｐｇ／ｍＬ、約０．０５００ｐｇ／ｍＬ〜約５０．０ｐｇ／ｍＬ、約０．１ｐｇ／ｍＬ〜約５０．０ｐｇ／ｍＬ、約０．５ｐｇ／ｍＬ〜約５０．０ｐｇ／ｍＬ、約１．０ｐｇ／ｍＬ〜約５０．０ｐｇ／ｍＬ、約１．５ｐｇ／ｍＬ〜約５０．０ｐｇ／ｍＬ、約２．０ｐｇ／ｍＬ〜約５０．０ｐｇ／ｍＬ、約２．５ｐｇ／ｍＬ〜約５０．０ｐｇ／ｍＬ、約３．０ｐｇ／ｍＬ〜約５０．０ｐｇ／ｍＬ、約３．５ｐｇ／ｍＬ〜約５０．０ｐｇ／ｍＬ、約４．０ｐｇ／ｍＬ〜約５０．０ｐｇ／ｍＬ、約４．５ｐｇ／ｍＬ〜約５０．０ｐｇ／ｍＬ、約５．０ｐｇ／ｍＬ〜約５０．０ｐｇ／ｍＬ、約５．５ｐｇ／ｍＬ〜約５０．０ｐｇ／ｍＬ、約６．０ｐｇ／ｍＬ〜約５０．０ｐｇ／ｍＬ、約６．５ｐｇ／ｍＬ〜約５０．０ｐｇ／ｍＬ、約７．０ｐｇ／ｍＬ〜約５０．０ｐｇ／ｍＬ、約７．５ｐｇ／ｍＬ〜約５０．０ｐｇ／ｍＬ、約８．０ｐｇ／ｍＬ〜約５０．０ｐｇ／ｍＬ、約８．５ｐｇ／ｍＬ〜約５０．０ｐｇ／ｍＬ、約９．０ｐｇ／ｍＬ〜約５０．０ｐｇ／ｍＬ、約９．５ｐｇ／ｍＬ〜約５０．０ｐｇ／ｍＬ、約１０．０ｐｇ／ｍＬ〜約５０．０ｐｇ／ｍＬ、約０．０１００ｐｇ／ｍＬ〜約４０．０ｐｇ／ｍＬ、約０．０２００ｐｇ／ｍＬ〜約４０．０ｐｇ／ｍＬ、約０．０３００ｐｇ／ｍＬ〜約４０．０ｐｇ／ｍＬ、約０．０３６ｐｇ／ｍＬ〜約４０．０ｐｇ／ｍＬ、約０．０４００ｐｇ／ｍＬ〜約４０．０ｐｇ／ｍＬ、約０．０５００ｐｇ／ｍＬ〜約４０．０ｐｇ／ｍＬ、約０．１ｐｇ／ｍＬ〜約４０．０ｐｇ／ｍＬ、約０．５ｐｇ／ｍＬ〜約４０．０ｐｇ／ｍＬ、約１．０ｐｇ／ｍＬ〜約４０．０ｐｇ／ｍＬ、約１．５ｐｇ／ｍＬ〜約４０．０ｐｇ／ｍＬ、約２．０ｐｇ／ｍＬ〜約４０．０ｐｇ／ｍＬ、約２．５ｐｇ／ｍＬ〜約４０．０ｐｇ／ｍＬ、約３．０ｐｇ／ｍＬ〜約４０．０ｐｇ／ｍＬ、約３．５ｐｇ／ｍＬ〜約４０．０ｐｇ／ｍＬ、約４．０ｐｇ／ｍＬ〜約４０．０ｐｇ／ｍＬ、約４．５ｐｇ／ｍＬ〜約４０．０ｐｇ／ｍＬ、約５．０ｐｇ／ｍＬ〜約４０．０ｐｇ／ｍＬ、約５．５ｐｇ／ｍＬ〜約４０．０ｐｇ／ｍＬ、約６．０ｐｇ／ｍＬ〜約４０．０ｐｇ／ｍＬ、約６．５ｐｇ／ｍＬ〜約４０．０ｐｇ／ｍＬ、約７．０ｐｇ／ｍＬ〜約４０．０ｐｇ／ｍＬ、約７．５ｐｇ／ｍＬ〜約４０．０ｐｇ／ｍＬ、約８．０ｐｇ／ｍＬ〜約４０．０ｐｇ／ｍＬ、約８．５ｐｇ／ｍＬ〜約４０．０ｐｇ／ｍＬ、約９．０ｐｇ／ｍＬ〜約４０．０ｐｇ／ｍＬ、約９．５ｐｇ／ｍＬ〜約４０．０ｐｇ／ｍＬ、約１０．０ｐｇ／ｍＬ〜約４０．０ｐｇ／ｍＬ、約０．０１００ｐｇ／ｍＬ〜約３５．０ｐｇ／ｍＬ、約０．０２００ｐｇ／ｍＬ〜約３５．０ｐｇ／ｍＬ、約０．０３００ｐｇ／ｍＬ〜約３５．０ｐｇ／ｍＬ、約０．０３６ｐｇ／ｍＬ〜約３５．０ｐｇ／ｍＬ、約０．０４００ｐｇ／ｍＬ〜約３５．０ｐｇ／ｍＬ、約０．０５００ｐｇ／ｍＬ〜約３５．０ｐｇ／ｍＬ、約０．１ｐｇ／ｍＬ〜約３５．０ｐｇ／ｍＬ、約０．５ｐｇ／ｍＬ〜約３５．０ｐｇ／ｍＬ、約１．０ｐｇ／ｍＬ〜約３５．０ｐｇ／ｍＬ、約１．５ｐｇ／ｍＬ〜約３５．０ｐｇ／ｍＬ、約２．０ｐｇ／ｍＬ〜約３５．０ｐｇ／ｍＬ、約２．５ｐｇ／ｍＬ〜約３５．０ｐｇ／ｍＬ、約３．０ｐｇ／ｍＬ〜約３５．０ｐｇ／ｍＬ、約３．５ｐｇ／ｍＬ〜約３５．０ｐｇ／ｍＬ、約４．０ｐｇ／ｍＬ〜約３５．０ｐｇ／ｍＬ、約４．５ｐｇ／ｍＬ〜約３５．０ｐｇ／ｍＬ、約５．０ｐｇ／ｍＬ〜約３５．０ｐｇ／ｍＬ、約５．５ｐｇ／ｍＬ〜約３５．０ｐｇ／ｍＬ、約６．０ｐｇ／ｍＬ〜約３５．０ｐｇ／ｍＬ、約６．５ｐｇ／ｍＬ〜約３５．０ｐｇ／ｍＬ、約７．０ｐｇ／ｍＬ〜約３５．０ｐｇ／ｍＬ、約７．５ｐｇ／ｍＬ〜約３５．０ｐｇ／ｍＬ、約８．０ｐｇ／ｍＬ〜約３５．０ｐｇ／ｍＬ、約８．５ｐｇ／ｍＬ〜約３５．０ｐｇ／ｍＬ、約９．０ｐｇ／ｍＬ〜約３５．０ｐｇ／ｍＬ、約９．５ｐｇ／ｍＬ〜約３５．０ｐｇ／ｍＬ、約１０．０ｐｇ／ｍＬ〜約３５．０ｐｇ／ｍＬ、約０．０１００ｐｇ／ｍＬ〜約３０．０ｐｇ／ｍＬ、約０．０２００ｐｇ／ｍＬ〜約３０．０ｐｇ／ｍＬ、約０．０３００ｐｇ／ｍＬ〜約３０．０ｐｇ／ｍＬ、約０．０３６ｐｇ／ｍＬ〜約３０．０ｐｇ／ｍＬ、約０．０４００ｐｇ／ｍＬ〜約３０．０ｐｇ／ｍＬ、約０．０５００ｐｇ／ｍＬ〜約３０．０ｐｇ／ｍＬ、約０．１ｐｇ／ｍＬ〜約３０．０ｐｇ／ｍＬ、約０．５ｐｇ／ｍＬ〜約３０．０ｐｇ／ｍＬ、約１．０ｐｇ／ｍＬ〜約３０．０ｐｇ／ｍＬ、約１．５ｐｇ／ｍＬ〜約３０．０ｐｇ／ｍＬ、約２．０ｐｇ／ｍＬ〜約３０．０ｐｇ／ｍＬ、約２．５ｐｇ／ｍＬ〜約３０．０ｐｇ／ｍＬ、約３．０ｐｇ／ｍＬ〜約３０．０ｐｇ／ｍＬ、約３．５ｐｇ／ｍＬ〜約３０．０ｐｇ／ｍＬ、約４．０ｐｇ／ｍＬ〜約３０．０ｐｇ／ｍＬ、約４．５ｐｇ／ｍＬ〜約３０．０ｐｇ／ｍＬ、約５．０ｐｇ／ｍＬ〜約３０．０ｐｇ／ｍＬ、約５．５ｐｇ／ｍＬ〜約３０．０ｐｇ／ｍＬ、約６．０ｐｇ／ｍＬ〜約３０．０ｐｇ／ｍＬ、約６．５ｐｇ／ｍＬ〜約３０．０ｐｇ／ｍＬ、約７．０ｐｇ／ｍＬ〜約３０．０ｐｇ／ｍＬ、約７．５ｐｇ／ｍＬ〜約３０．０ｐｇ／ｍＬ、約８．０ｐｇ／ｍＬ〜約３０．０ｐｇ／ｍＬ、約８．５ｐｇ／ｍＬ〜約３０．０ｐｇ／ｍＬ、約９．０ｐｇ／ｍＬ〜約３０．０ｐｇ／ｍＬ、約９．５ｐｇ／ｍＬ〜約３０．０ｐｇ／ｍＬ、約１０．０ｐｇ／ｍＬ〜約３０．０ｐｇ／ｍＬ、約０．０１００ｐｇ／ｍＬ〜約２５．０ｐｇ／ｍＬ、約０．０２００ｐｇ／ｍＬ〜約２５．０ｐｇ／ｍＬ、約０．０３００ｐｇ／ｍＬ〜約２５．０ｐｇ／ｍＬ、約０．０３６ｐｇ／ｍＬ〜約２５．０ｐｇ／ｍＬ、約０．０４００ｐｇ／ｍＬ〜約２５．０ｐｇ／ｍＬ、約０．０５００ｐｇ／ｍＬ〜約２５．０ｐｇ／ｍＬ、約０．１ｐｇ／ｍＬ〜約２５．０ｐｇ／ｍＬ、約０．５ｐｇ／ｍＬ〜約２５．０ｐｇ／ｍＬ、約１．０ｐｇ／ｍＬ〜約２５．０ｐｇ／ｍＬ、約１．５ｐｇ／ｍＬ〜約２５．０ｐｇ／ｍＬ、約２．０ｐｇ／ｍＬ〜約２５．０ｐｇ／ｍＬ、約２．５ｐｇ／ｍＬ〜約２５．０ｐｇ／ｍＬ、約３．０ｐｇ／ｍＬ〜約２５．０ｐｇ／ｍＬ、約３．５ｐｇ／ｍＬ〜約２５．０ｐｇ／ｍＬ、約４．０ｐｇ／ｍＬ〜約２５．０ｐｇ／ｍＬ、約４．５ｐｇ／ｍＬ〜約２５．０ｐｇ／ｍＬ、約５．０ｐｇ／ｍＬ〜約２５．０ｐｇ／ｍＬ、約５．５ｐｇ／ｍＬ〜約２５．０ｐｇ／ｍＬ、約６．０ｐｇ／ｍＬ〜約２５．０ｐｇ／ｍＬ、約６．５ｐｇ／ｍＬ〜約２５．０ｐｇ／ｍＬ、約７．０ｐｇ／ｍＬ〜約２５．０ｐｇ／ｍＬ、約７．５ｐｇ／ｍＬ〜約２５．０ｐｇ／ｍＬ、約８．０ｐｇ／ｍＬ〜約２５．０ｐｇ／ｍＬ、約８．５ｐｇ／ｍＬ〜約２５．０ｐｇ／ｍＬ、約９．０ｐｇ／ｍＬ〜約２５．０ｐｇ／ｍＬ、約９．５ｐｇ／ｍＬ〜約２５．０ｐｇ／ｍＬ、約１０．０ｐｇ／ｍＬ〜約２５．０ｐｇ／ｍＬ、約０．０１００ｐｇ／ｍＬ〜約２４．０ｐｇ／ｍＬ、約０．０２００ｐｇ／ｍＬ〜約２４．０ｐｇ／ｍＬ、約０．０３００ｐｇ／ｍＬ〜約２４．０ｐｇ／ｍＬ、約０．０３６ｐｇ／ｍＬ〜約２４．０ｐｇ／ｍＬ、約０．０４００ｐｇ／ｍＬ〜約２４．０ｐｇ／ｍＬ、約０．０５００ｐｇ／ｍＬ〜約２４．０ｐｇ／ｍＬ、約０．１ｐｇ／ｍＬ〜約２４．０ｐｇ／ｍＬ、約０．５ｐｇ／ｍＬ〜約２４．０ｐｇ／ｍＬ、約１．０ｐｇ／ｍＬ〜約２４．０ｐｇ／ｍＬ、約１．５ｐｇ／ｍＬ〜約２４．０ｐｇ／ｍＬ、約２．０ｐｇ／ｍＬ〜約２４．０ｐｇ／ｍＬ、約２．５ｐｇ／ｍＬ〜約２４．０ｐｇ／ｍＬ、約３．０ｐｇ／ｍＬ〜約２４．０ｐｇ／ｍＬ、約３．５ｐｇ／ｍＬ〜約２４．０ｐｇ／ｍＬ、約４．０ｐｇ／ｍＬ〜約２４．０ｐｇ／ｍＬ、約４．５ｐｇ／ｍＬ〜約２４．０ｐｇ／ｍＬ、約５．０ｐｇ／ｍＬ〜約２４．０ｐｇ／ｍＬ、約５．５ｐｇ／ｍＬ〜約２４．０ｐｇ／ｍＬ、約６．０ｐｇ／ｍＬ〜約２４．０ｐｇ／ｍＬ、約６．５ｐｇ／ｍＬ〜約２４．０ｐｇ／ｍＬ、約７．０ｐｇ／ｍＬ〜約２４．０ｐｇ／ｍＬ、約７．５ｐｇ／ｍＬ〜約２４．０ｐｇ／ｍＬ、約８．０ｐｇ／ｍＬ〜約２４．０ｐｇ／ｍＬ、約８．５ｐｇ／ｍＬ〜約２４．０ｐｇ／ｍＬ、約９．０ｐｇ／ｍＬ〜約２４．０ｐｇ／ｍＬ、約９．５ｐｇ／ｍＬ〜約２４．０ｐｇ／ｍＬ、約１０．０ｐｇ／ｍＬ〜約２４．０ｐｇ／ｍＬ、約０．０１００ｐｇ／ｍＬ〜約２３．０ｐｇ／ｍＬ、約０．０２００ｐｇ／ｍＬ〜約２３．０ｐｇ／ｍＬ、約０．０３００ｐｇ／ｍＬ〜約２３．０ｐｇ／ｍＬ、約０．０３６ｐｇ／ｍＬ〜約２３．０ｐｇ／ｍＬ、約０．０４００ｐｇ／ｍＬ〜約２３．０ｐｇ／ｍＬ、約０．０５００ｐｇ／ｍＬ〜約２３．０ｐｇ／ｍＬ、約０．１ｐｇ／ｍＬ〜約２３．０ｐｇ／ｍＬ、約０．５ｐｇ／ｍＬ〜約２３．０ｐｇ／ｍＬ、約１．０ｐｇ／ｍＬ〜約２３．０ｐｇ／ｍＬ、約１．５ｐｇ／ｍＬ〜約２３．０ｐｇ／ｍＬ、約２．０ｐｇ／ｍＬ〜約２３．０ｐｇ／ｍＬ、約２．５ｐｇ／ｍＬ〜約２３．０ｐｇ／ｍＬ、約３．０ｐｇ／ｍＬ〜約２３．０ｐｇ／ｍＬ、約３．５ｐｇ／ｍＬ〜約２３．０ｐｇ／ｍＬ、約４．０ｐｇ／ｍＬ〜約２３．０ｐｇ／ｍＬ、約４．５ｐｇ／ｍＬ〜約２３．０ｐｇ／ｍＬ、約５．０ｐｇ／ｍＬ〜約２３．０ｐｇ／ｍＬ、約５．５ｐｇ／ｍＬ〜約２３．０ｐｇ／ｍＬ、約６．０ｐｇ／ｍＬ〜約２３．０ｐｇ／ｍＬ、約６．５ｐｇ／ｍＬ〜約２３．０ｐｇ／ｍＬ、約７．０ｐｇ／ｍＬ〜約２３．０ｐｇ／ｍＬ、約７．５ｐｇ／ｍＬ〜約２３．０ｐｇ／ｍＬ、約８．０ｐｇ／ｍＬ〜約２３．０ｐｇ／ｍＬ、約８．５ｐｇ／ｍＬ〜約２３．０ｐｇ／ｍＬ、約９．０ｐｇ／ｍＬ〜約２３．０ｐｇ／ｍＬ、約９．５ｐｇ／ｍＬ〜約２３．０ｐｇ／ｍＬ、約１０．０ｐｇ／ｍＬ〜約２３．０ｐｇ／ｍＬ、約０．０１００ｐｇ／ｍＬ〜約２２．０ｐｇ／ｍＬ、約０．０２００ｐｇ／ｍＬ〜約２２．０ｐｇ／ｍＬ、約０．０３００ｐｇ／ｍＬ〜約２２．０ｐｇ／ｍＬ、約０．０３６ｐｇ／ｍＬ〜約２２．０ｐｇ／ｍＬ、約０．０４００ｐｇ／ｍＬ〜約２２．０ｐｇ／ｍＬ、約０．０５００ｐｇ／ｍＬ〜約２２．０ｐｇ／ｍＬ、約０．１ｐｇ／ｍＬ〜約２２．０ｐｇ／ｍＬ、約０．５ｐｇ／ｍＬ〜約２２．０ｐｇ／ｍＬ、約１．０ｐｇ／ｍＬ〜約２２．０ｐｇ／ｍＬ、約１．５ｐｇ／ｍＬ〜約２２．０ｐｇ／ｍＬ、約２．０ｐｇ／ｍＬ〜約２２．０ｐｇ／ｍＬ、約２．５ｐｇ／ｍＬ〜約２２．０ｐｇ／ｍＬ、約３．０ｐｇ／ｍＬ〜約２２．０ｐｇ／ｍＬ、約３．５ｐｇ／ｍＬ〜約２２．０ｐｇ／ｍＬ、約４．０ｐｇ／ｍＬ〜約２２．０ｐｇ／ｍＬ、約４．５ｐｇ／ｍＬ〜約２２．０ｐｇ／ｍＬ、約５．０ｐｇ／ｍＬ〜約２２．０ｐｇ／ｍＬ、約５．５ｐｇ／ｍＬ〜約２２．０ｐｇ／ｍＬ、約６．０ｐｇ／ｍＬ〜約２２．０ｐｇ／ｍＬ、約６．５ｐｇ／ｍＬ〜約２２．０ｐｇ／ｍＬ、約７．０ｐｇ／ｍＬ〜約２２．０ｐｇ／ｍＬ、約７．５ｐｇ／ｍＬ〜約２２．０ｐｇ／ｍＬ、約８．０ｐｇ／ｍＬ〜約２２．０ｐｇ／ｍＬ、約８．５ｐｇ／ｍＬ〜約２２．０ｐｇ／ｍＬ、約９．０ｐｇ／ｍＬ〜約２２．０ｐｇ／ｍＬ、約９．５ｐｇ／ｍＬ〜約２２．０ｐｇ／ｍＬ、約１０．０ｐｇ／ｍＬ〜約２２．０ｐｇ／ｍＬ、約０．０１００ｐｇ／ｍＬ〜約２１．０ｐｇ／ｍＬ、約０．０２００ｐｇ／ｍＬ〜約２１．０ｐｇ／ｍＬ、約０．０３００ｐｇ／ｍＬ〜約２１．０ｐｇ／ｍＬ、約０．０３６ｐｇ／ｍＬ〜約２１．０ｐｇ／ｍＬ、約０．０４００ｐｇ／ｍＬ〜約２１．０ｐｇ／ｍＬ、約０．０５００ｐｇ／ｍＬ〜約２１．０ｐｇ／ｍＬ、約０．１ｐｇ／ｍＬ〜約２１．０ｐｇ／ｍＬ、約０．５ｐｇ／ｍＬ〜約２１．０ｐｇ／ｍＬ、約１．０ｐｇ／ｍＬ〜約２１．０ｐｇ／ｍＬ、約１．５ｐｇ／ｍＬ〜約２１．０ｐｇ／ｍＬ、約２．０ｐｇ／ｍＬ〜約２１．０ｐｇ／ｍＬ、約２．５ｐｇ／ｍＬ〜約２１．０ｐｇ／ｍＬ、約３．０ｐｇ／ｍＬ〜約２１．０ｐｇ／ｍＬ、約３．５ｐｇ／ｍＬ〜約２１．０ｐｇ／ｍＬ、約４．０ｐｇ／ｍＬ〜約２１．０ｐｇ／ｍＬ、約４．５ｐｇ／ｍＬ〜約２１．０ｐｇ／ｍＬ、約５．０ｐｇ／ｍＬ〜約２１．０ｐｇ／ｍＬ、約５．５ｐｇ／ｍＬ〜約２１．０ｐｇ／ｍＬ、約６．０ｐｇ／ｍＬ〜約２１．０ｐｇ
／ｍＬ、約６．５ｐｇ／ｍＬ〜約２１．０ｐｇ／ｍＬ、約７．０ｐｇ／ｍＬ〜約２１．０ｐｇ／ｍＬ、約７．５ｐｇ／ｍＬ〜約２１．０ｐｇ／ｍＬ、約８．０ｐｇ／ｍＬ〜約２１．０ｐｇ／ｍＬ、約８．５ｐｇ／ｍＬ〜約２１．０ｐｇ／ｍＬ、約９．０ｐｇ／ｍＬ〜約２１．０ｐｇ／ｍＬ、約９．５ｐｇ／ｍＬ〜約２１．０ｐｇ／ｍＬ、約１０．０ｐｇ／ｍＬ〜約２１．０ｐｇ／ｍＬ、約０．０１００ｐｇ／ｍＬ〜約２０．０ｐｇ／ｍＬ、約０．０２００ｐｇ／ｍＬ〜約２０．０ｐｇ／ｍＬ、約０．０３００ｐｇ／ｍＬ〜約２０．０ｐｇ／ｍＬ、約０．０３６ｐｇ／ｍＬ〜約２０．０ｐｇ／ｍＬ、約０．０４００ｐｇ／ｍＬ〜約２０．０ｐｇ／ｍＬ、約０．０５００ｐｇ／ｍＬ〜約２０．０ｐｇ／ｍＬ、約０．１ｐｇ／ｍＬ〜約２０．０ｐｇ／ｍＬ、約０．５ｐｇ／ｍＬ〜約２０．０ｐｇ／ｍＬ、約１．０ｐｇ／ｍＬ〜約２０．０ｐｇ／ｍＬ、約１．５ｐｇ／ｍＬ〜約２０．０ｐｇ／ｍＬ、約２．０ｐｇ／ｍＬ〜約２０．０ｐｇ／ｍＬ、約２．５ｐｇ／ｍＬ〜約２０．０ｐｇ／ｍＬ、約３．０ｐｇ／ｍＬ〜約２０．０ｐｇ／ｍＬ、約３．５ｐｇ／ｍＬ〜約２０．０ｐｇ／ｍＬ、約４．０ｐｇ／ｍＬ〜約２０．０ｐｇ／ｍＬ、約４．５ｐｇ／ｍＬ〜約２０．０ｐｇ／ｍＬ、約５．０ｐｇ／ｍＬ〜約２０．０ｐｇ／ｍＬ、約５．５ｐｇ／ｍＬ〜約２０．０ｐｇ／ｍＬ、約６．０ｐｇ／ｍＬ〜約２０．０ｐｇ／ｍＬ、約６．５ｐｇ／ｍＬ〜約２０．０ｐｇ／ｍＬ、約７．０ｐｇ／ｍＬ〜約２０．０ｐｇ／ｍＬ、約７．５ｐｇ／ｍＬ〜約２０．０ｐｇ／ｍＬ、約８．０ｐｇ／ｍＬ〜約２０．０ｐｇ／ｍＬ、約８．５ｐｇ／ｍＬ〜約２０．０ｐｇ／ｍＬ、約９．０ｐｇ／ｍＬ〜約２０．０ｐｇ／ｍＬ、約９．５ｐｇ／ｍＬ〜約２０．０ｐｇ／ｍＬ、約１０．０ｐｇ／ｍＬ〜約２０．０ｐｇ／ｍＬ、約０．０１００ｐｇ／ｍＬ〜約１９．０ｐｇ／ｍＬ、約０．０２００ｐｇ／ｍＬ〜約１９．０ｐｇ／ｍＬ、約０．０３００ｐｇ／ｍＬ〜約１９．０ｐｇ／ｍＬ、約０．０３６ｐｇ／ｍＬ〜約１９．０ｐｇ／ｍＬ、約０．０４００ｐｇ／ｍＬ〜約１９．０ｐｇ／ｍＬ、約０．０５００ｐｇ／ｍＬ〜約１９．０ｐｇ／ｍＬ、約０．１ｐｇ／ｍＬ〜約１９．０ｐｇ／ｍＬ、約０．５ｐｇ／ｍＬ〜約１９．０ｐｇ／ｍＬ、約１．０ｐｇ／ｍＬ〜約１９．０ｐｇ／ｍＬ、約１．５ｐｇ／ｍＬ〜約１９．０ｐｇ／ｍＬ、約２．０ｐｇ／ｍＬ〜約１９．０ｐｇ／ｍＬ、約２．５ｐｇ／ｍＬ〜約１９．０ｐｇ／ｍＬ、約３．０ｐｇ／ｍＬ〜約１９．０ｐｇ／ｍＬ、約３．５ｐｇ／ｍＬ〜約１９．０ｐｇ／ｍＬ、約４．０ｐｇ／ｍＬ〜約１９．０ｐｇ／ｍＬ、約４．５ｐｇ／ｍＬ〜約１９．０ｐｇ／ｍＬ、約５．０ｐｇ／ｍＬ〜約１９．０ｐｇ／ｍＬ、約５．５ｐｇ／ｍＬ〜約１９．０ｐｇ／ｍＬ、約６．０ｐｇ／ｍＬ〜約１９．０ｐｇ／ｍＬ、約６．５ｐｇ／ｍＬ〜約１９．０ｐｇ／ｍＬ、約７．０ｐｇ／ｍＬ〜約１９．０ｐｇ／ｍＬ、約７．５ｐｇ／ｍＬ〜約１９．０ｐｇ／ｍＬ、約８．０ｐｇ／ｍＬ〜約１９．０ｐｇ／ｍＬ、約８．５ｐｇ／ｍＬ〜約１９．０ｐｇ／ｍＬ、約９．０ｐｇ／ｍＬ〜約１９．０ｐｇ／ｍＬ、約９．５ｐｇ／ｍＬ〜約１９．０ｐｇ／ｍＬ、約１０．０ｐｇ／ｍＬ〜約１９．０ｐｇ／ｍＬ、約０．０１００ｐｇ／ｍＬ〜約１８．０ｐｇ／ｍＬ、約０．０２００ｐｇ／ｍＬ〜約１８．０ｐｇ／ｍＬ、約０．０３００ｐｇ／ｍＬ〜約１８．０ｐｇ／ｍＬ、約０．０３６ｐｇ／ｍＬ〜約１８．０ｐｇ／ｍＬ、約０．０４００ｐｇ／ｍＬ〜約１８．０ｐｇ／ｍＬ、約０．０５００ｐｇ／ｍＬ〜約１８．０ｐｇ／ｍＬ、約０．１ｐｇ／ｍＬ〜約１８．０ｐｇ／ｍＬ、約０．５ｐｇ／ｍＬ〜約１８．０ｐｇ／ｍＬ、約１．０ｐｇ／ｍＬ〜約１８．０ｐｇ／ｍＬ、約１．５ｐｇ／ｍＬ〜約１８．０ｐｇ／ｍＬ、約２．０ｐｇ／ｍＬ〜約１８．０ｐｇ／ｍＬ、約２．５ｐｇ／ｍＬ〜約１８．０ｐｇ／ｍＬ、約３．０ｐｇ／ｍＬ〜約１８．０ｐｇ／ｍＬ、約３．５ｐｇ／ｍＬ〜約１８．０ｐｇ／ｍＬ、約４．０ｐｇ／ｍＬ〜約１８．０ｐｇ／ｍＬ、約４．５ｐｇ／ｍＬ〜約１８．０ｐｇ／ｍＬ、約５．０ｐｇ／ｍＬ〜約１８．０ｐｇ／ｍＬ、約５．５ｐｇ／ｍＬ〜約１８．０ｐｇ／ｍＬ、約６．０ｐｇ／ｍＬ〜約１８．０ｐｇ／ｍＬ、約６．５ｐｇ／ｍＬ〜約１８．０ｐｇ／ｍＬ、約７．０ｐｇ／ｍＬ〜約１８．０ｐｇ／ｍＬ、約７．５ｐｇ／ｍＬ〜約１８．０ｐｇ／ｍＬ、約８．０ｐｇ／ｍＬ〜約１８．０ｐｇ／ｍＬ、約８．５ｐｇ／ｍＬ〜約１８．０ｐｇ／ｍＬ、約９．０ｐｇ／ｍＬ〜約１８．０ｐｇ／ｍＬ、約９．５ｐｇ／ｍＬ〜約１８．０ｐｇ／ｍＬ、約１０．０ｐｇ／ｍＬ〜約１８．０ｐｇ／ｍＬ、約０．０１００ｐｇ／ｍＬ〜約１７．０ｐｇ／ｍＬ、約０．０２００ｐｇ／ｍＬ〜約１７．０ｐｇ／ｍＬ、約０．０３００ｐｇ／ｍＬ〜約１７．０ｐｇ／ｍＬ、約０．０３６ｐｇ／ｍＬ〜約１７．０ｐｇ／ｍＬ、約０．０４００ｐｇ／ｍＬ〜約１７．０ｐｇ／ｍＬ、約０．０５００ｐｇ／ｍＬ〜約１７．０ｐｇ／ｍＬ、約０．１ｐｇ／ｍＬ〜約１７．０ｐｇ／ｍＬ、約０．５ｐｇ／ｍＬ〜約１７．０ｐｇ／ｍＬ、約１．０ｐｇ／ｍＬ〜約１７．０ｐｇ／ｍＬ、約１．５ｐｇ／ｍＬ〜約１７．０ｐｇ／ｍＬ、約２．０ｐｇ／ｍＬ〜約１７．０ｐｇ／ｍＬ、約２．５ｐｇ／ｍＬ〜約１７．０ｐｇ／ｍＬ、約３．０ｐｇ／ｍＬ〜約１７．０ｐｇ／ｍＬ、約３．５ｐｇ／ｍＬ〜約１７．０ｐｇ／ｍＬ、約４．０ｐｇ／ｍＬ〜約１７．０ｐｇ／ｍＬ、約４．５ｐｇ／ｍＬ〜約１７．０ｐｇ／ｍＬ、約５．０ｐｇ／ｍＬ〜約１７．０ｐｇ／ｍＬ、約５．５ｐｇ／ｍＬ〜約１７．０ｐｇ／ｍＬ、約６．０ｐｇ／ｍＬ〜約１７．０ｐｇ／ｍＬ、約６．５ｐｇ／ｍＬ〜約１７．０ｐｇ／ｍＬ、約７．０ｐｇ／ｍＬ〜約１７．０ｐｇ／ｍＬ、約７．５ｐｇ／ｍＬ〜約１７．０ｐｇ／ｍＬ、約８．０ｐｇ／ｍＬ〜約１７．０ｐｇ／ｍＬ、約８．５ｐｇ／ｍＬ〜約１７．０ｐｇ／ｍＬ、約９．０ｐｇ／ｍＬ〜約１７．０ｐｇ／ｍＬ、約９．５ｐｇ／ｍＬ〜約１７．０ｐｇ／ｍＬ、約１０．０ｐｇ／ｍＬ〜約１７．０ｐｇ／ｍＬ、約０．０１００ｐｇ／ｍＬ〜約１６．０ｐｇ／ｍＬ、約０．０２００ｐｇ／ｍＬ〜約１６．０ｐｇ／ｍＬ、約０．０３００ｐｇ／ｍＬ〜約１６．０ｐｇ／ｍＬ、約０．０３６ｐｇ／ｍＬ〜約１６．０ｐｇ／ｍＬ、約０．０４００ｐｇ／ｍＬ〜約１６．０ｐｇ／ｍＬ、約０．０５００ｐｇ／ｍＬ〜約１６．０ｐｇ／ｍＬ、約０．１ｐｇ／ｍＬ〜約１６．０ｐｇ／ｍＬ、約０．５ｐｇ／ｍＬ〜約１６．０ｐｇ／ｍＬ、約１．０ｐｇ／ｍＬ〜約１６．０ｐｇ／ｍＬ、約１．５ｐｇ／ｍＬ〜約１６．０ｐｇ／ｍＬ、約２．０ｐｇ／ｍＬ〜約１６．０ｐｇ／ｍＬ、約２．５ｐｇ／ｍＬ〜約１６．０ｐｇ／ｍＬ、約３．０ｐｇ／ｍＬ〜約１６．０ｐｇ／ｍＬ、約３．５ｐｇ／ｍＬ〜約１６．０ｐｇ／ｍＬ、約４．０ｐｇ／ｍＬ〜約１６．０ｐｇ／ｍＬ、約４．５ｐｇ／ｍＬ〜約１６．０ｐｇ／ｍＬ、約５．０ｐｇ／ｍＬ〜約１６．０ｐｇ／ｍＬ、約５．５ｐｇ／ｍＬ〜約１６．０ｐｇ／ｍＬ、約６．０ｐｇ／ｍＬ〜約１６．０ｐｇ／ｍＬ、約６．５ｐｇ／ｍＬ〜約１６．０ｐｇ／ｍＬ、約７．０ｐｇ／ｍＬ〜約１６．０ｐｇ／ｍＬ、約７．５ｐｇ／ｍＬ〜約１６．０ｐｇ／ｍＬ、約８．０ｐｇ／ｍＬ〜約１６．０ｐｇ／ｍＬ、約８．５ｐｇ／ｍＬ〜約１６．０ｐｇ／ｍＬ、約９．０ｐｇ／ｍＬ〜約１６．０ｐｇ／ｍＬ、約９．５ｐｇ／ｍＬ〜約１６．０ｐｇ／ｍＬ、約１０．０ｐｇ／ｍＬ〜約１６．０ｐｇ／ｍＬ、約０．０１００ｐｇ／ｍＬ〜約１５．０ｐｇ／ｍＬ、約０．０２００ｐｇ／ｍＬ〜約１５．０ｐｇ／ｍＬ、約０．０３００ｐｇ／ｍＬ〜約１５．０ｐｇ／ｍＬ、約０．０３６ｐｇ／ｍＬ〜約１５．０ｐｇ／ｍＬ、約０．０４００ｐｇ／ｍＬ〜約１５．０ｐｇ／ｍＬ、約０．０５００ｐｇ／ｍＬ〜約１５．０ｐｇ／ｍＬ、約０．１ｐｇ／ｍＬ〜約１５．０ｐｇ／ｍＬ、約０．５ｐｇ／ｍＬ〜約１５．０ｐｇ／ｍＬ、約１．０ｐｇ／ｍＬ〜約１５．０ｐｇ／ｍＬ、約１．５ｐｇ／ｍＬ〜約１５．０ｐｇ／ｍＬ、約２．０ｐｇ／ｍＬ〜約１５．０ｐｇ／ｍＬ、約２．５ｐｇ／ｍＬ〜約１５．０ｐｇ／ｍＬ、約３．０ｐｇ／ｍＬ〜約１５．０ｐｇ／ｍＬ、約３．５ｐｇ／ｍＬ〜約１５．０ｐｇ／ｍＬ、約４．０ｐｇ／ｍＬ〜約１５．０ｐｇ／ｍＬ、約４．５ｐｇ／ｍＬ〜約１５．０ｐｇ／ｍＬ、約５．０ｐｇ／ｍＬ〜約１５．０ｐｇ／ｍＬ、約５．５ｐｇ／ｍＬ〜約１５．０ｐｇ／ｍＬ、約６．０ｐｇ／ｍＬ〜約１５．０ｐｇ／ｍＬ、約６．５ｐｇ／ｍＬ〜約１５．０ｐｇ／ｍＬ、約７．０ｐｇ／ｍＬ〜約１５．０ｐｇ／ｍＬ、約７．５ｐｇ／ｍＬ〜約１５．０ｐｇ／ｍＬ、約８．０ｐｇ／ｍＬ〜約１５．０ｐｇ／ｍＬ、約８．５ｐｇ／ｍＬ〜約１５．０ｐｇ／ｍＬ、約９．０ｐｇ／ｍＬ〜約１５．０ｐｇ／ｍＬ、約９．５ｐｇ／ｍＬ〜約１５．０ｐｇ／ｍＬ又は約１０．０ｐｇ／ｍＬ〜約１５．０ｐｇ／ｍＬである。一部の実施形態において、心臓トロポニンＩの基準レベルは、約１．０ｐｇ／ｍＬ、約１．５ｐｇ／ｍＬ、約２．０ｐｇ／ｍＬ、約２．５ｐｇ／ｍＬ、約３．０ｐｇ／ｍＬ、約３．５ｐｇ／ｍＬ、約４．０ｐｇ／ｍＬ、約４．５ｐｇ／ｍＬ、約５．０ｐｇ／ｍＬ、約５．５ｐｇ／ｍＬ、約５．６ｐｇ／ｍＬ、約５．７ｐｇ／ｍＬ、約５．８ｐｇ／ｍＬ、約５．９ｐｇ／ｍＬ、約６．０ｐｇ／ｍＬ、約６．５ｐｇ／ｍＬ、約７．０ｐｇ／ｍＬ、約７．５ｐｇ／ｍＬ、約８．０ｐｇ／ｍＬ、約８．５ｐｇ／ｍＬ、約９．０ｐｇ／ｍＬ、約９．５ｐｇ／ｍＬ又は約１０．０ｐｇ／ｍＬである。
【０３２４】
一部の実施形態において、基準年齢は、少なくとも約３５〜約７０歳の間のような、７０歳未満である。一部の実施形態において、基準年齢は、少なくとも３５歳、少なくとも４０歳、少なくとも４１歳、少なくとも４２歳、少なくとも４３歳、少なくとも４４歳、少なくとも４５歳、少なくとも４６歳、少なくとも４７歳、少なくとも４８歳、少なくとも４９歳、少なくとも５０歳、少なくとも５５歳、少なくとも６０歳、少なくとも６５歳又は少なくとも７０歳である。
【０３２５】
一部の実施形態において、方法は、下記において記載される通り、転帰が思わしくないと予測されたヒト対象を、外傷性脳損傷処置により処置するステップをさらに含む。一部の実施形態において、方法は、下記において記載される通り、転帰が思わしくないと予測されたヒト対象をモニタリングするステップをさらに含む。一部の実施形態において、方法は、転帰が思わしくないと予測されたヒト対象における軽度ＴＢＩについての、さらなる臨床情報を得るように、さらなる検査を指図するステップをさらに含む。一部の実施形態において、方法は、下記において記載される通り、転帰が思わしくないとことが予測されるヒト対象を、心臓保護処置により処置して、心臓を保護するステップを含む。
【０３２６】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。このようなアッセイについては、本明細書の第１１〜１３節において、さらに詳細に記載されている。また、臨床化学フォーマット、例えば当業者に公知の臨床化学フォーマットのアッセイも利用されうる。例えば、臨床化学フォーマットは、１つの抗体を伴うアッセイ又は抗体を伴わないアッセイを含みうる。臨床化学フォーマットのために使用されうる解析器の例については、米国特許公開第２０１６／０３２０４２２号及び同第２０１５／０１１２６３０号において記載されている。
【０３２７】
９．外傷性脳損傷を有するヒト対象を、心臓保護治療により処置する方法
本開示は、他の方法の中でとりわけ、外傷性脳損傷を有する、又はこれを有すると推測されるヒト対象を処置するための方法に関する。外傷性脳損傷（ＴＢＩ）の急性期における心筋損傷の発生は、ＴＢＩの転帰不良の寄与因子でありうる。このように、１つ以上の心臓保護治療又は治療剤（例えば、心臓を改善する治療）の投与は、ＴＢＩの転帰を改善することが可能であり、本明細書において記載された方法において利用されうる。これらの心臓保護治療は、他の任意の治療剤を伴わずに、単独において投与されうる。代替的に、これらの心臓保護治療は、ＴＢＩを処置するのに投与される他の治療剤であって、下記の第１０節において開示される治療剤のような治療剤と組み合わせて投与されうる。
【０３２８】
具体的に、１つ以上の心臓保護治療又は治療剤を伴う、本開示の方法は、ａ）実際の頭部への損傷又は推測される頭部への損傷後、約２４時間以内に、ヒト対象から採取された試料に対するアッセイを実施して、心臓トロポニンＩのレベルを測定又は検出するステップであって、試料が、生物学的試料であるステップ；及びｂ）心臓トロポニンＩの試料中レベルが、心臓トロポニンＩの基準レベルより高い場合に、心臓保護治療又は治療剤を、対象へと施すステップを含む。一部の実施形態において、心臓保護治療は、任意選択的に、当技術分野において公知である心臓保護治療のような、１つ以上のベータ−遮断剤、利尿剤、アンジオテンシン転換酵素（ＡＣＥ）阻害剤、カルシウムチャネル遮断剤、脂質降下療法、スタチン（また、３−ヒドロキシ−３−メチルグルタリールコエンザイムＡ（ＨＭＧ−ＣｏＡ）レダクターゼ阻害剤としても公知である）、硝酸塩、抗血小板剤、抗凝血剤、抗凝固剤などを投与するステップを含みうる。このような心臓保護治療及び治療剤がどのようなものか、これらの投与のための量及びタイミングについては、当技術分野において周知である。
【０３２９】
一部の実施形態において、試料は、頭部への損傷が推測される、約０分以内に、約１分以内に、約２分以内に、約３分以内に、約４分以内に、約５分以内に、約６分以内に、約７分以内に、約８分以内に、約９分以内に、約１０分以内に、約１１分以内に、約１２分以内に、約１３分以内に、約１４分以内に、約１５分以内に、約２０分以内に、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から得られうる、又はこれから採取されうる。
【０３３０】
一般に、ｃＴｎＩの基準レベルはまた、被験試料を、ｃＴｎＩについてアッセイしたときに得られた結果を評価するためのベンチマークとしても利用されうる。一般に、このような比較を行う場合に、ｃＴｎＩの基準レベルは、解析物の存在、量又は濃度の、ＴＢＩの特定の病期若しくはエンドポイント又は特定の徴候との連関又は関連を成立させうるような、十分な回数及び適切な条件下において、特定のアッセイを行うことにより得られる。典型的に、ｃＴｎＩの基準レベルは、基準対象（又は対象の集団）についてのアッセイにより得られる。測定されるｃＴｎＩは、この断片、この分解産物及び／又は酵素によるこの切断産物を含みうる。
【０３３１】
一部の実施形態において、方法は、試料を、対象から得、試料を、心臓トロポニンＩに対する抗体と接触させて、抗体と心臓トロポニンＩとの複合体の形成を可能とするステップを含みうる。方法はまた、結果として得られる抗体−心臓トロポニンＩ複合体を検出するステップも含む。
【０３３２】
本明細書において記載された方法において利用されたアッセイがどのようなものかは、それほど重要ではなく、検査は、例えば、イムノアッセイ、タンパク質免疫沈降、免疫電気泳動、ウェスタンブロット解析若しくはタンパク質免疫染色又は高速液体クロマトグラフィー（ＨＰＬＣ）若しくは液体クロマトグラフィー−質量分析（ＬＣ／ＭＳ）のような、クロマトグラフィー法若しくは分光法のような、当技術分野において公知である、任意のアッセイでありうる。このようなアッセイについては、本明細書の第１１〜１３節において、さらに詳細に記載されている。また、臨床化学フォーマット、例えば当業者に公知の臨床化学フォーマットのアッセイも利用されうる。例えば、臨床化学フォーマットは、１つの抗体を伴うアッセイ又は抗体を伴わないアッセイを含みうる。臨床化学フォーマットのために使用されうる解析器の例については、米国特許公開第２０１６／０３２０４２２号及び同第２０１５／０１１２６３０号において記載されている。
【０３３３】
１０．外傷性脳損傷を患う対象の処置及びモニタリング
上記において記載された方法において、軽度外傷性脳損傷又は中等度、重度若しくは中等度〜重度の外傷性脳損傷のような外傷性脳損傷を有すると同定又は評価された対象は、処置又はモニタリングされうる。一部の実施形態において、方法は、外傷性脳損傷を有すると評価されたヒト対象を、当技術分野において公知である、任意の処置のような、外傷性脳損傷処置により処置するステップをさらに含む。例えば、外傷性脳損傷の処置は、頭部への損傷の重症度に応じて、様々な形態を取りうる。例えば、軽度ＴＢＩを患う対象の場合、処置は、休息、スポーツのような、身体活動の抑制、日向に出るときの、光線の回避又はサングラスの着用、１つ以上の治療剤（例えば、頭痛又は偏頭痛を緩和するための薬物、抗悪心薬など）の投与のうちの１つ以上を含みうる。中等度、重度又は中等度〜重度のＴＢＩを患う患者のための処置は、１つ以上の適切な治療剤（例えば、利尿剤、抗痙攣薬物、個体を鎮静させ、薬物誘導性昏睡へと導く薬物など）又は他の医薬若しくは生物医薬（ＴＢＩの処置のために公知の医薬又は将来開発される医薬）、１つ以上の手術手順（例えば、血腫の除去、頭蓋骨骨折の修復、減圧開頭術など）、気道の保護及び１つ以上の治療（例えば、１つ以上のリハビリ、理学療法、作業療法、認知行動療法、アンガーマネージメント、心理カウンセリングなど）を含みうる。一部の実施形態において、方法は、外傷性脳損傷（例えば、軽度又は中等度、重度若しくは中等度〜重度の外傷性脳損傷）を有すると評価されたヒト対象をモニタリングするステップをさらに含む。一部の実施形態において、軽度外傷性脳損傷又は重度外傷性脳損傷のような外傷性脳損傷を有すると同定された対象は、ＣＴスキャン又はＭＲＩによりモニタリングされうる。本明細書において記載された、軽度又は中等度、重度若しくは中等度〜重度ＴＢＩに利用される処置は、第９節において記載された、１つ以上の心臓保護治療又は治療剤と関連させて投与されうる。
【０３３４】
１１．ｃＴｎＩのレベルを測定するための方法
上記において記載された方法において、ｃＴｎＩレベルは、イムノアッセイ、タンパク質免疫沈降、免疫電気泳動、化学解析、ＳＤＳ−ＰＡＧＥ及びウェスタンブロット解析若しくはタンパク質免疫染色のような抗体依存的方法などの電気泳動解析、タンパク質アッセイ、競合的結合アッセイ、機能的タンパク質アッセイ、又は高速液体クロマトグラフィー（ＨＰＬＣ）若しくは液体クロマトグラフィー−質量分析（ＬＣ／ＭＳ）などのクロマトグラフィー法又は分光法などの、任意の手段により測定されうる。また、当業者に公知の臨床化学フォーマットのアッセイも利用されうる。
【０３３５】
一部の実施形態において、ｃＴｎＩのレベルを測定するステップは、試料を、第１の特異的結合メンバー及び第２の特異的結合メンバーと接触させるステップを含む。一部の実施形態において、第１の特異的結合メンバーは、捕捉抗体であり、第２の特異的結合メンバーは、検出抗体である。一部の実施形態において、ｃＴｎＩのレベルを測定するステップは、試料を、同時に、又は逐次的に、任意の順序において、（１）ｃＴｎＩ上又はｃＴｎＩ断片上のエピトープに結合して捕捉抗体−ｃＴｎＩ抗原複合体（例えば、ｃＴｎＩ捕捉抗体−ｃＴｎＩ抗原複合体）を形成する捕捉抗体（例えば、ｃＴｎＩ捕捉抗体）、及び（２）検出可能な標識を含み、捕捉抗体が結合していないｃＴｎＩ上のエピトープに結合してｃＴｎＩ抗原−検出抗体複合体（例えば、ｃＴｎＩ抗原−ｃＴｎＩ検出抗体複合体）を形成するする検出抗体（例えば、ｃＴｎＩ検出抗体）と接触させて、捕捉抗体−ｃＴｎＩ抗原−検出抗体複合体（例えば、ｃＴｎＩ捕捉抗体−ｃＴｎＩ抗原−ｃＴｎＩ検出抗体複合体）を形成すること、並びにｃＴｎＩの、試料中量又は試料中濃度を、捕捉抗体−ｃＴｎＩ抗原−検出抗体複合体内の検出可能な標識により発生したシグナルに基づき測定することを含む。
【０３３６】
一部の実施形態において、第１の特異的結合メンバーは、固体支持体上に固定化される。一部の実施形態において、第２の特異的結合メンバーは、固体支持体上に固定化される。一部の実施形態において、第１の特異的結合メンバーは、下記で記載されるｃＴｎＩ抗体である。
【０３３７】
一部の実施形態において、試料は、希釈される、又は希釈されない。試料は、約１〜約２５マイクロリットル、約１〜約２４マイクロリットル、約１〜約２３マイクロリットル、約１〜約２２マイクロリットル、約１〜約２１マイクロリットル、約１〜約２０マイクロリットル、約１〜約１８マイクロリットル、約１〜約１７マイクロリットル、約１〜約１６マイクロリットル、約１５マイクロリットル又は約１マイクロリットル、約２マイクロリットル、約３マイクロリットル、約４マイクロリットル、約５マイクロリットル、約６マイクロリットル、約７マイクロリットル、約８マイクロリットル、約９マイクロリットル、約１０マイクロリットル、約１１マイクロリットル、約１２マイクロリットル、約１３マイクロリットル、約１４マイクロリットル、約１５マイクロリットル、約１６マイクロリットル、約１７マイクロリットル、約１８マイクロリットル、約１９マイクロリットル、約２０マイクロリットル、約２１マイクロリットル、約２２マイクロリットル、約２３マイクロリットル、約２４マイクロリットル又は約２５マイクロリットルでありうる。一部の実施形態において、試料は、約１〜約１５０マイクロリットル若しくはこれ未満又は約１〜約２５マイクロリットル若しくはこれ未満である。
【０３３８】
ポイントオブケアデバイス以外の、一部の測定器（例えば、Ａｂｂｏｔｔ  Ｌａｂｏｒａｔｏｒｉｅｓ製の測定器であるＡＲＣＨＩＴＥＣＴ（登録商標）及び他のコア検査測定器のような）は、変動係数を１０％以下として、ｃＴｎＩの、約０．０３２μｇ／Ｌの試料中レベルを測定することが可能でありうる。
【０３３９】
他の検出法は、ナノポアデバイス又はナノウェルデバイスの使用を含む、又はこれらにおける使用に適合させられうる。ナノポアデバイスの例については、参照によりその全体において本明細書に組み込まれた、国際特許公開第２０１６／１６１４０２号において記載されている。ナノウェルデバイスの例については、参照によりその全体において本明細書に組み込まれた、国際特許公開第２０１６／１６１４００号において記載されている。
【０３４０】
１２．心臓トロポニンＩ抗体
本明細書において記載された方法は、「心臓トロポニンＩ抗体」と称される、例えば、ヒト心臓トロポニンＩのような、心臓トロポニンＩ（又はこの断片）に特異的に結合する単離抗体を使用しうる。心臓トロポニンＩ抗体は、心臓トロポニンＩ状態を、外傷性脳損傷の尺度として評価する、又は心臓トロポニンＩの、生物学的試料中の存在を検出する、生物学的試料中に存在する心臓トロポニンＩの量を定量する、若しくは心臓トロポニンＩの、生物学的試料中の存在を検出し、かつ、心臓トロポニンＩの、生物学的試料中量を定量するのに使用されうる。
【０３４１】
ａ．ヒト心臓トロポニンＩ（ｃＴｎＩ）
トロポニンＴ（ＴｎＴ）及びトロポニンＣ（ＴｎＣ）と共に、ヒト心臓トロポニンＩ（ｃＴｎＩ）は、横紋筋の細フィラメントのうちの、トロポニン複合体を形成する、３つのサブユニットである。心臓トロポニンは、阻害性サブユニットであり、アクチン−ミオシン間相互作用を遮断し、これにより、横紋筋の弛緩を媒介する。ｃＴｎＩサブファミリーは、３つの遺伝子：速骨格筋ｃＴｎＩ、遅骨格筋ｃＴｎＩ及び心臓ｃＴｎＩを含有する。この遺伝子は、心臓ｃＴｎＩタンパク質をコードし、もっぱら心筋組織内において発現する。
【０３４２】
ヒト心臓トロポニンＩは、以下のアミノ酸配列：
【０３４３】
【化１】
2020522686.tif 000004
を有しうる。
【０３４４】
ヒト心臓トロポニンＩは、配列番号１の断片又は変異体でありうる。心臓トロポニンＩの断片は、５〜２１０アミノ酸の間、１０〜２１０アミノ酸の間、５０〜２１０アミノ酸の間、６０〜２１０アミノ酸の間、６５〜２１０アミノ酸の間、１００〜２１０アミノ酸の間、１５０〜２１０アミノ酸の間、１００〜２１０アミノ酸の間又は１７５〜２１０アミノ酸の間の長さでありうる。断片は、配列番号１に由来する、連続番号のアミノ酸を含みうる。
【０３４５】
ｂ．心臓トロポニンＩ認識抗体
抗体は、心臓トロポニンＩ、この断片、心臓トロポニンＩのエピトープ又はこの変異体に結合する抗体である。抗体は、抗心臓トロポニンＩ抗体の断片又はこの変異体若しくは誘導体でありうる。抗体は、ポリクローナル又はモノクローナル抗体でありうる。抗体は、キメラ抗体、単鎖抗体、アフィニティー成熟抗体、ヒト抗体、ヒト化抗体、完全ヒト抗体又はＦａｂ断片のような抗体断片又はこれらの混合物でありうる。抗体の断片又は誘導体は、Ｆ（ａｂ’）２断片、Ｆｖ断片又はｓｃＦｖ断片を含みうる。抗体の誘導体は、ペプチド模倣体により作製されうる。さらに、単鎖抗体を作製するために記載されている技法は、単鎖抗体を作製するように適合させられうる。
【０３４６】
抗心臓トロポニンＩ抗体は、キメラ抗心臓トロポニンＩ又はヒト化抗心臓トロポニンＩ抗体でありうる。一実施形態において、ヒト化抗体及びキメラ抗体のいずれも、一価である。一実施形態において、ヒト化抗体及びキメラ抗体のいずれも、Ｆｃ領域へと連結された、単一のＦａｂ領域を含む。
【０３４７】
ヒト抗体は、ファージディスプレイ技術又はヒト免疫グロブリン遺伝子を発現するトランスジェニックマウスから導出されうる。ヒト抗体は、ヒトのインビボにおける免疫応答の結果として作出及び単離されうる。例えば、Ｆｕｎａｒｏら、ＢＭＣ  Ｂｉｏｔｅｃｈｎｏｌｏｇｙ、２００８（８）：８５を参照されたい。したがって、抗体は、ヒトの産物であることが可能であり、動物レパートリーではない場合がある。抗体は、ヒト由来であるため、自己抗原に対する反応性の危険性は、最小化されうる。代替的に、標準的な酵母ディスプレイライブラリー及び酵母ディスプレイ技術は、ヒト抗心臓トロポニンＩ抗体を選択及び単離するのに使用されうる。例えば、ナイーブヒト単鎖可変断片（ｓｃＦｖ）のライブラリーは、ヒト抗心臓トロポニンＩ抗体を選択するのに使用されうる。トランスジェニック動物は、ヒト抗体を発現させるのに使用されうる。
【０３４８】
ヒト化抗体は、所望の抗原に結合する非ヒト種抗体に由来する抗体分子であって、非ヒト種に由来する、１つ以上の相補性決定領域（ＣＤＲ）及びヒト免疫グロブリン分子に由来するフレームワーク領域を有する抗体分子でありうる。
【０３４９】
抗体は、それが、当技術分野において公知の抗体と異なる生物学的機能を保有するという点で、公知の抗体と識別可能である。
【０３５０】
（１）エピトープ
抗体は、ヒト心臓トロポニンＩ（配列番号１）、この断片又はこの変異体に免疫特異的に結合しうる。抗体は、エピトープ領域内の、少なくとも３アミノ酸、少なくとも４アミノ酸、少なくとも５アミノ酸、少なくとも６アミノ酸、少なくとも７アミノ酸、少なくとも８アミノ酸、少なくとも９アミノ酸又は少なくとも１０アミノ酸を免疫特異的に認識することが可能であり、これらに結合しうる。抗体は、エピトープ領域のうちの、少なくとも３連続アミノ酸、少なくとも４連続アミノ酸、少なくとも５連続アミノ酸、少なくとも６連続アミノ酸、少なくとも７連続アミノ酸、少なくとも８連続アミノ酸、少なくとも９連続アミノ酸又は少なくとも１０連続アミノ酸を有するエピトープを免疫特異的に認識することが可能であり、これらに結合しうる。
【０３５１】
ｃ．抗体の調製／作製
抗体は、当業者に周知の技法を含む、様々な技法のうちのいずれかにより調製されうる。一般に、抗体は、従来の技法を介する、又は抗体の遺伝子、重鎖及び／若しくは軽鎖の、適切な細菌細胞宿主若しくは哺乳動物細胞宿主へのトランスフェクションであって、組換えでありうる抗体の作製を可能とするためのトランスフェクションを介する、モノクローナル抗体の作出を含む細胞培養法により作製されうる。「トランスフェクション」という用語の多様な形態は、外因性ＤＮＡの、原核宿主細胞又は真核宿主細胞への導入のために一般に使用されている、多種多様な技法、例えば、電気穿孔、リン酸カルシウム沈殿、ＤＥＡＥ−デキストラントランスフェクションなどを包含することが意図される。抗体を、原核宿主細胞又は真核宿主細胞において発現させることが可能であるが、そのような真核細胞（そして、特に、哺乳動物の細胞）は、原核細胞より、アセンブルし、適正にフォールディングされ、免疫学的に活性である抗体を分泌する可能性が高いため、抗体の、真核細胞内の発現が好ましく、哺乳動物宿主細胞内の発現が最も好ましい。
【０３５２】
組換え抗体を発現させるための、例示的な哺乳動物宿主細胞は、例えば、Ｋａｕｆｍａｎ及びＳｈａｒｐ、Ｊ．Ｍｏｌ．Ｂｉｏｌ．、１５９：６０１〜６２１（１９８２）において記載されているようにＤＨＦＲ選択用マーカーと共に使用されるチャイニーズハムスター卵巣（ＣＨＯ）細胞（Ｕｒｌａｕｂ及びＣｈａｓｉｎ、Ｐｒｏｃ．Ｎａｔｌ．Ａｃａｄ．Ｓｃｉ．ＵＳＡ、７７：４２１６〜４２２０（１９８０）において記載されているｄｈｆｒ−ＣＨＯ細胞を含む）、ＮＳ０骨髄腫細胞、ＣＯＳ細胞及びＳＰ２細胞を含む。抗体遺伝子をコードする組換え発現ベクターが、哺乳動物宿主細胞へと導入される場合、抗体は、宿主細胞内の抗体の発現又は、より好ましくは、宿主細胞が増殖される培養培地への抗体の分泌を可能とするのに十分な時間にわたり、宿主細胞を培養することにより作製される。抗体は、標準的なタンパク質精製法を使用して、培養培地から回収されうる。
【０３５３】
宿主細胞はまた、Ｆａｂ断片又はｓｃＦｖ分子のような、機能的抗体断片を作製するのにも使用されうる。上記の手順に対する変動は、実施されうることが理解される。例えば、宿主細胞に、抗体の軽鎖及び／又は重鎖の機能的断片をコードするＤＮＡをトランスフェクトすることが所望されうる。組換えＤＮＡ技術はまた、目的の抗原への結合に必要でない軽鎖及び重鎖の一方又は両方をコードするＤＮＡの一部又は全部を除去するのにも使用されうる。また、このような切断型ＤＮＡ分子から発現させた分子も、抗体に包含される。加えて、１つの重鎖及び１つの軽鎖が、抗体（すなわち、ヒトトロポニンＩに結合する抗体）であり、他の重鎖及び軽鎖が、ヒト心臓トロポニンＩ以外の抗原に特異的である、二官能性抗体も、抗体を、標準的な化学的架橋法を介して、第２の抗体へと架橋することにより作製されうる。
【０３５４】
抗体又はこの抗原結合性部分を組換え発現させるための好ましい系において、抗体重鎖及び抗体軽鎖の両方をコードする組換え発現ベクターが、リン酸カルシウム媒介型トランスフェクションにより、ｄｈｆｒ−ＣＨＯ細胞へと導入される。組換え発現ベクター内において、高レベルの遺伝子の転写を駆動するように、抗体重鎖遺伝子及び抗体軽鎖遺伝子の各々が、ＣＭＶエンハンサー／ＡｄＭＬＰプロモーター調節エレメントへと作動的に連結される。組換え発現ベクターはまた、メトトレキサートによる選択／増幅を使用するベクターをトランスフェクトされたＣＨＯ細胞の選択を可能とするＤＨＦＲ遺伝子も保有する。抗体の重鎖及び軽鎖の発現を可能とするように、選択された形質転換体の宿主細胞が培養され、無傷抗体が培養培地から回収される。組換え発現ベクターを調製し、宿主細胞にトランスフェクトし、形質転換体について選択し、宿主細胞を培養し、抗体を培養培地から回収するのに、標準的な分子生物学法が使用される。なおさらに、組換え抗体を合成する方法は、組換え抗体が合成されるまで、宿主細胞を、適切な培養培地中において培養することによる。方法は、組換え抗体を、培養培地から単離するステップをさらに含みうる。
【０３５５】
モノクローナル抗体を調製する方法は、所望の特異性を有する抗体を作製することが可能な不死細胞株の調製を伴う。このような細胞株は、免疫化された動物から得られた脾臓細胞から作製されうる。動物は、心臓トロポニンＩ又はこの断片及び／若しくは変異体により免疫化されうる。動物を免疫化するのに使用されるペプチドは、ヒトＦｃ、例えば、ヒト抗体のＦｃ（ｆｒａｇｍｅｎｔ  ｃｒｙｓｔａｌｌｉｚａｂｌｅ）領域又はテール領域をコードするアミノ酸を含みうる。次いで、脾臓細胞が、例えば、骨髄腫細胞融合パートナーとの融合により免疫化される。様々な融合法が利用されうる。例えば、脾臓細胞及び骨髄腫細胞が、非イオン性界面活性剤と、数分間にわたり組み合わされ、次いで、低密度において、ハイブリッド細胞の増殖を支援するが、骨髄腫細胞の増殖を支援しない選択培地上に播種される。このような一技法は、ヒポキサンチン、アミノプテリン、チミジン（ＨＡＴ）選択を使用する。別の技法は、電気融合を含む。十分な時間、通例、約１〜２週間の後、ハイブリッド体のコロニーが観察される。単一のコロニーが選択され、それらの培養物上清は、ポリペプチドに対する結合活性について試験される。高度な反応性及び特異性を有するハイブリドーマが使用されうる。
【０３５６】
モノクローナル抗体は、増殖するハイブリドーマコロニーの上清から単離されうる。加えて、収率を増強するように、ハイブリドーマ細胞株の、マウスのような、適切な脊椎動物宿主の腹腔への注射のような、多様な技法が利用されうる。次いで、モノクローナル抗体は、腹水又は血液から採取されうる。夾雑物は、クロマトグラフィー、ゲル濾過、沈殿及び抽出のような、従来の技法により、抗体から除去されうる。アフィニティークロマトグラフィーは、抗体を精製する工程において使用されうる方法の例である。
【０３５７】
タンパク質分解酵素であるパパインは、ＩｇＧ分子を優先的にいくつかの断片に切断して、これらのうちの２つの（Ｆ（ａｂ）断片）の各々が、無傷の抗原結合部位を含む、共有結合的ヘテロ二量体を含む断片をもたらす。酵素であるペプシンは、ＩｇＧ分子を切断して、両方の抗原結合性部位を含む、Ｆ（ａｂ’）２断片を含む、いくつかの断片をもたらすことが可能である。
【０３５８】
Ｆｖ断片は、ＩｇＭの、優先的なタンパク質分解性切断により作製されうるが、まれな場合に、ＩｇＧ免疫グロブリン分子又はＩｇＡ免疫グロブリン分子の優先的なタンパク質分解性切断によっても作製されうる。Ｆｖ断片は、組換え法を使用して導出されうる。Ｆｖ断片は、天然抗体分子の抗原認識能及び抗原結合能の大半を保持する抗原結合部位を含む、非共有結合的ＶＨ：：ＶＬヘテロ二量体を含む。
【０３５９】
抗体、抗体断片又は誘導体は、それぞれ、ＣＤＲに対する支持をもたらし、ＣＤＲの、互いに対する空間的関係を規定する、重鎖及び軽鎖のフレームワーク（「ＦＲ」）のセットの間に挿入された、重鎖及び軽鎖の相補性決定領域（「ＣＤＲ」）のセットを含みうる。ＣＤＲのセットは、重鎖Ｖ領域又は軽鎖Ｖ領域からなる、３つの超可変領域を含有しうる。
【０３６０】
必須の特異性を有する抗体を作製又は単離する、他の適する方法であって、当技術分野において公知の方法を使用して、例えば、Ｃａｍｂｒｉｄｇｅ  Ａｎｔｉｂｏｄｙ  Ｔｅｃｈｎｏｌｏｇｉｅｓ（Ｃａｍｂｒｉｄｇｅｓｈｉｒｅ、ＵＫ）、ＭｏｒｐｈｏＳｙｓ（Ｍａｒｔｉｎｓｒｅｉｄ／Ｐｌａｎｅｇｇ、Ｄｅｌ．）、Ｂｉｏｖａｔｉｏｎ（Ａｂｅｒｄｅｅｎ、Ｓｃｏｔｌａｎｄ、ＵＫ）、ＢｉｏＩｎｖｅｎｔ（Ｌｕｎｄ、Ｓｗｅｄｅｎ）のような、多様な市販品の販売元から市販されている、ペプチドライブラリー又はタンパク質ライブラリー（例えば、バクテリオファージライブラリー、リボソームライブラリー、オリゴヌクレオチドライブラリー、ＲＮＡライブラリー、ｃＤＮＡライブラリー、酵母ライブラリーなどのディスプレイライブラリーであるがこれらに限定されない）から組換え抗体を選択する方法を含むがこれらに限定されない方法が使用されうる。米国特許第４，７０４，６９２号；同第５，７２３，３２３号；同第５，７６３，１９２号；同第５，８１４，４７６号；同第５，８１７，４８３号；同第５，８２４，５１４号；同第５，９７６，８６２号を参照されたい。代替的な方法は、ヒト抗体のレパートリーを作製することが可能な、トランスジェニック動物の免疫化（例えば、ＳＣＩＤマウス、Ｎｇｕｙｅｎら（１９９７）、Ｍｉｃｒｏｂｉｏｌ．Ｉｍｍｕｎｏｌ．、４１：９０１〜９０７；Ｓａｎｄｈｕら（１９９６）、Ｃｒｉｔ．Ｒｅｖ．Ｂｉｏｔｅｃｈｎｏｌ．、１６：９５〜１１８；Ｅｒｅｎら（１９９８）、Ｉｍｍｕｎｏｌ．、９３：１５４〜１６１）であって、当技術分野において公知であり、かつ／又は本明細書において記載された、トランスジェニック動物の免疫化に依拠する。このような技法は、リボソームディスプレイ（Ｈａｎｅｓら（１９９７）、Ｐｒｏｃ．Ｎａｔｌ．Ａｃａｄ．Ｓｃｉ．ＵＳＡ、９４：４９３７〜４９４２；Ｈａｎｅｓら（１９９８）、Ｐｒｏｃ．Ｎａｔｌ．Ａｃａｄ．Ｓｃｉ．ＵＳＡ、９５：１４１３０〜１４１３５）；単一細胞による抗体作製技術（例えば、選択リンパ球抗体法（「ＳＬＡＭ」）（米国特許第５，６２７，０５２号、Ｗｅｎら（１９８７）Ｊ．Ｉｍｍｕｎｏｌ．、１７：８８７〜８９２；Ｂａｂｃｏｏｋら（１９９６）、Ｐｒｏｃ．Ｎａｔｌ．Ａｃａｄ．Ｓｃｉ．ＵＳＡ、９３：７８４３〜７８４８）；ゲル微小液滴及びフローサイトメトリー（Ｐｏｗｅｌｌら（１９９０）、Ｂｉｏｔｅｃｈｎｏｌ．、８：３３３−３３７；Ｏｎｅ  Ｃｅｌｌ  Ｓｙｓｔｅｍｓ（Ｃａｍｂｒｉｄｇｅ、Ｍａｓｓ．）；Ｇｒａｙら（１９９５）、Ｊ．Ｉｍｍ．Ｍｅｔｈ．、１８２：１５５〜１６３；Ｋｅｎｎｙら（１９９５）、Ｂｉｏ／Ｔｅｃｈｎｏｌ．、１３：７８７〜７９０）；Ｂ細胞の選択（Ｓｔｅｅｎｂａｋｋｅｒｓら（１９９４）、Ｍｏｌｅｃ．Ｂｉｏｌ．Ｒｅｐｏｒｔｓ、１９：１２５〜１３４（１９９４））を含むがこれらに限定されない。
【０３６１】
アフィニティー成熟抗体は、当技術分野において公知である、多数の手順のうちのいずれか１つにより作製されうる。例えば、Ｍａｒｋｓら、ＢｉｏＴｅｃｈｎｏｌｏｇｙ、１０：７７９〜７８３（１９９２）は、ＶＨとＶＬとのドメインシャッフリングによるアフィニティー成熟について記載している。ＣＤＲ残基及び／又はフレームワーク残基のランダム突然変異誘発については、Ｂａｒｂａｓら、Ｐｒｏｃ．Ｎａｔ．Ａｃａｄ．Ｓｃｉ．ＵＳＡ、９１：３８０９〜３８１３（１９９４）；Ｓｃｈｉｅｒら、Ｇｅｎｅ、１６９：１４７〜１５５（１９９５）；Ｙｅｌｔｏｎら、Ｊ．Ｉｍｍｕｎｏｌ．、１５５：１９９４〜２００４（１９９５）；Ｊａｃｋｓｏｎら、Ｊ．Ｉｍｍｕｎｏｌ．、１５４（７）：３３１０〜３３１９（１９９５）；Ｈａｗｋｉｎｓら、Ｊ．Ｍｏｌ．Ｂｉｏｌ．、２２６：８８９〜８９６（１９９２）により記載されている。選択的突然変異誘発位置及び活性増強アミノ酸残基を伴う接触位置又は超変異位置における選択的突然変異については、米国特許第６，９１４，１２８Ｂ１号において記載されている。
【０３６２】
抗体の変異体はまた、抗体をコードするポリヌクレオチドを、トランスジェニック動物又はこのような抗体をそれらのミルク中に産生するヤギ、ウシ、ウマ、ヒツジなどのような哺乳動物をもたらすのに適する宿主へと送達することを使用しても調製されうる。これらの方法は、当技術分野において公知であり、例えば、米国特許第５，８２７，６９０号；同第５，８４９，９９２号；同第４，８７３，３１６号；同第５，８４９，９９２号；同第５，９９４，６１６号；同第５，５６５，３６２号及び同第５，３０４，４８９号において記載されている。
【０３６３】
抗体の変異体はまた、このような抗体、指定された部分又は変異体を、植物の部分又はこれらから培養された細胞において産生する、トランスジェニック植物及び培養植物細胞（例えば、タバコ、トウモロコシ、及びウキクサであるがこれらに限定されない）をもたらすように、ポリヌクレオチドを送達することによっても調製されうる。例えば、Ｃｒａｍｅｒら（１９９９）、Ｃｕｒｒ．Ｔｏｐ．Ｍｉｃｒｏｂｉｏｌ．Ｉｍｍｕｎｏｌ．、２４０：９５〜１１８及びこの文献において引用された参考文献は、例えば、誘導性プロモーターを使用する、大量の組換えタンパク質を発現するトランスジェニックのタバコ葉の産生について記載している。トランスジェニックトウモロコシは、他の組換え系において産生された、又は天然の供給源から精製された哺乳動物タンパク質と同等の生物学的活性を伴う哺乳動物タンパク質を、市販品生産のレベルにおいて発現させるのに使用されている。例えば、Ｈｏｏｄら、Ａｄｖ．Ｅｘｐ．Ｍｅｄ．Ｂｉｏｌ．（１９９９）、４６４：１２７〜１４７及びこの文献において引用された参考文献を参照されたい。抗体の変異体はまた、単鎖抗体（ｓｃＦｖ）のような抗体断片を含むトランスジェニック植物の種子であって、タバコの種子及びバレイショの塊茎を含む種子からも大量に作製されている。例えば、Ｃｏｎｒａｄら（１９９８）、Ｐｌａｎｔ  Ｍｏｌ．Ｂｉｏｌ．、３８：１０１〜１０９及びこの文献において引用された参考文献を参照されたい。したがって、抗体はまた、公知の方法に従いトランスジェニック植物を使用しても作製されうる。
【０３６４】
抗体の誘導体は、例えば、外因性配列を付加して、免疫原性を修飾する、又は結合、アフィニティー、オン速度、オフ速度、アビディティー、特異性、半減期若しくは他の任意の適切な特徴を低減、増強若しくは修飾することにより作製されうる。一般に、可変領域及び定常領域の非ヒト配列を、ヒトアミノ酸又は他のアミノ酸により置換しながら、非ヒトＣＤＲ配列又はヒトＣＤＲ配列のうちの一部又は全部は維持される。
【０３６５】
小型の抗体断片は、２つの抗原結合性部位を有するダイアボディーであって、断片が、同じポリペプチド鎖において、軽鎖可変ドメイン（ＶＬ）へと接続された重鎖可変ドメイン（ＶＨ）（ＶＨ−ＶＬ）を含む、ダイアボディーでありうる。例えば、ＥＰ４０４，０９７；ＷＯ９３／１１６１及びＨｏｌｌｉｎｇｅｒら（１９９３）、Ｐｒｏｃ．Ｎａｔｌ．Ａｃａｄ．Ｓｃｉ．ＵＳＡ、９０：６４４４〜６４４８を参照されたい。同じ鎖上の２つのドメイン間の対合を可能とするには短すぎるリンカーを使用することにより、ドメインは、別の鎖の相補性ドメインと対合し、２つの抗原結合性部位を創出するように強いられる。また、参照によりその全体において本明細書に組み込まれ、かつ、１つ以上のアミノ酸が、親抗体の超可変領域内へと挿入され、標的抗原に対する結合アフィニティーが、この抗原に対する親抗体の結合アフィニティーの少なくとも約２倍強い抗体変異体についても開示する、Ｃｈｅｎらによる、米国特許第６，６３２，９２６号も参照されたい。
【０３６６】
抗体は、直鎖状抗体でありうる。当技術分野において、直鎖状抗体を作るための手順が公知であり、Ｚａｐａｔａら（１９９５）、Ｐｒｏｔｅｉｎ  Ｅｎｇ．、８（１０）：１０５７〜１０６２において記載されている。略述すると、これらの抗体は、抗原結合領域の対を形成する、タンデムのＦｄセグメント（ＶＨ−ＣＨ１−ＶＨ−ＣＨ１）の対を含む。直鎖状抗体は、二重特異性又は単一特異性でありうる。
【０３６７】
抗体は、プロテインＡ精製、硫酸アンモニウム沈殿又はエタノール沈殿、酸抽出、アニオン交換クロマトグラフィー又はカチオン交換クロマトグラフィー、ホスホセルロースクロマトグラフィー、疎水性相互作用クロマトグラフィー、アフィニティークロマトグラフィー、ヒドロキシアパタイトクロマトグラフィー及びレクチンクロマトグラフィーを含むがこれらに限定されない、公知の方法により、組換え細胞培養物から回収及び精製されうる。高速液体クロマトグラフィー（「ＨＰＬＣ」）もまた、精製のために使用されうる。
【０３６８】
抗体を検出可能に標識することは、有用でありうる。抗体を、これらの薬剤へとコンジュゲートさせるための方法は、当技術分野において公知である。例示だけを目的として述べると、抗体は、放射性原子、発色団、フルオロフォアなどのような検出可能部分により標識されうる。このような標識抗体は、インビボにおける、又は単離された被験試料中の診断法のために使用されうる。このような標識抗体は、サイトカイン、リガンド、別の抗体へと連結されうる。抗腫瘍効果を達成するための、抗体へのカップリングに適する薬剤は、インターロイキン２（ＩＬ−２）及び腫瘍壊死因子（ＴＮＦ）のようなサイトカイン；光力学療法における使用のための光増感剤であって、アルミニウム（ＩＩＩ）フタロシアニンテトラスルホン酸、ヘマトポルフィリン及びフタロシアニンを含む光増感剤；ヨウ素１３１（１３１Ｉ）、イットリウム９０（９０Ｙ）、ビスマス２１２（２１２Ｂｉ）、ビスマス２１３（２１３Ｂｉ）、テクネシウム９９ｍ（９９ｍＴｃ）、レニウム１８６（１８６Ｒｅ）及びレニウム１８８（１８８Ｒｅ）のような放射性核種；ドキソルビシン、アドリアマイシン、ダウノルビシン、メトトレキサート、ダウノマイシン、ネオカルチノスタチン及びカルボプラチンのような抗生剤；ジフテリア毒素、緑膿菌外毒素Ａ、ブドウ球菌エンテロトキシンＡ、アブリンＡ毒素、リシンＡ（脱グリコシル化リシンＡ及び天然リシンＡ）、ＴＧＦ−アルファ毒素、タイワンコブラに由来する細胞毒素（ナジャ・ナジャ・アトラ）及びゲロニン（植物毒素）のような、細菌毒素、植物毒素及び他の毒素；レストリクトシン（アスペルギルス・レストリクツスにより産生されたリボソーム不活化タンパク質）、サポリン（サポナリア・オフィキナリスに由来するリボソーム不活化タンパク質）及びＲＮアーゼのような、植物、細菌及び真菌に由来する、リボソーム不活化タンパク質；チロシンキナーゼ阻害剤；ｌｙ２０７７０２（二フッ素化プリンヌクレオシド）；抗嚢胞剤を含有するリポソーム（例えば、アンチセンスオリゴヌクレオチド、毒素をコードするプラスミド、メトトレキサートなど）並びに他の抗体又はＦ（ａｂ）のような抗体断片を含む。
【０３６９】
ハイブリドーマ技術、選択リンパ球抗体法（ＳＬＡＭ）、トランスジェニック動物及び組換え抗体ライブラリーの使用を介する抗体の作製については、下記において、より詳細に記載される。
【０３７０】
（１）ハイブリドーマ技術を使用する、抗心臓トロポニンＩモノクローナル抗体
モノクローナル抗体は、当技術分野において公知の、多種多様な技法であって、ハイブリドーマ、組換え及びファージディスプレイ技術又はこれらの組合せの使用を含む技法を使用して調製されうる。例えば、モノクローナル抗体は、当技術分野において公知であり、例えば、Ｈａｒｌｏｗら、「Ａｎｔｉｂｏｄｉｅｓ：Ａ  Ｌａｂｏｒａｔｏｒｙ  Ｍａｎｕａｌ」、２版（Ｃｏｌｄ  Ｓｐｒｉｎｇ  Ｈａｒｂｏｒ  Ｌａｂｏｒａｔｏｒｙ  Ｐｒｅｓｓ、Ｃｏｌｄ  Ｓｐｒｉｎｇ  Ｈａｒｂｏｒ、１９８８）；Ｈａｍｍｅｒｌｉｎｇら、「Ｍｏｎｏｃｌｏｎａｌ  Ａｎｔｉｂｏｄｉｅｓ  ａｎｄ  Ｔ−Ｃｅｌｌ  Ｈｙｂｒｉｄｏｍａｓ」（Ｅｌｓｅｖｉｅｒ、Ｎ．Ｙ．、１９８１）において教示されているハイブリドーマ法を含むハイブリドーマ法を使用して作製されうる。また、本明細書において使用された「モノクローナル抗体」という用語は、ハイブリドーマ技術を介して作製された抗体に限定されないことも留意される。「モノクローナル抗体」という用語は、任意の真核生物クローン、原核生物クローン又はファージクローンを含む単一クローンに由来する抗体を指し、それが作製された方法を指すものではない。
【０３７１】
方法により作製されるモノクローナル抗体並びに抗体を作出する方法は、本開示の抗体を分泌するハイブリドーマ細胞を培養するステップを含みうるが、この場合、ハイブリドーマは、心臓トロポニンＩにより免疫化された動物、例えば、ラット又はマウスから単離された脾臓細胞を、骨髄腫細胞と融合させ、次いで、融合体から生じるハイブリドーマを、本発明のポリペプチドに結合することが可能な抗体を分泌するハイブリドーマクローンについてスクリーニングすることにより作出されることが好ましい。略述すると、ラットは、心臓トロポニンＩ抗原により免疫化されうる。好ましい実施形態において、心臓トロポニンＩ抗原は、免疫応答を刺激するように、アジュバントと共に投与される。このようなアジュバントは、フロイント完全アジュバント又はフロイント不完全アジュバント、ＲＩＢＩ（ムラミルジペプチド）又はＩＳＣＯＭ（免疫刺激性複合体）を含む。このようなアジュバントは、ポリペプチドを、局所的な沈着物内に封入することにより、急速な分散から保護しうる、又はこのようなアジュバントは、マクロファージ及び免疫系の他の構成要素に対して走化性である因子を分泌するように、宿主を刺激する物質を含有しうる。ポリペプチドが投与される場合、免疫化スケジュールは、何週間かにわたる、２回以上のポリペプチドの投与を伴うことが好ましいが、ポリペプチドの単回投与もまた、使用されうる。
【０３７２】
心臓トロポニンＩ抗原による動物の免疫化の後、抗体及び／又は抗体産生細胞が、動物から得られうる。抗心臓トロポニンＩ抗体含有血清は、動物から採血する、又は動物を屠殺することにより、動物から得られる。血清は、動物から得られたままに使用されうる、免疫グロブリン画分は、血清から得られうる、又は抗心臓トロポニンＩ抗体は、血清から精製されうる。このようにして得られた血清又は免疫グロブリンは、ポリクローナルであるので、一連の異種特性を有する。
【０３７３】
免疫応答が検出されたら、例えば、ラット血清中において、抗原である心臓トロポニンＩに特異的な抗体が検出されたら、ラット脾臓が摘出され、脾臓細胞が単離される。次いで、脾臓細胞が、周知の技法により、任意の適切な骨髄腫細胞、例えば、Ａｍｅｒｉｃａｎ  Ｔｙｐｅ  Ｃｕｌｔｕｒｅ  Ｃｏｌｌｅｃｔｉｏｎ（ＡＴＣＣ、Ｍａｎａｓｓａｓ、Ｖａ．、ＵＳ）から市販されている細胞株である、ＳＰ２０に由来する細胞へと融合させられる。ハイブリドーマが選択され、限界希釈によりクローニングされる。次いで、ハイブリドーマクローンが、当技術分野において公知の方法により、トロポニンＩに結合することが可能な抗体を分泌する細胞についてアッセイされる。ラットを、陽性のハイブリドーマクローンにより免疫化することにより、一般に、高レベルの抗体を含有する腹水が作出されうる。
【０３７４】
別の実施形態において、抗体を産生する免疫化ハイブリドーマが、免疫化された動物から調製されうる。免疫化の後、動物は、屠殺され、当技術分野において周知の通り、脾臓Ｂ細胞は、免疫化された骨髄腫細胞へと融合される。例えば、Ｈａｒｌｏｗ及びＬａｎｅ、前出を参照されたい。好ましい実施形態において、骨髄腫細胞は、免疫グロブリンポリペプチドを分泌しない（非分泌性細胞株）。融合及び抗生剤による選択の後、ハイブリドーマは、トロポニンＩ若しくはこの部分又はトロポニンＩを発現する細胞を使用してスクリーニングされる。好ましい実施形態において、初期スクリーニングは、酵素免疫測定アッセイ（ＥＬＩＳＡ）又はラジオイムノアッセイ（ＲＩＡ）、好ましくはＥＬＩＳＡを使用して実施される。ＥＬＩＳＡスクリーニングの例は、ＰＣＴ公開第００／３７５０４号において提示されている。
【０３７５】
抗心臓トロポニンＩ抗体を産生するハイブリドーマは、ロバストなハイブリドーマの増殖、高度な抗体の産生、及び所望の抗体特徴を含む、所望の特徴について選択され、クローニングされ、さらにスクリーニングされる。ハイブリドーマは、インビボの同系動物、免疫系を欠く動物、例えば、ヌードマウスにおいて、又はインビトロの細胞培養物中において培養され、拡大されうる。ハイブリドーマを選択し、クローニングし、拡大する方法は、当業者に周知である。
【０３７６】
好ましい実施形態において、ハイブリドーマは、ラットハイブリドーマである。別の実施形態において、ハイブリドーマは、マウス、ヒツジ、ブタ、ヤギ、ウシ又はウマのような、ヒト以外でラット以外の種において作製される。さらに別の好ましい実施形態において、ハイブリドーマは、ヒト非分泌性骨髄腫が、抗心臓トロポニンＩ抗体を発現するヒト細胞と融合させられた、ヒトハイブリドーマである。
【０３７７】
特異的エピトープを認識する抗体断片は、公知の技法により作出されうる。例えば、本開示のＦａｂ断片及びＦ（ａｂ’）２断片は、パパイン（２つの同一なＦａｂ断片をもたらす）又はペプシン（Ｆ（ａｂ’）２断片をもたらす）のような酵素を使用する、免疫グロブリン分子のタンパク質分解性切断により作製されうる。ＩｇＧ分子のＦ（ａｂ’）２断片は、大型の（「親」）ＩｇＧ分子の、２つの抗原結合性部位であって、親ＩｇＧ分子の、両方の軽鎖（軽鎖可変領域及び定常領域を含有する）、重鎖のＣＨ１ドメイン及びジスルフィド形成ヒンジ領域を含む、抗原結合性部位を保持する。したがって、Ｆ（ａｂ’）２断片は、親ＩｇＧ分子と同様に、抗原分子を架橋することが可能である。
【０３７８】
（２）ＳＬＡＭを使用する、抗心臓トロポニンＩモノクローナル抗体
本発明の別の態様において、組換え抗体は、米国特許第５，６２７，０５２号；ＰＣＴ公開第９２／０２５５１号及びＢａｂｃｏｏｋら、Ｐｒｏｃ．Ｎａｔｌ．Ａｃａｄ．Ｓｃｉ．ＵＳＡ、９３：７８４３〜７８４８（１９９６）において記載されている通り、当技術分野において、選択リンパ球抗体法（ＳＬＡＭ）と称される手順を使用して、単一の単離リンパ球から作出される。この方法において、ビオチンのようなリンカーを使用して、抗原である心臓トロポニンＩ、心臓トロポニンＩのサブユニット又はこの断片が、ヒツジ赤血球へとカップリングされ、心臓トロポニンＩに対する特異性を伴う抗体を分泌する単一細胞を同定するのに使用される、抗原特異的溶血プラークアッセイを使用して、目的の抗体を分泌する、単一の細胞、例えば、免疫化された動物のうちのいずれか１つに由来するリンパ球がスクリーニングされる。目的の抗体分泌細胞を同定した後、重鎖可変領域及び軽鎖可変領域のｃＤＮＡが、逆転写酵素ＰＣＲ（ＲＴ−ＰＣＲ）により、細胞からレスキューされ、次いで、これらの可変領域を、ＣＯＳ細胞又はＣＨＯ細胞のような、哺乳動物宿主細胞内の、適切な免疫グロブリン定常領域（例えば、ヒト定常領域）の文脈において発現させる。次いで、インビボにおいて選択されたリンパ球に由来する、増幅された免疫グロブリン配列をトランスフェクトされた宿主細胞は、例えば、心臓トロポニンＩに対する抗体を発現する細胞を単離するように、トランスフェクト細胞をパニングすることにより、インビトロにおいて、さらなる解析及び選択を経る場合がある。増幅された免疫グロブリン配列は、インビトロアフィニティー成熟法によるように、インビトロにおいて、さらに操作されうる。例えば、ＰＣＴ公開第９７／２９１３１号及びＰＣＴ公開第００／５６７７２号を参照されたい。
【０３７９】
（３）トランスジェニック動物を使用する、抗心臓トロポニンＩモノクローナル抗体
本開示の別の実施形態において、抗体は、ヒト免疫グロブリン遺伝子座の一部又は全部を含む非ヒト動物を、心臓トロポニンＩ抗原により免疫化することにより作製される。ある実施形態において、非ヒト動物は、ヒト免疫グロブリン遺伝子座の大型断片を含み、マウス抗体の作製が欠損する操作マウス株である、ＸＥＮＯＭＯＵＳＥ（登録商標）トランスジェニックマウスである。例えば、Ｇｒｅｅｎら、Ｎａｔｕｒｅ  Ｇｅｎｅｔｉｃｓ、７：１３〜２１（１９９４）並びに米国特許第５，９１６，７７１号；同第５，９３９，５９８号；同第５，９８５，６１５号；同第５，９９８，２０９号；同第６，０７５，１８１号；同第６，０９１，００１号；同第６，１１４，５９８号及び同第６，１３０，３６４号を参照されたい。また、ＰＣＴ公開第９１／１０７４１号；ＰＣＴ公開第９４／０２６０２号；ＰＣＴ公開第９６／３４０９６号；ＰＣＴ公開第９６／３３７３５号；ＰＣＴ公開第９８／１６６５４号；ＰＣＴ公開第９８／２４８９３号；ＰＣＴ公開第９８／５０４３３号；ＰＣＴ公開第９９／４５０３１号；ＰＣＴ公開第９９／５３０４９号；ＰＣＴ公開第００／０９５６０号及びＰＣＴ公開第００／３７５０４号も参照されたい。ＸＥＮＯＭＯＵＳＥ（登録商標）トランスジェニックマウスは、完全ヒト抗体の成人様ヒトレパートリーを産生し、抗原特異的ヒトモノクローナル抗体を発生させる。ＸＥＮＯＭＯＵＳＥ（登録商標）トランスジェニックマウスは、ヒト重鎖遺伝子座及びｘ軽鎖遺伝子座の、メガ塩基サイズの、生殖細胞系列構成のＹＡＣ断片を導入することにより、ヒト抗体レパートリーのうちの約８０％を含有する。その開示が参照により組み込まれた、Ｍｅｎｄｅｚら、Ｎａｔｕｒｅ  Ｇｅｎｅｔｉｃｓ、１５：１４６〜１５６（１９９７）；Ｇｒｅｅｎ及びＪａｋｏｂｏｖｉｔｓ、Ｊ．Ｅｘｐ．Ｍｅｄ．、１８８：４８３〜４９５（１９９８）を参照されたい。
【０３８０】
（４）組換え抗体ライブラリーを使用する、抗心臓トロポニンＩモノクローナル抗体
インビトロ法もまた、本開示の抗体を作るのに使用されうる場合があり、この場合、所望の心臓トロポニンＩ結合特異性を有する抗体を同定するのに、抗体ライブラリーがスクリーニングされる。組換え抗体ライブラリーの、このようなスクリーニングのための方法は、当技術分野において周知であり、例えば、それらの各々の内容が、参照により本明細書に組み込まれた、米国特許第５，２２３，４０９号（Ｌａｄｎｅｒら）；ＰＣＴ公開第９２／１８６１９号（Ｋａｎｇら）；ＰＣＴ公開第９１／１７２７１号（Ｄｏｗｅｒら）；ＰＣＴ公開第９２／２０７９１号（Ｗｉｎｔｅｒら）；ＰＣＴ公開第９２／１５６７９号（Ｍａｒｋｌａｎｄら）；ＰＣＴ公開第９３／０１２８８号（Ｂｒｅｉｔｌｉｎｇら）；ＰＣＴ公開第９２／０１０４７号（ＭｃＣａｆｆｅｒｔｙら）；ＰＣＴ公開第９２／０９６９０号（Ｇａｒｒａｒｄら）；Ｆｕｃｈｓら、Ｂｉｏ／Ｔｅｃｈｎｏｌｏｇｙ、９：１３６９〜１３７２（１９９１）；Ｈａｙら、Ｈｕｍ．Ａｎｔｉｂｏｄ．Ｈｙｂｒｏｄｏｍａｓ、３：８１〜８５（１９９２）；Ｈｕｓｅら、Ｓｃｉｅｎｃｅ、２４６：１２７５〜１２８１（１９８９）；ＭｃＣａｆｆｅｒｔｙら、Ｎａｔｕｒｅ、３４８：５５２〜５５４（１９９０）；Ｇｒｉｆｆｉｔｈｓら、ＥＭＢＯＪ．、１２：７２５〜７３４（１９９３）；Ｈａｗｋｉｎｓら、Ｊ．Ｍｏｌ．Ｂｉｏｌ．、２２６：８８９〜８９６（１９９２）；Ｃｌａｃｋｓｏｎら、Ｎａｔｕｒｅ、３５２：６２４〜６２８（１９９１）；Ｇｒａｍら、Ｐｒｏｃ．Ｎａｔｌ．Ａｃａｄ．Ｓｃｉ．ＵＳＡ、８９：３５７６〜３５８０（１９９２）；Ｇａｒｒａｒｄら、Ｂｉｏ／Ｔｅｃｈｎｏｌｏｇｙ、９：１３７３〜１３７７（１９９１）；Ｈｏｏｇｅｎｂｏｏｍら、Ｎｕｃｌ．Ａｃｉｄｓ  Ｒｅｓ．、１９：４１３３〜４１３７（１９９１）；Ｂａｒｂａｓら、Ｐｒｏｃ．Ｎａｔｌ．Ａｃａｄ．Ｓｃｉ．ＵＳＡ、８８：７９７８〜７９８２（１９９１）；米国特許出願公開第２００３／０１８６３７４号及びＰＣＴ公開第９７／２９１３１号、において記載されている方法を含む。
【０３８１】
組換え抗体ライブラリーは、心臓トロポニンＩ又は心臓トロポニンＩの部分により免疫化された対象に由来しうる。代替的に、組換え抗体ライブラリーは、ヒト心臓トロポニンＩにより免疫化されていないヒト対象に由来する、ヒト抗体ライブラリーのように、ナイーブ対象、すなわち、心臓トロポニンＩにより免疫化されていない対象に由来しうる。本開示の抗体は、ヒト心臓トロポニンＩを含むペプチドを伴う組換え抗体ライブラリーをスクリーニングして、これにより、トロポニンＩを認識する抗体を選択することにより選択される。このようなスクリーニング及び選択を行うための方法は、前出の段落内の参考文献において記載されている方法のように、当技術分野において周知である。心臓トロポニンＩに対して、特定の結合アフィニティーを有する、本発明の抗体であって、ヒト心臓トロポニンＩから、特定のＫｏｆｆ速度定数により解離する抗体のような抗体を選択するために、所望のＫｏｆｆ速度定数を有する抗体を選択するように、当技術分野において公知の表面プラズモン共鳴法が使用されうる。心臓トロポニンＩに対する、特定の中和活性を有する本開示の抗体であって、特定のＩＣ５０を伴う抗体のような抗体を選択するために、心臓トロポニンＩ活性の阻害を評価するための、当技術分野において公知の標準的方法が使用されうる。
【０３８２】
一態様において、本開示は、ヒト心臓トロポニンＩに結合する、単離抗体又はこの抗原結合性部分に関する。好ましくは、抗体は、中和抗体である。多様な実施形態において、抗体は、組換え抗体又はモノクローナル抗体である。
【０３８３】
例えば、抗体はまた、当技術分野において公知である、多様なファージディスプレイ法を使用しても作出されうる。ファージディスプレイ法において、機能的な抗体ドメインは、それらをコードするポリヌクレオチド配列を保有するファージ粒子の表面に提示される。このようなファージは、レパートリー又はコンビナトリアル抗体ライブラリー（例えば、ヒト又はマウスの）から発現させた抗原結合性ドメインを提示するのに用いられうる。目的の抗原に結合する抗原結合性ドメインを発現するファージは、抗原により、例えば、標識抗原又は固体表面若しくはビーズに結合された、若しくはこれらへと捕捉された抗原を使用して選択又は同定されうる。これらの方法において使用されたファージは典型的に、ファージから発現させたｆｄ結合性ドメイン及びＭ１３結合性ドメインを、組換えにより、ファージ遺伝子ＩＩＩタンパク質又はファージ遺伝子ＶＩＩＩタンパク質へと融合させた、Ｆａｂ抗体ドメイン、Ｆｖ抗体ドメイン又はジスルフィド安定化Ｆｖ抗体ドメインと共に含む、繊維状ファージである。抗体を作るのに使用されうるファージディスプレイ法の例は、Ｂｒｉｎｋｍａｎｎら、Ｊ．Ｉｍｍｕｎｏｌ．Ｍｅｔｈｏｄｓ、１８２：４１〜５０（１９９５）；Ａｍｅｓら、Ｊ．Ｉｍｍｕｎｏｌ．Ｍｅｔｈｏｄｓ、１８４：１７７〜１８６（１９９５）；Ｋｅｔｔｌｅｂｏｒｏｕｇｈら、Ｅｕｒ．Ｊ．Ｉｍｍｕｎｏｌ．、２４：９５２〜９５８（１９９４）；Ｐｅｒｓｉｃら、Ｇｅｎｅ、１８７：９〜１８（１９９７）；Ｂｕｒｔｏｎら、Ａｄｖａｎｃｅｓ  ｉｎ  Ｉｍｍｕｎｏｌｏｇｙ、５７：１９１〜２８０（１９９４）；ＰＣＴ公開第９２／０１０４７号；ＰＣＴ公開第９０／０２８０９号；ＰＣＴ公開第９１／１０７３７号；ＰＣＴ公開第９２／０１０４７号；ＰＣＴ公開第９２／１８６１９号；ＰＣＴ公開第９３／１１２３６号；ＰＣＴ公開第９５／１５９８２号；ＰＣＴ公開第９５／２０４０１号及び米国特許第５，６９８，４２６号；同第５，２２３，４０９号；同第５，４０３，４８４号；同第５，５８０，７１７号；同第５，４２７，９０８号；同第５，７５０，７５３号；同第５，８２１，０４７号；同第５，５７１，６９８号；同第５，４２７，９０８号；同第５，５１６，６３７号；同第５，７８０，２２５号；同第５，６５８，７２７号；同第５，７３３，７４３号及び同第５，９６９，１０８号において開示されているファージディスプレイ法を含む。
【０３８４】
上記の参考文献において記載された通り、ファージ選択の後、ファージに由来する抗体のコード領域は、単離され、ヒト抗体を含む全抗体又は他の任意の所望の抗原結合性断片を作出するのに使用され、例えば、下記において詳細に記載される通り、哺乳動物細胞、昆虫細胞、植物細胞、酵母及び細菌を含む、任意の所望の宿主内において発現させうる。ＰＣＴ公開第９２／２２３２４号；Ｍｕｌｌｉｎａｘら、ＢｉｏＴｅｃｈｎｉｑｕｅｓ、１２（６）：８６４〜８６９（１９９２）；Ｓａｗａｉら、Ａｍ．Ｊ．Ｒｅｐｒｏｄ．Ｉｍｍｕｎｏｌ．、３４：２６〜３４（１９９５）及びＢｅｔｔｅｒら、Ｓｃｉｅｎｃｅ、２４０：１０４１〜１０４３（１９８８）において開示されている方法のような、当技術分野において公知の方法を使用して、例えば、Ｆａｂ断片、Ｆａｂ’断片及びＦ（ａｂ’）２断片を組換えにより作製する技法もまた利用されうる。単鎖Ｆｖ抗体を作製するのに使用されうる技法の例は、米国特許第４，９４６，７７８号及び同第５，２５８，４９８号；Ｈｕｓｔｏｎら、Ｍｅｔｈｏｄｓ  ｉｎ  Ｅｎｚｙｍｏｌｏｇｙ、２０３：４６〜８８（１９９１）；Ｓｈｕら、Ｐｒｏｃ．Ｎａｔｌ．Ａｃａｄ．Ｓｃｉ．ＵＳＡ、９０：７９９５〜７９９９（１９９３）及びＳｋｅｒｒａら、Ｓｃｉｅｎｃｅ、２４０：１０３８〜１０４１（１９８８）において記載されている技法を含む。
【０３８５】
ファージディスプレイによる組換え抗体ライブラリーのスクリーニングに対する代替法である、大型のコンビナトリアルライブラリーをスクリーニングするための、当技術分野において公知である、他の方法も、本発明の抗体の同定へと適用されうる。代替的発現系の１つの種類は、組換え抗体ライブラリーをＲＮＡ−タンパク質融合体として発現させた発現系であって、ＰＣＴ公開第９８／３１７００号（Ｓｚｏｓｔａｋ及びＲｏｂｅｒｔｓ）並びにＲｏｂｅｒｔｓ及びＳｚｏｓｔａｋ、Ｐｒｏｃ．Ｎａｔｌ．Ａｃａｄ．Ｓｃｉ．ＵＳＡ、９４：１２２９７〜１２３０２（１９９７）において記載されている発現系である。３’末端において、ペプチジルアクセプター抗生剤であるピューロマイシンを保有する、合成ｍＲＮＡのインビトロ翻訳により、この系の、ｍＲＮＡと、ｍＲＮＡがコードする、ペプチド又はタンパク質との間において、共有結合的融合が創出される。したがって、特異的ｍＲＮＡは、抗体又はこの部分の、二重特異性抗原への結合のような、コードされたペプチド又はタンパク質、例えば、抗体又はこの部分の特性に基づき、ｍＲＮＡの複合体混合物（例えば、コンビナトリアルライブラリー）から濃縮されうる。このようなライブラリーのスクリーニングから回収された、抗体又はこの部分をコードする核酸配列は、上記された（例えば、哺乳動物の宿主細胞内の）組換え手段により発現され、さらに、突然変異が、当初選択された配列へと導入された、ｍＲＮＡ−ペプチド融合体のスクリーニングのさらなるラウンドにより、又は上記された、インビトロにおける、組換え抗体のアフィニティー成熟のための他の方法により、さらなるアフィニティー成熟にかけられうる。この方法論の好ましい例は、ＰＲＯｆｕｓｉｏｎディスプレイ技術である。
【０３８６】
別の手法において、抗体はまた、当技術分野において公知の酵母ディスプレイ法を使用しても作出されうる。酵母ディスプレイ法において、抗体ドメインを、酵母細胞壁へとテザリングし、それらを、酵母の表面上に提示するのに、遺伝子法が使用される。特に、このような酵母は、レパートリー又はコンビナトリアル抗体ライブラリー（例えば、ヒト又はマウスの）から発現させた抗原結合性ドメインを提示するのに用いられうる。抗体を作るのに使用されうる、酵母ディスプレイ法の例は、参照により本明細書に組み込まれた、米国特許第６，６９９，６５８号（Ｗｉｔｔｒｕｐら）において開示された酵母ディスプレイ法を含む。
【０３８７】
ｄ．組換え心臓トロポニンＩ抗体の作製
抗体は、当技術分野において公知である、多数の技法のうちのいずれかにより作製されうる。例えば、重鎖及び軽鎖をコードする発現ベクターが、標準的技法により、宿主細胞へとトランスフェクトされた、宿主細胞からの発現である。「トランスフェクション」という用語の多様な形態は、外因性ＤＮＡの、原核宿主細胞又は真核宿主細胞への導入のために一般に使用されている、多種多様な技法、例えば、電気穿孔、リン酸カルシウム沈殿、ＤＥＡＥ−デキストラントランスフェクションなどを包含することが意図される。本開示の抗体を、原核宿主細胞又は真核宿主細胞において発現させることが可能であるが、そのような真核細胞（そして、特に、哺乳動物の細胞）は、原核細胞より、アセンブルし、適正にフォールディングさせられ、免疫学的に活性である抗体を分泌する可能性が高いため、抗体の、真核細胞内の発現が好ましく、哺乳動物宿主細胞内の発現が最も好ましい。
【０３８８】
本発明の組換え抗体を発現させるための、例示的な哺乳動物宿主細胞は、例えば、Ｋａｕｆｍａｎ及びＳｈａｒｐ、Ｊ．Ｍｏｌ．Ｂｉｏｌ．、１５９：６０１〜６２１（１９８２）において記載されているようにＤＨＦＲ選択用マーカーと共に使用されるチャイニーズハムスター卵巣（ＣＨＯ）細胞（Ｕｒｌａｕｂ及びＣｈａｓｉｎ、Ｐｒｏｃ．Ｎａｔｌ．Ａｃａｄ．Ｓｃｉ．ＵＳＡ、７７：４２１６〜４２２０（１９８０））において記載されている、ｄｈｆｒ−ＣＨＯ細胞を含む）、ＮＳ０骨髄腫細胞、ＣＯＳ細胞及びＳＰ２細胞を含む。抗体遺伝子をコードする組換え発現ベクターが、哺乳動物宿主細胞へと導入される場合、抗体は、宿主細胞内の抗体の発現又は、より好ましくは、宿主細胞が増殖される培養培地への抗体の分泌を可能とするのに十分な時間にわたり、宿主細胞を培養することにより作製される。抗体は、標準的なタンパク質精製法を使用して、培養培地から回収されうる。
【０３８９】
宿主細胞はまた、Ｆａｂ断片又はｓｃＦｖ分子のような、機能的抗体断片を作製するのにも使用されうる。上記の手順に対する変動は、実施されうることが理解される。例えば、宿主細胞に、本開示の抗体の軽鎖及び／又は重鎖の機能的断片をコードするＤＮＡをトランスフェクトすることが所望されうる。組換えＤＮＡ技術はまた、目的の抗原への結合に必要でない軽鎖及び重鎖の一方又は両方をコードするＤＮＡの一部又は全部を除去するのにも使用されうる。また、このような切断型ＤＮＡ分子から発現させた分子も、本開示の抗体に包含される。加えて、１つの重鎖及び１つの軽鎖が、本発明の抗体（すなわち、ヒト心臓トロポニンＩに結合する抗体）であり、他の重鎖及び軽鎖が、ヒト心臓トロポニンＩ以外の抗原に特異的である、二官能性抗体も、本発明の抗体を、標準的な化学的架橋法を介して、第２の抗体へと架橋することにより作製されうる。二官能性抗体はまた、二官能性抗体をコードするように操作された核酸を発現させることによっても作製されうる。
【０３９０】
本開示の抗体又はこの抗原結合性部分を組換え発現させるための好ましい系において、抗体重鎖及び抗体軽鎖の両方をコードする組換え発現ベクターが、リン酸カルシウム媒介型トランスフェクションにより、ｄｈｆｒ−ＣＨＯ細胞へと導入される。組換え発現ベクター内において、高レベルの遺伝子の転写を駆動するように、抗体重鎖遺伝子及び抗体軽鎖遺伝子の各々が、ＣＭＶエンハンサー／ＡｄＭＬＰプロモーター調節エレメントへと作動的に連結される。組換え発現ベクターはまた、メトトレキサートによる選択／増幅を使用するベクターをトランスフェクトされたＣＨＯ細胞の選択を可能とするＤＨＦＲ遺伝子も保有する。抗体の重鎖及び軽鎖の発現を可能とし、無傷抗体が培養培地から回収されるように、選択された形質転換体の宿主細胞が培養される。組換え発現ベクターを調製し、宿主細胞にトランスフェクトし、形質転換体について選択し、宿主細胞を培養し、抗体を培養培地から回収するのに、標準的な分子生物学法が使用される。なおさらに、本発明は、本発明の組換え抗体が合成されるまで、本発明の宿主細胞を、適切な培養培地中において培養することにより、本発明の組換え抗体を合成する方法を提供する。方法は、組換え抗体を、培養培地から単離するステップをさらに含みうる。
【０３９１】
（１）ヒト化抗体
ヒト化抗体は、目的の抗原に免疫特異的に結合し、ヒト抗体のアミノ酸配列を実質的に有するフレームワーク（ＦＲ）領域及び非ヒト抗体のアミノ酸配列を実質的に有する相補性決定領域（ＣＤＲ）を含む、抗体又はこの変異体、誘導体、類似体若しくは部分でありうる。ヒト化抗体は、所望の抗原に結合する非ヒト種抗体であって、非ヒト種に由来する、１つ以上の相補性決定領域（ＣＤＲ）及びヒト免疫グロブリン分子に由来するフレームワーク領域を有する非ヒト種抗体に由来しうる。
【０３９２】
本明細書において使用された、ＣＤＲの文脈における「実質的に」という用語は、非ヒト抗体ＣＤＲのアミノ酸配列と、少なくとも９０％、少なくとも９５％、少なくとも９８％又は少なくとも９９％同一なアミノ酸配列を有するＣＤＲを指す。ヒト化抗体は、少なくとも１つであるが、典型的に２つの可変ドメイン（Ｆａｂ、Ｆａｂ’、Ｆ（ａｂ’）２、ＦａｂＣ、Ｆｖ）であって、ＣＤＲ領域の全て又は実質的に全てが、非ヒト免疫グロブリン（すなわち、ドナー抗体）のＣＤＲ領域に対応し、フレームワーク領域の全て又は実質的に全てが、ヒト免疫グロブリンコンセンサス配列のフレームワーク領域である可変ドメインの実質的に全てを含む。一態様に従い、ヒト化抗体はまた、免疫グロブリン定常領域（Ｆｃ）、典型的に、ヒト免疫グロブリンのＦｃ領域の少なくとも一部も含む。一部の実施形態において、ヒト化抗体は、軽鎖、及び重鎖の少なくとも可変ドメインの両方を含有する。抗体はまた、重鎖の、ＣＨ１領域、ヒンジ領域、ＣＨ２領域、ＣＨ３領域及びＣＨ４領域も含みうる。一部の実施形態において、ヒト化抗体は、ヒト化軽鎖だけを含有する。一部の実施形態において、ヒト化抗体は、ヒト化重鎖だけを含有する。具体的な実施形態において、ヒト化抗体は、軽鎖及び／又は重鎖のヒト化可変ドメインだけを含有する。
【０３９３】
ヒト化抗体は、ＩｇＭ、ＩｇＧ、ＩｇＤ、ＩｇＡ、及びＩｇＥを含む、免疫グロブリンの任意のクラス、並びに、限定なしに述べると、ＩｇＧ１、ＩｇＧ２、ＩｇＧ３、及びＩｇＧ４を含む、任意のアイソタイプから選択されうる。ヒト化抗体は、１つを超えるクラス又はアイソタイプに由来する配列を含むことが可能であり、特定の定常ドメインは、当技術分野において周知の技法を使用して、所望のエフェクター機能を最適化するように選択されうる。
【０３９４】
ヒト化抗体のフレームワーク領域及びＣＤＲは、親配列に正確に対応する必要がない、例えば、ドナー抗体ＣＤＲ又はコンセンサスフレームワークは、この部位におけるＣＤＲ残基又はフレームワーク残基が、ドナー抗体又はコンセンサスフレームワークに対応しないように、少なくとも１つのアミノ酸残基の置換、挿入及び／又は欠失により突然変異誘発されうる。しかし、一実施形態において、このような突然変異は、広範にわたる突然変異ではない。通例、ヒト化抗体残基のうちの、少なくとも９０％、少なくとも９５％、少なくとも９８％又は少なくとも９９％は、親のＦＲ配列及びＣＤＲ配列の残基に対応する。本明細書において使用された「コンセンサスフレームワーク」という用語は、コンセンサスの免疫グロブリン配列内のフレームワーク領域を指す。本明細書において使用された「コンセンサスの免疫グロブリン配列」という用語は、類縁の免疫グロブリン配列のファミリーにおいて、最も高頻度で発生するアミノ酸（又はヌクレオチド）から形成された配列（例えば、Ｗｉｎｎａｋｅｒ、「Ｆｒｏｍ  Ｇｅｎｅｓ  ｔｏ  Ｃｌｏｎｅｓ」（Ｖｅｒｌａｇｓｇｅｓｅｌｌｓｃｈａｆｔ、Ｗｅｉｎｈｅｉｍ、Ｇｅｒｍａｎｙ、１９８７）を参照されたい）を指す。免疫グロブリンのファミリーにおいて、コンセンサス配列内の各位置は、ファミリー内のこの位置において、最も高頻度で発生するアミノ酸により占有されている。２つのアミノ酸が、同等に高頻度で発生する場合、いずれもが、コンセンサス配列内に含まれうる。
【０３９５】
ヒト化抗体は、ヒトレシピエントにおける、これらの部分の治療適用の持続時間及び有効性を制限する、抗ヒト齧歯動物抗体に対する、望ましくない免疫応答を最小化するようにデザインされうる。ヒト化抗体は、非ヒトである供給源から、それへと導入された、１つ以上のアミノ酸残基を有しうる。これらの非ヒト残基は、典型的に、可変ドメインから採取される、「インポート」残基と称されることが多い。ヒト化は、超可変領域配列を、ヒト抗体の対応する配列で置換することにより実施されうる。したがって、このような「ヒト化」抗体は、実質的に無傷に満たないヒト可変ドメインが、非ヒト種に由来する、対応する配列により置換されたキメラ抗体である。例えば、その内容が、参照により本明細書に組み込まれた、米国特許第４，８１６，５６７号を参照されたい。ヒト化抗体は、一部の超可変領域残基と、おそらく、一部のＦＲ残基とが、齧歯動物抗体内の相似部位に由来する残基により置換されたヒト抗体でありうる。本開示の抗体のヒト化又は操作は、米国特許第５，７２３，３２３号；同第５，９７６，８６２号；同第５，８２４，５１４号；同第５，８１７，４８３号；同第５，８１４，４７６号；同第５，７６３，１９２号；同第５，７２３，３２３号；同第５，７６６，８８６号；同第５，７１４，３５２号；同第６，２０４，０２３号；同第６，１８０，３７０号；同第５，６９３，７６２号；同第５，５３０，１０１号；同第５，５８５，０８９号；同第５，２２５，５３９号及び同第４，８１６，５６７号において記載されている方法のようであるがこれらに限定されない、任意の公知の方法を使用して実施されうる。
【０３９６】
ヒト化抗体は、心臓トロポニンＩに対する高アフィニティー及び他の好適な生物学的特性を保持しうる。ヒト化抗体は、親配列及びヒト化配列についての三次元モデルを使用して、親配列及び多様な概念的ヒト化産物を解析する工程により調製されうる。三次元免疫グロブリンモデルは、一般に利用可能である。選択された候補免疫グロブリン配列の、可能な三次元コンフォメーション構造を例示及び提示するコンピュータプログラムが利用可能である。これらの表示の検討は、残基の、候補免疫グロブリン配列の機能における、鍵となる役割についての解析、すなわち、候補免疫グロブリンが、その抗原に結合する能力に影響を及ぼす残基についての解析を可能とする。このようにして、心臓トロポニンＩに対するアフィニティーの上昇のような、所望の抗体特徴が、達成されるように、ＦＲ残基が、レシピエント及びインポート配列から選択され、組み合わされうる。一般に、超可変領域残基は、直接、かつ、最も実質的に、抗原結合への影響に関与しうる。
【０３９７】
ヒト化に対する代替法として、ヒト抗体（本明細書において、「完全ヒト抗体」ともまた言及された）が作出されうる。例えば、ＰＲＯｆｕｓｉｏｎ及び／又は酵母関連技術を介して、ヒト抗体を、ライブラリーから単離することが可能である。また、トランスジェニック動物（例えば、免疫化すると、内因性の免疫グロブリン産生の非存在下において、ヒト抗体の完全レパートリーを作製することが可能なマウス）を作製することも可能である。例えば、キメラマウス及び生殖細胞系列突然変異体マウスにおける、抗体重鎖接合領域（ＪＨ）遺伝子のホモ接合性の欠失は、内因性抗体産生の完全な阻害を結果としてもたらす。ヒト生殖細胞系列免疫グロブリン遺伝子アレイの、このような生殖細胞系列突然変異体マウスへの移入は、抗原投与時における、ヒト抗体の産生を結果としてもたらす。ヒト化抗体又は完全ヒト抗体は、それらの各々の内容が、参照により本明細書に組み込まれた、米国特許第５，７７０，４２９号；同第５，８３３，９８５号；同第５，８３７，２４３号；同第５，９２２，８４５号；同第６，０１７，５１７号；同第６，０９６，３１１号；同第６，１１１，１６６号；同第６，２７０，７６５号；同第６，３０３，７５５号；同第６，３６５，１１６号；同第６，４１０，６９０号；同第６，６８２，９２８号及び同第６，９８４，７２０号において記載されている方法に従い調製されうる。
【０３９８】
ｅ．抗心臓トロポニンＩ抗体
抗心臓トロポニンＩ抗体は、上記された技法を使用して、並びに、当技術分野において公知である、規定の技法を使用して作出されうる。一部の実施形態において、抗心臓トロポニンＩ抗体は、Ａｂｃａｍ（抗心臓トロポニンＩ抗体（ａｂ４７００３）のような）、Ｔｈｅｒｍｏｆｉｓｈｅｒ（心臓トロポニンＩ  モノクローナル  抗体（１２Ｆ１０）、心臓トロポニンＩ  ポリクローナル  抗体、心臓トロポニンＩ抗体（１ＨＣＬＣ）、ＡＢＦＩＮＩＴＹ（商標）ウサギオリゴクローナル、心臓トロポニンＩ抗体（１Ｈ１１Ｌ１９）、ＡＢＦＩＮＩＴＹ（商標）ウサギモノクローナルのような）、Ｓａｎｔａ  Ｃｒｕｚ（心臓トロポニンＩ抗体（Ｃ−４）（型番：ｓｃ−１３３１１７）、心臓トロポニンＩ抗体（４）（型番：ｓｃ−１３０３５１）、心臓トロポニンＩ抗体（１２）（型番：ｓｃ−１３０３５０）、心臓トロポニンＩ抗体（Ｈ−１７０）（型番：ｓｃ−１５３６８）、心臓トロポニンＩ抗体（Ｃ−１９）（型番：ｓｃ−８１１８）、心臓トロポニンＩ−Ｃ  抗体（Ｇ−１１）（型番：ｓｃ−３７６６６２）、心臓トロポニンＩ−Ｃ  抗体（Ｍ４６）（型番：ｓｃ−５２２７７）、心臓トロポニンＩ−Ｃ  抗体（１０Ｂ１１）（型番：ｓｃ−５２２６６）のような）及びｈｙｔｅｓｔ（マウスモノクローナル抗心臓トロポニンＩ（型番：４Ｔ２１））から市販されている心臓トロポニンＩ抗体のような、非コンジュゲート心臓トロポニンＩ抗体でありうる。
【０３９９】
１３．方法の変化形
試料中に存在する目的の解析物（例えば、ｃＴｎＩ）の存在又は量を決定する、開示された方法は、上記された通りでありうる。方法はまた、解析物を解析するための他の方法を念頭に置いて、適合させられる場合もある。周知の変化形の例は、酵素による検出（酵素イムノアッセイ（ＥＩＡ）又は酵素免疫測定アッセイ（ＥＬＩＳＡ））を含む、サンドイッチイムノアッセイ（例えば、モノクローナル−ポリクローナルサンドイッチイムノアッセイ）、競合阻害イムノアッセイ（例えば、フォワード競合阻害イムノアッセイ及びリバース競合阻害イムノアッセイ）、酵素多重化イムノアッセイ法（ＥＭＩＴ）、競合結合アッセイのようなイムノアッセイ、生物発光エネルギー移動（ＢＲＥＴ）、ワンステップ抗体検出アッセイ、同種アッセイ、異種アッセイ、キャプチャーオンザフライアッセイなどを含むがこれらに限定されない。
【０４００】
ａ．イムノアッセイ
目的の解析物及び／又はペプチド若しくはこれらの断片（例えば、ｃＴｎＩ及び／又はペプチド若しくはこの断片、すなわち、ｃＴｎＩ断片）は、ｃＴｎＩ抗体を、イムノアッセイにおいて使用して解析されうる。解析物（例えば、ｃＴｎＩ）の存在又は量は、抗体を使用し、解析物（例えば、ｃＴｎＩ）への特異的結合を検出して決定されうる。例えば、抗体又はこの抗体断片は、解析物（例えば、ｃＴｎＩ）に特異的に結合しうる。所望の場合、抗体のうちの１つ以上は、１つ以上の、市販のモノクローナル／ポリクローナル抗体と組み合わせて使用されうる。このような抗体は、Ｒ＆Ｄ  Ｓｙｓｔｅｍｓ，Ｉｎｃ．（Ｍｉｎｎｅａｐｏｌｉｓ、ＭＮ）及びＥｎｚｏ  Ｌｉｆｅ  Ｓｃｉｅｎｃｅｓ  Ｉｎｔｅｒｎａｔｉｏｎａｌ，Ｉｎｃ．（Ｐｌｙｍｏｕｔｈ  Ｍｅｅｔｉｎｇ、ＰＡ）のような企業から市販されている。
【０４０１】
体内試料中に存在する、解析物（例えば、ｃＴｎＩ）の存在又は量は、サンドイッチイムノアッセイ（例えば、放射性同位元素の検出（ラジオイムノアッセイ（ＲＩＡ））及び酵素による検出（酵素イムノアッセイ（ＥＩＡ）又は酵素免疫測定アッセイ（ＥＬＩＳＡ）（例えば、Ｑｕａｎｔｉｋｉｎｅ  ＥＬＩＳＡ  Ａｓｓａｙ、Ｒ＆Ｄ  Ｓｙｓｔｅｍｓ、Ｍｉｎｎｅａｐｏｌｉｓ、ＭＮ）を含む、モノクローナル−モノクローナルサンドイッチイムノアッセイ、モノクローナル−ポリクローナルサンドイッチイムノアッセイ）のようなイムノアッセイを使用して、たやすく決定されうる。使用されうるポイントオブケアデバイスの例は、ｉ−ＳＴＡＴ（登録商標）（Ａｂｂｏｔｔ、Ｌａｂｏｒａｔｏｒｉｅｓ、Ａｂｂｏｔｔ  Ｐａｒｋ、ＩＬ）である。使用されうる、他の方法は、化学発光マイクロ粒子イムノアッセイ、特に、例として述べると、ＡＲＣＨＩＴＥＣＴ（登録商標）自動式解析器（Ａｂｂｏｔｔ  Ｌａｂｏｒａｔｏｒｉｅｓ、Ａｂｂｏｔｔ  Ｐａｒｋ、ＩＬ）を利用する化学発光マイクロ粒子イムノアッセイを含む。他の方法は、例えば、質量分析及び解析物（例えば、ｃＴｎＩ）に対する抗解析物（例えば、抗ｃＴｎＩ）抗体（モノクローナル、ポリクローナル、キメラ、ヒト化、ヒトなど）又はこれらの抗体断片を使用する、免疫組織化学（例えば、組織生検に由来する切片を伴う）を含む。他の検出法は、例えば、それらの各々が、参照によりその全体において本明細書に組み込まれた、米国特許第６，１４３，５７６号；同第６，１１３，８５５号；同第６，０１９，９４４号；同第５，９８５，５７９号；同第５，９４７，１２４号；同第５，９３９，２７２号；同第５，９２２，６１５号；同第５，８８５，５２７号；同第５，８５１，７７６号；同第５，８２４，７９９号；同第５，６７９，５２６号；同第５，５２５，５２４号及び同第５，４８０，７９２号において記載されている検出法を含む。抗体の、解析物（例えば、ｃＴｎＩ）への特異的免疫的結合は、抗体へと接合された、蛍光タグ又は発光タグ、金属及び放射性核種のような直接的標識を介して、又はアルカリホスファターゼ又は西洋ワサビペルオキシダーゼのような間接的標識を介して検出されうる。
【０４０２】
固定化された抗体又はこの断片の使用は、イムノアッセイへと組み込まれうる。抗体は、磁性粒子又はクロマトグラフィーマトリックス粒子、アッセイプレート（マイクロ滴定プレートなど）の表面、固体基質材料の小片などのような、様々な支持体へと固定化されうる。アッセイストリップは、固体支持体上のアレイ内の抗体又は複数の抗体をコーティングすることにより調製されうる。次いで、このストリップは、被験試料へと浸漬させられ、有色スポットのような、測定可能なシグナルを発生させるように、洗浄及び検出ステップを介して、速やかに処理されうる。
【０４０３】
同種フォーマットが使用されうる。例えば、被験試料が、対象から得られた後に、混合物が調製されうる。混合物は、解析物（例えば、ｃＴｎＩ）について評価される被験試料、特異的結合パートナーを含有する。混合物を形成するのに、被験試料及び特異的結合パートナーが添加される順序は、それほど重要ではない。被験試料は、特異的結合パートナーと同時に接触される。一部の実施形態において、特異的結合パートナーと、被験試料中に含有された、任意のｃＴｎＩとは、特異的結合パートナー−解析物（例えば、ｃＴｎＩ）抗原複合体を形成することが可能である。特異的結合パートナーは、抗解析物抗体（例えば、配列番号１の、少なくとも３連続アミノ酸を含むアミノ酸配列を有するエピトープに結合する抗ｃＴｎＩ抗体）でありうる。さらに、特異的結合パートナーは、上記において記載された、検出可能な標識により標識され得るか又はこれを含有し得る。
【０４０４】
異種フォーマットが使用されうる。例えば、被験試料が、対象から得られた後に、第１の混合物が調製されうる。混合物は、解析物（例えば、ｃＴｎＩ）について評価される被験試料及び第１の特異的結合パートナーを含有し、この場合、第１の特異的結合パートナーと、被験試料中に含有された、任意のｃＴｎＩとは、第１の特異的結合パートナー−解析物（例えば、ｃＴｎＩ）抗原複合体を形成する。第１の特異的結合パートナーは、抗解析物抗体（例えば、配列番号１の、少なくとも３連続アミノ酸を含むアミノ酸配列を有するエピトープに結合する抗ｃＴｎＩ抗体）でありうる。混合物を形成するのに、被験試料及び第１の特異的結合パートナーが添加される順序は、それほど重要ではない。
【０４０５】
第１の特異的結合パートナーは、固相上に固定化されうる。イムノアッセイにおいて使用される固相（特異的結合パートナー）は、磁性粒子、ビーズ、試験管、マイクロ滴定プレート、キュベット、膜、足場形成分子、薄膜、濾紙、ディスク及びチップのようであるがこれらに限定されない、当技術分野において公知である、任意の固相でありうる。固相がビーズである実施形態において、ビーズは、磁気ビーズ又は磁性粒子でありうる。磁気ビーズ／磁性粒子は、強磁性、フェリ磁性、常磁性、超常磁性又は磁性流体でありうる。例示的な強磁性材料は、Ｆｅ、Ｃｏ、Ｎｉ、Ｇｄ、Ｄｙ、ＣｒＯ２、ＭｎＡｓ、ＭｎＢｉ、ＥｕＯ及びＮｉＯ／Ｆｅを含む。フェリ磁性材料の例は、ＮｉＦｅ２Ｏ４、ＣｏＦｅ２Ｏ４、Ｆｅ３Ｏ４（又はＦｅＯ．Ｆｅ２Ｏ３）を含む。ビーズは、磁性であり、１つ以上の非磁性層により取り囲まれた固体コア部分を有しうる。代替的に、磁性部分は、非磁性コアの周囲の層でありうる。第１の特異的結合メンバーが固定化される固体支持体は、乾燥形態又は液体で保管されうる。磁気ビーズは、第１の特異的結合メンバーが固定化される磁気ビーズを伴う試料と接触させる前に、又はこの後で、磁界下に置かれうる。
【０４０６】
第１の特異的結合パートナー−解析物（例えば、ｃＴｎＩ）抗原複合体を含有する混合物が形成された後に、当技術分野において公知である、任意の技法を使用して、任意の結合していない解析物（例えば、ｃＴｎＩ）が、複合体から除去される。例えば、結合していない解析物（例えば、ｃＴｎＩ）は、洗浄することにより除去されうる。しかし、被験試料中に存在する、全ての解析物（例えば、ｃＴｎＩ）に、第１の特異的結合パートナーが結合するように、第１の特異的結合パートナーは、被験試料中に存在する、任意の解析物（例えば、ｃＴｎＩ）に対する過剰量において存在することが所望される。
【０４０７】
任意の結合していない解析物（例えば、ｃＴｎＩ）が除去された後に、第２の特異的結合パートナーを、混合物へと添加して、第１の特異的結合パートナー−目的の解析物（例えば、ｃＴｎＩ）−第２の特異的結合パートナー複合体を形成する。第２の特異的結合パートナーは、抗解析物抗体（例えば、配列番号１の、少なくとも３連続アミノ酸を含むアミノ酸配列を有するエピトープに結合するｃＴｎＩ抗体）でありうる。さらに、第２の特異的結合パートナーは、上記された、検出可能な標識により標識されるか又はこれを含有する。
【０４０８】
固定化された抗体又はこの断片の使用は、イムノアッセイへと組み込まれうる。抗体は、磁性粒子又はクロマトグラフィーマトリックス粒子（磁気ビーズなど）、ラテックス粒子又は表面修飾ラテックス粒子、ポリマー又はポリマー薄膜、プラスチック又はプラスチック薄膜、平面状基質、アッセイプレート（マイクロ滴定プレートなど）の表面、固体基質材料の小片などのような、様々な支持体へと固定化されうる。アッセイストリップは、固体支持体上のアレイ内の抗体又は複数の抗体をコーティングすることにより調製されうる。次いで、このストリップは、被験試料へと浸漬させられ、有色スポットのような、測定可能なシグナルを発生させるように、洗浄及び検出ステップを介して、速やかに処理されうる。
【０４０９】
（１）サンドイッチイムノアッセイ
サンドイッチイムノアッセイは、抗体（すなわち、少なくとも１つの捕捉抗体）と、検出抗体（すなわち、少なくとも１つの検出抗体）とからなる、２つの層の間の抗原の量を測定する。捕捉抗体及び検出抗体は、抗原、例えば、ｃＴｎＩのような、目的の解析物上の、異なるエピトープに結合する。捕捉抗体の、エピトープへの結合は、検出抗体の、エピトープへの結合に干渉しないことが所望される。モノクローナル抗体又はポリクローナル抗体のいずれも、サンドイッチイムノアッセイにおける、捕捉抗体及び検出抗体として使用されうる。
【０４１０】
一般に、少なくとも２つの抗体が、被験試料中の解析物（例えば、ｃＴｎＩ）を分離及び定量するのに利用される。より具体的に、少なくとも２つの抗体は、解析物（例えば、ｃＴｎＩ）の、ある特定のエピトープに結合し、「サンドイッチ」と称される免疫複合体を形成する。１つ以上の抗体が、被験試料中の解析物（例えば、ｃＴｎＩ）を捕捉する（これらの抗体は、しばしば、「捕捉」抗体（ａｎｔｉｂｏｄｙ）又は「捕捉」抗体（ａｎｔｉｂｏｄｉｅｓ）と称する）のに使用される場合があり、１つ以上の抗体が、検出可能な（すなわち、定量可能な）標識を、サンドイッチに結合させるのに使用される（これらの抗体は、しばしば、「検出」抗体（ａｎｔｉｂｏｄｙ）又は「検出」抗体（ａｎｔｉｂｏｄｉｅｓ）と称する）。サンドイッチアッセイにおいて、抗体の、そのエピトープへの結合は、アッセイ中の他の任意の抗体の、そのそれぞれのエピトープへの結合により減弱されない。抗体は、解析物（例えば、ｃＴｎＩ）を含有することが推測される被験試料と接触された、１つ以上の第１の抗体が、第２の抗体又は後続の抗体により認識されるエピトープの全部又は一部に結合せず、これにより、１つ以上の第２の検出抗体が、解析物（例えば、ｃＴｎＩ）に結合する能力に干渉しないように選択される。
【０４１１】
抗体は、前記イムノアッセイ中の、第１の抗体として使用されうる。抗体は、解析物（例えば、ｃＴｎＩ）上のエピトープに免疫特異的に結合する。本開示の抗体に加えて、前記イムノアッセイは、第１の抗体により認識されない、又は第１の抗体が結合しないエピトープに免疫特異的に結合する、第２の抗体を含みうる。
【０４１２】
解析物（例えば、ｃＴｎＩ）を含有することが推測される被験試料は、少なくとも１つの、第１の捕捉抗体（又は抗体）及び少なくとも１つの、第２の検出抗体と同時に、又は逐次的に接触されうる。サンドイッチアッセイフォーマットにおいて、被験試料を含有することが推測される解析物（例えば、ｃＴｎＩ）はまず、第１の抗体−解析物（例えば、ｃＴｎＩ）抗原複合体の形成を可能とする条件下で、特定のエピトープに特異的に結合する、少なくとも１つの、第１の捕捉抗体と接触される。１つを超える捕捉抗体が使用される場合、第１の複数の捕捉抗体−ｃＴｎＩ抗原複合体が形成される。サンドイッチアッセイにおいて、抗体、好ましくは、少なくとも１つの捕捉抗体は、被験試料に予測される解析物（例えば、ｃＴｎＩ）の最大量に対するモル過剰量において使用される。例えば、マイクロ粒子コーティング緩衝液１ｍｌ当たり約５μｇ／ｍｌ〜約１ｍｇ／ｍｌの抗体が使用されうる。
【０４１３】
ｉ．抗ｃＴｎＩ捕捉抗体
任意選択的に、被験試料を、少なくとも１つの、第１の捕捉抗体と接触させる前に、少なくとも１つの、第１の捕捉抗体は、第１の抗体−解析物（例えば、ｃＴｎＩ）複合体の、被験試料からの分離を容易とする固体支持体に結合されうる。当技術分野において公知である、任意の固体支持体であって、ウェル、チューブ又はビーズ（マイクロ粒子など）の形態のポリマー材料から作られた固体支持体を含むがこれらに限定されない固体支持体が使用されうる。抗体（ａｎｔｉｂｏｄｙ（又はａｎｔｉｂｏｄｉｅｓ））は、そのような結合が、解析物（例えば、ｃＴｎＩ）に結合する抗体の能力に干渉しないという条件において、吸着により、化学的カップリング剤を使用する共有結合により、又は当技術分野において公知である他の手段により、固体支持体に結合されうる。さらに、必要な場合、固体支持体は、抗体上の多様な官能基との反応性を可能とするように、誘導体化されうる。このような誘導体化は、無水マレイン酸、Ｎ−ヒドロキシスクシンイミド及び１−エチル−３−（３−ジメチルアミノプロピル）カルボジイミドのようであるがこれらに限定されない、ある特定のカップリング剤の使用を必要とする。
【０４１４】
その後、解析物（例えば、ｃＴｎＩ）を含有することが推測される被験試料は、第１の捕捉抗体（又は複数の抗体）−解析物（例えば、ｃＴｎＩ）複合体の形成を可能とするためにインキュベートされる。インキュベーションは、約４．５〜約１０．０のｐＨ、約２℃〜約４５℃の温度において、少なくとも約１分間〜約１８時間、約２〜６分間、約７〜１２分間、約５〜１５分間又は約３〜４分間の時間にわたり実行されうる。
【０４１５】
ｉｉ．検出抗体
次いで、第１の／複数の捕捉抗体−解析物（例えば、ｃＴｎＩ）複合体の形成後、複合体は、少なくとも１つの、第２の検出抗体（第１の／複数の抗体−解析物（例えば、ｃＴｎＩ）抗原−第２の抗体複合体の形成を可能とする条件下において）と接触される。一部の実施形態において、被験試料は、捕捉抗体と同時に、検出抗体と接触される。第１の抗体−解析物（例えば、ｃＴｎＩ）複合体が、１つを超える検出抗体と接触される場合、第１の／複数の捕捉抗体−解析物（例えば、ｃＴｎＩ）−複数の抗体検出複合体が形成される。少なくとも第２の（及び後続の）抗体が、第１の抗体−解析物（例えば、ｃＴｎＩ）複合体と接触される場合、第１の抗体と同様に、上記された条件と同様の条件下におけるインキュベーション時間が、第１の／複数の抗体−解析物（例えば、ｃＴｎＩ）−第２の／複数の抗体複合体の形成に要求される。好ましくは、少なくとも１つの、第２の抗体は、検出可能な標識を含有する。検出可能な標識は、第１の／複数の抗体−解析物（例えば、ｃＴｎＩ）−第２の／複数の抗体複合体の形成の前に、これと同時に、又はこの後に、少なくとも１つの、第２の抗体に結合されうる。当技術分野において公知である、任意の検出可能な標識が使用されうる。
【０４１６】
化学発光アッセイは、Ａｄａｍｃｚｙｋら、Ａｎａｌ．Ｃｈｉｍ．Ａｃｔａ、５７９（１）：６１〜６７（２００６）において記載されている方法に従い実施されうる。任意の適切なアッセイフォーマットが使用されうるが、マイクロプレート用化学発光測定器（Ｍｉｔｈｒａｓ  ＬＢ−９４０、Ｂｅｒｔｈｏｌｄ  Ｔｅｃｈｎｏｌｏｇｉｅｓ  Ｕ．Ｓ．Ａ．，ＬＬＣ、Ｏａｋ  Ｒｉｄｇｅ、ＴＮ）は、小容量の複数の試料についてのアッセイを、迅速に可能とする。化学発光測定器は、９６ウェル黒色ポリスチレン製マイクロプレート（Ｃｏｓｔａｒ、型番：３７９２）を使用する、複数の試薬注入器を装備されうる。各試料が、個別のウェルへと添加されうるのに続き、利用されたアッセイの種類により決定される通り、他の試薬の同時的／逐次的な添加がなされうる。酸性化によるように、アクリジニウムアリールエステルを利用する、中性溶液中又は塩基性溶液中の擬塩基の形成は回避されることが所望される。次いで、化学発光応答が、ウェルごとに記録される。この点で、化学発光応答を記録するための時間は、部分的に、利用された試薬の添加と、特定のアクリジニウムの添加との間の遅延に依存する。
【０４１７】
化学発光アッセイのための混合物を形成するのに、被験試料及び特異的結合パートナーが添加される順序は、それほど重要ではない。第１の特異的結合パートナーが、アクリジニウム化合物により、検出可能に標識される場合、検出可能に標識された第１の特異的結合パートナー−抗原（例えば、ｃＴｎＩ）複合体が形成される。代替的に、第２の特異的結合パートナーが使用され、第２の特異的結合パートナーが、アクリジニウム化合物により、検出可能に標識される場合、検出可能に標識された第１の特異的結合パートナー−解析物（例えば、ｃＴｎＩ）−第２の特異的結合パートナー複合体が形成される。標識されたものであれ、標識されていないものであれ、結合していない任意の特異的結合パートナーは、洗浄のような、当技術分野において公知である、任意の技法を使用して、混合物から除去されうる。
【０４１８】
過酸化水素は、混合物中、インサイチューにおいて発生されうる、又は上記されたアクリジニウム化合物の添加の前に、これと同時に、又はこの後に、混合物へと施されうる、若しくは供給されうる。過酸化水素は、当業者に明らかであるような、多数の方式により、インサイチューにおいて発生されうる。
【０４１９】
代替的に、過酸化水素の供給源は、混合物へと、単純に添加されうる。例えば、過酸化水素の供給源は、過酸化水素を含有することが公知である、１つ以上の緩衝液又は他の溶液でありうる。この点で、過酸化水素の溶液が、単純に添加されうる。
【０４２０】
少なくとも１つの塩基性溶液を、試料へと、同時的に、又はその後において添加したら、検出可能なシグナル、すなわち、解析物（例えば、ｃＴｎＩ）の存在を示す化学発光シグナルが発生する。塩基性溶液は、少なくとも１つの塩基を含有し、１０以上、好ましくは、１２以上のｐＨを有する。塩基性溶液の例は、水酸化ナトリウム、水酸化カリウム、水酸化カルシウム、水酸化アンモニウム、水酸化マグネシウム、ナトリウム炭酸、炭酸水素ナトリウム、水酸化カルシウム、炭酸カルシウム及び重炭酸カルシウムを含むがこれらに限定されない。試料へと添加される塩基性溶液の量は、塩基性溶液の濃度に依存する。使用された塩基性溶液の濃度に基づき、当業者は、試料へと添加される塩基性溶液の量を容易に決定しうる。化学発光標識以外の他の標識も利用されうる。例えば、酵素標識（アルカリホスファターゼを含むがこれに限定されない）が利用されうる。
【０４２１】
発生した化学発光シグナル又は他のシグナルは、当業者に公知の規定の技法を使用して検出されうる。発生したシグナルの強度に基づき、目的の解析物（例えば、ｃＴｎＩ）の、試料中の量が定量されうる。具体的に、目的の解析物（例えば、ｃＴｎＩ）の、試料中の量は、発生したシグナルの強度に比例する。存在する解析物（例えば、ｃＴｎＩ）の量は、発生した光の量を、解析物（例えば、ｃＴｎＩ）についての検量線と比較することにより、又は参照標準物質との比較により定量されうる。検量線は、解析物（例えば、ｃＴｎＩ）の公知の濃度の系列希釈液又は溶液を使用して、質量分析、重量測定法及び当技術分野において公知の他の技法により作成されうる。
【０４２２】
（２）フォワード競合阻害アッセイ
フォワード競合フォーマットにおいて、公知の濃度の、標識された目的の解析物（例えば、蛍光標識、切断可能なリンカーと接合されたタグなどを有する解析物（例えば、ｃＴｎＩ））のアリコートが、被験試料中の目的の解析物（例えば、ｃＴｎＩ）と、目的の解析物抗体（例えば、ｃＴｎＩ抗体）への結合について競合するように使用される。
【０４２３】
フォワード競合アッセイにおいて、固定化された特異的結合パートナー（抗体など）は、被験試料及び標識された目的の解析物、目的の解析物の断片又は目的の解析物の変異体と、逐次的に、又は同時に接触されうる。目的の解析物ペプチド、目的の解析物の断片又は目的の解析物の変異体は、切断可能なリンカーと接合されたタグから構成された、検出可能な標識を含む、任意の検出可能な標識により標識されうる。このアッセイにおいて、抗体は、固体支持体へと固定化されうる。代替的に、抗体は、マイクロ粒子又は平面状基質のような固体支持体上に固定化された、抗分子種抗体のような抗体へとカップリングされうる。
【０４２４】
標識された目的の解析物、被験試料及び抗体は、サンドイッチアッセイフォーマットとの関連において、上記で記載された条件と同様の条件下においてインキュベートされる。次いで、抗体−目的の解析物複合体の、２つの異なる分子種が作出されうる。具体的に述べると、作出された抗体−目的の解析物複合体のうちの１つが、検出可能な標識（例えば、蛍光標識など）を含有するのに対し、他の抗体−目的の解析物複合体は、検出可能な標識を含有しない。抗体−目的の解析物複合体は、検出可能な標識の定量の前に、残りの被験試料から分離されうるが、そうされなくともよい。次いで、抗体−目的の解析物複合体が、残りの被験試料から分離されるのかどうかに関わらず、抗体−目的の解析物複合体内において検出可能な標識の量が定量される。次いで、目的の解析物（膜に会合した目的の解析物、可溶性の目的の解析物、可溶性の目的の解析物の断片、目的の解析物（膜に会合した目的の解析物又は可溶性の目的の解析物）の変異体又はこれらの任意の組合せなど）の、被験試料中濃度が、例えば、上記で記載された通りに決定されうる。
【０４２５】
（３）リバース競合阻害アッセイ
リバース競合アッセイにおいて、固定化された目的の解析物（例えば、ｃＴｎＩ）は、被験試料及び少なくとも１つの標識された抗体と、逐次的に、又は同時に接触されうる。
【０４２６】
目的の解析物は、上記においてサンドイッチアッセイフォーマットとの関連において論じられた固体支持体のような固体支持体に結合される。
【０４２７】
固定化された目的の解析物、被験試料及び少なくとも１つの標識された抗体は、サンドイッチアッセイフォーマットとの関連において、上記された条件と同様の条件下においてインキュベートされる。次いで、目的の解析物−抗体複合体の２つの異なる分子種が作出されうる。具体的に述べると、作出された目的の解析物−抗体複合体のうちの１つが、固定化され、検出可能な標識（例えば、蛍光標識など）を含有するのに対し、他の目的の解析物−抗体複合体は、固定化されず、検出可能な標識を含有しない。固定化されなかった目的の解析物−抗体複合体及び残りの被験試料は、洗浄のような、当技術分野において公知の技法を介して、固定化された目的の解析物−抗体複合体の存在から除去される。次いで、固定化されなかった目的の解析物−抗体複合体が除去されたら、タグの切断後に、固定化された、目的の解析物−抗体複合体内の、検出可能な標識の量が定量される。次いで、目的の解析物の、被験試料中濃度が、上記で記載された通り、検出可能な標識の数量を比較することにより決定されうる。
【０４２８】
（４）ワンステップイムノアッセイ又は「キャプチャーオンザフライ」アッセイ
キャプチャーオンザフライアッセイにおいて、固体基質は、固定化剤によりあらかじめコーティングされている。捕捉剤、解析物（例えば、ｃＴｎＩ）及び検出剤が、固体基質へと併せて添加されるのに続き、検出の前に、洗浄ステップがなされる。捕捉剤は、解析物（例えば、ｃＴｎＩ）に結合することが可能であり、固定化剤のためのリガンドを含む。捕捉剤及び検出剤は、本明細書において記載された、又は当技術分野で公知である、捕捉又は検出が可能な、抗体又は他の任意の部分でありうる。リガンドは、ペプチドタグを含むことが可能であり、固定化剤は、抗ペプチドタグ抗体を含みうる。代替的に、リガンド及び固定化剤は、キャプチャーオンザフライアッセイのために利用されるように、併せて結合することが可能な薬剤の任意の対（例えば、特異的結合対及び当技術分野で公知であるような他の対）でありうる。１つを超える解析物が測定されうる。一部の実施形態において、固体基質は、抗原によりコーティングされる場合があり、解析される解析物は、抗体である。
【０４２９】
ワンステップイムノアッセイ又は「キャプチャーオンザフライ」における、ある特定の、他の実施形態において、固定化剤（ビオチン、ストレプトアビジンなど）によりあらかじめコーティングされた固体支持体（マイクロ粒子など）並びに少なくとも第１の特異的結合メンバー及び第２の特異的結合メンバー（それぞれ、捕捉試薬及び検出試薬として機能する）が使用される。第１の特異的結合メンバーは、固定化剤のためのリガンド（例えば、固体支持体上の固定化剤が、ストレプトアビジンである場合、第１の特異的結合メンバー上のリガンドは、ビオチンでありうる）を含み、また、目的の解析物（例えば、ｃＴｎＩ）にも結合する。第２の特異的結合メンバーは、検出可能な標識を含み、目的の解析物（例えば、ｃＴｎＩ）に結合する。固体支持体並びに第１の特異的結合メンバー及び第２の特異的結合メンバーは、被験試料へと（逐次的に、又は同時に）添加されうる。第１の特異的結合メンバー上のリガンドは、固体支持体上の固定化剤に結合して、固体支持体／第１の特異的結合メンバー複合体を形成する。試料中に存在する、任意の目的の解析物は、固体支持体／第１の特異的結合メンバー複合体に結合して、固体支持体／第１の特異的結合メンバー／解析物複合体を形成する。第２の特異的結合メンバーは、固体支持体／第１の特異的結合メンバー／解析物複合体に結合し、検出可能な標識が検出される。検出の前に、任意選択の洗浄ステップが利用されうる。ワンステップアッセイにおける、ある特定の実施形態において、１つを超える解析物が測定されうる。ある特定の、他の実施形態において、２つを超える特異的結合メンバーが利用されうる。ある特定の、他の実施形態において、複数の検出可能な標識が添加されうる。ある特定の、他の実施形態において、複数の、目的の解析物が検出されうる、又はこれらの量、レベル若しくは濃度が、測定、決定若しくは評価されうる。
【０４３０】
キャプチャーオンザフライアッセイの使用は、本明細書において記載され、当技術分野において公知である、様々なフォーマットにおいてなされうる。例えば、フォーマットは、上記されたようなサンドイッチアッセイでありうるが、代替的に、競合アッセイであることも可能であり、単一特異性の結合メンバーを利用しうる、又は公知であるような、他の変化形も使用しうる。
【０４３１】
１４．他の因子
上記された、診断法、予後診断法及び／又は評価法は、診断、予後診断及び評価のための他の因子の使用をさらに含みうる。一部の実施形態において、外傷性脳損傷は、ＧＣＳ（Ｇｌａｓｇｏｗ  Ｃｏｍａ  Ｓｃａｌｅ）又はＧＯＳＥ（Ｅｘｔｅｎｄｅｄ  Ｇｌａｓｇｏｗ  Ｏｕｔｃｏｍｅ  Ｓｃａｌｅ）を使用して診断されうる。他の検査、スケール又は指標もまた、単独で、又はＧＣＳ（Ｇｌａｓｇｏｗ  Ｃｏｍａ  Ｓｃａｌｅ）と組み合わせて使用されうる。例は、ＲＬＡＳ（Ｒａｎｃｈｏｓ  Ｌｏｓ  Ａｍｉｇｏｓ  Ｓｃａｌｅ）である。ＲＬＡＳ（Ｒａｎｃｈｏｓ  Ｌｏｓ  Ａｍｉｇｏｓ  Ｓｃａｌｅ）は、意識、認知、行動及び環境との相互作用のレベルを測定する。ＲＬＡＳ（Ｒａｎｃｈｏｓ  Ｌｏｓ  Ａｍｉｇｏｓ  Ｓｃａｌｅ）は、レベルＩ：応答なし；レベルＩＩ：一般的な応答；レベルＩＩＩ：局所的応答；レベルＩＶ：混乱（興奮）；レベルＶ：混乱（不適切）；レベルＶＩ：混乱（適切）；レベルＶＩＩ：自動的（適切）及びレベルＶＩＩＩ：意図的（適切）を含む。
【０４３２】
１５．試料
一部の実施形態において、試料は、ヒト対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部損傷又は他の種類の鈍的外傷を負った後において得られる。一部の実施形態において、ヒト対象が、化学物質、毒素又は化学物質と毒素との組合せを摂取した後又はこれらへと曝露された後において、試料が得られる。このような化学物質及び／又は毒素の例は、火、カビ、アスベスト、害虫駆除剤、殺虫剤、有機溶剤、塗料、糊、ガス（一酸化炭素、硫化水素及びシアン化物など）、有機金属（メチル水銀、テトラエチル鉛及び有機スズなど）及び／又は１つ以上の乱用薬物を含む。一部の実施形態において、試料は、自己免疫疾患、代謝性障害、脳腫瘍、低酸素症、１つ以上のウイルス、髄膜炎、水頭症又はこれらの組合せを患うヒト対象から得られる。
【０４３３】
さらに別の実施形態において、本明細書において記載された方法は、また、下記において記載される抗ｃＴｎＩ抗体又はこの抗体断片を使用して、対象におけるｃＴｎＩのレベルを決定することにより、対象が、軽度外傷性脳損傷を有するか、又はこれを発症する危険性があるのかどうかを決定するのにも使用されうる試料を使用する。したがって、特定の実施形態において、本開示はまた、本明細書において論じられ、当技術分野において公知である、外傷性脳損傷を有するか、又はこの危険性がある対象が、治療又は処置の候補であるのかどうかを決定するための方法も提示する。一般に、対象は、少なくとも（ｉ）頭部への損傷を受けた対象；（ｉｉ）１つ以上の化学物質及び／若しくは毒素を摂取した、及び／若しくはこれらへと曝露された対象；（ｉｉｉ）自己免疫疾患、代謝性障害、脳腫瘍、低酸素症、１つ以上のウイルス、髄膜炎、水頭症を患う、若しくはこれらの任意の組合せを患う対象又は（ｉｖ）（ｉ）〜（ｉｉｉ）の任意の組合せ若しくはＴＢＩを有するか、又はＴＢＩの危険性があると診断された対象（例えば、自己免疫疾患、代謝性障害、脳腫瘍、低酸素症、１つ以上のウイルス、髄膜炎、水頭症若しくはこれらの組合せを患う対象など）及び／又は本明細書において記載された、望ましくない（すなわち、臨床的に所望されない）濃度又は量のｃＴｎＩ又はｃＴｎＩ断片を顕示した対象である。
【０４３４】
ａ．被験又は生物学的試料
本明細書において使用された「試料」、「被験試料」、「生物学的試料」とは、ｃＴｎＩを含有するか、又はこれを含有することが推測される体液試料を指す。試料は、任意の適切な供給源に由来しうる。場合によって、試料は、液体、流動性の粒子状固体又は固体粒子の懸濁流体を含みうる。場合によって、試料は、本明細書において記載された解析の前に処理されうる。例えば、試料は、解析の前に、その供給源から、分離又は精製されうるが、ある特定の実施形態において、ｃＴｎＩを含有する非処理試料が、直接的にアッセイされうる。特定の例において、ｃＴｎＩを含有する供給源は、ヒト体内物質（例えば、体液、全血、血清、血漿のような血液、尿、唾液、汗、痰、精液、粘液、涙液、リンパ液、羊水、間質液、肺洗浄液、脳脊髄液、糞便、組織、臓器など）である。組織は、骨格筋組織、肝臓組織、肺組織、腎臓組織、心筋組織、脳組織、骨髄、子宮頸部組織、皮膚などを含みうるがこれらに限定されない。試料は、液体試料又は固体試料の液体抽出物でありうる。ある特定の場合、試料の供給源は、組織の分解／細胞の溶解により可溶化されうる、臓器又は生検試料のような組織でありうる。
【０４３５】
広範にわたる容量の体液試料が解析されうる。少数の例示的な実施形態において、試料容量は、約０．５ｎＬ、約１ｎＬ、約３ｎＬ、約０．０１μＬ、約０．１μＬ、約１μＬ、約５μＬ、約１０μＬ、約１００μＬ、約１ｍＬ、約５ｍＬ、約１０ｍＬなどでありうる。場合によって、体液試料の容量は、約０．０１μＬ〜約１０ｍＬの間、約０．０１μＬ〜約１ｍＬの間、約０．０１μＬ〜約１００μＬの間又は約０．１μＬ〜約１０μＬの間である。
【０４３６】
場合によって、体液試料は、アッセイにおける使用の前に希釈されうる。例えば、ｃＴｎＩを含有する供給源が、ヒト体液（例えば、血液、血清）である実施形態において、体液は、適切な溶媒（例えば、ＰＢＳ緩衝液のような緩衝液）により希釈されうる。体液試料は、使用の前に、約１倍、約２倍、約３倍、約４倍、約５倍、約６倍、約１０倍、約１００倍以上希釈されうる。他の場合に、体液試料は、アッセイにおける使用の前に希釈されない。
【０４３７】
場合によって、試料は、解析前処理を経る場合がある。解析前処理は、非特異的タンパク質の除去及び／又は効果的であるが廉価で実施可能な混合機能性のような、さらなる機能性をもたらしうる。解析前処理の一般的方法は、動電トラッピング、ＡＣ動電現象、表面音響波、等速電気泳動、誘電泳動、電気泳動又は当技術分野において公知である、他の前濃縮法の使用を含みうる。場合によって、体液試料は、アッセイにおける使用の前に濃縮されうる。例えば、ｃＴｎＩを含有する供給源が、ヒト体液（例えば、血液、血清）である実施形態において、体液は、沈殿、蒸発、濾過、遠心分離又はこれらの組合せにより濃縮されうる。体液試料は、使用の前に、約１倍、約２倍、約３倍、約４倍、約５倍、約６倍、約１０倍、約１００倍以上濃縮されうる。
【０４３８】
ｂ．対照
対照試料を含むことが所望でありうる。対照試料は、上記された通り、対象に由来する試料と共時的に解析されうる。対象試料から得られた結果は、対照試料から得られた結果と比較されうる。試料についてのアッセイ結果が比較されうる、検量線が用意されうる。このような検量線は、マーカーのレベルを、アッセイ単位、すなわち、蛍光標識が使用される場合なら、蛍光のシグナル強度の関数として提示する。複数のドナーから採取された試料を使用して、正常健常組織におけるｃＴｎＩの基準レベル並びに上記において明示された特徴のうちの１つ以上を有しうるドナーから採取された組織内の、「危険性がある」ｃＴｎＩのレベルについての検量線が用意されうる。
【０４３９】
したがって、上記を念頭に置いて、ｃＴｎＩの、被験試料中の存在、量又は濃度を決定するための方法が提供される。方法は、例えば、ｃＴｎＩ上のエピトープに結合する、少なくとも１つの捕捉抗体及び捕捉抗体に対するエピトープと異なる、ｃＴｎＩ上のエピトープに結合する、少なくとも１つの検出抗体を利用するイムノアッセイにより、被験試料を、ｃＴｎＩについてアッセイするステップを含み、任意選択的に、検出可能な標識を含み、ｃＴｎＩの、被験試料中の存在、量又は濃度についての、直接的指標又は間接的指標として、検出可能な標識により発生したシグナルを、ｃＴｎＩの、較正物質中の存在、量又は濃度についての、直接的指標又は間接的指標として発生されたシグナルと比較するステップを含む。較正物質は、任意選択的に、較正物質の各々が、系列内の他の較正物質とｃＴｎＩの濃度が異なる、較正物質の系列の一部であり、これが好ましい。
【０４４０】
１６．キット
本明細書において、被験試料を、ｃＴｎＩ又はｃＴｎＩ断片についてアッセイ又は評価するために使用されうるキットが提示される。キットは、被験試料を、ｃＴｎＩについてアッセイするための、少なくとも１つの構成要素、及び被験試料を、ｃＴｎＩについてアッセイするための指示書を含む。例えば、キットは、被験試料を、ｃＴｎＩについて、イムノアッセイ、例えば、化学発光マイクロ粒子イムノアッセイによりアッセイするための指示書を含みうる。キット内に含まれる指示書は、パッケージング材料に貼付されうる、又はパッケージの添付文書として含まれうる。指示書は、典型的に、文書又は印刷物でありうるが、このようなものに限定されない。このような指示書を保存し、これらを末端使用者へと通信することが可能な、任意のメディアが、本開示により想定される。このようなメディアは、電子保存メディア（例えば、磁気ディスク、テープ、カートリッジ、チップ）、光学メディア（例えば、ＣＤ  ＲＯＭ）などを含むがこれらに限定されない。本明細書において使用された「指示書」は、指示書を提供するインターネットサイトのアドレスを含みうる。
【０４４１】
少なくとも１つの構成要素は、ｃＴｎＩに特異的に結合する、１つ以上の単離抗体又はこれらの抗体断片を含む、少なくとも１つの組成物を含みうる。抗体は、ｃＴｎＩ検出抗体並びに／又はｃＴｎＩ捕捉抗体でありうる。
【０４４２】
代替的に、又は、加えて、キットは、較正物質若しくは対照、例えば、精製され、任意選択的に、凍結乾燥させられたｃＴｎＩ並びに／又はアッセイを行うための、少なくとも１つの容器（例えば、抗ｃＴｎＩ抗体により、あらかじめコーティングされうる、チューブ、マイクロ滴定プレート又はストリップ）並びに／又はそれらのうちの一方が濃縮溶液、検出可能な標識（例えば、酵素標識）のための基質溶液若しくは停止溶液として提供されうる、アッセイ緩衝液若しくは洗浄緩衝液のような緩衝液を含みうる。好ましくは、キットは、アッセイを実施するのに必要な、全ての構成要素、すなわち、試薬、標準物質、緩衝液、希釈剤などを含む。指示書はまた、検量線を作成するための指示書も含みうる。
【０４４３】
キットは、ｃＴｎＩを定量するための参照標準物質をさらに含みうる。参照標準物質は、ｃＴｎＩ濃度を内挿及び／又は外挿するための検量線を確立するのに利用されうる。一部の実施形態において、ｃＴｎＩの参照標準物質は、健常基準集団から導出された、第９９百分位数に対応する。このような参照標準物質は、当技術分野において公知である、規定の技法を使用して決定されうる。
【０４４４】
ｃＴｎＩに特異的な組換え抗体のような、キット内に提供される任意の抗体に、フルオロフォア、放射性部分、酵素、ビオチン／アビジン標識、発色団、化学発光標識などのような、検出可能な標識を組み込むことが可能である、又はキットは、抗体を標識付けするための試薬若しくは抗体（例えば、検出抗体）を検出するための試薬及び／又は解析物（例えば、ｃＴｎＩ）を標識付けするための試薬若しくは解析物（例えば、ｃＴｎＩ）を検出するための試薬を含みうる。抗体、較正物質及び／又は対照は、個別の容器内に用意されうる、又は適切なアッセイフォーマット、例えば、マイクロ滴定プレートへとあらかじめ分注されうる。
【０４４５】
任意選択的に、キットは、品質管理のための構成要素（例えば、感度パネル、較正物質及び陽性対照）を含む。品質管理試薬の調製は、当技術分野において周知であり、様々な免疫診断用生成物のための添付シート上に記載されている。感度パネルメンバーは、任意選択的に、アッセイ性能の特徴を確立するのに使用され、さらに、任意選択的に、イムノアッセイキット試薬の完全性及びアッセイの標準化についての、有用な指標である。
【０４４６】
キットはまた、任意選択的に、診断的アッセイを行うのに要求される、又は品質管理査定を容易とする、他の試薬であって、緩衝液、塩、酵素、酵素補因子、基質、検出試薬などのような試薬も含みうる。被験試料の単離及び／又は処理のための緩衝液及び溶液（例えば、前処理試薬）のような、他の構成要素もまた、キットに含まれうる。加えて、キットは、１つ以上の他の対照も含みうる。キットの構成要素のうちの１つ以上は、凍結乾燥させられる場合があり、この場合、キットは、凍結乾燥させられた構成要素の復元に適する試薬をさらに含みうる。
【０４４７】
キットの多様な構成要素は、必要に応じて、任意選択的に、適切な容器、例えば、マイクロ滴定プレートにより提供される。キットは、試料を保持又は保存するための容器（例えば、尿試料、全血試料、血漿試料又は血清試料のための容器又はカートリッジ）をさらに含みうる。適切な場合、キットはまた、任意選択的に、反応槽、混合槽及び試薬又は被験試料の調製を容易とする他の構成要素も含有しうる。キットはまた、シリンジ、ピペット、鉗子、計量スプーンなどのような、被験試料を得る一助となるための、１つ以上の器具も含みうる。
【０４４８】
検出可能な標識が、少なくとも１つのアクリジニウム化合物である場合、キットは、少なくとも１つのアクリジニウム−９−カルボキサミド、少なくとも１つのアクリジニウム−９−カルボキシレートアリールエステル、又はこれらの任意の組合せを含みうる。検出可能な標識が、少なくとも１つのアクリジニウム化合物である場合、キットはまた、緩衝液、溶液及び／又は少なくとも１つの塩基性溶液のような、過酸化水素の供給源も含みうる。所望の場合、キットは、磁性粒子、ビーズ、試験管、マイクロ滴定プレート、キュベット、膜、足場形成分子、薄膜、濾紙、ディスク又はチップのような固相を含有しうる。
【０４４９】
所望の場合、キットは、単独で、又は被験試料を、外傷性脳損傷又は障害のバイオマーカーのようなバイオマーカーでありうる、別の解析物についてアッセイするための指示書とさらに組み合わせて、１つ以上の構成要素をさらに含みうる。
【０４５０】
ａ．キット及び方法の適合
本明細書において記載されたイムノアッセイにより、ｃＴｎＩの、被験試料中濃度を評価又は決定するためのキット（又はこの構成要素）並びに方法は、例えば、米国特許第５，０６３，０８１号、米国特許出願公開第２００３／０１７０８８１号、同第２００４／００１８５７７号、同第２００５／００５４０７８号及び同第２００６／０１６０１６４号において記載されており、例えば、Ａｂｂｏｔｔ  Ｌａｂｏｒａｔｏｒｉｅｓ（Ａｂｂｏｔｔ  Ｐａｒｋ、ＩＬ）により、Ａｂｂｏｔｔ  Ｐｏｉｎｔ  ｏｆ  Ｃａｒｅ（ｉ−ＳＴＡＴ（登録商標）又はｉ−ＳＴＡＴ  Ａｌｉｎｉｔｙ、Ａｂｂｏｔｔ  Ｌａｂｏｒａｔｏｒｉｅｓ）として市販されている、様々な自動式システム及び半自動式システム（固相がマイクロ粒子を含むシステムを含む）のほか、米国特許第５，０８９，４２４号及び同第５，００６，３０９号において記載されており、例えば、Ａｂｂｏｔｔ  Ｌａｂｏｒａｔｏｒｉｅｓ（Ａｂｂｏｔｔ  Ｐａｒｋ、ＩＬ）により、ＡＲＣＨＩＴＥＣＴ（登録商標）又はＡｂｂｏｔｔ  Ａｌｉｎｉｔｙデバイスのシリーズとして市販されているシステムにおける使用に適合させられうる。
【０４５１】
自動式システム又は半自動式システムの、非自動式システム（例えば、ＥＬＩＳＡ）と比較した、一部の差違は、第１の特異的結合パートナー（例えば、解析物抗体又は捕捉抗体）が、接合された基質（サンドイッチの形成及び解析物の反応性に影響を及ぼしうる）並びに捕捉ステップ、検出ステップ及び／又は任意選択の洗浄ステップの長さ及びタイミングを含む。ＥＬＩＳＡのような非自動式フォーマットが、試料及び捕捉試薬（例えば、約２時間）を伴う、比較的長いインキュベーション時間を要求しうるのに対し、自動式フォーマット又は半自動式フォーマット（例えば、ＡＲＣＨＩＴＥＣＴ（登録商標）及び任意の後継のプラットフォーム、Ａｂｂｏｔｔ  Ｌａｂｏｒａｔｏｒｉｅｓ）は、比較的短いインキュベーション時間（例えば、ＡＲＣＨＩＴＥＣＴ（登録商標）の場合、約１８分間）を有しうる。同様に、ＥＬＩＳＡのような非自動式フォーマットが、コンジュゲート試薬のような検出抗体を、比較的長いインキュベーション時間（例えば、約２時間）にわたりインキュベートするのに対し、自動式フォーマット又は半自動式フォーマット（例えば、ＡＲＣＨＩＴＥＣＴ（登録商標）及び任意の後継のプラットフォーム）は、比較的短いインキュベーション時間（例えば、ＡＲＣＨＩＴＥＣＴ（登録商標）及び任意の後継のプラットフォームの場合、約４分間）を有しうる。
【０４５２】
Ａｂｂｏｔｔ  Ｌａｂｏｒａｔｏｒｉｅｓから市販されている、他のプラットフォームは、ＡｘＳＹＭ（登録商標）、ＩＭｘ（登録商標）（例えば、参照によりその全体において本明細書に組み込まれた、米国特許第５，２９４，４０４号を参照されたい）、ＰＲＩＳＭ（登録商標）、ＥＩＡ（ビーズ）及びＱｕａｎｔｕｍ（商標）ＩＩ並びに他のプラットフォームを含むがこれらに限定されない。加えて、アッセイ、キット及びキットの構成要素は、例えば、電気化学アッセイシステム又は他の携帯型アッセイシステム若しくはポイントオブケアアッセイシステム上の、他のフォーマットにおいて利用されうる。前述の通り、本開示は、例えば、サンドイッチイムノアッセイを実施する、市販の、Ａｂｂｏｔｔ  Ｐｏｉｎｔ  ｏｆ  Ｃａｒｅ（ｉ−ＳＴＡＴ（登録商標）、Ａｂｂｏｔｔ  Ｌａｂｏｒａｔｏｒｉｅｓ）電気化学イムノアッセイシステムに適用可能である。イムノセンサー並びにこれらの製造法及び単回使用のための検査デバイスにおける動作については、例えば、参照によりこれに関するそれらの教示について本明細書に組み込まれた、米国特許第５，０６３，０８１号、米国特許出願公開第２００３／０１７０８８１号、同第２００４／００１８５７７号、同第２００５／００５４０７８号及び同第２００６／０１６０１６４号において記載されている。
【０４５３】
特に、アッセイの、ｉ−ＳＴＡＴ（登録商標）システムへの適合に関して、以下の構成が好ましい。微細加工シリコンチップが、金製の電流測定用作業電極及び銀塩化銀基準電極の対と共に作製される。作業電極のうちの１つにおいて、捕捉抗体を固定化されたポリスチレンビーズ（直径を０．２ｍｍとする）が、電極上の、パターン化されたポリビニルアルコールのポリマーコーティングへと接着させられる。このチップが、イムノアッセイに適する流体フォーマットと共に、ｉ−ＳＴＡＴ（登録商標）カートリッジへとアセンブルされる。シリコンチップの部分に、それらのうちのいずれも、検出可能に標識されうる、１つ以上のｃＴｎＩ抗体（ｃＴｎＩに結合しうる、１つ以上のモノクローナル／ポリクローナル抗体又はこれらの断片、これらの変異体又はこれらの変異体の断片）又は１つ以上の抗ｃＴｎＩＤＶＤ−Ｉｇ（又はｃＴｎＩに結合しうる、この断片、この変異体又はこの変異体の断片）のような、ｃＴｎＩに対する特異的結合パートナーが存在する。カートリッジの流体パウチ内に、ｐ−アミノフェノールホスフェートを含む水性試薬が存在する。
【０４５４】
作動時に、ＴＢＩを患うことが推測される対象に由来する試料が、検査カートリッジの保持チャンバーへと添加され、カートリッジが、ｉ−ＳＴＡＴ（登録商標）リーダーへと挿入される。カートリッジ内のポンプエレメントが、試料を、チップを含有する導管へと押し出す。試料は、センサーと接触され、酵素コンジュゲートを、試料へと溶存させる。試料は、センサーにわたり振動させられて、約２〜１２分間にわたる、サンドイッチの形成を促進する。アッセイの最後から二番目のステップにおいて、試料は、廃液チャンバーへと押し出され、アルカリホスファターゼ酵素に対する基質を含有する洗浄液が、過剰量の酵素コンジュゲート及び試料を、センサーチップから洗い落とすのに使用される。アッセイの最後のステップにおいて、アルカリホスファターゼ標識は、ｐ−アミノフェノールホスフェートと反応して、リン酸基を切断し、作業電極において、遊離ｐ−アミノフェノールを、電気化学的に酸化させる。測定された電流に基づき、リーダーは、組み込まれたアルゴリズム及び工場において決定された較正曲線により、ｃＴｎＩの、試料中量を計算することが可能となる。
【０４５５】
本明細書において記載された方法及びキットは、必然的に、イムノアッセイを実行するための、他の試薬及び方法を包含する。例えば、当技術分野において公知であり、かつ／又は、コンジュゲート希釈剤及び／若しくは較正物質希釈剤として、例えば、洗浄用に、たやすく調製若しくは最適化され利用されうる、多様な緩衝液が包含される。例示的なコンジュゲート希釈剤は、ある特定のキット（Ａｂｂｏｔｔ  Ｌａｂｏｒａｔｏｒｉｅｓ、Ａｂｂｏｔｔ  Ｐａｒｋ、ＩＬ）において利用され、２−（Ｎ−モルホリノ）エタンスルホン酸（ＭＥＳ）、塩、タンパク質ブロッキング剤、抗微生物剤及び界面活性剤を含有する、ＡＲＣＨＩＴＥＣＴ（登録商標）コンジュゲート希釈剤である。例示的な較正物質希釈剤は、ＭＥＳ、他の塩、タンパク質ブロッキング剤及び抗微生物剤を含有する緩衝液を含む、ある特定のキット（Ａｂｂｏｔｔ  Ｌａｂｏｒａｔｏｒｉｅｓ、Ａｂｂｏｔｔ  Ｐａｒｋ、ＩＬ）において利用された、ＡＲＣＨＩＴＥＣＴ（登録商標）ヒト較正物質希釈剤である。加えて、２００８年１２月３１日に出願された、米国特許出願第６１／１４２，０４８号において記載されている通り、シグナル発生の改善は、例えば、シグナル増幅剤としてのシグナル抗体へと連結された核酸配列を使用する、ｉ−ＳＴＡＴ（登録商標）カートリッジフォーマットにおいて得られうる。
【０４５６】
本明細書の、ある特定の実施形態は、外傷性脳損傷のような疾患を評価するのに利用されると有利であるが、アッセイ及びキットはまた、適宜、任意選択的に、他の疾患、障害及び状態におけるｃＴｎＩを評価するのにも利用されうる。
【０４５７】
アッセイ法はまた、外傷性脳損傷のような疾患を改善する化合物を同定するのにも使用されうる。例えば、ｃＴｎＩを発現する細胞は、候補化合物と接触されうる。本明細書において記載されたアッセイ法を使用して、化合物と接触された細胞内の、ｃＴｎＩの発現レベルは、対照細胞内の発現レベルと比較されうる。
【実施例】
【０４５８】
本開示は、以下の非限定例により例示された、複数の態様を有する。
【０４５９】
１７．実施例
当業者に、本明細書において記載された、本開示の方法の、他の適切な改変及び適合は、容易に適用可能かつ認識可能であり、本開示の範囲又は本明細書において開示された態様及び実施形態から逸脱しない限りにおいて、適切な同等物を使用してなされうることが容易に明らかとなる。さて、本開示について詳細に記載してきたが、これは、本開示の実施形態の、一部の態様を例示することだけを意図するものであり、本開示の範囲に対して限定的であると考えられるべきではない、以下の例を参照することにより、より明確に理解される。本明細書において言及された、全ての雑誌の参考文献、米国特許及び刊行物の開示は、参照によりそれらの全体において本明細書に組み込まれている。
【０４６０】
本開示は、以下の非限定例により例示された、複数の態様を有する。
【０４６１】
［実施例１］
研究１：ＴＢＩ集団
研究１は、大規模かつ複雑なプロジェクトである。その機関間連携及び官民連携は、１１の臨床施設、７つのコア、のべ約５０の共同研究機関、共同研究企業及び支援団体から構成される。３つの臨床施設からの臨床データに基づく初期のパイロット研究は、ＴＢＩ  Ｃｏｍｍｏｎ  Ｄａｔａ  Ｅｌｅｍｅｎｔｓを精緻化する一助となり、研究１のための、ＴＢＩ  Ｉｎｆｏｍａｔｉｏｎ  Ｃｏｍｍｏｎｓの原型を創出した。
【０４６２】
対象群：合計２，７００〜３０００例のＴＢＩ患者を、３つの臨床群：１．救急科において査定され、退院した患者（ＥＤ）；２．入院したが、ＩＣＵ入院ではない患者（ＡＤＭ）及び３．ＩＣＵへの入院患者（ＩＣＵ）間に、均等に登録し、クリニカルケアパスにより細分化した。頭蓋外外傷を伴うが、ＴＢＩを伴わない、臨床群１つ当たりのさらなる患者１００例（ｎ＝３００）を、対照として登録して、患者の全登録数３０００例とした。この層別化計画は、比較有効性研究（ＣＥＲ）解析を容易とし、従来の「軽度ＴＢＩ／中等度ＴＢＩ／重度ＴＢＩ」への細分化による制約を受けなかった。データ収集は、クリニカルケアパス（ＥＤ、ＡＤＭ、ＩＣＵ）及び各目的の要件に依存した。各群内の患者を、収集されるデータの範囲を規定する、３つのコホートへと層別化した。
【０４６３】
対照は、以下の基準を満たした、成人の整形外科外傷患者であった：１．これらの四肢末端及び／又は骨盤損傷及び／又は肋骨骨折について、略式損傷スコアが≦４であること（非致死性のスコア）；２．推測される頭部損傷について、ＥＤにおいて、ＣＴ又はＭＲＩを受けたという基準が該当しなかったことを除き、ＴＢＩ対象と同じ組入れ基準及び除外基準を満たしたこと。意識喪失（ＬＯＣ）、意識障害及び外傷後貧血（ＰＴＡ）／ＲＡについての潜在的なコントロールについてインタビューすることにより、ＴＢＩを、進行中の損傷として除外した；３．各施設が、ＴＢＩコホートに由来する年齢及び性別の分布に従い、標的に対する対照の数についての計画を提供されたこと；及び４．ＭＲＩ来院を完了させることができなかった場合、対照は、追跡のためのＣＡ−ＭＲＩコホートへと登録され、２週間後における総合評価（ＣＡ）へと送られたこと。
【０４６４】
対象の適格性：Ａｍｅｒｉｃａｎ  Ｃｏｎｇｒｅｓｓ  ｏｆ  Ｒｅｈａｂｉｌｉｔａｔｉｏｎ  Ｍｅｄｉｃｉｎｅ（ＡＣＲＭ）Ｃｒｉｔｅｒｉａに従う急性ＴＢＩの履歴を伴って救急科（ＥＤ）を訪れる全ての年齢の成人患者であって、以下：任意の期間にわたる意識喪失（ＬＯＣ）；事故の直前又は直後における、任意の記憶喪失事象（例えば、健忘症）；事故時における、精神状態の任意の異変（放心、方向喪失及び／又は意識混濁の感覚）；及び／又は永続性の場合もあり、永続性でない場合もある、局所神経障害のうちの≧１つにより顕示された外傷誘導性の脳機能の生理学的破壊を負った成人患者を登録した。外傷誘導性は、頭部が殴打されること、頭部を物体にぶつけること又は外部からの、頭部への、直接的外傷を伴わずに、脳が加速／減速運動を受けること（例えば、むち打ち状態）を含んだ。
【０４６５】
使用された組入れ／除外基準を、表２に示す。
【０４６６】
【表２】
2020522686.tif 000005
2020522686.tif 000006
【０４６７】
３つの臨床群（すなわち、ＥＤ、ＡＤＭ及びＩＣＵ）の各々について、対象を、３つの異なる評価コホート：略式評価（ＢＡ）コホート、圧縮評価（ＣＡ）コホート又は総合評価＋ＭＲＩ（ＣＡ＋ＭＲＩ）コホートのうちの１つに入れた。追跡率を８０％とするマイルストーン計画について、表３を参照されたい。
【０４６８】
【表３】
2020522686.tif 000007
【０４６９】
略式評価（ＢＡ）コホートは、ＥＤ群、ＡＤＭ群及びＩＣＵ群について、４００例ずつの対象を伴う、合計１２００例の対象を含んだ。ＢＡコホートについて、以下のデータ：人口学的データ及び全臨床経過データ；１日目（損傷から＜２４時間）における、血清、血漿、ＤＮＡ及びＲＮＡのための採血；１日目におけるベースラインの回収から３〜６時間以内における、血清のための採血の反復（この構成要素を含むことは、施設に応じて、任意選択的である）；入院経過の一部として、１日目から取得された臨床脳ＣＴスキャン；並びにＮＩＮＤＳ  ＣＤＥウェブサイト上に公開されている、ＮＩＨ  ＴＢＩ−ＣＤＥ  ｖ．２．０のＣｏｒｅ転帰尺度を使用して、組織化された電話インタビューを介して、２週間後、３、６及び１２カ月後において収集された転帰データを収集した。
【０４７０】
圧縮評価（ＣＡ）コホートは、ＥＤ群、ＡＤＭ群及びＩＣＵ群について、３００例ずつの対象＋１００例ずつの対照を伴う、合計１２００例の対象を含んだ。ＣＡコホートについて、以下のデータ：人口学的データ及び全臨床経過データ；ＡＤＭ群及びＩＣＵ群についての、高密度の、毎日の臨床データ；１日目（損傷から＜２４時間）における、血清、血漿、ＲＮＡ及びＤＮＡのための採血；１日目におけるベースラインの回収から３〜６時間以内における、血清のための採血の反復（この構成要素を含むことは、施設に応じて、任意選択的である）；ＡＤＭ及びＩＣＵについての、３日目（４８〜７２時間後）及び５日目（９６〜１２０時間後）の、血清、血漿及びＲＮＡのための採血；１〜５日目における脳脊髄液の回収（この構成要素を含むことは、施設に応じて、任意選択的である）；入院経過の一部として取得された、全ての臨床脳ＣＴスキャン；２週間後及び６カ月間後における、血清、血漿及びＲＮＡのための採血；並びにＮＩＨ  ＴＢＩ−ＣＤＥ  ｖ．２．０のＣｏｒｅ転帰尺度、Ｂａｓｉｃ転帰尺度及びＳｕｐｐｌｅｍｅｎｔａｌ転帰尺度を使用して、組織化された対面インタビューを介して、２週間後、６及び１２カ月後において収集され、組織化された電話インタビューを介して、３カ月後において収集された転帰データを収集した。
【０４７１】
総合評価＋ＭＲＩ（ＣＡ＋ＭＲＩ）コホートは、ＥＤ群、ＡＤＭ群及びＩＣＵ群について、２００例ずつを伴う、合計６００例の対象を含んだ。ＣＡ＋ＭＲＩコホートについて、以下のデータ：人口学的データ及び全臨床経過データ；ＡＤＭ群及びＩＣＵ群についての、高密度の、毎日の臨床データ；１日目（損傷から＜２４時間）における、血清、血漿、ＲＮＡ及びＤＮＡのための採血；１日目におけるベースラインの回収から３〜６時間以内における、血清のための採血の反復（この構成要素を含むことは、施設に応じて、任意選択的である）；ＡＤＭ及びＩＣＵについての、３日目（４８〜７２時間後）及び５日目（９６〜１２０時間後）における、血清、血漿及びＲＮＡのための採血；１〜５日目における脳脊髄液の回収（この構成要素を含むことは、施設に応じて、任意選択的である）；入院経過の一部として取得された、全ての臨床頭部ＣＴスキャン；２週間後及び６カ月間後における、血清、血漿及びＲＮＡのための採血；２週間後及び６カ月間後において取得された、３Ｔ精査のためのＭＲＩ；並びにＮＩＨ  ＴＢＩ−ＣＤＥ  ｖ．２．０のＣｏｒｅ転帰尺度、Ｂａｓｉｃ転帰尺度及びＳｕｐｐｌｅｍｅｎｔａｌ転帰尺度を使用して、組織化された対面インタビューを介して、２週間後、６及び１２カ月後において収集され、組織化された電話インタビューを介して、３カ月後において収集された転帰データを収集した。
【０４７２】
登録した後、院内において、データ収集が始まった。ＣＡ＋ＭＲＩ患者について、２週間後のＭＲＩは、損傷日から１４日±４日後に完了させた。対応する、２週間後の転帰は、２週間後のＭＲＩから±３日後に完了させた。ＣＡ患者及びＢＡ患者について、２週間後の転帰は、損傷日から１４日後の±４日後に完了させた。３カ月後の転帰は、損傷日から９０日後の±７日後に完了させた。ＣＡ＋ＭＲＩ患者について、６カ月後のＭＲＩは、損傷日から１８０日後の±１４日後に完了し、対応する６カ月後の転帰は、６カ月後のＭＲＩから±１４日後に完了させた。ＣＡ患者及びＢＡ患者について、６カ月後の転帰は、損傷日から１８０日後の±１４日後に完了させた。ＢＴＡＣＴ（Ｂｒｉｅｆ  Ｔｅｓｔ  ｏｆ  Ａｄｕｌｔ  Ｃｏｇｎｉｔｉｏｎ  ｂｙ  Ｔｅｌｅｐｈｏｎｅ）は、転帰から±７日後（しかし、同じ日ではなく、損傷から２０１日後以下である）に完了させるものとする。１２カ月後の転帰は、損傷日から３６０日後の±３０日後に完了させた。
【０４７３】
ｈｓＴｎＩを、Ａｂｂｏｔｔ  Ａｒｃｈｉｔｅｃｔ  ＳＴＡＴ  ｈｓＴｎＩアッセイを使用する研究１からの、患者５９例の小さな標本サイズにおいて測定した（表４）。
【０４７４】
【表４】
2020522686.tif 000008
【０４７５】
脳損傷から２４時間以内における採血に加えて、各患者に、頭部ＣＴ、神経精神医学的検査、ＧＣＳ（Ｇｌａｓｇｏｗ  Ｃｏｍａ  Ｓｃａｌｅ）スコアを含む、広範な医学的査定を施し、また、多くの患者に、損傷の２週間以内に、追跡ＭＲＩも施した。細心の標準化採血プロトコール及び処理に続き、血漿試料を、−８０℃における保存のためにアリコート分割し、その後、融解させ、調べた。各試料を、二連の試行にかけ、列挙された結果は、２回の試行の平均とした。ＥＴＯＨ消費は、ＴＢＩ、特に、重度ＴＢＩと関連することが多いので、表４は、エタノール（ＥＴＯＨ）レベルが、バイオマーカーレベルと相関しなかったことを示す（ピアソン相関＝０．０２３、ｐ値＝０．８９）。
【０４７６】
表５は、研究１からの、患者１９１例の小さな標本サイズにおけるデータの解析、とりわけ、時点２と時点１との間の、ｈｓＴｎＩレベルの変化についての解析を示す。時点１の試料は、損傷から２４時間以内に採取し、時点２の試料は、時点１の試料を採取した、約３〜６時間後に採取した。ｈｓＴｎＩは、時点１〜時点２において、有意な変化を示すと考えられる（ｎ＝８９、デルタ中央値（すなわち、時点１〜時点２の変化）＝０．０９１５３７ｐｇ／ｍＬ、ウィルコクソンの符合順位検定によるｐ値＜０．６０８５）。また、図１も参照されたい。図１は、時点１及び時点２における、研究の全ての患者において決定されたｈｓＴｎＩレベルを指し示す箱髭図を示す。これらのデータは、単に、時点を比較する解析であり、ＣＴ、ＭＲＩ又はＧＣＳ＋／−に基づかない。
【０４７７】
【表５】
2020522686.tif 000009
【０４７８】
研究１からの１９１例の試料によるデータを、時点１の試料を、いつ採取したのか、例えば、損傷の０〜約６時間後（「０〜６時間群」）、損傷の約６〜約１２時間後（「６〜１２時間群」）に基づき、さらに解析したところ、これらは、頭部ＣＴスキャン結果及び／又はＧＣＳスコアと相関した。ｈｓＴｎＩの、時点１の試料中レベル及び時点２の試料中レベルを、陽性若しくは陰性の頭部ＣＴスキャン結果及び／又はＧＣＳスコアと比較したところ、軽度又は中等度／重度のＴＢＩが指し示された。この解析は、時点１の試料を採取した時間に基づいたので、群１つ当たりの対象の数は、小さかった。表６を参照されたい。
【０４７９】
【表６】
2020522686.tif 000010
【０４８０】
ＣＴスキャン：図２は、頭部ＣＴスキャンが陽性又は陰性であった、０〜６時間群に由来する対象におけるｈｓＴｎＩ結果を示す。図２は、頭部ＣＴスキャンが陽性又は陰性であった対象の、時点１及び時点２におけるｈｓＴｎＩレベルの分布を示す。ＣＴが陽性の対象におけるｈｓＴｎＩレベルは、０〜６時間群について、時点１及び時点２の両方において、ＣＴが陰性の対象におけるｈｓＴｎＩレベルより高かった。ＣＴスキャンが陽性である、０〜６時間群に由来する対象におけるｈｓＴｎＩレベルは、時点１〜時点２において、顕著に上昇した。
【０４８１】
図３は、０〜６時間群に由来する対象におけるｈｓＴｎＩレベルの絶対量（「絶対デルタ」）を示す。頭部ＣＴスキャンが陽性である対象は、時点１〜時点２におけるｈｓＴｎＩレベルの変化が、頭部ＣＴスキャンが陰性である対象と比較して大きかった。
【０４８２】
ＧＣＳスコア：図４は、それらのＧＣＳスコアに基づき、軽度又は中等度〜重度の（「中等度／重度」）ＴＢＩを有すると同定された、０〜６時間群に由来する対象におけるｈｓＴｎＩ結果を示す。図４は、軽度又は中等度／重度のＴＢＩを有すると決定された対象の、時点１及び時点２におけるｈｓＴｎＩレベルの分布を示す。中等度／重度の対象におけるｈｓＴｎＩレベルは、０〜６時間群について、時点１及び時点２の両方において、軽度の対象より有意に高かった。０〜６時間群におけるｈｓＴｎＩレベルは、時点１〜時点２において、顕著に上昇した。
【０４８３】
図５は、０〜６時間群の、ｈｓＴｎＩレベルの絶対量（又は時点１〜時点２の間の変化；「絶対デルタ」）を示す。ＧＣＳスコアに基づき、中等度／重度のＴＢＩを有することが決定された対象は、時点１〜時点２におけるｈｓＴｎＩレベルの変化が、ＧＣＳスコアに基づき、軽度ＴＢＩを有することが決定された対象と比較して大きかった。
【０４８４】
［実施例２］
研究２：外傷性脳損傷についての、マルチモダリティー分類スキームの開発
本研究の目標は、損傷の性質（種類）及び重症度を指し示す、脳損傷についての分類スキームを開発することであった。例えば、血清バイオマーカーは、細胞型を明らかにした。外傷患者を、解析のための３つの群：脳損傷だけの群、脳以外の損傷だけの群及び損傷の組合せ群へと分けた。脳損傷による外傷群及び脳以外の損傷による外傷群を、互い及び脳外傷／脳以外の外傷の組合せ群と比較した。これらの外傷群を、非外傷対照と比較した。外傷患者に由来するＣＳＦを、非外傷患者に由来するＣＳＦと比較した。副次的目標は、単独の尺度又は組合せによる尺度のうちのいずれかが、ＴＢＩの後における臨床転帰の予測因子としての有用性を有するのかどうかを決定することであった。
【０４８５】
外傷性脳損傷についての、客観的なマルチモダリティー分類スキーム及び転帰尺度を、いくつかの手段：１）血液ベースのバイオマーカー；２）生理学的測定及び査定並びに３）放射線手段（ＣＴ及び３Ｔ  ＭＲＩ）に基づき開発した。血液ベースのバイオマーカーは、どの細胞型がダメージを受けたか（例えば、ニューロンと対比したグリア）を指し示すことが可能であり、放射線は、構造変化を検出しうる。
【０４８６】
研究施設：外傷患者を、ミネソタ州のＨｅｎｎｅｐｉｎ  Ｃｏｕｎｔｙ  Ｍｅｄｉｃａｌ  Ｃｅｎｔｅｒ（ＨＣＭＣ）において募集した。参加者は、ＨＣＭＣの救急科（ＥＤ）若しくはトラウマベイに搬送されるか、又は神経外科へと直接移送される患者である、全ての年齢の外傷患者を含んだ。主要な精神障害又は神経障害を有する、発達異常であるか又は囚人である場合、外傷患者を除外した。対象は、全ての外傷入院についての診療記録及び院内において用いられた、Ａｍｅｒｉｃａｎ  Ｃｏｌｌｅｇｅ  ｏｆ  Ｓｕｒｇｅｏｎｓの外傷登録との照合により同定した。
【０４８７】
全ての外傷患者は、搬送時に、スクリーニングのために募集され、１）標準化された（テンプレート化された）既往歴及び身体診察；２）他の適応のために採血する場合の、血清バイオマーカーについての解析；３）臨床的に適応の場合の放射線研究；４）１）〜３）により、臨床的に適応の場合の追跡；５）手術室へと運ばれる患者だけにおける、病理学的検体解析；６）脳室造瘻カテーテルを施される患者だけにおける、ＣＳＦ解析；７）Ｌｉｃｏｘ検査を受ける患者だけにおける、脳組織酸素化解析並びに８）臨床的に適応の場合の、ＴＢＩセンターにおける転帰評価を受けた。入院時に、潜在的な参加者は、説明同意文書を提出する前に、２４時間にわたるスクリーニング過程（表７）を受けた。
【０４８８】
【表７】
2020522686.tif 000011
【０４８９】
加えて、同意した患者及び対照（年齢及び性別をマッチさせた）は、上記の研究に加え、以下：１）ゲノム、血清及びＣＳＦについての研究；並びに２）選ばれた状況（被験群における血清マーカー；対照群における正常マーカー）下における３Ｔ  ＭＲＩのさらなる研究を行った。外傷患者は、脳以外の損傷患者、ＣＴ陰性患者〜手術を要求する構造的脳損傷患者の範囲の全スペクトルを含んだ。患者及び対照を、約１５カ月間にわたり募集した。生存する外傷対象は、ＨＣＭＣによる医療を終えるまで追跡した。ＥＲにおいて査定され、退院した対象は、調査研究のための追跡に招聘した。
【０４９０】
スクリーニング過程は、標準化され、テンプレート化された、既往歴及び身体診察を含んだ。テンプレートは、患者が、頭部外傷を患っているのかどうかについて尋ねる、さらなる質問を伴う、ＥＰＩＣにおいて現行の、「Ｓｕｒｇｅｒｙ−Ｔｒａｕｍａ  Ｈｉｓｔｏｒｙ  ａｎｄ  Ｐｈｙｓｉｃａｌ」テンプレートであった。患者が、頭部外傷を患っていた場合、さらなる情報のために、３つのセクションが、自動的にドロップダウンした。第１のセクションは、Ｎｅｕｒｏｓｕｒｇｅｒｙ  ｔｒａｕｍａ  ｈｉｓｔｏｒｙ  ａｎｄ  ｐｈｙｓｉｃａｌテンプレートからの情報であって、くも膜下グレード、出血グレード、脳内出血及び社会的履歴（教育の水準、雇用、生活環境及び民族）を含む情報であった。後の２つのセクションは、標準化された脳損傷評価ツール：Ｓｔａｎｄａｒｄｉｚｅｄ  Ａｓｓｅｓｓｍｅｎｔ  ｏｆ  Ｃｏｎｃｕｓｓｉｏｎ（ＳＡＣ）及びＳｙｍｐｔｏｍ  Ｓｅｖｅｒｉｔｙ  Ｓｃｏｒｅ（ＳＳＳ）であった。これらの評価の小児科版も利用可能であり、適応の場合、使用した。加えて、「Ｓｕｒｇｅｒｙ  Ｔｒａｕｍａ  Ｈｉｓｔｏｒｙ  ａｎｄ  Ｐｈｙｓｉｃａｌ」テンプレートに既に含まれていた、意識喪失についての質問は、意識喪失事象及び患者の現在の見当識について、より明確な理解をもたらす質問のサブセットと共に、このドロップダウンセクションへとコピーされた。入院から最初の２４時間においてなされた、臨床的に最も正確な評価を、将来のデータ解析のために使用した。
【０４９１】
非ＴＢＩ対象もまた、以下の基準：登録時に、１５〜５０歳の間であること；性別、年齢、利き手、教育水準及びスキャナー基準の点において、ＴＢＩ集団と同様の特徴を有すること；並びに対象に、説明同意文書を提出させる、又は親若しくは年少者のための保護者により同意し、研究の全ての部分への参加のための研究評価を完了させるのに十分に明瞭な会話及び言語の流暢さが可能であることに基づき組み入れた。非ＴＢＩ対象は、過去６カ月以内に、軽度ＴＢＩを有すると診断されている場合；過去１０年以内に、中等度〜重度のＴＢＩ（ＧＣＳ＜１３）の既往を有する場合；過去１０年間に、再発性の発作を伴うてんかんを有する場合；過去１０年間に、ＤＡＳＴ−１０スクリーニングに基づく、薬物の乱用（マリファナを除く）がある場合；ＡＵＤＩＴ−Ｃスクリーニングに基づく、アルコールの乱用がある場合；些少であると分類され、研究の実行又は完全性に影響を及ぼさないと予測される障害を除く、進行中の、主軸Ｉ又はＩＩの精神障害を有する場合；脳腫瘤、神経外科、脳卒中、白質疾患及び／又は認知症の履歴を有すること；既知の認知機能不全又は構造的脳疾患／脳奇形を有する場合；既往のニューロイメージング所見において、構造的脳損傷を有する場合；抗精神病薬／抗てんかん薬を処方されたことがある場合；研究手順を、正確に完了させることが可能でない場合（緊急の医療上の必要に起因するような）若しくはこの意思がない場合又は治験責任医師の意見により、研究結果に影響を及ぼしうる、任意の利益相反を有する場合又はＭＲＩ走査に対する禁忌であって、ａ．施設の慣行に従う、進行中の妊娠又は推測される妊娠；ｂ．治験責任医師に従う、研究参加時において対象への危険を構成しうる、他の状態及びｃ．施設のＭＲ安全性方針のいずれか一部に準拠できないことを含む禁忌を有する場合に除外した。
【０４９２】
検体の回収及び操作：各検体の回収において、最大４０ｍＬ（茶さじ約３杯）の血液を得た。試験管２本の血清及び同２本の血漿を、来院１、２、４及び５回目に採取した。来院３回目に、試験管２本の血清、試験管１本の血漿及び試験管１又は２本の全血を採取した。これらの研究検体を、処理し、アリコート分割し、凍結させ、バイオマーカー検査及び保存のために、Ａｂｂｏｔｔ  Ｌａｂｏｒａｔｏｒｉｅｓへと送付した。試料アリコートを、さらなるＴＢＩバイオマーカー検査のために、検査施設へと送付した。検体は、必要な測定を実施するのに十分な容量を含有しない場合；著しく溶血している、脂質異常性若しくは黄疸性である場合；適正な種類の回収試験管に回収されていない場合；適正にラベル付けされていない場合、又は回収施設若しくはＡｂｂｏｔｔ  Ｌａｂｏｒａｔｏｒｉｅｓにより適正に保存されていない場合、研究に無価値であると考えた。
【０４９３】
血清検体は、採血を介して得た。臨床目的のために、入院時に、採血を得た場合、調査研究目的のために、さらなる検体を得、保持した。臨床目的のために、血液を採取しなかった場合、熟練の調査研究従事者が、調査研究に要求される血液を採取した。標準治療により、中心静脈アクセスが要求されない場合、血液は、静脈穿刺により採取したが、中心静脈アクセスの場合、血液は、このアクセスを介して採取した。１回目の採血は、入院時に行い、２回目の採血は、１回目の３〜６時間後に行い、３回目の採血は、外傷の２４時間後において行った。ＴＢＩに対する感受性についての遺伝子マーカー又はＴＢＩの予測マーカーを見出す、発見の取組みもまた、進行中であった。各時点において、４０ｍＬ（茶さじ３杯未満）：２０ｍＬの血清（試験管２本）及び２０ｍＬの血漿（試験管２本）ずつの血液を回収した。来院１回目に、試験管２本の血清及び試験管１本の血漿だけを、血液バイオマーカー解析のために回収した。この全血回収は、全血試験管内の６．０ｍＬであった。患者を、来院１回目ではなく、来院２回目において登録した場合、血液バイオマーカー解析のために、試験管２本の血清及び試験管１本の血漿を回収した。この全血回収は、全血試験管内の６．０ｍＬであった。
【０４９４】
採取される血液の量は、ＮＩＮＯＳ標準化表（表８）に従い制限した。採血の試行回数は、７歳未満の小児の場合、２回の試行に制限した。ＮＩＮＯＳ標準化表が、研究に十分な血液の採取を可能としない場合、又は小児患者における採血への試行が２回にわたり失敗した場合、本研究におけるバイオマーカー解析を完了させるために、臨床標準治療下において採取された、残りの血液試料へのアクセスを求めた。この採血は、外傷性脳損傷と関連する、最大３９０の、血液ベースのバイオマーカーについての解析を可能とした。
【０４９５】
【表８】
2020522686.tif 000012
【０４９６】
初期身体診察に加えて、手術室へと送られた患者は、病理学的検体解析を経、Ｌｉｃｏｘ検査を受けた患者は、脳組織酸素化情報を記録され、脳室造瘻カテーテルを施された患者は、解析のために、ＣＳＦを回収された。ＣＳＦを解析するために、５．０ｍＬを、血液を採取した間隔と同じ間隔において回収した。標準治療に従い、放射線研究を実施した。説明同意文書が得られるまでは、スクリーニング過程時に実施された評価のいずれも、残りのデータと共に解析することはなかった。患者が、最終的に、調査研究に同意しなかった場合、検体及び初期評価は廃棄した。
【０４９７】
参加者が退院した後、臨床経過についての情報であって、ＥＤにおいて過ごした時間、使用された任意の手術又は他のニューロモニタリング法及び急性ケア転帰の査定を含む情報のために、患者の医療記録にアクセスした。患者が、ＩＣＵにおいて時間を過ごした場合、この時間からも、モバーグモニターによるデータ及び毎日の治療集中レベルを含む情報を抽出した。
【０４９８】
外傷患者を、解析のための３つの群：脳損傷だけ、脳以外の損傷だけ及び損傷の組合せへと分けた。年齢及び性別をマッチさせた、２つの対照群：非外傷対照及びＣＳＦ対照を、この研究に組み入れ、ＥＤから募集した。非外傷対照は、外傷を経ていない患者であり、この群は、大部分、脳損傷のために入院した患者の家族及び友人から構成されていた。いずれの対照群も、採血及び認知、神経並びに生活の質の評価（ＳＡＣ、ＮＯＳ−ＴＢＩ、ＱｏＬＡＢＩ）を含む、単回の集中評価を受けることに同意した。選択的な、脳室造瘻カテーテル又は腰部ドレナージカテーテルを施される患者は、ＣＳＦ対照群の一部となることに、（手術前に）同意した。５ｍＬのＣＳＦを、この対照群内の患者の脳室造瘻カテーテルから、それらの標準治療の一部として、脳室造瘻カテーテルを施された研究群の部分から回収されたＣＳＦとの比較のために回収した。ＣＳＦ対照群はまた、他の２つの対照群と同じ集中評価であって、採血及び３Ｔ  ＭＲＩスキャンを含む集中評価に参加する機会も与えられた。
【０４９９】
追跡：研究の追跡部分に参加することに同意した全ての患者は、帰院するように請われた。帰院した患者は、２週間後、４週間後、数カ月後、６カ月後及び１年後において、ＴＢＩ  Ｏｕｔｐａｔｉｅｎｔ  Ｃｌｉｎｉｃに来院した。患者が、ＴＢＩ  Ｏｕｔｐａｔｉｅｎｔ  Ｃｌｉｎｉｃにおいて、日時の予約をしなかった場合、これらの時点において、Ｂｒａｉｎ  Ｉｎｊｕｒｙ  Ｒｅｓｅａｒｃｈ  Ｌａｂ（ＰＬ．６１０）へと来院するように、日時を予約した。表９は、各評価のための時系列を提示する。バイオマーカー解析のための採血は、上記で記載した方法と同じ方法により、５つの追跡時点の各々において行った。表１０及び１１に列挙した転帰評価バッテリーは、３カ月後、６カ月後及び１年後に完了させた。標準治療の一部である放射線スキャンに、参加者の診療記録を介してアクセスしたが、選ばれた同意参加者及び対照もまた、それらの脳損傷の、２週間後及び６カ月後に、３Ｔ  ＭＲＩスキャンを受けた。各ＭＲＩ検査は、約１時間を要し、以下のパルスシーケンス：（１）矢状面短ＴＲローカライザー、（２）横断面Ｆｓｅイメージング、（３）横断面ＦＬＡＩＲイメージング、（４）横断面ＳＷＩイメージング、（５）横断面Ｔ２＊イメージングを含んだ。患者が、追跡のために来院できない場合、損傷の３カ月後及び１年後に、電話を介して連絡して、電話により実施されるようにデザインされた、１５〜２０分間にわたる認知評価である、ＢＴ  ＡＣＴを完了させた。
【０５００】
【表９】
2020522686.tif 000013
【０５０１】
【表１０】
2020522686.tif 000014
【０５０２】
【表１１】
2020522686.tif 000015
【０５０３】
統計学的解析の計画：患者１例ごとに、若しくはインシデントバケットからの時間ごとに、又はこれらの両方について、各バイオマーカーについて採取された最大濃度を検討することにより、バイオマーカーデータを解析した。バイオマーカーの血中濃度と、臨床神経学的データ及び磁気共鳴イメージングデータとの関連を決定する主要目的に取り組むため、複合解析を利用した。主成分分析を使用して、どのバイオマーカーが、同じ分散を説明しうるのか、又はバイオマーカーが、極めて小さな分散に寄与しているのかどうかについて検討した。バイオマーカーを、ロジスティック回帰分析において使用し、一部のバイオマーカーを、主成分分析からの結果及び臨床インプットに基づき除外した。０．０５の有意水準を、ロジスティック回帰分析のために使用した。また、ＲＯＣ解析も使用して、このデータセットについて、ＭＲＩ状態又は神経学検査の転帰を決定するときの、各バイオマーカーの予測能力を検討した。
【０５０４】
［実施例３］
研究２：解析
実施例５において記載される通り、Ａｂｂｏｔｔ  Ａｒｃｈｉｔｅｃｔ  ＳＴＡＴ  ｈｓＴｎＩアッセイを使用して、対象から採取された試料中において、高感度トロポニンＩ（ｈｓＴｎＩ）を測定した。図６及び７は、ＣＴスキャン結果（図６）及びＧＣＳ（Ｇｌａｓｇｏｗ  Ｃｏｍａ  Ｓｃａｌｅ）スコア（図７）に基づき、ｈｓＴｎＩレベルが、損傷後、最初の２４時間（範囲：約２〜２３時間）を通して、損傷と相関したことを示す。
【０５０５】
損傷から２時間以内に対象から採取された試料：推測される損傷から約２時間以内に、ヒト対象から採取された試料中のｈｓＴｎＩレベルを測定した。図８は、ｈｓＴｎＩレベルについてのＲＯＣ解析が、ＣＴ状態（陰性のＣＴスキャン結果と対比した、陽性のＣＴスキャン結果；ＡＵＣ＝０．４３０）と相関したことを示す。表１２は、ｈｓＴｎＩのカットオフレベルを使用して、陽性のＣＴスキャン結果を予測する感度及び特異度を示す。
【０５０６】
【表１２】
2020522686.tif 000016
【０５０７】
図９は、ｈｓＴｎＩについてのＲＯＣ解析が、ＧＣＳスコア結果（中等度／重度のＴＢＩのＧＣＳスコアと対比した、軽度ＴＢＩのＧＣＳスコア；ＡＵＣ＝０．５８８）と相関したことを示す。表１３は、ｈｓＴｎＩのカットオフレベルを使用して、ＧＣＳスコアに基づく、中等度／重度のＴＢＩを予測する感度及び特異度を示す。
【０５０８】
【表１３】
2020522686.tif 000017
全ての対象から採取された試料：図１０は、時点１における、全ての対象についてのｈｓＴｎＩレベルを、ＣＴスキャン結果と相関させるＲＯＣ曲線を示す。ＲＯＣ曲線に基づく、全ての対象についての基準レベルの感度及び特異度を、表１４に示す。
【０５０９】
【表１４】
2020522686.tif 000018
【０５１０】
図１１は、時点１における、全ての対象についてのｈｓＴｎＩレベルを、ＧＣＳスコアと相関させるＲＯＣ曲線を示す。ＲＯＣ曲線に基づく、０〜６時間群についての基準レベルの感度及び特異度を、表１５に示す。
【０５１１】
【表１５】
2020522686.tif 000019
【０５１２】
［実施例４］
研究２：絶対量解析
損傷から２時間以内に対象から採取された試料：ｈｓＴｎＩレベルを、推測される損傷から約２時間以内である、第１の時点において、ヒト対象から採取された試料中及び第１の時点の３〜６時間後である、第２の時点において、ヒト対象から採取された試料中において測定した。図１２は、ＣＴ状態（陰性のＣＴスキャン結果と対比した、陽性のＣＴスキャン結果；ＡＵＣ＝０．５１４）と相関させた、ｈｓＴｎＩ結果の絶対量（「絶対デルタ」）（すなわち、時点２におけるｈｓＴｎＩレベルと、時点１におけるｈｓＴｎＩレベルとの絶対差違）についての、ＲＯＣ解析を示す。表１６は、ｈｓＴｎＩのカットオフレベルを使用して、陽性のＣＴスキャン結果を予測する感度及び特異度であって、カットオフ未満の値が、陽性のＣＴスキャン結果を有することが予測される、感度及び特異度を示す。
【０５１３】
【表１６】
2020522686.tif 000020
【０５１４】
図１３は、ＧＣＳスコア結果（中等度／重度のＴＢＩのＧＣＳスコアと対比した、軽度ＴＢＩのＧＣＳスコア；ＡＵＣ＝０．３８０）と相関させた、ｈｓＴｎＩ結果の絶対量（「絶対デルタ」）（すなわち、時点２におけるｈｓＴｎＩレベルと、時点１におけるｈｓＴｎＩレベルとの絶対差違）についての、ＲＯＣ解析を示す。表１７は、ｈｓＴｎＩのカットオフレベルを使用して、ＧＣＳスコアに基づく、中等度／重度のＴＢＩを予測する感度及び特異度であって、カットオフ未満の値が、ＧＣＳスコアに基づく、中等度／重度のＴＢＩを有することが予測される、感度及び特異度を示す。
【０５１５】
【表１７】
2020522686.tif 000021
【０５１６】
全ての対象から採取された試料：図１４は、時点１における、全ての対象についてのｈｓＴｎＩレベルを、ＣＴスキャン結果と相関させるＲＯＣ曲線を示す。ＲＯＣ曲線に基づく、全ての対象についての、ｈｓＴｎＩレベルの絶対量（又は時点１〜時点２の間の変化）の感度及び特異度を、表１８に示す。
【０５１７】
【表１８】
2020522686.tif 000022
【０５１８】
図１５は、時点１及び時点２における、全ての対象についての、ｈｓＴｎＩレベルの変化の絶対量を、ＧＣＳスコア（中等度／重度のＴＢＩのＧＣＳスコアと対比した、軽度ＴＢＩのＧＣＳスコア）と相関させるＲＯＣ曲線を示す。ＲＯＣ曲線に基づく、全ての対象についての、ｈｓＴｎＩレベルの絶対量（又は時点１〜時点２の間の変化）の感度及び特異度を、表１９に示す。
【０５１９】
【表１９】
2020522686.tif 000023
【０５２０】
［実施例５］
ＴＢＩ集団
近年における高感度トロポニンアッセイ（ｈｓＴｎ）の導入は、心臓損傷の特徴付けを改善するために、新たな、格好の機会をもたらしている。ｈｓＴｎアッセイは、従来のトロポニンアッセイの、１０分の１の低さまでの濃度の心臓トロポニンを、改善された精度により測定する。ｈｓＴｎアッセイは、非心臓状態における心臓損傷の検出の改善を可能とし、これにより、広域のＴＢＩ重症度にわたり、心臓損傷の特徴付けを改善するための前例のない機会をもたらす。本研究の目的は、心臓損傷の発生率を、広域のＴＢＩにわたり、高精度により推定すること；心臓損傷と関連する危険性因子を同定すること；心臓損傷が、ＴＢＩ後の機能的転帰症候性転帰と関連するのかどうかを決定すること；及びＴＢＩにおけるトロポニン値の長期的変化を特徴付けることであった。
【０５２１】
Ａｂｂｏｔｔ  Ａｒｃｈｉｔｅｃｔ  ＳＴＡＴ  ｈｓＴｎＩアッセイを使用して、対象からの試料中において、高感度トロポニンＩ（ｈｓＴｎＩ）を測定した。来院の、０、４、２４時間後及び１カ月後において得られた血液試料について、ｈｓＴｎＩを測定した。
【０５２２】
研究集団：救急科において、ＴＢＩについて査定された患者及び年齢及び性別をマッチさせた、外傷により損傷を受けた非ＴＢＩ対照対象による、６カ月後における前向きコホート研究である。参加者は、２つの大学病院のＥＤから募集した。適格性のＴＢＩ参加者は、１８歳以上であり、１）鈍的な頭部損傷から２４時間以内に、ＥＤへと来院し、２）頭部ＣＴスキャンによる査定についてのＡＣＥＰ基準を満たし、３）調査研究のための採血に同意した。脳腫瘍を伴う対象；重度の認知症を伴う対象；頭蓋内出血又は頭蓋内手術の既往歴を伴う対象；発作誘導性の頭部損傷を伴う対象；妊娠を伴う対象；通話できる電話番号を伴わない対象；英語によるコミュニケーションが不可能な対象又は初期調査研究のための採血が得られる前に輸血された対象を、研究から除外した。年齢及び性別をマッチさせた外傷対照参加者は、１８歳以上であり、外傷性損傷から２４時間以内に、ＥＤへと来院したが、頭部損傷の証拠を有さず、調査研究のための採血に同意した。外傷対照参加者についての除外基準は、ＴＢＩ参加者についての除外基準と同じであった。
【０５２３】
臨床データ：人口学的データ及び臨床データは、ＮＩＮｄＳ（Ｎａｔｉｏｎａｌ  Ｉｎｓｔｉｔｕｔｅ  ｏｆ  Ｎｅｕｒｏｌｏｇｉｃａｌ  Ｄｉｓｏｒｄｅｒｓ  ａｎｄ  Ｓｔｒｏｋｅ）Ｃｏｍｍｏｎ  Ｄａｔａ  Ｅｌｅｍｅｎｔｓにより推奨された、構造化データ収集ツールを使用する、熟練の調査研究実務担当者により得られた。データは、Ｊｏｈｎｓ  Ｈｏｐｋｉｎｓ  Ｓｃｈｏｏｌ  ｏｆ  Ｐｕｂｌｉｃ  Ｈｅａｌｔｈにおいて運営されている、ＲＥＤＣａｐ電子データ捕捉ツールを使用して、収集及び管理された。
【０５２４】
転帰データ：軽度ＴＢＩ（ｍＴＢＩ）は、ｍＴＢＩを、頭部が殴打されること、頭部を物体にぶつけること又は外部からの頭部への直接的外傷を伴わずに、脳が加速／減速運動を受けることの帰結として、外傷誘導性の脳機能の生理学的破壊であって、以下：３０分以下の、任意の時間にわたる意識喪失；２４時間を超えて続かない、事故の直前又は直後の事象についての、任意の記憶喪失（外傷後健忘症）；事故時における、精神状態の、任意の異変（例えば、意識混濁、方向喪失）；局所神経障害；又は来院時における、１３〜１５のＧＣＳ（Ｇｌａｓｇｏｗ  Ｃｏｍａ  Ｓｃａｌｅ）スコアのうちの少なくとも１つを結果としてもたらす破壊として規定する、ＡＣＲＭ（Ａｍｅｒｉｃａｎ  Ｃｏｎｇｒｅｓｓ  ｏｆ  Ｒｅｈａｂｉｌｉｔａｔｉｏｎ  Ｍｅｄｉｃｉｎｅ）に従い規定された。
【０５２５】
頭部ＣＴ画像は、治験審査委員会が認定した神経放射線科医により読図された。これらの病変のサイズ及び位置を含む、外傷性病変の存在／非存在を、ＮＩＮＤＳ  ｃｏｍｍｏｎ  ｄａｔａ  ｅｌｅｍｅｎｔｓ  ｆｏｒ  ｒａｄｉｏｌｏｇｉｃ  ｉｍａｇｉｎｇ  ｏｆ  ＴＢＩ（Ｄｕｈａｉｍｅら、Ａｒｃｈ  Ｐｈｙｓ  Ｍｅｄ  Ｒｅｈａｂｉｌ．（２０１０）、９１：１６６１〜１６６６）に従い分類した。転帰データは、登録の１、３及び６カ月後に、電話インタビュー（ＴＢＩ集団のうちの６１．８％）又は対面評価（集団のうちの３８．２％）を介して収集した。１（死）〜８（良好な回復の上）のスケールに機能的転帰を類別するＧＯＳＥ（Ｅｘｔｅｎｄｅｄ  Ｇｌａｓｇｏｗ  Ｏｕｔｃｏｍｅ  Ｓｃａｌｅ）を使用して、機能的転帰を確認した。１カ月後における機能回復の遅延は、ＧＯＳＥ＜８として規定した。疾病及び関連健康問題の国際統計分類（ＩＣＤ−１０）基準に従い、対象は、リバーミード振盪後質問票（ＲＰＱ）により測定された、以下のＩＣＤ−１０による症状類別：（１）頭痛、めまい、一般的な不快感、過度の疲労感又はノイズに対する不耐性；（２）易刺激性、情緒不安定、抑うつ又は不安；（３）集中力又は記憶の困難についての主観的愁訴；（４）不眠症；（５）アルコール耐性の低下；（６）これらの症状への執着及び永続的な脳損傷に対する恐れのうちの２つにおいて、軽度／中等度／重度の問題を報告した場合、軽度振盪後症候群（ＰＣＳ）を有するとみなされた。同様に、対象は、上記で列挙したＩＣＤ−１０症状類別のうちの、少なくとも３つにおいて、軽度／中等度／重度の問題を報告した場合、少なくとも中等度のＰＣＳを有するとみなされた。中等度／重度の抑うつ症状は、ＰＨＱ９（Ｐａｔｉｅｎｔ  Ｈｅａｌｔｈ  Ｑｕｅｓｔｉｏｎｎａｉｒｅ  ９）における、１０以上のスコアの合計として規定された。
【０５２６】
統計学的解析：ｈｓＴｎＩ値を、ＴＢＩ対象と、外傷対照の対象との間において比較した。加えて、ｈｓＴｎＩ値を、頭部ＣＴスキャンにおいて、外傷性頭蓋内異常（陽性の頭部ＣＴ）を伴うＴＢＩ対象、ＣＴが陰性であるＴＢＩ対象であって、ＴＢＩについてのＡＣＲＭ基準を満たすＴＢＩ対象及びＣＴが陰性であるＴＢＩ対象であって、ＡＣＲＭ基準を満たさないＴＢＩ対象の間において比較した。ｈｓＴｎＩ値の中央値についての群間比較は、クラスカル−ウォリス検定を使用して行った。頭蓋内病変の位置及びサイズが、ｈｓＴｎＩと関連するのかどうかもまた決定した。ｈｓＴｎＩの反復測定値中の相関を説明するための、一般化推定方程式（ＧＥＥ）及びロバストな分散推定を伴う多重線形回帰モデルを使用して、来院の０、４、２４、７２時間、１週間及び１カ月後において測定されたｈｓＴｎＩの長期的変化を検討した。ロジスティック回帰モデルを構築して、来院時において測定されたｈｓＴｎＩが、損傷の１、３及び６カ月後における機能的な身体機能障害（ＧＯＳＥ（Ｅｘｔｅｎｄｅｄ  Ｇｌａｓｇｏｗ  Ｏｕｔｃｏｍｅ  Ｓｃａｌｅ）により測定された）、振盪後症状（リバーミード振盪後症状一覧表により測定された）及び抑うつ（ＰＨＱ９（Ｐａｔｉｅｎｔ  Ｈｅａｌｔｈ  Ｑｕｅｓｔｉｏｎｎａｉｒｅ  ９）により測定された）と関連するかどうかを決定した。
【０５２７】
標本サイズ：各基準についての試料数を、表２０に示す。
【０５２８】
【表２０】
2020522686.tif 000024
【０５２９】
［実施例６］
ｈｓＴｎＩ解析
図１６は、ＴＢＩ患者におけるｈｓＴｎＩレベルについての箱髭図（ｎ＝５００）及び外傷対照患者（ｎ＝９４）（ｐ＝０．０００１）を示す。損傷日における初期ｈｓＴｎＩ値は、ＴＢＩ患者において、対照におけるより高い。
【０５３０】
図１７は、頭部ＣＴスキャンが正常なＴＢＩ患者におけるｈｓＴｎＩレベルについての箱髭図（ｎ＝４０２）と対比した、頭部ＣＴが異常なＴＢＩ患者（ｎ＝９８）（ｐ＝０．００５）を示す。損傷日における初期ｈｓＴｎＩ値は、頭部ＣＴが異常な参加者において、頭部ＣＴが正常な参加者におけるより高かった。
【０５３１】
図１８は、ＧＣＳスコアが＜１３（ｎ＝９）、１３（ｎ＝８）、１４（ｎ＝５４）又は１５（ｎ＝４２９）であるＴＢＩ患者におけるｈｓＴｎＩレベルについての箱髭図（ｐ＝０．４６）を示す。ＧＣＳレベルに従う、損傷日における初期ｈｓＴｎＩ値には、統計学的有意差がみられなかった。
【０５３２】
図１９は、損傷の１カ月後におけるＧＯＳＥスコアが１（ｎ＝６）、３（ｎ＝４）、４（ｎ＝８）、５（ｎ＝４６）、６（ｎ＝６７）、７（ｎ＝１００）又は８（ｎ＝１４９）であるＴＢＩ患者における、ｈｓＴｎＩレベルについての箱髭図（ｐ＝０．００１）を示す。１カ月後において、重度身体機能障害を伴う、又はこれより増悪した、すなわち、ＧＯＳＥが５未満の患者は、損傷日における初期ｈｓＴｎＩが、機能的転帰が良好な患者（すなわち、ＧＯＳＥが５以上の患者）より高値であった。
【０５３３】
図２０は、損傷の３カ月後におけるＧＯＳＥスコアが１（ｎ＝９）、３（ｎ＝２）、４（ｎ＝７）、５（ｎ＝２２）、６（ｎ＝４５）、７（ｎ＝１０９）又は８（ｎ＝１５４）であるＴＢＩ患者における、ｈｓＴｎＩレベルについての箱髭図（ｐ＝０．０２）を示す。損傷日における初期ｈｓＴｎＩ値は、３カ月後において、重度身体機能障害を伴う、又はこれより増悪した、すなわち、ＧＯＳＥが５未満の対象において高値であり、損傷日における初期ｈｓＴｎＩが、機能的転帰が良好な患者（すなわち、ＧＯＳＥが５以上の患者）より高値であった。
【０５３４】
図２１は、損傷の６カ月後におけるＧＯＳＥスコアが１（ｎ＝１０）、２（ｎ＝１）、３（ｎ＝３）、４（ｎ＝５）、５（ｎ＝１７）、６（ｎ＝４１）、７（ｎ＝１０２）又は８（ｎ＝１５８）であるＴＢＩ患者における、ｈｓＴｎＩレベルについての箱髭図（ｐ＝０．１１）を示す。３カ月後において、重度身体機能障害を伴う、又はこれより増悪した、すなわち、ＧＯＳＥが５未満の対象において、機能的転帰が良好な患者（すなわち、ＧＯＳＥが５以上の患者）におけるより、損傷日における初期ｈｓＴｎＩが、高値となる傾向が見られた。この時点における標本サイズが小さいために、概算された差違は、統計学的有意性に到達しなかった。
【０５３５】
図２２は、損傷の０時間後（異常例のｎ＝９８；正常例のｎ＝４０２）、４時間後（異常例のｎ＝８８；正常例のｎ＝２５０）、２４時間後（異常例のｎ＝５１；正常例のｎ＝８３）、又は１カ月後（異常例のｎ＝１４；正常例のｎ＝５９）において、頭部ＣＴスキャンが異常なＴＢＩ患者及び頭部ＣＴスキャンが正常なＴＢＩ患者から採取された試料中のｈｓＴｎＩレベルについての箱髭図を示す。いずれの群（頭部ＣＴスキャンが異常な患者群及び頭部ＣＴスキャンが正常な患者群）においても、トロポニン値は、損傷後、最初の２４時間中に上昇し、損傷の１カ月後に、低値へと戻った。
【０５３６】
図２３は、損傷の１カ月後におけるＧＯＳＥスコアが１（ｎ＝５）、３（ｎ＝４）、４（ｎ＝８）、５（ｎ＝３１）、６（ｎ＝４５）、７（ｎ＝７１）又は８（ｎ＝９９）であるＴＢＩ患者における、４時間後における、ｈｓＴｎＩレベルの絶対変化についての箱髭図（ｐ＝０．００４）を示す。損傷の１カ月後において、重度身体機能障害を伴う、又はこれより増悪した（すなわち、ＧＯＳＥが５未満の）対象は、機能的転帰が良好な患者（すなわち、ＧＯＳＥが５以上の患者）より、４時間後における、ｈｓＴｎＩレベルの絶対変化が大きかった。
【０５３７】
図２４は、年齢：１８〜３０歳、３０〜５０歳、５０〜７０歳及び＞７０歳に基づくＴＢＩ患者におけるｈｓＴｎＩレベルについての箱髭図（ｐ＝０．０００１）を示す。老齢対象のｈｓＴｎＩ値は、若齢対象より高値であった。
【０５３８】
［実施例７］
ＴＢＩ患者における心筋損傷と、転帰不良との関連
本研究の目的は、ＴＢＩと、血清中高感度トロポニンＩ（ｈｓＴｎＩ）レベルとの関連を決定し；ＴＢＩ患者における、ｈｓＴｎＩレベルの上昇についての、独立の危険性因子を同定し；ＴＢＩ後における、ｈｓＴｎＩレベルと、機能的転帰との関連を決定することであった。
【０５３９】
登録された対象についての解析は、実施例５において記載した通りに実施した。１８歳以上であり、ＴＢＩ又は頭蓋外外傷性損傷（外傷対照）について査定された救急科（ＥＤ）患者を、前向きに登録した。参加者は、鈍的な外傷性頭部損傷を有し、それらのＥＤ査定の一部として、頭部ＣＴスキャンを受け、頭部ＣＴスキャンによるＴＢＩの査定についての、Ａｍｅｒｉｃａｎ  Ｃｏｌｌｅｇｅ  ｏｆ  Ｅｍｅｒｇｅｎｃｙ  Ｐｈｙｓｉｃｉａｎｓ（ＡＣＥＰ）の基準を満たした場合、ＴＢＩアームに適格であった。外傷対照アーム内の参加者は、外傷性損傷について査定されたが、自己報告により、頭部損傷を被らなかった場合に、適格とみなされた。参加者は、以下の基準：英語によるコミュニケーションが不可能であったこと、通話できる電話番号を持っていないこと、妊娠していること、又は頭蓋内手術、頭蓋内出血、脳腫瘍若しくは重度の認知症の診療既往歴を有することのうちのいずれかを満たした場合、ＴＢＩ及び外傷対照のいずれからも除外された。他院からの転院患者も、研究の組入れ基準を満たし、損傷から２４時間以内に登録された場合、登録に適格とした。
【０５４０】
予測因子変数：患者人口学（年齢、性別、人種、婚姻状態及び雇用状態）、損傷機構、並びに損傷から２４時間以内における、アルコール使用及び快楽的な薬物使用についてのデータは、Ｎａｔｉｏｎａｌ  Ｉｎｓｔｉｔｕｔｅ  ｏｆ  Ｎｅｕｒｏｌｏｇｉｃａｌ  Ｄｉｓｏｒｄｅｒｓ  ａｎｄ  Ｓｔｒｏｋｅ（ＮＩＮＤＳ）  Ｃｏｍｍｏｎ  Ｄａｔａ  Ｅｌｅｍｅｎｔｓ  ｆｏｒ  ＴＢＩ  ｓｔｕｄｉｅｓ（Ｗｉｌｄｅら、Ａｒｃｈ  Ｐｈｙｓ  Ｍｅｄ  Ｒｅｈａｂｉｌ．（２０１０）、９１（１１）：１６５０〜１６６０）の一部として推奨された、構造化データ収集ツールを使用する、熟練の調査研究実務担当者により、参加者から直接得られた。データは、オンラインの電子データ入力保存ツールである、ＲＥＤＣａｐへと直接入力した。心血管疾患の危険性因子についてのデータであって、高血圧症、高コレステロール、糖尿病、冠動脈血行再建術、うっ血性心不全、損傷日における、推定糸球体濾過量（ＧＦＲ）、救急科来院時における、血圧及び心拍数を含むデータは、参加者の電子診療記録の、構造化されたレビューにより得た。腎機能は、ＧＦＲに基づき、正常、腎機能の中程度の低下及び腎機能の重度の低下（それぞれ、ｍＬ／分／１．７３ｍ２による、≧６０、３０〜５９及び＜３０）として類別した（Ｚｈａｎｇら、Ｊ  Ｓｔｒｏｋｅ  Ｃｅｒｅｂｒｏｖａｓｃ  Ｄｉｓ．（２０１５）、２４（１０）：２３７５〜２３８４）。異なる身体領域についてのＡＩＳ（Ａｂｂｒｅｖｉａｔｅｄ  Ｉｎｊｕｒｙ  Ｓｃａｌｅ）は、特許権のあるＴｒｉ−Ｃｏｄｅソフトウェアを使用する、Ｄｉｇｉｔａｌ  Ｉｎｎｏｖａｔｉｏｎ  Ｉｎｃ．によりコードされた。ＡＩＳは、合意により導出された、損傷重症度のスコアシステムであって、６つの身体領域：（１）（頭部／頸部／頸椎；（２）顔面（前頭骨又は頭蓋骨を除く）；（３）胸部／胸椎；（４）腹部／腰椎／骨盤内容部；（５）四肢末端／腰帯及び（６）６ポイントのスケール（１＝軽度及び６＝思わしくない）における、それらの相対重症度に従う、火傷／腐食／凍傷を含む、表面／外部により、損傷を分類するスコアシステム（Ｃｉｖｉｌら、Ｊ  Ｔｒａｕｍａ．（１９８８）、２８（１）：８７〜９０）である。重篤、重度、危険又は致死性（ＡＩＳ３〜６）と分類された損傷は、比較的少数であったので、これらの分類による全ての損傷を、重篤／より重度（ＡＩＳ＞３）として分類した。所与の身体領域に対する損傷を伴わない患者に、１の値を割り当てた。ＡＩＳの決定は、ＴＢＩ群及び外傷対照群に対して、同様に実施した。
【０５４１】
トロポニンの測定：５００例のＴＢＩ参加者及び９４例の外傷対照参加者について研究した。ｈｓＴｎＩを、ＴＢＩ群内の、登録時（初期採血）及び初期採血の４時間後において、外傷対照群内の、登録時だけにおいて得られた血清試料中において測定した。初期血液試料は、損傷から２４時間以内に得、アリコート分割し、回収から２時間以内に、摂氏−８０度において保存した。ｈｓＴｎＩは、Ａｂｂｏｔｔ  Ａｒｃｈｉｔｅｃｔ  ＳＴＡＴ  ｈｓＴｎＩアッセイを使用して、Ｊｏｈｎｓ  Ｈｏｐｋｉｎｓ  Ｈｏｓｐｉｔａｌの臨床化学検査室により測定された。アッセイの検出限界（ＬＯＤ）は、２ｎｇ／Ｌであった。性別特異的基準上限（ＵＲＬ）は、女性についての１６ｎｇ／Ｌ及び男性についての３４ｎｇ／Ｌであった。変動係数（ＣＶ）を１０％とする、最低ｈｓＴｎＩ濃度は、６ｎｇ／Ｌであった。ＴＢＩ群内の、４時間後における、ｈｓＴｎＩの相対変化を、不変（初期採血〜初期採血の４時間後の間における、ｈｓＴｎＩレベルの、−２０％〜＋２０％の間の差違）、低下（初期採血〜初期採血の４時間後の間における、ｈｓＴｎＩレベルの、＜−２０％の差違）又は上昇すること（初期採血〜初期採血の４時間後の間における、ｈｓＴｎＩレベルの、＞＋２０％の差違）として類別した。ｈｓＴｎＩの上昇を、性別非特異的なＵＲＬの第９９百分位数を超えるｈｓＴｎＩとして規定した。ｈｓＴｎＩが検出不能な対象に、０〜ＬＯＤの間の中点である、１ｎｇ／Ｌの値を割り当てた。
【０５４２】
転帰変数：頭部ＣＴ画像は、治験審査委員会が認定した神経放射線科医により精読された。これらの病変のサイズ及び位置を含む、外傷性病変の存在／非存在を、に従う、ＮＩＮＤＳ  ｃｏｍｍｏｎ  ｄａｔａ  ｅｌｅｍｅｎｔｓ  ｆｏｒ  ｒａｄｉｏｌｏｇｉｃ  ｉｍａｇｉｎｇ  ｏｆ  ＴＢＩ（Ｄｕｈａｉｍｅら、Ａｒｃｈ  Ｐｈｙｓ  Ｍｅｄ  Ｒｅｈａｂｉｌ．（２０１０）、９１（１１）：１６６１〜１６６６）分類した。１（死）〜８（良好な回復の上）のスケールに機能的転帰を類別するＧＯＳＥ（Ｅｘｔｅｎｄｅｄ  Ｇｌａｓｇｏｗ  Ｏｕｔｃｏｍｅ  Ｓｃａｌｅ）を使用して、機能的転帰を確認した。重度身体機能障害／転帰の増悪を、損傷の６カ月後における、ＧＯＳＥ＜５として規定した。
【０５４３】
統計学的解析：線形回帰モデルを使用して、ＴＢ参加者と、外傷対照参加者との、初期トロポニンレベルの差違を決定し、ｈｓＴｎＩについての、独立の予測因子を同定した。これらのモデルを、それらのいずれもが研究群及びｈｓＴｎＩと関連する、年齢及びベースラインの頭部損傷重症度について補正した。ｈｓＴｎＩの予測因子を同定するために、統計学的に有意な単変量関連（ｐ＜０．０５）を有した、ｈｓＴｎＩについての公知の予測因子を後者が補正する、非補正モデル及び補正モデルを当てはめた。これらは、年齢、性別、人種、高血圧症、高コレステロール、糖尿病、冠動脈血行再建術、うっ血性心不全、腎機能、血圧及び心拍数を含んだ。モデルはまた、ＡＩＳ（Ａｂｂｒｅｖｉａｔｅｄ  Ｉｎｊｕｒｙ  Ｓｃａｌｅ）により測定された損傷重症度についても補正した。正規性への近似を改善するために、ｈｓＴｎＩレベルを対数変換してから、モデルへと組み入れた。よって、全ての線形回帰パラメータを、指数スケールにおける乗法的なものとして解釈し、このように報告した。初期ｈｓＴｎＩ及び４時間後におけるｈｓＴｎＩの相対変化と、６カ月後における機能的回復との関連を査定するのにまた、非補正ロジスティック回帰モデル及び補正ロジスティック回帰モデルも構築した。これらのモデルを、それらのいずれもが、ＴＢＩ後の機能的転帰と関連する、年齢及び頭部／頸部／頸椎の損傷重症度について補正した。
【０５４４】
追跡中に、無視しがたいデータの欠測が見られた：両方の時点においてトロポニンを測定されたＴＢＩ参加者は、３３８例（６８％）であり、６カ月後において、機能的転帰を測定されたＴＢＩ参加者は、３３７例（６７％）であった。解析に対する欠測データの影響について考察するため、所与の時点における応答の予測確率の逆数に等しい非応答重みを、ベースラインのトロポニン、年齢、性別、人種、婚姻状態、雇用状態及び異常なＣＴスキャンの存在に対する応答についてのロジスティック回帰から構築し、重み付け一般化推定方程式（ＧＥＥ）解析を行った。
【０５４５】
統計学的有意性は、α＝０．０５のレベルにおいて規定した。統計学的解析は、ＳＡＳ  Ｖ  ９．４（ＳＡＳ  Ｉｎｓｔｉｔｕｔｅ、Ｃａｒｙ、ＮＣ、２０１５）を使用して行った。
【０５４６】
結果：５００例のＴＢＩ参加者及び９４例の外傷対照参加者からの血清試料を、ｈｓＴｎＩについてアッセイした。ＴＢＩ参加者と、外傷対照参加者との間の、人口学的特徴及び心血管系の危険性因子の分布は、ＴＢＩ群が老齢であることを除き、同様であった（表２１）。ＴＢＩ参加者が、頭部及び顔面の損傷を有する可能性が高かったのに対し、外傷対照は、四肢末端、腰帯及び表面／外部の損傷を有する可能性が高かった。ＴＢＩ参加者のうち、９８例（１９．６％）が、頭部ＣＴスキャン上の、外傷性頭蓋内異常を有し、３３９例（６８％）が、損傷の６カ月後における追跡評価を完了させた。しかし、一方は、１〜３カ月後の間に、脳卒中を有し、他方は、３〜６カ月後の間に、ＴＢＩを有したため、２例の対象について、６カ月後の転帰データを使用することができなかった。追跡データが信頼できるＴＢＩ参加者のうち、１９例（５．６％）は、重度身体機能障害又はこの増悪を有した。
【０５４７】
研究集団内のｈｓＴｎＩ値：損傷〜初期血液サンプリングの間の時間の中央値は、４．４（四分位範囲［ＩＱＲ］：３．１３〜７．１１）時間であった。ＴＢＩ参加者のうち、４４例（８．８％）のｈｓＴｎＩが検出不能であったのに対し、外傷対照のうち、１６例（１７．０％）のｈｓＴｎＩが検出不能であった。ＴＢＩ群内のｈｓＴｎＩ値は、外傷対照におけるより高値であった（ｈｓＴｎＩ中央値：それぞれ、５［四分位範囲（ＩＱＲ）：３〜１１］ｎｇ／Ｌｎｇ／Ｌ対４［ＩＱＲ：２〜６］ｎｇ／Ｌ；図２５を参照されたい）。初期採血における、ｈｓＴｎＩレベルの、５．７ｎｇ／Ｌのカットオフは、１カ月後における転帰不良（ＧＯＳＥ＜５）を、８３．３％の感度及び５４．９％の特異度により予測した。４時間後の採血における、ｈｓＴｎＩレベルの、５．６ｎｇ／Ｌのカットオフは、１カ月後における転帰不良（ＧＯＳＥ＜５）を、１００％の感度及び４９．２％の特異度により予測した。初期採血と、４時間後の採血との間の、ｈｓＴｎＩレベルの、５．６ｎｇ／Ｌの差違は、１カ月後における転帰不良（ＧＯＳＥ＜５）を、８２．４％の感度及び６９．５％の特異度により予測した。
【０５４８】
ＵＲＬに性別特異的カットオフを使用したところ、ＴＢＩ群内の５２例（１０．４％）の参加者及び３例（３．２％）の外傷対照が、第９９百分位数を超える初期ｈｓＴｎＩ値を有した（ｐ＝０．０２７）。初期ｈｓＴｎＩ値は、年齢及び頭部損傷重症度についての補正の後、ＴＢＩ群において高値を維持した（回帰係数：１．６６［９５％信頼区間（ＣＩ）：１．２９〜２．１２］、ｐ＜０．００１）。
【０５４９】
ＴＢＩ群内の、高初期ｈｓＴｎＩレベルの非補正予測因子は、老齢、白色人種、高血圧症の履歴、冠動脈血行再建術、うっ血性心不全、糖尿病、高コレステロール、腎機能不全、ＥＤ来院時における平均動脈圧の上昇、重篤な／より重度の頭部／頸部／頸椎損傷及び重篤な／より重度の胸部／胸椎損傷を含んだ。性別の交絡因子について補正した後に、高初期ｈｓＴｎＩレベルについての、独立の予測因子は、老齢、男性、うっ血性心不全の履歴、高コレステロールの履歴、平均動脈圧の上昇、腎機能不全及び重篤な／より重度の胸部／胸椎損傷であった（表２２）。
【０５５０】
４時間後の試料を伴う参加者のうち、１９３例（５７．１％）、６２例（１８．３％）及び８３例（２４．６％）のｈｓＴｎＩ値が、それぞれ、不変であり、低下し、上昇した。初期ｈｓＴｎＩは、損傷の６カ月後における、重度身体機能障害／転帰の増悪と関連した（オッズ比：１．４４［９５％信頼区間（ＣＩ）：１．０２〜２．０２］）。この関連は、年齢及びベースラインの頭部損傷重症度について補正した後において、もはや有意ではなかった（オッズ比：１．０４（９５％信頼区間（ＣＩ）：０．６５〜１．６８））。４時間後において、ｈｓＴｎＩが上昇した参加者は、損傷の６カ月後において、重度身体機能障害又はこの増悪を有する可能性が、ｈｓＴｎＩが不変である、又は低下した参加者の４．５２（９５％信頼区間（ＣＩ）：１．５６〜１３．１１）倍であった（図２６を参照されたい）。この関連は、年齢及びベースラインの頭部損傷重症度について補正した後において、有意性を維持した（オッズ比：５．３２［９５％信頼区間（ＣＩ）：１．６０〜１７．６８］）。
【０５５１】
欠測データの補完：感度解析及び非応答重みに対する代替法として、多重補完（ＭＩ）を使用して、損傷の６カ月後の、ｈｓＴｎＩ変化変数及びＧＯＳＥにおける欠測データを補完した。ＭＩは、目的のパラメータについての推論を得るために（ここで、回帰係数は、４時間にわたり変化したｈｓＴｎＩ、６カ月後における重度身体機能障害と関連する）ルービンの組合せ規則（Ｓｃｈａｆｅｒ（１９９７）、「Ａｎａｌｙｓｉｓ  ｏｆ  ｉｎｃｏｍｐｌｅｔｅ  ｍｕｌｔｉｖａｒｉａｔｅ  ｄａｔａ」、Ｂｏｃａ  Ｒａｔｏｎ：Ｃｈａｐｍａｎ  ＆  Ｈａｌｌ）を使用して、欠測データを複数回にわたり補完するためにモデルを使用する。点推定値は、補完された値の平均値であり、分散推定値は、完全に補完された各データセット内の、完全に補完されたデータ及び点推定値の補完間分散を使用する、平均値による分散推定値の線形組合せであった。両方の変数を、同時に補完するために、ｈｓＴｎＩ変化変数を、損傷の６カ月後におけるＧＯＳＥについての、直前の補完に基づき補完し、次いで、損傷の６カ月後におけるＧＯＳＥを、ｈｓＴｎＩ変化変数についてのこの最新の補完に基づき補完した、逐次回帰手順（Ｒａｇｈｕｎａｔｈａｎら、「Ｓｕｒｖｅｙ  Ｍｅｔｈｏｄｏｌｏｇｙ」（２００１）、２７：８５〜９５；Ｖａｎ  Ｂｕｕｒｅｎ（２００７）、「Ｓｔａｔｉｓｔｉｃａｌ  Ｍｅｔｈｏｄｓ  ｉｎ  Ｍｅｄｉｃａｌ  Ｒｅｓｅａｒｃｈ」、１６：２１９〜２４２）を利用した。いずれの補完も、多項ロジスティック回帰を使用し、また、年齢、性別、コレステロールレベル、高血圧症、糖尿病、及びステント／ＣＡＢＧの存在、ベースラインの（対数）ｈｓＴｎＩ及びベースラインの損傷状態によっても条件付けした。この結果は、非応答重みを使用した知見と広く符合し、４時間後において、ｈｓＴｎＩが上昇した参加者の、損傷の６カ月後において、重度身体機能障害又はこの増悪を有する可能性が、ｈｓＴｎＩが不変である、又は低下した参加者の４．３１（９５％信頼区間（ＣＩ）：１．５５〜１１．９３）倍であり、年齢及びベースラインの頭部損傷重症度について補正した後において、損傷の６カ月後において、重度身体機能障害又はこの増悪を有する可能性が、５．００（９５％信頼区間（ＣＩ）：１．３６〜１８．４２）倍であったことと広く符合した。欠測データの補完は、全体的な結論の変化を結果としてもたらさなかった。
【０５５２】
【表２１】
2020522686.tif 000025
2020522686.tif 000026
【０５５３】
【表２２】
2020522686.tif 000027
2020522686.tif 000028
2020522686.tif 000029
【０５５４】
図２７は、初期ｈｓＴｎＩについてのＡＵＣ（０．７１３５）を示す。初期ｈｓＴｎＩは、０．７１のＡＵＣにより、１カ月後において、重度身体機能障害を伴う、又はこれより増悪した対象を、機能的転帰が良好な対象（ＧＯＳＥ≧５の対象）と対比して区別する。図２８は、４時間後のトロポニンを使用して、１カ月後における、ＧＯＳＥが＜５である対象を、ＧＯＳＥが≧５である対象と対比して区別するためのＲＯＣ（ｒｅｃｅｉｖｅｒ  ｏｐｅｒａｔｉｎｇ  ｃｈａｒａｃｔｅｒｉｓｔｉｃ）曲線下面積を示す。ＡＵＣ＝０．７７である。図２９は、初期トロポニン〜４時間後のトロポニンの間の相対変化を使用して、１カ月後に、ＧＯＳＥ＜５の対象を、ＧＯＳＥ≧５の対象と対比して区別するためのＲＯＣ（ｒｅｃｅｉｖｅｒ  ｏｐｅｒａｔｉｎｇ  ｃｈａｒａｃｔｅｒｉｓｔｉｃ）曲線下面積（ＡＵＣ）を示す。図３０は、２４時間後のｈｓＴｎＩを使用して、１カ月後に、ＧＯＳＥ＜５の対象を、ＧＯＳＥ≧５の対象と対比して区別するためのＲＯＣ（ｒｅｃｅｉｖｅｒ  ｏｐｅｒａｔｉｎｇ  ｃｈａｒａｃｔｅｒｉｓｔｉｃ）曲線下面積を示す。
【０５５５】
ロジスティック回帰モデルを生成して、初期時点における年齢、ｈｓＴｎＩレベル及び初期時点の４時間後の時点におけるｈｓＴｎＩレベルを、以下：
【０５５６】
【数２】
2020522686.tif 000030
の通りに組み込んだ。モデルのＡＵＣは、０．８４であった（図３１を参照されたい）。このモデルを使用すると、カットオフ値は、０．０３６の予測確率であり、転帰不良である対象を同定するための感度は、９４．１％であり、特異度は、５７．３％である（すなわち、ＧＯＳＥ＜５）。
【０５５７】
ＴＢＩ患者において、心筋損傷が発生し、機能的転帰不良と、独立に関連した。図１９〜２１及び２７〜３１を参照されたい。ＴＢＩ患者において、外傷対照と比較した、ｈｓＴｎＩ値の上昇が見出された。ｈｓＴｎＩが上昇するＴＢＩ対象は、重度身体機能障害／転帰の増悪に対する危険性があった。ｈｓＴｎＩは、ＴＢＩについて査定された患者のうちの大部分（９１．２％）において検出可能であり、患者のうちの１０．４％において上昇した（＞第９９百分位数）。さらに、ｈｓＴｎＩ値は、外傷対照と比較して、ＴＢＩ患者において高値であった。本研究は、ＴＢＩ患者における心臓損傷の発生を裏付ける、さらなる補強となる証拠を提示する。
【０５５８】
初期サンプリング（損傷日における）の４時間後におけるｈｓＴｎＩレベルが上昇する参加者は、損傷の６カ月後において、重度身体機能障害／身体機能障害の増悪を有する可能性が５倍であった。反復測定における、解析的変動と符号する値を超える、トロポニンレベルの上昇は、急性過程を示した。トロポニン値の上昇により表される通り、急性心筋損傷を伴う患者は、ＴＢＩ後の機能的転帰不良に対する危険性がある。
【０５５９】
前出の詳細な記載及び付属の実施例は、例示的なものであるに過ぎず、併載の特許請求の範囲及びそれらの均等物だけによって規定される、本開示の範囲に対する限定として理解されないものとすることが理解される。
【０５６０】
開示された実施形態に対する、多様な変化及び改変が、当業者に明らかである。この精神及び範囲から逸脱しない限りにおいて、限定せずに述べると、化学構造、置換基、誘導体、中間体、合成、組成物、製剤又は本開示の使用法に関する変化及び改変を含む、このような変化及び改変がなされうる。
【０５６１】
完全を期するために、本開示の多様な態様は、以下の番号付けされた条項に明示される。
【０５６２】
条項１．ヒト対象における軽度外傷性脳損傷の診断及び査定の一助となるための方法であって、
ａ）推測される頭部への損傷後約２４時間以内に対象から得られた試料に対して、アッセイを実施し、心臓トロポニンＩ（ｃＴｎＩ）のレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０５６３】
条項２．対象が、アッセイが実施される前に、又は実施された後において、ＧＣＳ（Ｇｌａｓｇｏｗ  Ｃｏｍａ  Ｓｃａｌｅ）スコアを受けている、条項１に記載の方法。
【０５６４】
条項３．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項２に記載の方法。
【０５６５】
条項４．基準レベルが、中等度、重度又は中等度〜重度の外傷性脳損傷を有する対象と相関する、条項３に記載の方法。
【０５６６】
条項５．基準レベルが、３〜１２のＧＣＳ（Ｇｌａｓｇｏｗ  Ｃｏｍａ  Ｓｃａｌｅ）スコアと相関する、条項４に記載の方法。
【０５６７】
条項６．対象が、ＧＣＳ（Ｇｌａｓｇｏｗ  Ｃｏｍａ  Ｓｃａｌｅ）スコアに基づき、軽度外傷性脳損傷を有すると推測される、条項２に記載の方法。
【０５６８】
条項７．基準レベルが、軽度外傷性脳損傷を有する対象と相関する、条項６に記載の方法。
【０５６９】
条項８．基準レベルが、１３〜１５のＧＣＳ（Ｇｌａｓｇｏｗ  Ｃｏｍａ  Ｓｃａｌｅ）スコアと相関する、条項７に記載の方法。
【０５７０】
条項９．ｃＴｎＩについての基準レベルが、約１．９４ｐｇ／ｍＬ、約２．５４ｐｇ／ｍＬ、約２１．２３ｐｇ／ｍＬ又は約４３．７９ｐｇ／ｍＬである、条項１〜８のいずれか一項に記載の方法。
【０５７１】
条項１０．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である、条項１〜９のいずれか一項に記載の方法。
【０５７２】
条項１１．試料が、推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に採取される、条項１〜１０のいずれか一項に記載の方法。
【０５７３】
条項１２．中等度〜重度の外傷性脳損傷を有すると評価された対象を、外傷性脳損傷処置により処置するステップをさらに含む、条項１〜１１のいずれか一項に記載の方法。
【０５７４】
条項１３．軽度外傷性脳損傷を有すると評価された対象をモニタリングするステップをさらに含む、条項１〜１２のいずれか一項に記載の方法。
【０５７５】
条項１４．頭部への損傷を負った、又は負った可能性があるヒト対象に対する、頭部コンピュータ断層撮影（ＣＴ）スキャンを実施するのかどうかについての決定の一助となる方法であって、
ａ）推測される頭部への損傷後約２４時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０５７６】
条項１５．試料が、推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項１４に記載の方法。
【０５７７】
条項１６．対象が、アッセイが実施される前に、又は実施された後において、ＣＴスキャンを受けている、条項１４又は１５に記載の方法。
【０５７８】
条項１７．対象が、ＣＴスキャンに基づき、外傷性脳損傷を有することが推測される、条項１６に記載の方法。
【０５７９】
条項１８．基準レベルが、陽性の頭部コンピュータ断層撮影と相関する、条項１４〜１７のいずれか一項に記載の方法。
【０５８０】
条項１９．基準レベルが、頭部損傷を負っていない、対照の対象と相関する、条項１８に記載の方法。
【０５８１】
条項２０．ｃＴｎＩについての基準レベルが、約１．６５ｐｇ／ｍＬ、約２．１６ｐｇ／ｍＬ、約１４．７５ｐｇ／ｍＬ又は約３０．４３ｐｇ／ｍＬである、条項１４〜１９のいずれか一項に記載の方法。
【０５８２】
条項２１．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である、条項１４〜２０のいずれか一項に記載の方法。
【０５８３】
条項２２．ヒト対象における軽度外傷性脳損傷の診断及び査定の一助となるための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約３時間〜約６時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたトロポニンＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０５８４】
条項２３．第１の試料が、推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項２２に記載の方法。
【０５８５】
条項２４．対象が、異常な頭部ＣＴを有する、条項２２又は２３に記載の方法。
【０５８６】
条項２５．ｃＴｎＩの第１の試料中の量が、約１．０〜約５０ｐｇ／ｍＬである、条項２２〜２４のいずれか一項に記載の方法。
【０５８７】
条項２６．ｃＴｎＩの第２の試料中の量が、約１．０〜約５０ｐｇ／ｍＬである、条項２２〜２５のいずれか一項に記載の方法。
【０５８８】
条項２７．中等度〜重度の外傷性脳損傷を有すると評価された対象を、外傷性脳損傷処置により処置するステップをさらに含む、条項２２〜２６のいずれか一項に記載の方法。
【０５８９】
条項２８．軽度外傷性脳損傷を有すると評価された対象をモニタリングするステップをさらに含む、条項２２〜２７のいずれか一項に記載の方法。
【０５９０】
条項２９．頭部への損傷を負った、又は負った可能性があるヒト対象の診断及び査定の一助となる方法であって、
ａ）推測される頭部への損傷後約２時間以内に対象から得られた試料に対して、アッセイを実施し、ｃＴｎＩのレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０５９１】
条項３０．対象が、アッセイが実施される前に、又は実施された後において、ＧＣＳ（Ｇｌａｓｇｏｗ  Ｃｏｍａ  Ｓｃａｌｅ）スコアを受けている、条項２９に記載の方法。
【０５９２】
条項３１．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項３０に記載の方法。
【０５９３】
条項３２．基準レベルが、中等度、重度又は中等度〜重度の外傷性脳損傷を有する対象と相関する、条項３１に記載の方法。
【０５９４】
条項３３．基準レベルが、３〜１２のＧＣＳ（Ｇｌａｓｇｏｗ  Ｃｏｍａ  Ｓｃａｌｅ）スコアと相関する、条項３２に記載の方法。
【０５９５】
条項３４．対象が、ＧＣＳ（Ｇｌａｓｇｏｗ  Ｃｏｍａ  Ｓｃａｌｅ）スコアに基づき、軽度外傷性脳損傷を有すると推測される、条項３０に記載の方法。
【０５９６】
条項３５．基準レベルが、軽度外傷性脳損傷を有する対象と相関する、条項３４に記載の方法。
【０５９７】
条項３６．基準レベルが、１３〜１５のＧＣＳ（Ｇｌａｓｇｏｗ  Ｃｏｍａ  Ｓｃａｌｅ）スコアと相関する、条項３５に記載の方法。
【０５９８】
条項３７．ｃＴｎＩについての基準レベルが、約１．１５ｐｇ／ｍＬ又は約１．２９ｐｇ／ｍＬである、条項３６に記載の方法。
【０５９９】
条項３８．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である、条項２９〜３７のいずれか一項に記載の方法。
【０６００】
条項３９．試料が、推測される頭部への損傷の後、約５分以内に、約１０分以内に、約１２分以内に、約１５分以内に、約２０分以内に、約３０分以内に、約６０分以内に、又は約９０分以内に採取される、条項２９〜３８のいずれか一項に記載の方法。
【０６０１】
条項４０．中等度〜重度の外傷性脳損傷を有すると評価された対象を、外傷性脳損傷処置により処置するステップをさらに含む、条項２９〜３９のいずれか一項に記載の方法。
【０６０２】
条項４１．軽度外傷性脳損傷を有すると評価された対象をモニタリングするステップをさらに含む、条項２９〜４０のいずれか一項に記載の方法。
【０６０３】
条項４２．頭部への損傷を負った、又は負った可能性があるヒト対象に対する、頭部コンピュータ断層撮影（ＣＴ）スキャンを実施するのかどうかについての決定の一助となる方法であって、
ａ）推測される頭部への損傷後約２時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０６０４】
条項４３．対象が、アッセイが実施される前に、又は実施された後において、ＣＴスキャンを受けている、条項４２に記載の方法。
【０６０５】
条項４４．対象が、ＣＴスキャンに基づき、外傷性脳損傷を有することが推測される、条項４３に記載の方法。
【０６０６】
条項４５．基準レベルが、陽性の頭部コンピュータ断層撮影と相関する、条項４２〜４４のいずれか一項に記載の方法。
【０６０７】
条項４６．基準レベルが、頭部損傷を負っていない、対照の対象と相関する、条項４５に記載の方法。
【０６０８】
条項４７．ｃＴｎＩについての基準レベルが、約５．８ｐｇ／ｍＬ又は約４．７ｐｇ／ｍＬである、条項４２〜４６のいずれか一項に記載の方法。
【０６０９】
条項４８．基準レベルが、
（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である、条項４２〜４７のいずれか一項に記載の方法。
【０６１０】
条項４９．試料が、推測される頭部への損傷の後、約５分以内に、約１０分以内に、約１２分以内に、約１５分以内に、約２０分以内に、約３０分以内に、約６０分以内に、又は約９０分以内に採取される、条項４２〜４８のいずれか一項に記載の方法。
【０６１１】
条項５０．ｃＴｎＩのレベルを測定するステップが、イムノアッセイ又は臨床化学アッセイによりなされる、条項１〜４９のいずれか一項に記載の方法。
【０６１２】
条項５１．ｃＴｎＩのレベルを測定するステップが、
Ｃ．試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体、及び
（２）検出可能な標識を含み、ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体と接触させて、ｃＴｎＩ捕捉抗体−ｃＴｎＩ１抗原−ｃＴｎＩ検出抗体複合体を形成すること並びに
Ｄ．ｃＴｎＩの、試料中量又は試料中濃度を、ｃＴｎＩ捕捉抗体−ｃＴｎＩ抗原−ｃＴｎＩ検出抗体複合体内の検出可能な標識により発生したシグナルに基づき測定することを含む、条項１〜５０のいずれか一項に記載の方法。
【０６１３】
条項５２．試料が、全血試料、血清試料、脳脊髄液試料及び血漿試料からなる群から選択される、条項１〜５１のいずれか一項に記載の方法。
【０６１４】
条項５３．対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部損傷又は他の種類の鈍力外傷を負った後において、試料が得られる、条項１〜５２のいずれか一項に記載の方法。
【０６１５】
条項５４．対象が、化学物質、毒素又は化学物質と毒素との組合せを摂取した、又はこれらへと曝露された後において、試料が得られる、条項１〜５３のいずれか一項に記載の方法。
【０６１６】
条項５５．化学物質又は毒素が、火、カビ、アスベスト、害虫駆除剤、殺虫剤、有機溶剤、塗料、糊、ガス、有機金属、乱用薬物又はこれらの１つ以上の組合せである、条項５４に記載の方法。
【０６１７】
条項５６．試料が、自己免疫疾患、代謝性障害、脳腫瘍、低酸素症、ウイルス、髄膜炎、水頭症又はこれらの組合せを患う対象から得られる、条項１〜５３のいずれか一項に記載の方法。
【０６１８】
条項５８．対象の臨床状態、対象の検査値、軽度、中等度、重度又は中等度〜重度の外傷性脳損傷の罹患についての対象の分類、対象による、低レベル又は高レベルのｃＴｎＩの呈示及び前記対象が、頭部への損傷を負った可能性がある、任意の事象のタイミングからなる群から選択される因子に関わらず、任意のヒト対象に対して実行されうる、条項１〜５６のいずれか一項に記載の方法。
【０６１９】
条項５９．試料が、全血試料である、条項１〜５６のいずれか一項に記載の方法。
【０６２０】
条項６０．試料が、血清試料である、条項１〜５６のいずれか一項に記載の方法。
【０６２１】
条項６１．試料が、血漿試料である、条項１〜５６のいずれか一項に記載の方法。
【０６２２】
条項６２．アッセイが、イムノアッセイである、条項５８〜６０のいずれか一項に記載の方法。
【０６２３】
条項６３．アッセイが、臨床化学アッセイである、条項５８〜６０のいずれか一項に記載の方法。
【０６２４】
条項６４．アッセイが、単一分子検出アッセイである、条項５８〜６０のいずれか一項に記載の方法。
【０６２５】
条項６５．ヒト対象における軽度外傷性脳損傷の診断及び査定の一助となるための方法であって、
ａ）実際の頭部への損傷又は推測される頭部への損傷後約２４時間以内に対象から得られた試料に対して、アッセイを実施し、ｃＴｎＩのレベルを測定又は検出するステップ；及び
ｂ）対象が、軽度又は中等度、重度若しくは中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０６２６】
条項６６．対象が、アッセイが実施される前に、又は実施された後において、ＧＣＳ（Ｇｌａｓｇｏｗ  Ｃｏｍａ  Ｓｃａｌｅ）スコアを受けている、条項６５に記載の方法。
【０６２７】
条項６７．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項６６に記載の方法。
【０６２８】
条項６８．基準レベルが、中等度、重度又は中等度〜重度の外傷性脳損傷を有する対象と相関する、条項６７に記載の方法。
【０６２９】
条項６９．基準レベルが、３〜１２のＧＣＳ（Ｇｌａｓｇｏｗ  Ｃｏｍａ  Ｓｃａｌｅ）スコアと相関する、条項６８に記載の方法。
【０６３０】
条項７０．対象が、ＧＣＳ（Ｇｌａｓｇｏｗ  Ｃｏｍａ  Ｓｃａｌｅ）スコアに基づき、軽度外傷性脳損傷を有すると推測される、条項６６に記載の方法。
【０６３１】
条項７１．基準レベルが、軽度外傷性脳損傷を有する対象と相関する、条項７０に記載の方法。
【０６３２】
条項７２．基準レベルが、１３〜１５のＧＣＳ（Ｇｌａｓｇｏｗ  Ｃｏｍａ  Ｓｃａｌｅ）スコアと相関する、条項７１に記載の方法。
【０６３３】
条項７３．ｃＴｎＩについての基準レベルが、約１．９４ｐｇ／ｍＬ、約２．５４ｐｇ／ｍＬ、約２１．２３ｐｇ／ｍＬ又は約４３．７９ｐｇ／ｍＬである、条項６５〜７２のいずれか一項に記載の方法。
【０６３４】
条項７４．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である、条項６５〜７３のいずれか一項に記載の方法。
【０６３５】
条項７５．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に採取される、条項６５〜７４のいずれか一項に記載の方法。
【０６３６】
条項７６．中等度、重度又は中等度〜重度の外傷性脳損傷を有すると評価された対象を、外傷性脳損傷処置により処置するステップをさらに含む、条項６５〜７５のいずれか一項に記載の方法。
【０６３７】
条項７７．軽度外傷性脳損傷を有すると評価された対象をモニタリングするステップをさらに含む、条項６５〜７６のいずれか一項に記載の方法。
【０６３８】
条項７８．推測される頭部への損傷を負った、又は負った可能性があるヒト対象に対する、頭部コンピュータ断層撮影（ＣＴ）スキャンを実施するのかどうかについての決定の一助となる方法であって、
ａ）推測される頭部への損傷後約２４時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０６３９】
条項７９．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項７８に記載の方法。
【０６４０】
条項８０．対象が、アッセイが実施される前に、又は実施された後において、ＣＴスキャンを受けている、条項７８又は７９に記載の方法。
【０６４１】
条項８１．対象が、ＣＴスキャンに基づき、外傷性脳損傷を有することが推測される、条項８０に記載の方法。
【０６４２】
条項８２．基準レベルが、陽性の頭部コンピュータ断層撮影と相関する、条項７８〜８１のいずれか一項に記載の方法。
【０６４３】
条項８３．基準レベルが、頭部損傷を負っていない、対照の対象と相関する、条項８２に記載の方法。
【０６４４】
条項８４．ｃＴｎＩについての基準レベルが、約１．６５ｐｇ／ｍＬ、約２．１６ｐｇ／ｍＬ、約１４．７５ｐｇ／ｍＬ又は約３０．４３ｐｇ／ｍＬである、条項７８〜８３のいずれか一項に記載の方法。
【０６４５】
条項８５．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である、条項７８〜８４のいずれか一項に記載の方法。
【０６４６】
条項８６．ヒト対象における軽度外傷性脳損傷の診断及び査定の一助となるための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約３時間〜約６時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度、重度又は中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０６４７】
条項８７．第１の試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項８６に記載の方法。
【０６４８】
条項８８．対象が、異常な頭部ＣＴを有する、条項８６又は８７に記載の方法。
【０６４９】
条項８９．ｃＴｎＩの第１の試料中の量が、約１．０〜約５０ｐｇ／ｍＬである、条項８６〜８８のいずれか一項に記載の方法。
【０６５０】
条項９０．ｃＴｎＩの第２の試料中の量が、約１．０〜約５０ｐｇ／ｍＬである、条項８６〜８９のいずれか一項に記載の方法。
【０６５１】
条項９１．中等度、重度又は中等度〜重度の外傷性脳損傷を有すると評価された対象を、外傷性脳損傷処置により処置するステップをさらに含む、条項８６〜９０のいずれか一項に記載の方法。
【０６５２】
条項９２．軽度外傷性脳損傷を有すると評価された対象をモニタリングするステップをさらに含む、条項８６〜９１のいずれか一項に記載の方法。
【０６５３】
条項９３．頭部への損傷を負った、又は負った可能性があるヒト対象の診断及び査定の一助となる方法であって、
ａ）実際の頭部への損傷又は推測される頭部への損傷への損傷後約２時間以内に対象から得られた試料に対して、アッセイを実施し、ｃＴｎＩのレベルを測定又は検出するステップ；及び
ｂ）対象が、軽度又は中等度、重度若しくは中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度又は中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０６５４】
条項９４．対象が、アッセイが実施される前に、又は実施された後において、ＧＣＳ（Ｇｌａｓｇｏｗ  Ｃｏｍａ  Ｓｃａｌｅ）スコアを受けている、条項９３に記載の方法。
【０６５５】
条項９５．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項９４に記載の方法。
【０６５６】
条項９６．基準レベルが、中等度、重度又は中等度〜重度の外傷性脳損傷を有する対象と相関する、条項９５に記載の方法。
【０６５７】
条項９７．基準レベルが、３〜１２のＧＣＳ（Ｇｌａｓｇｏｗ  Ｃｏｍａ  Ｓｃａｌｅ）スコアと相関する、条項９６に記載の方法。
【０６５８】
条項９８．対象が、ＧＣＳ（Ｇｌａｓｇｏｗ  Ｃｏｍａ  Ｓｃａｌｅ）スコアに基づき、軽度外傷性脳損傷を有すると推測される、条項９７に記載の方法。
【０６５９】
条項９９．基準レベルが、軽度外傷性脳損傷を有する対象と相関する、条項９８に記載の方法。
【０６６０】
条項１００．基準レベルが、１３〜１５のＧＣＳ（Ｇｌａｓｇｏｗ  Ｃｏｍａ  Ｓｃａｌｅ）スコアと相関する、条項９９に記載の方法。
【０６６１】
条項１０１．ｃＴｎＩについての基準レベルが、約１．１５ｐｇ／ｍＬ又は約１．２９ｐｇ／ｍＬである、条項１００に記載の方法。
【０６６２】
条項１０２．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である、条項９３〜１０１のいずれか一項に記載の方法。
【０６６３】
条項１０３．試料が、実際の頭部への損傷又は推測される頭部への損傷の後、約５分以内に、約１０分以内に、約１２分以内に、約１５分以内に、約２０分以内に、約３０分以内に、約６０分以内に、又は約９０分以内に採取される、条項９３〜１０２のいずれか一項に記載の方法。
【０６６４】
条項１０４．中等度、重度又は中等度〜重度の外傷性脳損傷を有すると評価された対象を、外傷性脳損傷処置により処置するステップをさらに含む、条項９３〜１０３のいずれか一項に記載の方法。
【０６６５】
条項１０５．軽度外傷性脳損傷を有すると評価された対象をモニタリングするステップをさらに含む、条項９３〜１０４のいずれか一項に記載の方法。
【０６６６】
条項１０６．推測される頭部への損傷を負った、又は負った可能性があるヒト対象に対する、頭部コンピュータ断層撮影（ＣＴ）スキャンを実施するのかどうかについての決定の一助となる方法であって、
ａ）推測される頭部への損傷後約２時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０６６７】
条項１０７．対象が、アッセイが実施される前に、又は実施された後において、ＣＴスキャンを受けている、条項１０６に記載の方法。
【０６６８】
条項１０８．対象が、ＣＴスキャンに基づき、外傷性脳損傷を有することが推測される、条項１０７に記載の方法。
【０６６９】
条項１０９．基準レベルが、陽性の頭部コンピュータ断層撮影と相関する、条項１０６〜１０８のいずれか一項に記載の方法。
【０６７０】
条項１１０．基準レベルが、頭部損傷を負っていない、対照の対象と相関する、条項１０８に記載の方法。
【０６７１】
条項１１１．ｃＴｎＩについての基準レベルが、約５．８ｐｇ／ｍＬ又は約４．７ｐｇ／ｍＬである、条項１０６〜１１０のいずれか一項に記載の方法。
【０６７２】
条項１１２．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である、条項１０６〜１１１のいずれか一項に記載の方法。
【０６７３】
条項１１３．試料が、実際の頭部への損傷又は推測される頭部への損傷の後、約５分以内に、約１０分以内に、約１２分以内に、約１５分以内に、約２０分以内に、約３０分以内に、約６０分以内に、又は約９０分以内に採取される、条項１０６〜１１２のいずれか一項に記載の方法。
【０６７４】
条項１１４．ｃＴｎＩのレベルを測定するステップが、イムノアッセイ又は臨床化学アッセイを実施することによりなされる、条項６５〜１１３のいずれか一項に記載の方法。
【０６７５】
条項１１５．ｃＴｎＩのレベルを測定するステップが、
Ｅ．試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体、及び
（２）検出可能な標識を含み、ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体と接触させて、ｃＴｎＩ捕捉抗体−ｃＴｎＩ抗原−ｃＴｎＩ検出抗体複合体を形成すること、並びに
Ｆ．ｃＴｎＩの、試料中量又は試料中濃度を、ｃＴｎＩ捕捉抗体−ｃＴｎＩ抗原−ｃＴｎＩ検出抗体複合体内の検出可能な標識により発生したシグナルに基づき測定することを含む、条項６５〜１１４のいずれか一項に記載の方法。
【０６７６】
条項１１６．試料が、全血試料、血清試料、脳脊髄液試料及び血漿試料からなる群から選択される、条項６５〜１１５のいずれか一項に記載の方法。
【０６７７】
条項１１７．対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部への損傷又は他の種類の鈍力外傷を負った後において、試料が得られる、条項６５〜１１６のいずれか一項に記載の方法。
【０６７８】
条項１１８．試料が、対象が、化学物質、毒素又は化学物質と毒素との組合せを摂取した、又はこれらへと曝露された後において得られる、条項６５〜１１７のいずれか一項に記載の方法。
【０６７９】
条項１１９．化学物質又は毒素が、火、カビ、アスベスト、害虫駆除剤、殺虫剤、有機溶剤、塗料、糊、ガス、有機金属、乱用薬物又はこれらの１つ以上の組合せである、条項１１８に記載の方法。
【０６８０】
条項１２０．前記試料が、自己免疫疾患、代謝性障害、脳腫瘍、低酸素症、ウイルス、髄膜炎、水頭症又はこれらの組合せを患う対象から得られる、条項６５〜１１６のいずれか一項に記載の方法。
【０６８１】
条項１２１．対象の臨床状態、対象の検査値、軽度、中等度、重度、又は中等度〜重度の外傷性脳損傷の罹患についての対象の分類、対象による、低レベル又は高レベルのｃＴｎＩの呈示、及び前記対象が、頭部への損傷を負った可能性がある、任意の事象のタイミングからなる群から選択される因子に関わらず、任意の対象に対して実行されうる、条項６５〜１２０のいずれか一項に記載の方法。
【０６８２】
条項１２２．試料が、全血試料である、条項６５〜１２１のいずれか一項に記載の方法。
【０６８３】
条項１２３．試料が、血清試料である、条項６５〜１２１のいずれか一項に記載の方法。
【０６８４】
条項１２４．試料が、血漿試料である、条項６５〜１２１のいずれか一項に記載の方法。
【０６８５】
条項１２５．アッセイが、イムノアッセイである、条項１２２〜１２４のいずれか一項に記載の方法。
【０６８６】
条項１２６．アッセイが、臨床化学アッセイである、条項１２２〜１２４のいずれか一項に記載の方法。
【０６８７】
条項１２７．アッセイが、単一分子検出アッセイである、条項１２２〜１２４のいずれか一項に記載の方法。
【０６８８】
条項１２８．ヒト対象における軽度外傷性脳損傷の診断及び査定の一助となるための方法であって、
ａ）実際の頭部への損傷又は推測される頭部への損傷後約２４時間以内に対象から得られた試料に対して、アッセイを実施し、ｃＴｎＩのレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０６８９】
条項１２９．対象が、アッセイが実施される前に、又は実施された後において、ＧＣＳ（Ｇｌａｓｇｏｗ  Ｃｏｍａ  Ｓｃａｌｅ）スコアを受けている、条項１２８に記載の方法。
【０６９０】
条項１３０．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項１２９に記載の方法。
【０６９１】
条項１３１．基準レベルが、中等度、重度又は中等度〜重度の外傷性脳損傷を有する対象と相関する、条項１３０に記載の方法。
【０６９２】
条項１３２．基準レベルが、３〜１２のＧＣＳ（Ｇｌａｓｇｏｗ  Ｃｏｍａ  Ｓｃａｌｅ）スコアと相関する、条項１３１に記載の方法。
【０６９３】
条項１３３．対象が、ＧＣＳ（Ｇｌａｓｇｏｗ  Ｃｏｍａ  Ｓｃａｌｅ）スコアに基づき、軽度外傷性脳損傷を有すると推測される、条項１２９に記載の方法。
【０６９４】
条項１３４．基準レベルが、軽度外傷性脳損傷を有する対象と相関する、条項１３３に記載の方法。
【０６９５】
条項１３５．基準レベルが、１３〜１５のＧＣＳ（Ｇｌａｓｇｏｗ  Ｃｏｍａ  Ｓｃａｌｅ）スコアと相関する、条項１３４に記載の方法。
【０６９６】
条項１３６．ｃＴｎＩについての基準レベルが、約１．９４ｐｇ／ｍＬ、約２．５４ｐｇ／ｍＬ、約２１．２３ｐｇ／ｍＬ又は約４３．７９ｐｇ／ｍＬである、条項１２８〜１３５のいずれか一項に記載の方法。
【０６９７】
条項１３７．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である、条項１２８〜１３６のいずれか一項に記載の方法。
【０６９８】
条項１３８．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に採取される、条項１２８〜１３７のいずれか一項に記載の方法。
【０６９９】
条項１３９．ヒト対象における、軽度又は中等度、重度若しくは中等度〜重度の外傷性脳損傷を処置する方法であって、
ａ）実際の頭部への損傷又は推測される頭部への損傷後約２４時間以内に対象から得られた試料に対して、アッセイを実施し、ｃＴｎＩのレベルを測定又は検出するステップ；
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ；及び
ｃ）軽度、中等度、重度又は中等度〜重度の外傷性脳損傷を有すると評価された対象を、外傷性脳損傷処置により処置するステップ
を含む方法。
【０７００】
条項１４０．軽度、中等度、重度又は中等度〜重度の外傷性脳損傷を有すると評価された対象をモニタリングするステップをさらに含む、条項１３９に記載の方法。
【０７０１】
条項１４１．実際の頭部への損傷又は推測される頭部への損傷を有するヒト対象に対して、頭部コンピュータ断層撮影（ＣＴ）スキャンを実施するのかどうかについての決定の一助となる方法であって、
ａ）実際の頭部への損傷又は推測される頭部への損傷後約２４時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０７０２】
条項１４２．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項１４１に記載の方法。
【０７０３】
条項１４３．対象が、アッセイが実施される前に、又は実施された後において、ＣＴスキャンを受けている、条項１４１又は１４２に記載の方法。
【０７０４】
条項１４４．対象が、ＣＴスキャンに基づき、外傷性脳損傷を有することが推測される、条項１４３に記載の方法。
【０７０５】
条項１４５．基準レベルが、陽性の頭部コンピュータ断層撮影と相関する、条項１４１〜１４４のいずれか一項に記載の方法。
【０７０６】
条項１４６．基準レベルが、頭部損傷を負っていない、対照の対象と相関する、条項１４１に記載の方法。
【０７０７】
条項１４７．ｃＴｎＩについての基準レベルが、約１．６５ｐｇ／ｍＬ、約２．１６ｐｇ／ｍＬ、約１４．７５ｐｇ／ｍＬ又は約３０．４３ｐｇ／ｍＬである、条項１４１〜１４６のいずれか一項に記載の方法。
【０７０８】
条項１４８．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である、条項１４１〜１４７のいずれか一項に記載の方法。
【０７０９】
条項１４９．ヒト対象における軽度外傷性脳損傷の診断及び査定の一助となるための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約３時間〜約６時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度、重度又は中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０７１０】
条項１５０．ヒト対象における軽度外傷性脳損傷の診断及び査定の一助となるための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、第１の時点において採取され、第２の試料が、ヒト対象から、第１の試料の約１時間〜約４時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０７１１】
条項１５１．第１の試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項１４９又は１５０に記載の方法。
【０７１２】
条項１５２．対象が、異常な頭部ＣＴを有する、条項１４９〜１５２のいずれかに記載の方法。
【０７１３】
条項１５３．ｃＴｎＩの第１の試料中の量が、約１．０〜約５０ｐｇ／ｍＬである、条項１４９〜１５２のいずれか一項に記載の方法。
【０７１４】
条項１５４．ｃＴｎＩの第２の試料中の量が、約１．０〜約５０ｐｇ／ｍＬである、条項１４９〜１５３のいずれか一項に記載の方法。
【０７１５】
条項１５５．ヒト対象における、軽度又は中等度、重度若しくは中等度〜重度の外傷性脳損傷を処置する方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、第１の時点において採取され、第２の試料が、ヒト対象から、第１の試料の約３時間〜約６時間後又は約１時間〜約４時間後に採取され、試料が、生物学的試料であるステップ；
ｂ）ｃＴｎＩの量が、第１の試料から第２の試料へと、上昇したのか、低下したのかを決定するステップ；
ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ；並びに
ｄ）軽度、中等度、重度又は中等度〜重度の外傷性脳損傷を有すると評価された対象を、外傷性脳損傷処置により処置するステップ
を含む方法。
【０７１６】
条項１５６．軽度、中等度、重度又は中等度〜重度の外傷性脳損傷を有すると評価された対象をモニタリングするステップをさらに含む、条項１５５に記載の方法。
【０７１７】
条項１５７．頭部への損傷を負った、又は負った可能性があるヒト対象の診断及び査定の一助となる方法であって、
ａ）実際の頭部への損傷又は推測される頭部への損傷後約２時間以内に対象から得られた試料に対して、アッセイを実施し、ｃＴｎＩのレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０７１８】
条項１５８．対象が、アッセイが実施される前に、又は実施された後において、ＧＣＳ（Ｇｌａｓｇｏｗ  Ｃｏｍａ  Ｓｃａｌｅ）スコアを受けている、条項１５７に記載の方法。
【０７１９】
条項１５９．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項１５８に記載の方法。
【０７２０】
条項１６０．基準レベルが、中等度、重度又は中等度〜重度の外傷性脳損傷を有する対象と相関する、条項１５９に記載の方法。
【０７２１】
条項１６１．基準レベルが、３〜１２のＧＣＳ（Ｇｌａｓｇｏｗ  Ｃｏｍａ  Ｓｃａｌｅ）スコアと相関する、条項１６０に記載の方法。
【０７２２】
条項１６２．対象が、ＧＣＳ（Ｇｌａｓｇｏｗ  Ｃｏｍａ  Ｓｃａｌｅ）スコアに基づき、軽度外傷性脳損傷を有すると推測される、条項１５７に記載の方法。
【０７２３】
条項１６３．基準レベルが、軽度外傷性脳損傷を有する対象と相関する、条項１５８に記載の方法。
【０７２４】
条項１６４．基準レベルが、１３〜１５のＧＣＳ（Ｇｌａｓｇｏｗ  Ｃｏｍａ  Ｓｃａｌｅ）スコアと相関する、条項１６３に記載の方法。
【０７２５】
条項１６５．ｃＴｎＩについての基準レベルが、約１．１５ｐｇ／ｍＬ又は約１．２９ｐｇ／ｍＬである、条項１５７〜１６４のいずれか一項に記載の方法。
【０７２６】
条項１６６．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である、条項１５７〜１６５のいずれか一項に記載の方法。
【０７２７】
条項１６７．試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、条項１５７〜１６６のいずれか一項に記載の方法。
【０７２８】
条項１６８．軽度、中等度、重度又は中等度〜重度のＴＢＩを処置する方法であって、
ａ）実際の頭部への損傷又は推測される頭部への損傷後約２時間以内に対象から得られた試料に対して、アッセイを実施し、ｃＴｎＩのレベルを測定又は検出するステップ；
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ；及び
ｃ）軽度、中等度、重度又は中等度〜重度の外傷性脳損傷を有すると評価された対象を、外傷性脳損傷処置により処置するステップ
を含む方法。
【０７２９】
条項１６９．軽度、中等度、重度又は中等度〜重度の外傷性脳損傷を有すると評価された対象をモニタリングするステップをさらに含む、条項１６８に記載の方法。
【０７３０】
条項１７０．実際の頭部への損傷又は推測される頭部への損傷を有するヒト対象に対して、頭部コンピュータ断層撮影（ＣＴ）スキャンを実施するのかどうかについての決定の一助となる方法であって、
ａ）実際の頭部への損傷又は推測される頭部への損傷後約２時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０７３１】
条項１７１．対象が、アッセイが実施される前に、又は実施された後において、ＣＴスキャンを受けている、条項１７０に記載の方法。
【０７３２】
条項１７２．対象が、ＣＴスキャンに基づき、外傷性脳損傷を有することが推測される、条項１７１に記載の方法。
【０７３３】
条項１７３．基準レベルが、陽性の頭部コンピュータ断層撮影と相関する、条項１７０〜１７２のいずれか一項に記載の方法。
【０７３４】
条項１７４．基準レベルが、頭部損傷を負っていない、対照の対象と相関する、条項１７０に記載の方法。
【０７３５】
条項１７５．ｃＴｎＩについての基準レベルが、約５．８ｐｇ／ｍＬ又は約４．７ｐｇ／ｍＬである、条項１７０〜１７４のいずれか一項に記載の方法。
【０７３６】
条項１７６．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である、条項１７０〜１７５のいずれか一項に記載の方法。
【０７３７】
条項１７７．試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、条項１７０〜１７６のいずれか一項に記載の方法。
【０７３８】
条項１７８．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部への損傷後２４時間以内の第１の時点において採取され、第２の試料が、ヒト対象から、第１の試料の約０〜約４時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、少なくとも約２０％上昇した場合に、ヒト対象における、思わしくない転帰を予測し、検出されたｃＴｎＩのレベルが、第１の試料から第２の試料へと、不変を維持する、約２０％未満低下又は上昇した場合に、ヒト対象における、思わしい転帰を予測するステップ
を含む方法。
【０７３９】
条項１７９．第１の試料が、頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項１７８に記載の方法。
【０７４０】
条項１８０．頭部への損傷の、約１カ月、３カ月又は６カ月後における転帰を予測する、条項１７８又は１７９に記載の方法。
【０７４１】
条項１８１．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項１８０に記載の方法。
【０７４２】
条項１８２．対象が、正常な頭部ＣＴを有する、条項１７８〜１８１のいずれか一項に記載の方法。
【０７４３】
条項１８３．対象が、アッセイが実施される前に、又は実施された後において、ＧＣＳ（Ｇｌａｓｇｏｗ  Ｃｏｍａ  Ｓｃａｌｅ）スコアを受けている、条項１７８〜１８２のいずれか一項に記載の方法。
【０７４４】
条項１８４．対象が、１３〜１５のＧＣＳ（Ｇｌａｓｇｏｗ  Ｃｏｍａ  Ｓｃａｌｅ）スコアを受けており、ＧＣＳ（Ｇｌａｓｇｏｗ  Ｃｏｍａ  Ｓｃａｌｅ）スコアに基づき、軽度外傷性脳損傷を有すると推測される、条項１７８〜１８３のいずれか一項に記載の方法。
【０７４５】
条項１８５．対象が、アッセイが実施される前に、又は実施された後において、ＧＯＳＥ（Ｅｘｔｅｎｄｅｄ  Ｇｌａｓｇｏｗ  Ｏｕｔｃｏｍｅ  Ｓｃａｌｅ）スコアを受けている、条項１７８〜１８４のいずれか一項に記載の方法。
【０７４６】
条項１８６．軽度外傷性脳損傷を有するヒト対象の転帰を予測するための方法であって、
ａ）頭部への損傷後約２８時間以内に対象から得られた試料に対して、アッセイを実施し、ｃＴｎＩのレベルを測定又は検出するステップであって、試料が、生物学的試料であるステップ；及び
ｂ）ｃＴｎＩの試料中レベルが、ｃＴｎＩの基準レベルより高い場合、ヒト対象における、思わしくない転帰を予測し、ｃＴｎＩの試料中レベルが、ｃＴｎＩの基準レベルより低い場合、ヒト対象における、思わしい転帰を予測するステップ
を含む方法。
【０７４７】
条項１８７．試料が、頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、約２４時間以内に、約２５時間以内に、約２６時間以内に、約２７時間以内に、又は約２８時間以内に対象から採取される、条項１８６に記載の方法。
【０７４８】
条項１８８．頭部への損傷の、約１カ月、３カ月又は６カ月後における転帰を予測する、条項１８６又は１８７に記載の方法。
【０７４９】
条項１８９．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項１８８に記載の方法。
【０７５０】
条項１９０．基準レベルが、（ａ）少なくとも約８０％〜１００％の間の感度及び少なくとも約４５％〜１００％の間の特異度を有するアッセイにより決定される；（ｂ）少なくとも約８３．３％の感度及び少なくとも約５４．９％の特異度を有するアッセイにより決定される；（ｃ）少なくとも約１００％の感度及び少なくとも約４９．２％の特異度を有するアッセイにより決定される；又は（ｄ）少なくとも約１ｐｇ／ｍＬ〜約５０ｐｇ／ｍＬの間である、条項１８６〜１９０のいずれか一項に記載の方法。
【０７５１】
条項１９１．ｃＴｎＩについての基準レベルが、約５．６ｐｇ／ｍＬ又は約５．７ｐｇ／ｍＬである、条項１８６〜１９０のいずれか一項に記載の方法。
【０７５２】
条項１９２．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約４時間後に採取され、試料が、生物学的試料であるステップ；
ｂ）ｃＴｎＩの量が、第１の試料から第２の試料へと、上昇したのか、低下したのかを決定するステップ；並びに
ｃ）ｃＴｎＩの試料中レベルが、第１の試料から第２の試料へと、上昇した場合に、ヒト対象における、思わしくない転帰を予測し、ｃＴｎＩの試料中レベルが、第１の試料から第２の試料へと、不変を維持する、又は低下した場合に、ヒト対象における、思わしい転帰を予測するステップ
を含む方法。
【０７５３】
条項１９３．第１の試料が、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項１９２に記載の方法。
【０７５４】
条項１９４．頭部への損傷の、約１カ月、３カ月又は６カ月後における転帰を予測する、条項１９２又は１９３に記載の方法。
【０７５５】
条項１９５．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項１９４に記載の方法。
【０７５６】
条項１９６．ｃＴｎＩの第１の試料中の量が、約１．０〜約５０ｐｇ／ｍＬである、条項１９２〜１９５のいずれか一項に記載の方法。
【０７５７】
条項１９７．ｃＴｎＩの第２の試料中の量が、約１．０〜約５０ｐｇ／ｍＬである、条項１９２〜１９６のいずれか一項に記載の方法。
【０７５８】
条項１９８．ｃＴｎＩのレベルが、第１の試料から第２の試料へと、少なくともある絶対量だけ低下又は上昇する、条項１９２〜１９７のいずれか一項に記載の方法。
【０７５９】
条項１９９．絶対量が、（ａ）少なくとも約８０％〜１００％の間の感度及び少なくとも約４５％〜１００％の間の特異度を有するアッセイにより決定される；（ｂ）少なくとも約８２．４％の感度及び少なくとも約６９．５％の特異度を有するアッセイにより決定される；又は（ｃ）少なくとも約１ｐｇ／ｍＬ〜約５０ｐｇ／ｍＬの間である、条項１９８に記載の方法。
【０７６０】
条項２００．絶対量が、約５．６ｐｇ／ｍＬである、条項１９９に記載の方法。
【０７６１】
条項２０１．転帰が思わしくないと評価された対象を、外傷性脳損傷処置により処置するステップをさらに含む、条項１９２〜２００のいずれか一項に記載の方法。
【０７６２】
条項２０２．外傷性脳損傷処置による転帰が思わしくないと評価された対象をモニタリングするステップをさらに含む、条項１９２〜２０１のいずれか一項に記載の方法。
【０７６３】
条項２０３．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、実際の頭部への損傷又は推測される頭部への損傷後２４時間以内の第１の時点において採取され、第２の試料が、ヒト対象から、第１の試料の約０〜約４時間後に採取され、試料が、生物学的試料であるステップ；
ｂ）対象の年齢を決定するステップ；及び
ｃ）ｃＴｎＩのレベルの、第１の試料中レベル及び／又は第２の試料中レベルが、ｃＴｎＩの基準レベルより高く、かつ、対象の年齢が、基準年齢を上回る場合、ヒト対象における、思わしくない転帰を予測し、ｃＴｎＩのレベルの、第１の試料中レベル及び／又は第２の試料中レベルが、ｃＴｎＩの基準レベルより低く、かつ／又は対象の年齢が、基準年齢を下回る場合、ヒト対象における、思わしい転帰を予測するステップ
を含む方法。
【０７６４】
条項２０４．対象を、少なくとも１つの心臓保護治療で処置するステップをさらに含む、条項１２８〜２０３のいずれか一項に記載の方法。
【０７６５】
条項２０５．少なくとも１つの心臓保護治療が、ベータ−遮断剤、利尿剤、アンジオテンシン転換酵素（ＡＣＥ）阻害剤、カルシウムチャネル遮断剤、脂質降下療法、スタチン、硝酸塩、抗血小板剤、抗凝血剤、抗凝固剤又はこれらの組合せを含む、条項２０４に記載の方法。
【０７６６】
条項２０６．ｃＴｎＩのレベルを測定するステップが、イムノアッセイ又は臨床化学アッセイを実施することによりなされる、条項１２８〜２０５のいずれか一項に記載の方法。
【０７６７】
条項２０７．ｃＴｎＩのレベルを測定するステップが、
Ａ．試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体、及び
（２）検出可能な標識を含み、ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体と接触させて、ｃＴｎＩ捕捉抗体−ｃＴｎＩ抗原−ｃＴｎＩ検出抗体複合体を形成すること、並びに
Ｂ．ｃＴｎＩの、試料中量又は試料中濃度を、ｃＴｎＩ捕捉抗体−ｃＴｎＩ抗原−ｃＴｎＩ検出抗体複合体内の検出可能な標識により発生したシグナルに基づき測定すること
を含む、条項１２８〜２０６のいずれか一項に記載の方法。
【０７６８】
条項２０８．試料が、全血試料、血清試料、脳脊髄液試料及び血漿試料からなる群から選択される、条項１２８〜２０７のいずれか一項に記載の方法。
【０７６９】
条項２０９．対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部への損傷又は他の種類の鈍力外傷を負った後において、試料が得られる、条項１２８〜２０８のいずれか一項に記載の方法。
【０７７０】
条項２１０．対象が、化学物質、毒素又は化学物質と毒素との組合せを摂取した、又はこれらへと曝露された後において、試料が得られる、条項１２８〜２０８のいずれか一項に記載の方法。
【０７７１】
条項２１１．化学物質又は毒素が、火、カビ、アスベスト、害虫駆除剤、殺虫剤、有機溶剤、塗料、糊、ガス、有機金属、乱用薬物又はこれらの１つ以上の組合せである、条項２１０に記載の方法。
【０７７２】
条項２１２．試料が、自己免疫疾患、代謝性障害、脳腫瘍、低酸素症、ウイルス、髄膜炎、水頭症又はこれらの組合せを患う対象から得られる、条項１２８〜２０８のいずれか一項に記載の方法。
【０７７３】
条項２１３．対象の臨床状態、対象の検査値、軽度、中等度、重度又は中等度〜重度の外傷性脳損傷の罹患についての対象の分類、対象による、低レベル又は高レベルのｃＴｎＩの呈示、及び前記対象が、頭部への損傷を負った可能性がある、任意の事象のタイミングからなる群から選択される因子に関わらず、任意の対象に対して実行されうる、条項１２８〜２１２のいずれか一項に記載の方法。
【０７７４】
条項２１４．試料が、全血試料である、条項１２８〜２１４のいずれか一項に記載の方法。
【０７７５】
条項２１５．試料が、血清試料である、条項１２８〜２１４のいずれか一項に記載の方法。
【０７７６】
条項２１６．試料が、血漿試料である、条項１２８〜２１４のいずれか一項に記載の方法。
【０７７７】
条項２１７．アッセイが、イムノアッセイである、条項２１４〜２１６のいずれか一項に記載の方法。
【０７７８】
条項２１８．アッセイが、臨床化学アッセイである、条項２１４〜２１６のいずれか一項に記載の方法。
【０７７９】
条項２１９．アッセイが、単一分子検出アッセイである、条項２１４〜２１６のいずれか一項に記載の方法。
【０７８０】
条項２２０．ヒト対象を、ヒト対象における軽度外傷性脳損傷について査定するための方法であって、
ａ）実際の頭部への損傷又は推測される頭部への損傷後約２４時間以内に対象から得られた試料に対して、アッセイを実施し、心臓トロポニンＩ（ｃＴｎＩ）のレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度若しくは中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０７８１】
条項２２１．対象が、アッセイが実施される前に、又は実施された後において、ＧＣＳ（Ｇｌａｓｇｏｗ  Ｃｏｍａ  Ｓｃａｌｅ）スコアを受けている、条項２２０に記載の方法。
【０７８２】
条項２２２．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項２２１に記載の方法。
【０７８３】
条項２２３．基準レベルが、中等度、重度又は中等度〜重度の外傷性脳損傷を有する対象と相関する、条項２２２に記載の方法。
【０７８４】
条項２２４．基準レベルが、３〜１２のＧＣＳ（Ｇｌａｓｇｏｗ  Ｃｏｍａ  Ｓｃａｌｅ）スコアと相関する、条項２２３に記載の方法。
【０７８５】
条項２２５．対象が、ＧＣＳ（Ｇｌａｓｇｏｗ  Ｃｏｍａ  Ｓｃａｌｅ）スコアに基づき、軽度外傷性脳損傷を有すると推測される、条項２２１に記載の方法。
【０７８６】
条項２２６．基準レベルが、軽度外傷性脳損傷を有する対象と相関する、条項２２５に記載の方法。
【０７８７】
条項２２７．基準レベルが、１３〜１５のＧＣＳ（Ｇｌａｓｇｏｗ  Ｃｏｍａ  Ｓｃａｌｅ）スコアと相関する、条項２２６に記載の方法。
【０７８８】
条項２２８．ｃＴｎＩについての基準レベルが、約１．９４ｐｇ／ｍＬ、約２．５４ｐｇ／ｍＬ、約２１．２３ｐｇ／ｍＬ又は約４３．７９ｐｇ／ｍＬである、条項２２０〜２２７のいずれか一項に記載の方法。
【０７８９】
条項２２９．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約１ｐｇ／ｍＬ〜約５０ｐｇ／ｍＬの間である、条項２２０〜２２８のいずれか一項に記載の方法。
【０７９０】
条項２３０．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に採取される、条項２２０〜２２８のいずれか一項に記載の方法。
【０７９１】
条項２３１．ヒト対象における、軽度又は中等度、重度若しくは中等度〜重度の外傷性脳損傷を処置する方法であって、
ａ）実際の頭部への損傷又は推測される頭部への損傷後約２４時間以内に対象から得られた試料に対して、アッセイを実施し、ｃＴｎＩのレベルを測定又は検出するステップ；
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度又は中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ；及び
ｃ）軽度、中等度、重度又は中等度〜重度の外傷性脳損傷を有すると評価された対象を、外傷性脳損傷処置により処置するステップ
を含む方法。
【０７９２】
条項２３２．軽度、中等度、重度又は中等度〜重度の外傷性脳損傷を有すると評価された対象をモニタリングするステップをさらに含む、条項１２に記載の方法。
【０７９３】
条項２３３．実際の頭部への損傷又は推測される頭部への損傷を有するヒト対象に対して、頭部コンピュータ断層撮影（ＣＴ）スキャンを実施するのかどうかを決定する方法であって、
ａ）実際の頭部への損傷又は推測される頭部への損傷後約２４時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０７９４】
条項２３４．試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項２３３に記載の方法。
【０７９５】
条項２３５．対象が、アッセイが実施される前に、又は実施された後において、ＣＴスキャンを受けている、条項２３３又は２３４に記載の方法。
【０７９６】
条項２３６．対象が、ＣＴスキャンに基づき、外傷性脳損傷を有することが推測される、条項２３５に記載の方法。
【０７９７】
条項２３７．基準レベルが、陽性の頭部コンピュータ断層撮影と相関する、条項２３３〜２３６のいずれか一項に記載の方法。
【０７９８】
条項２３８．基準レベルが、頭部損傷を負っていない、対照の対象と相関する、条項２３３に記載の方法。
【０７９９】
条項２３９．ｃＴｎＩについての基準レベルが、約１．６５ｐｇ／ｍＬ、約２．１６ｐｇ／ｍＬ、約１４．７５ｐｇ／ｍＬ又は約３０．４３ｐｇ／ｍＬである、条項２３３〜２３８のいずれか一項に記載の方法。
【０８００】
条項２４０．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約１．０ｐｇ／ｍＬ〜約５０ｐｇ／ｍＬの間である、条項２３３〜２３９のいずれか一項に記載の方法。
【０８０１】
条項２４１．ヒト対象を、ヒト対象における軽度外傷性脳損傷について査定するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約３時間〜約６時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度、重度又は中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０８０２】
条項２４２．ヒト対象を、ヒト対象における軽度外傷性脳損傷について査定するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、第１の時点において採取され、第２の試料が、ヒト対象から、第１の試料の約１時間〜約４時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ
を含む方法。
【０８０３】
条項２４３．第１の試料が、実際の頭部への損傷又は推測される頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項２４１又は２４２に記載の方法。
【０８０４】
条項２４４．対象が、異常な頭部ＣＴを有する、条項２４１〜２４３のいずれかに記載の方法。
【０８０５】
条項２４５．ｃＴｎＩの第１の試料中の量が、約１．０〜約５０ｐｇ／ｍＬである、条項２４１〜２４４のいずれか一項に記載の方法。
【０８０６】
条項２４６．ｃＴｎＩの第２の試料中の量が、約１．０〜約５０ｐｇ／ｍＬである、条項２４１〜２４５のいずれか一項に記載の方法。
【０８０７】
条項２４７．ヒト対象における、軽度又は中等度、重度若しくは中等度〜重度の外傷性脳損傷を処置する方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、第１の時点において採取され、第２の試料が、ヒト対象から、第１の試料の約３時間〜約６時間後又は約１時間〜約４時間後に採取され、試料が、生物学的試料であるステップ；
ｂ）ｃＴｎＩの量が、第１の試料から第２の試料へと、上昇したのか、低下したのかを決定するステップ；
ｃ）検出されたｃＴｎＩのレベルが、第１の試料から第２の試料へと、上昇した場合に、中等度〜重度の外傷性脳損傷の発生を確認し、検出されたｃＴｎＩのレベルが、第１の試料から第２の試料へと、不変を維持する、又は低下した場合に、軽度外傷性脳損傷の非存在を確認するステップ；並びに
ｄ）軽度、中等度、重度又は中等度〜重度の外傷性脳損傷を有すると評価された対象を、外傷性脳損傷処置により処置するステップ
を含む方法。
【０８０８】
条項２４８．軽度、中等度、重度又は中等度〜重度の外傷性脳損傷を有すると評価された対象をモニタリングするステップをさらに含む、条項２４７に記載の方法。
【０８０９】
条項２４９．頭部への損傷を負った、又は負った可能性があるヒト対象の診断及び査定の一助となる方法であって、
ａ）実際の頭部への損傷又は推測される頭部への損傷後約２時間以内に対象から得られた試料に対して、アッセイを実施し、ｃＴｎＩのレベルを測定又は検出するステップ；及び
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度又は中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ
を含む方法。
【０８１０】
条項２５０．対象が、アッセイが実施される前に、又は実施された後において、ＧＣＳ（Ｇｌａｓｇｏｗ  Ｃｏｍａ  Ｓｃａｌｅ）スコアを受けている、条項２４９に記載の方法。
【０８１１】
条項２５１．対象が、ＧＣＳ（Ｇｌａｓｇｏｗ  Ｃｏｍａ  Ｓｃａｌｅ）スコアに基づき、中等度、重度又は中等度〜重度の外傷性脳損傷を有すると推測される、条項２５０に記載の方法。
【０８１２】
条項２５２．基準レベルが、中等度、重度又は中等度〜重度の外傷性脳損傷を有する対象と相関する、条項２５１に記載の方法。
【０８１３】
条項２５３．基準レベルが、３〜１２のＧＣＳ（Ｇｌａｓｇｏｗ  Ｃｏｍａ  Ｓｃａｌｅ）スコアと相関する、条項２５２に記載の方法。
【０８１４】
条項２５４．対象が、ＧＣＳ（Ｇｌａｓｇｏｗ  Ｃｏｍａ  Ｓｃａｌｅ）スコアに基づき、軽度外傷性脳損傷を有すると推測される、条項２５０に記載の方法。
【０８１５】
条項２５５．基準レベルが、軽度外傷性脳損傷を有する対象と相関する、条項２５４に記載の方法。
【０８１６】
条項２５６．基準レベルが、１３〜１５のＧＣＳ（Ｇｌａｓｇｏｗ  Ｃｏｍａ  Ｓｃａｌｅ）スコアと相関する、条項２５５に記載の方法。
【０８１７】
条項２５７．ｃＴｎＩについての基準レベルが、約１．１５ｐｇ／ｍＬ又は約１．２９ｐｇ／ｍＬである、条項２４９〜２５６のいずれか一項に記載の方法。
【０８１８】
条項２５８．基準レベルが、（ａ）少なくとも約８５％〜１００％の間の感度及び少なくとも約３０％〜１００％の間の特異度を有するアッセイにより決定される；（ｂ）少なくとも約８７．５％の感度及び少なくとも約３１％の特異度を有するアッセイにより決定される；又は（ｃ）少なくとも約０．５ｐｇ／ｍＬ〜約３０ｐｇ／ｍＬの間である、条項２４９〜２５７のいずれか一項に記載の方法。
【０８１９】
条項２５９．試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、条項２４９〜２５８のいずれか一項に記載の方法。
【０８２０】
条項２６０．軽度、中等度、重度又は中等度〜重度のＴＢＩを処置する方法であって、
ａ）実際の頭部への損傷又は推測される頭部への損傷後約２時間以内に対象から得られた試料に対して、アッセイを実施し、ｃＴｎＩのレベルを測定又は検出するステップ；
ｂ）対象が、軽度又は中等度〜重度の外傷性脳損傷（ＴＢＩ）を負っているのかどうかを決定するステップであって、（１）ｃＴｎＩの試料中レベルが、ｃＴｎＩの基準レベルより高い場合、対象が、中等度、重度又は中等度〜重度の外傷性脳損傷を有すると決定される、又は（２）ｃＴｎＩの試料中レベルが、ｃＴｎＩの基準レベルより低い場合、対象が、軽度外傷性脳損傷を有すると決定されるステップ；及び
ｃ）軽度、中等度、重度又は中等度〜重度の外傷性脳損傷を有すると評価された対象を、外傷性脳損傷処置により処置するステップ
を含む方法。
【０８２１】
条項２６１．軽度、中等度、重度又は中等度〜重度の外傷性脳損傷を有すると評価された対象をモニタリングするステップをさらに含む、条項２６０に記載の方法。
【０８２２】
条項２６２．実際の頭部への損傷又は推測される頭部への損傷を有するヒト対象に対して、頭部コンピュータ断層撮影（ＣＴ）スキャンを実施するのかどうかについての決定の一助となる方法であって、
ａ）実際の頭部への損傷又は推測される頭部への損傷後約２時間以内に対象から得られた試料に対して、アッセイを実施し、ｃＴｎＩの試料中レベルを測定又は検出するステップ；及び
ｂ）ｃＴｎＩの試料中レベルが、ｃＴｎＩの基準レベルより高い場合、対象に対するＣＴスキャンを実施し、ｃＴｎＩの試料中レベルが、ｃＴｎＩの基準レベルより低い場合、対象に対するＣＴスキャンを実施しないステップ
を含む方法。
【０８２３】
条項２６３．対象が、アッセイが実施される前に、又は実施された後において、ＣＴスキャンを受けている、条項２６２に記載の方法。
【０８２４】
条項２６４．対象が、ＣＴスキャンに基づき、外傷性脳損傷を有することが推測される、条項２６３に記載の方法。
【０８２５】
条項２６５．基準レベルが、陽性の頭部コンピュータ断層撮影と相関する、条項２６２〜２６４のいずれか一項に記載の方法。
【０８２６】
条項２６６．基準レベルが、頭部損傷を負っていない、対照の対象と相関する、条項２６２に記載の方法。
【０８２７】
条項２６７．ｃＴｎＩについての基準レベルが、約５．８ｐｇ／ｍＬ又は約４．７ｐｇ／ｍＬである、条項２６２〜２６６のいずれか一項に記載の方法。
【０８２８】
条項２６８．基準レベルが、（ａ）少なくとも約６５％〜１００％の間の感度及び少なくとも約３０％〜１００％の間の特異度を有するアッセイにより決定される；（ｂ）少なくとも約８５％の感度及び少なくとも約３３％の特異度を有するアッセイにより決定される；又は（ｃ）少なくとも約０．５ｐｇ／ｍＬ〜約２５ｐｇ／ｍＬの間である、条項２６２〜２６７のいずれか一項に記載の方法。
【０８２９】
条項２６９．試料が、実際の頭部への損傷又は推測される頭部への損傷後、約５分以内に、約１０分以内に、約１２分以内に、約１５分以内に、約２０分以内に、約３０分以内に、約６０分以内に、又は約９０分以内に採取される、条項２６２〜２６８のいずれか一項に記載の方法。
【０８３０】
条項２７０．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部への損傷後２４時間以内の第１の時点において採取され、第２の試料が、ヒト対象から、第１の試料の約０〜約４時間後に採取され、試料が、生物学的試料であるステップ；
ｂ）ｃＴｎＩの量が、第１の試料から第２の試料へと、上昇したのか、低下したのかを決定するステップ；並びに
ｃ）検出されたｃＴｎＩのレベルが、第１の試料から第２の試料へと、少なくとも約２０％上昇した場合に、ヒト対象における、思わしくない転帰を予測し、検出されたｃＴｎＩのレベルが、第１の試料から第２の試料へと、不変を維持する、約２０％未満低下又は上昇した場合に、ヒト対象における、思わしい転帰を予測するステップ
を含む方法。
【０８３１】
条項２７１．第１の試料が、頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項２７０に記載の方法。
【０８３２】
条項２７２．実際の頭部への損傷又は推測される頭部への損傷の、約１カ月、３カ月又は６カ月後における転帰を予測する、条項２７０又は２７１に記載の方法。
【０８３３】
条項２７３．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項２７２に記載の方法。
【０８３４】
条項２７４．対象が、正常な頭部ＣＴを有する、条項２７０〜２７３のいずれか一項に記載の方法。
【０８３５】
条項２７５．対象が、アッセイが実施される前に、又は実施された後において、ＧＣＳ（Ｇｌａｓｇｏｗ  Ｃｏｍａ  Ｓｃａｌｅ）スコアを受けている、条項２７０〜２７４のいずれか一項に記載の方法。
【０８３６】
条項２７６．対象が、１３〜１５のＧＣＳ（Ｇｌａｓｇｏｗ  Ｃｏｍａ  Ｓｃａｌｅ）スコアを受けており、ＧＣＳ（Ｇｌａｓｇｏｗ  Ｃｏｍａ  Ｓｃａｌｅ）スコアに基づき、軽度外傷性脳損傷を有すると推測される、条項２７０〜２７５のいずれか一項に記載の方法。
【０８３７】
条項２７７．対象が、アッセイが実施される前に、又は実施された後において、ＧＯＳＥ（Ｅｘｔｅｎｄｅｄ  Ｇｌａｓｇｏｗ  Ｏｕｔｃｏｍｅ  Ｓｃａｌｅ）スコアを受けている、条項２７０〜２７６のいずれか一項に記載の方法。
【０８３８】
条項２７８．軽度外傷性脳損傷を有するヒト対象の転帰を予測するための方法であって、
ａ）損傷後約２８時間以内に対象から得られた試料に対して、アッセイを実施し、ｃＴｎＩのレベルを測定又は検出するステップであって、試料が、生物学的試料であるステップ；及び
ｂ）ｃＴｎＩの試料中レベルが、ｃＴｎＩの基準レベルより高い場合、ヒト対象における、思わしくない転帰を予測し、ｃＴｎＩの試料中レベルが、ｃＴｎＩの基準レベルより低い場合、ヒト対象における、思わしい転帰を予測するステップ
を含む方法。
【０８３９】
条項２７９．試料が、頭部への損傷から、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、約２４時間以内に、約２５時間以内に、約２６時間以内に、約２７時間以内に、又は約２８時間以内に対象から採取される、条項２７８に記載の方法。
【０８４０】
条項２８０．頭部への損傷の、約１カ月、３カ月又は６カ月後における転帰を予測する、条項２７８又は２７９に記載の方法。
【０８４１】
条項２８１．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項２８０に記載の方法。
【０８４２】
条項２８２．基準レベルが、（ａ）少なくとも約８０％〜１００％の間の感度及び少なくとも約４５％〜１００％の間の特異度を有するアッセイにより決定される；（ｂ）少なくとも約８３．３％の感度及び少なくとも約５４．９％の特異度を有するアッセイにより決定される；（ｃ）少なくとも約１００％の感度及び少なくとも約４９．２％の特異度を有するアッセイにより決定される；又は（ｄ）少なくとも約１ｐｇ／ｍＬ〜約５０ｐｇ／ｍＬの間である、条項２７８〜２８１のいずれか一項に記載の方法。
【０８４３】
条項２８３．ｃＴｎＩについての基準レベルが、約５．６ｐｇ／ｍＬ又は約５．７ｐｇ／ｍＬである、条項２７８〜２８２のいずれか一項に記載の方法。
【０８４４】
条項２８４．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部損傷後、約２４時間以内の第１の時点において採取され、第２の試料が、ヒト対象から、第１の試料の約４時間後に採取され、試料が、生物学的試料であるステップ；
ｂ）ｃＴｎＩの量が、第１の試料から第２の試料へと、上昇したのか、低下したのかを決定するステップ；並びに
ｃ）ｃＴｎＩの試料中レベルが、第１の試料から第２の試料へと、上昇した場合に、ヒト対象における、思わしくない転帰を予測し、ｃＴｎＩの試料中レベルが、第１の試料から第２の試料へと、不変を維持する、又は低下した場合に、ヒト対象における、思わしい転帰を予測するステップ
を含む方法。
【０８４５】
条項２８５．第１の試料が、約３０分以内に、約１時間以内に、約２時間以内に、約３時間以内に、約４時間以内に、約５時間以内に、約６時間以内に、約７時間以内に、約８時間以内に、約９時間以内に、約１０時間以内に、約１１時間以内に、約１２時間以内に、約１３時間以内に、約１４時間以内に、約１５時間以内に、約１６時間以内に、約１７時間以内に、約１８時間以内に、約１９時間以内に、約２０時間以内に、約２１時間以内に、約２２時間以内に、約２３時間以内に、又は約２４時間以内に対象から採取される、条項２８４に記載の方法。
【０８４６】
条項２８６．頭部への損傷の、約１カ月、３カ月又は６カ月後における転帰を予測する、条項２８４又は２８５に記載の方法。
【０８４７】
条項２８７．対象が、５以下のＧＯＳＥ（Ｅｘｔｅｎｄｅｄ  Ｇｌａｓｇｏｗ  Ｏｕｔｃｏｍｅ  Ｓｃａｌｅ）スコアを有することが予測される、条項２８６に記載の方法。
【０８４８】
条項２８８．ｃＴｎＩの第１の試料中の量が、約１．０〜約５０ｐｇ／ｍＬである、条項２８４〜２８７のいずれか一項に記載の方法。
【０８４９】
条項２８９．ｃＴｎＩの第２の試料中の量が、約１．０〜約５０ｐｇ／ｍＬである、条項２８４〜２８８のいずれか一項に記載の方法。
【０８５０】
条項２９０．ｃＴｎＩのレベルが、第１の試料から第２の試料へと、少なくともある絶対量だけ低下又は上昇する、条項２８４〜２８９のいずれか一項に記載の方法。
【０８５１】
条項２９１．絶対量が、（ａ）少なくとも約８０％〜１００％の間の感度及び少なくとも約４５％〜１００％の間の特異度を有するアッセイにより決定される；（ｂ）少なくとも約８２．４％の感度及び少なくとも約６９．５％の特異度を有するアッセイにより決定される；又は（ｃ）少なくとも約１ｐｇ／ｍＬ〜約５０ｐｇ／ｍＬの間である、条項２９０に記載の方法。
【０８５２】
条項２９２．絶対量が、約５．６ｐｇ／ｍＬである、条項２９１に記載の方法。
【０８５３】
条項２９３．転帰が思わしくないと評価された対象を、外傷性脳損傷処置により処置するステップをさらに含む、条項２７０〜２９２のいずれか一項に記載の方法。
【０８５４】
条項２９４．外傷性脳損傷処置による転帰が思わしくないと評価された対象をモニタリングするステップをさらに含む、条項２７０〜２９３のいずれか一項に記載の方法。
【０８５５】
条項２９５．軽度外傷性脳損傷を有するヒト対象の転帰を予測するための方法であって、
ａ）ヒト対象に由来する試料に対するアッセイを実施して、ｃＴｎＩの第１の試料中レベル及び第２の試料中レベルを測定又は検出するステップであって、第１の試料が、ヒト対象から、頭部への損傷後２４時間以内の第１の時点において採取され、第２の試料が、ヒト対象から、第１の試料の約０〜約４時間後に採取され、試料が、生物学的試料であるステップ；
ｂ）対象の年齢を決定するステップ；及び
ｃ）ｃＴｎＩのレベルの、第１の試料中レベル及び／又は第２の試料中レベルが、ｃＴｎＩの基準レベルより高く、かつ、対象の年齢が、基準年齢を上回る場合、ヒト対象における、思わしくない転帰を予測し、ｃＴｎＩのレベルの、第１の試料中レベル及び／又は第２の試料中レベルが、ｃＴｎＩの基準レベルより低く、かつ／又は対象の年齢が、基準年齢を下回る場合、ヒト対象における、思わしい転帰を予測するステップ
を含む方法。
【０８５６】
条項２９６．対象を、少なくとも１つの心臓保護治療で処置するステップをさらに含む、条項２２０〜２９５のいずれか一項に記載の方法。
【０８５７】
条項２９７．少なくとも１つの心臓保護治療が、ベータ−遮断剤、利尿剤、アンジオテンシン転換酵素（ＡＣＥ）阻害剤、カルシウムチャネル遮断剤、脂質降下療法、スタチン、硝酸塩、抗血小板剤、抗凝血剤、抗凝固剤又はこれらの組合せを含む、条項２９６に記載の方法。
【０８５８】
条項２９８．ｃＴｎＩのレベルを測定するステップが、イムノアッセイ又は臨床化学アッセイによりなされる、条項２２０〜２９７のいずれか一項に記載の方法。
【０８５９】
条項２９９．ｃＴｎＩのレベルを測定するステップが、
Ａ．試料を、同時に、又は逐次的に、任意の順序において、
（１）ｃＴｎＩ上又はｃＴｎＩ断片上のエピトープに結合してｃＴｎＩ捕捉抗体−ｃＴｎＩ抗原複合体を形成するｃＴｎＩ捕捉抗体及び
（２）検出可能な標識を含み、ｃＴｎＩ捕捉抗体が結合していないｃＴｎＩ上のエピトープに結合してｃＴｎＩ抗原−ｃＴｎＩ検出抗体複合体を形成するｃＴｎＩ検出抗体
と接触させて、ｃＴｎＩ捕捉抗体−ｃＴｎＩ抗原−ｃＴｎＩ検出抗体複合体を形成すること並びに、
Ｂ．ｃＴｎＩの、試料中量又は試料中濃度を、ｃＴｎＩ捕捉抗体−ｃＴｎＩ抗原−ｃＴｎＩ検出抗体複合体内の検出可能な標識により発生したシグナルに基づき測定すること
を含む、条項２２０〜２９８のいずれか一項に記載の方法。
【０８６０】
条項３００．試料が、全血試料、血清試料、脳脊髄液試料及び血漿試料からなる群から選択される、条項２２０〜２９９のいずれか一項に記載の方法。
【０８６１】
条項３０１．対象が、物理的振盪、閉鎖性頭部外傷若しくは開放性頭部外傷をもたらす外部の機械的力若しくは他の力、１回以上の転倒、爆発若しくは爆破による鈍的衝撃により引き起こされた頭部損傷又は他の種類の鈍力外傷を負った後において、試料が得られる、条項２２０〜３００のいずれか一項に記載の方法。
【０８６２】
条項３０２．対象が、化学物質、毒素又は化学物質と毒素との組合せを摂取した、又はこれらへと曝露された後において、試料が得られる、条項２２０〜３００のいずれか一項に記載の方法。
【０８６３】
条項３０３．化学物質又は毒素が、火、カビ、アスベスト、害虫駆除剤、殺虫剤、有機溶剤、塗料、糊、ガス、有機金属、乱用薬物又はこれらの１つ以上の組合せである、条項１０２に記載の方法。
【０８６４】
条項３０４．試料が、自己免疫疾患、代謝性障害、脳腫瘍、低酸素症、ウイルス、髄膜炎、水頭症又はこれらの組合せを患う対象から得られる、条項２２０〜３０３のいずれか一項に記載の方法。
【０８６５】
条項３０５．対象の臨床状態、対象の検査値、軽度、中等度、重度又は中等度〜重度の外傷性脳損傷の罹患についての対象の分類、対象による、低レベル又は高レベルのｃＴｎＩの呈示及び前記対象が、頭部への損傷を負った可能性がある、任意の事象のタイミングからなる群から選択される因子に関わらず、任意のヒト対象に対して実行されうる、条項２２０〜３０４のいずれか一項に記載の方法。
【０８６６】
条項３０６．試料が、全血試料である、条項２２０〜３０５のいずれか一項に記載の方法。
【０８６７】
条項３０７．試料が、血清試料である、条項２２０〜３０５のいずれか一項に記載の方法。
【０８６８】
条項３０８．試料が、血漿試料である、条項２２０〜３０５のいずれか一項に記載の方法。
【０８６９】
条項３０９．アッセイが、イムノアッセイである、条項３０６〜３０８のいずれか一項に記載の方法。
【０８７０】
条項３１０．アッセイが、臨床化学アッセイである、条項３０６〜３０８のいずれか一項に記載の方法。
【０８７１】
条項３１１．アッセイが、単一分子検出アッセイである、条項３０６〜３０８のいずれか一項に記載の方法。
【図１】
2020522686.tif 000031
【図２】
2020522686.tif 000032
【図３】
2020522686.tif 000033
【図４】
2020522686.tif 000034
【図５】
2020522686.tif 000035
【図６】
2020522686.tif 000036
【図７】
2020522686.tif 000037
【図８】
2020522686.tif 000038
【図９】
2020522686.tif 000039
【図１０】
2020522686.tif 000040
【図１１】
2020522686.tif 000041
【図１２】
2020522686.tif 000042
【図１３】
2020522686.tif 000043
【図１４】
2020522686.tif 000044
【図１５】
2020522686.tif 000045
【図１６】
2020522686.tif 000046
【図１７】
2020522686.tif 000047
【図１８】
2020522686.tif 000048
【図１９】
2020522686.tif 000049
【図２０】
2020522686.tif 000050
【図２１】
2020522686.tif 000051
【図２２】
2020522686.tif 000052
【図２３】
2020522686.tif 000053
【図２４】
2020522686.tif 000054
【図２５】
2020522686.tif 000055
【図２６】
2020522686.tif 000056
【図２７】
2020522686.tif 000057
【図２８】
2020522686.tif 000058
【図２９】
2020522686.tif 000059
【図３０】
2020522686.tif 000060
【図３１】
2020522686.tif 000061
【配列表】
2020522686000001.app
【国際調査報告】
2020522686.tif 000062
2020522686.tif 000063
2020522686.tif 000064
2020522686.tif 000065